(57)【要約】  本発明は、第１の環境状態では細胞により発現するが、第２の環境状態では発現しないタンパク質及びポリペプチド、並びにそれらの同起源のポリヌクレオチドを同定する方法を提供する。本発明はまた、癌（例えば、結腸直腸癌）の治療及び検出のための組成物を提供する。【選択図】  図１
2011528804.tif 000002
【特許請求の範囲】
【請求項１】
対象における癌又は癌の発症に対する素因を検出する方法であって、対象からの生物学的サンプル中、ミエロブラスチン前駆体（例えば、配列番号２９）；タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイ��フォーム１；マイトジェン活性化タンパク質キナーゼ活性化タンパク質キナーゼ（ＭＡＰＫＡＰＫ３３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；
フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１���様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又はその任意の組み合わせ、からなる群より選択される癌関連タンパク質、ポリペプチド又はポリヌクレオチドの発現レベルを測定する工程を含み、対照サンプルと比較した場合に、前記生物学的サンプル中の癌関連タンパク質、ポリペプチド又はポリヌクレオチドの発現レベルの増大が、対象が癌を有するか、又は、癌を発症する素因を有することを示す、検出方法。
【請求項２】
前記タンパク質又はポリペプチドが、配列番号１〜１５７として示されるアミノ酸配列を含んでなる、請求項１に記載の方法。
【請求項３】
前記癌が結腸直腸癌である、請求項１に記載の方法。
【請求項４】
前記方法が、２以上の癌関連タンパク質、ポリペプチド、又はポリヌクレオチドの発現レベルを測定する工程をさらに含む、請求項１に記載の方法。
【請求項５】
前記癌関連ポリヌクレオチド、ポリペプチド又はタンパク質の発現レベルが、（ａ）前記ポリペプチド、タンパク質、又はポリヌクレオチドの存在を検出する工程、（ｂ）前記癌関連ポリヌクレオチドのｍＲＮＡを検出する工程、及び（ｃ）前記癌関連ポリヌクレオチドによってコードされるタンパク質又はポリペプチドの生物学的活性を検出する工程、からなる群より選択される方法によって測定される、請求項１に記載の方法。
【請求項６】
前記生物学的サンプルが、細胞、細胞抽出物、組織、体液、細胞を実質的に含まない体液、血清、尿、涙、乳汁、精液、前立腺液、肺洗浄液、唾液、粘膜細胞、腫瘍細胞、癌細胞、生検サンプル、洗浄サンプル、痰サンプル、血清サンプル、血漿サンプル、血液サンプル、糞便サンプル、リンパ節サンプル、骨髄サンプル、尿サンプル、組織サンプル、結腸直腸組織サンプル、又は胸水サンプルを含む、請求項１に記載の方法。
【請求項７】
前記癌関連タンパク質又はポリペプチドの発現レベルが、該ポリペプチドと特異的に結合する抗体を用いて、前記サンプル中における該ポリペプチドの発現レベルを検出することによって測定される、請求項５に記載の方法。
【請求項８】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブ��ンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タ��パク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又はその任意の組合せ、からなる群より選択されるタンパク質又はポリペプチドと特異的に結合する、単離された抗体又はその抗原結合断片。
【請求項９】
前記タンパク質又はポリペプチドが、配列番号１〜１５７として示されるアミノ酸配列を含んでなる、請求項８に記載の単離された抗体。
【請求項１０】
前記抗体が、モノクローナル抗体、ポリクローナル抗体、一本鎖抗体、単一特異性一本鎖抗体、二重特異性一本鎖抗体、二価一本鎖抗体、四価一本鎖抗体、キメラ抗体、抗体の抗原結合断片、又はヒト化抗体である、請求項８に記載の単離された抗体。
【請求項１１】
抗癌化合物のためのスクリーニング方法であって、試験化合物の存在下、第１の生物学的サンプル中の、変化が介在するタンパク質又はポリペプチド発現産物のレベルを、試験化合物の非存在下、第２の生物学的サンプル中の、前記変化が介在するタンパク質又はポリペプチド発現産物のレベルと比較する工程を含み、該変化が介在するタンパク質又はポリペプチド発現産物が、以下：タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１又はその任意の組み合わせ、からなる群より選択されるポリペプチド、又は、該ポリペプチドをコードするｍＲＮＡ若しくはその任意の組み合わせを含み、前記第２の生物学的サンプルの場合と比較した時に、前記第１の生物学的サンプル中の前記変化が介在するタンパク質又はポリペプチド発現産物のレベルを低下させる試験化合物が、抗癌剤として同定される、スクリーニング方法。
【請求項１２】
前記変化が介在するタンパク質又はポリペプチド発現産物が、配列番号１〜１５７として示されるアミノ酸配列を含んでなる、請求項１１に記載の方法。
【請求項１３】
（ａ）候補化合物を、以下：タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ��３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフ��ームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択されるタンパク質又はポリペプチドを発現する細胞と接触させる工程、並びに、（ｂ）該タンパク質又はポリペプチドの発現レベルを低下させる化合物を選択する工程、を含む、癌を治療又は予防するための化合物のスクリーニング方法。
【請求項１４】
前記タンパク質又はポリペプチドが、配列番号１〜１５７として示されるアミノ酸配列を含んでなる、請求項１３に記載の方法。
【請求項１５】
（ａ）タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，��サブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複��体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択されるタンパク質又はポリペプチドのエピトープと特異的に結合する抗体又はその抗原結合断片、及び（ｂ）該抗体と該ポリペプチドとの間の結合反応を検出するための１以上の試薬、を含む、哺乳類における癌の検出のためのキット。
【請求項１６】
前記タンパク質又はポリペプチドが、配列番号１〜１５７として示されるアミノ酸配列を含んでなる、請求項１５に記載のキット。
【請求項１７】
少なくとも１つのポリヌクレオチドプライマー又はプローブを含む、生物学的サンプル中の癌細胞を検出するためのキットであって、該ポリヌクレオチドプライマー又はプローブが、以下：タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質：アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；and 転写リプレッサーＮＦ−Ｘ１（ＮＦＸ１）のアイソフォーム１；からなる群より選択されるタンパク質又はポリペプチドをコードするポリヌクレオチド、又はその相補鎖、又はこれらの任意の組み合わせ、に特異的である、キット。
【請求項１８】
前記タンパク質又はポリペプチドが、配列番号１〜１５７として示されるアミノ酸配列を含んでなる、請求項１７に記載のキット。
【請求項１９】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブ��ンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タ��パク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、からなる群より選択されるタンパク質又はポリペプチドをコードするポリヌクレオチド、又はその相補体、又はこれらの任意の組み合わせ、に特異的な少なくとも２つのポリヌクレオチドプライマーを含む、請求項１７に記載の癌細胞を検出するためのキット。
【請求項２０】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブ��ンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ApoA1；C4A；and C3 187 kDa タンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タンパク質１サブユニ��トε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択される少なくとも２つのタンパク質又はポリペプチドを含んでなる融合タンパク質。
【請求項２１】
前記少なくとも２つのタンパク質又はポリペプチドが、配列番号１〜１５７として示されるアミノ酸配列からなる群より選択される、請求項２０に記載の融合タンパク質。
【請求項２２】
生理学的に許容される担体及び免疫刺激剤からなる群より選択される第１の成分と、（ａ）タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タ��パク質キナーゼ活性化タンパク質キナーゼ（ＭＡＰＫＡＰＫ３３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットα��アイソフォーム１，ＳＣＮ８Ａ；ガレクチン−９のアイソフォームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、からなる群より選択されるタンパク質又はポリペプチド；（ｂ）（ａ）のタンパク質又はポリペプチドをコードするポリヌクレオチド；（ｃ）請求項８に記載の抗体；並びに、（ｄ）請求項２０に記載の融合タンパク質又はその任意の組み合わせ、からなる群より選択される第２の成分とを含んでなる、組成物。
【請求項２３】
前記ポリペプチドが、配列番号１〜１５７として示されるアミノ酸配列を含んでなる、請求項２２に記載の組成物。
【請求項２４】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブ��ンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タ��パク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択される２以上のタンパク質又はポリペプチドのタンパク質又はポリペプチド発現パターンを含む、結腸直腸癌参照発現プロファイル。
【請求項２５】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブ��ンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タ��パク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択されるタンパク質又はポリペプチドをコードする２以上のポリヌクレオチドのポリヌクレオチド発現パターンを含む、結腸直腸癌参照発現プロファイル。
【請求項２６】
前記タンパク質又はポリペプチドが、配列番号１〜１５７として示されるアミノ酸配列を含む、請求項２４又は２５に記載の結腸直腸癌参照発現プロファイル。
【請求項２７】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブ��ンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タ��パク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択されるポリペプチド、又は、タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；
フィブリノーゲンα鎖（ＦＧＡ）；アネキシンＡ２（ＡＮＸＡ２）；Ｈ２Ａヒストンフ
ァミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択されるポリペプチドをコードする、２以上のポリヌクレオチドと特異的にハイブリダイズする２以上のポリヌクレオチドを含む、アレイ。
【請求項２８】
前記タンパク質又はポリペプチドが、配列番号１〜１５７として示されるアミノ酸配列を含んでなる、請求項２７に記載のアレイ。
【請求項２９】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；
イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；, アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タンパク質１サブユニットε，ＣＣＴ５；α−エノラーゼ，肺特異性；
癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又は、その任意の組み合わせ、からなる群より選択されるタンパク質又はポリペプチドと特異的に結合する薬学的有効量の抗体又はその抗原結合断片を含んでなる、癌を治療するための組成物。
【請求項３０】
前記タンパク質又はポリペプチドが、配列番号１〜１５７として示されるアミノ酸配列を含んでなる、請求項２９に記載の組成物。
【請求項３１】
タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，ｓサブ��ンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；及び、未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複��体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、からなる群より選択される薬学的有効量のタンパク質若しくはポリペプチド、又は、前記ポリペプチドをコードするポリヌクレオチド若しくはその任意の組み合わせ、を含んでなる、癌を治療するための組成物。
【請求項３２】
前記タンパク質又はポリペプチドが、配列番号１〜１５７として示されるアミノ酸配列を含んでなる、請求項３１に記載の組成物。
【請求項３３】
（ａ）タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合体サブユニットのアイソフォーム１；マイトジェン活性化タンパク質キナーゼ活性化タンパク質キナーゼ（ＭＡＰＫＡＰＫ３３）；補体成分１，��サブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；, アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）；ナトリウムチャンネルタンパク質タイプ８サブユニットαのアイソフォーム１，ＳＣＮ８Ａ；ガレクチン−９のアイソフォームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１、又はその断片、又はその任意の組み合わせ、からなる群より選択される薬学的有効量のタンパク質又はポリペプチドを対象に投与する工程；（ｂ）前記タンパク質又はポリペプチド又はその任意の組み合わせをコードする薬学的有効量のポリヌクレオチド又はその断片を対象に投与する工程；或いは、（ｃ）前記タンパク質又はポリペプチドと特異的に結合する薬学的有効量の抗体又はその抗原結合断片を対象に投与する工程を含む、対象における癌を治療するための又は対象における免疫反応を刺激するための方法。
【請求項３４】
前記タンパク質又はポリペプチドが、配列番号１〜１５７として示されるアミノ酸配列を含んでなる、請求項３３に記載の方法。
【請求項３５】
前記癌が結腸直腸癌である、請求項３３に記載の方法。
【請求項３６】
前記免疫性が抗腫瘍免疫性である、請求項３３に記載の方法。
【請求項３７】
第１の環境状態では宿主によって発現されるが、第２の環境状態では発現されない、変化が介在するタンパク質又はポリペプチド及びその同起源の遺伝子又はポリヌクレオチドを単離する方法であって、以下の工程：
（ａ）第１の環境状態の第１の宿主から細胞、組織又は液状サンプルを取得する工程；
（ｂ）（ａ）のサンプルを動物に免疫する工程；
（ｃ）該免疫化した動物から抗体を回収する工程；
（ｄ）該抗体を、第２の環境状態の第２の宿主動物の組織のホモジネート又は液状物に吸着させる工程；
（ｅ）非吸着抗体を単離する工程；及び、
（ｆ）第１の環境状態では第１の宿主によって発現されるが、第２の環境状態では発現されない、変化が介在するタンパク質又はポリペプチド、又はその同起源の遺伝子又はポリヌクレオチドを単離するために、非吸着抗体を使用する工程；
を含む、単離方法。
【請求項３８】
前記第１の環境状態が、疾患、癌、又は自己免疫疾患である、請求項３７に記載の方法。
【請求項３９】
前記第２の環境状態が、正常状態、健康状態、非疾患状態、又は第１の環境状態とは異なる環境状態である、請求項３７に記載の方法。
【請求項４０】
前記液状物が、尿、涙、血漿、乳汁、洗浄液、前立腺液、精液、唾液、血清、痰、及び胸水、細胞抽出物、師部抽出物、又は木部（ｘｙｌｕｍ）抽出物である、請求項３７に記載の方法。
【請求項４１】
前記体液が、実質的に細胞を含まない、請求項３７に記載の方法。
【請求項４２】
前記第１の宿主からの細胞、細胞抽出物、組織又は液状物に対して産生させた抗体を、第１の宿主とは異なる第２の宿主から得られた組織又は液状物に吸着させる、請求項３７に記載の方法。
【請求項４３】
前記第１の宿主からの細胞、細胞抽出物、組織又は液状物に対して産生させた抗体を、第１の宿主とは異なるが、同じ種である第２の宿主から得られた細胞、細胞抽出物、組織又は液状物に吸着させる、請求項３７に記載の方法。
【請求項４４】
前記免疫化した動物が、ヒト、ヒヒ、チンパンジー、マカク、ウシ、ヒツジ、ブタ、ウマ、ヤギ、イヌ、ネコ、ウサギ、モルモット、ラット、マウス、ニワトリ、アヒル、及び魚類からなる群より選択される、請求項３７に記載の方法。
【請求項４５】
前記細胞、組織、又は液状サンプルが、第１の環境状態の第１の宿主から得られた直ぐ後に凍結される、請求項３７に記載の方法。
【請求項４６】
第１の環境状態に反応して第１の宿主によって発現される請求項３６に記載の単離されたタンパク質、ポリペプチド又はポリヌクレオチドの確認方法であって、以下の工程：
（ａ）請求項３６に記載の単離されたポリヌクレオチドからポリペプチドを発現させて単離する工程、又は、請求項３６に記載のタンパク質又はポリペプチドを単離する工程；
（ｂ）前記タンパク質又はポリペプチドに対する抗体を産生させる工程；及び、
（ｃ）第１の環境状態の第１の宿主又は別の宿主の細胞、細胞抽出物、液状物、又は組織を、（ｂ）の抗体を用いて精査する工程；を含み、
これにより、該抗体が該細胞、細胞抽出物、体液、又は組織と特異的に結合している場合には、同定されたポリヌクレオチド、タンパク質又はポリペプチドは、第１の環境状態に反応して第１の宿主によって発現していることが確認される、確認方法。
【請求項４７】
前記免疫化した動物が、第１の宿主から系統学的に遠い、請求項３７に記載の方法。
【請求項４８】
前記動物の免疫化前に、前記（ａ）のサンプルにアジュバントが添加される、請求項３７に記載の方法。
【請求項４９】
前記変化が介在するタンパク質又はポリペプチドが、固体支持体上に（ｅ）の非吸着抗体を固定化する工程、及び、第１の環境状態の第１の宿主の細胞、細胞抽出物、組織、又は液状物を添加する工程、及び、固体支持体と結合するタンパク質又はポリペプチドを回収する工程、とによって単離される、請求項３７に記載の方法。
【請求項５０】
前記固体支持体と結合するタンパク質又はポリペプチドが、マススペクトロメトリーによって同定される、請求項４９に記載の方法。
【発明の詳細な説明】
【技術分野】
【０００１】
本発明は、第１の環境状態では細胞により発現するが、第２の環境状態では発現しないタンパク質及びポリペプチド、並びにそれらの同起源のポリヌクレオチドを同定する方法、並びに、癌（例えば、結腸直腸癌）の治療及び検出のための組成物に関する。
【背景技術】
【０００２】
優先権
本出願は、米国出願第６１／０８１，９２６号（２００８年７月１８日出願）に基づく優先権を主張する。この仮出願は参照によりその全体が本明細書に組み込まれる。
【０００３】
政府の権利
本発明は、ＮＩＨ／ＮＣＩ／ＳＢＩＲのグラントＮｏ．１Ｒ４３ＣＡ１２４００６−０１Ａ１によって部分的に助成されている。米国政府は、本発明に対して一定の権利を有する。
【０００４】
ある状態又は状況から別の状態又は状況へと細胞が変化を受ける時に作られるタンパク質、ポリペプチド及びその他の細胞成分の同定は、かかる分子が、変化が存在する又は変化が生じていることを示すものとして機能する可能性が大変高いことから、重要であり得る。第１の状態が健康状態であり、第２の状態が疾患状態である場合、かかる「変化が介在する」タンパク質、ポリペプチド又はその他の細胞成分の同定は、新しい診断法の開発のための優れたターゲットを提供するはずであり、同様に、疾患の治療に役立つ様々なタイプの抗生物治療薬(例えば、ワクチン)のためのターゲットを提供し得る。
【０００５】
特定の場合に、変化が介在する分子は、疾患組織から放出され、比較的容易に回収される体液中に侵入し得る。体液中の疾患（例えば、癌）組織から放出された細胞成分の同定は、このように放出されるタンパク質が、活動性疾患の理想的診断ターゲットとして機能する候補である可能性が大変高いことから、重要であり得る。例えば、結腸直腸癌細胞等の癌細胞中で異なって発現されるポリペプチド、及び癌細胞において特異的に発現されるポリペプチド、及び体液中へ癌細胞から放出されるポリペプチドは、抗癌化合物のスクリーニングのため、治療組成物の開発のため、及びその他の用途のため、癌の厳密かつ正確な診断を提供するために使用し得る。
【発明の概要】
【０００６】
本発明の一実施形態は、対象における癌又は癌の発症に対する素因を検出する方法を提供する。この方法は、対象からの生物学的サンプル中において、タイチン；ＨＢＡ１；インスリン様増殖因子１受容体（ＩＧＦ１Ｒ）；ゾナドヘシン前駆体のアイソフォーム３；潜在型形質転換増殖因子β結合タンパク質４（ＬＴＢＰ４）；ＡＳＸＬ１（付加的性コーム様１）；βグロビン（ＨＢＢ）；ＢＭＰ１５−骨形成タンパク質；ＴＲＩＭ４９；ＤＮＡＪホモログサブファミリーＢメンバー１１前駆体；未同定造血幹細胞／前駆細胞タンパク質ＭＤＳ０２７；未同定タンパク質ＡＬＢ；ｓｕｓｈｉ、ナイドジェン及びＥＧＦ−様ドメイン含有タンパク質１前駆体のアイソフォーム３；ペリフェリンのアイソフォーム２；ミトコンドリア２８Ｓリボソームタンパク質Ｓ２２；翻訳開始因子ＥＩＦ−２Ｂサブユニットε；エストラジオール１７−β−デヒドロゲナーゼ１；ＸＲＣＣ６ＢＰ１；脳特異的血管新生阻害物質１前駆体；リングフィンガー及びＣＣＣＨ−型ジンクフィンガードメイン含有タンパク質２のアイソフォーム２；ヘモグロビンサブユニットβ；遠位上流エレメント結合タンパク質１のアイソフォーム１；ガレクチン−３；リゾチームＣ前駆体；アクチン，α骨格筋；ピルビン酸キナーゼアイソザイムＭ１／Ｍ２のアイソフォームＭ２；ＡＧＲ２；好中球デフェンシン１前駆体；ミエロブラスチン前駆体；未同定タンパク質ＰＳＭＥ２；チューブリンβ−２Ｃ鎖；チオ硫酸サルファトランスフェラーゼ；熱ショック７０ｋＤａタンパク質１；Ｉｇκ鎖Ｖ−ＩＩＩ領域ｓｉｅ；マクロファージ遊走阻止因子；ＡＴＰシンターゼサブユニットＤのアイソフォーム１，ミトコンドリア性；未同定タンパク質ＥＮＳＰ０００００３７４０５１；イソクエン酸デヒドロゲナーゼ［ＮＡＤＰ］細胞質性；ヘモグロビンサブユニットδ；スプライシング因子，アルギニン／セリン−リッチ７のアイソフォーム１；ｍＲＮＡ−キャッピング酵素のアイソフォーム１；ＬＯＮプロテアーゼホモログ，ミトコンドリア前駆体；シグナル認識粒子５４ｋＤａタンパク質；ガレクチン−９のアイソフォームロング；インテグリン結合タンパク質キナーゼ；二官能性アミノアシル−ｔＲＮＡ合成酵素；ジンクフィンガータンパク質２０７のアイソフォーム１；無機ピロホスファターゼ；カルポニン−２；マッスルブラインド様タンパク質３のアイソフォーム１；カテプシンＧ前駆体；ジンクフィンガー及びＢＴＢドメイン含有タンパク質３４；アデニンホスホリボシルトランスフェラーゼ；４０Ｓリボソームタンパク質Ｓ９；タリン−１；ロイシンリッチリピート含有タンパク質５９；ＡＴＰシンターゼサブユニットα，ミトコンドリア前駆体；タンパク質輸送タンパク質ＳＥＣ３１Ａのアイソフォーム７；ジヒドロキシアセトンキナーゼ；異種核内リボ核タンパク質Ｃ１／Ｃ２（ＨＮＲＮＰ  Ｃ１／ＨＮＲＮＰ  Ｃ２）アイソフォーム４タンパク質類似体；１８ｋＤａタンパク質（例えば、ＵＮＩＰＡＲＣ登録番号ＩＰＩ００７９６５５４；寒冷凝集素ＦＳ−１  Ｌ−鎖；異種核内リボ核タンパク質ｄ０のアイソフォーム１；ＤＡＺＡＰ１／ＭＥＦ２Ｄ融合タンパク質；ＰＯＴＥ２；ケラチン１８（ＫＲＴ１８）；ＰＳＭＥ４  プロテアソ−ムアクチベーター複合��サブユニットのアイソフォーム１；マイトジェン活性化タンパク質キナーゼ活性化タンパク質キナーゼ（ＭＡＰＫＡＰＫ３３）；補体成分１，ｓサブコンポーネント（Ｃ１Ｓ）；リゾチームＣ前駆体（ＬＹＺ）；ケラチン（Ｋｅｒｉｔｉｎ）型細胞骨格２０（ＫＲＴ２０）；ＲＮＡＳＥ３；アルデヒドデヒドロゲナーゼＸ，ミトコンドリア前駆体（ＡＬＤＨ１Ｂ１）；ＣＤＮＡ  ＦＬＪ２５５０６  ｆｉｓ，クローンＣＢＲ０５１８５；フィビュリン（ｆｉｂｕｌｉｎ）−１前駆体（ＦＢＬＮ１）のアイソフォームＢ；ヌクレオバインディン１（ＮＵＣＢ１）；ヒストンクラスター２，Ｈ２ｂａ（ＨＩＳＴ２Ｈ２ＢＡ）；三部分モチーフ含有２８（ＴＲＩＭ２８）；ペルオキシソームＤ３，Ｄ２エノイル−ＣｏＡイソメラーゼ（ＰＥＣＩ）；ペプチジルプロリルイソメラーゼＢ（ＰＰＩＢ）；４０Ｓリボソームタンパク質Ｓ１７類似体；真核生物翻訳伸長因子１γ（ＥＥＦ１Ｇ）；ケラチン８（ＫＲＴ８）；フィビュリン２（ＦＢＬＮ２）；ＶＩＭ；フィブリノーゲンα鎖（ＦＧＡ）；アネキシンＡ２（ＡＮＸＡ２）；Ｈ２Ａヒストンファミリー，メンバーＪ（Ｈ２ＡＦＪ）；アクチンα，心筋１（ＡＣＴＣ１）；ケラチン１９（ＫＲＴ１９）；免疫グロブリン（Ｉｍｍｕｎｏｇｌｏｂｉｎ）λ遺伝子座（ＩＧＬ＠タンパク質）；免疫グロブリン重鎖定常部位μ（ＩＧＨＭ）；ＥＧＦ含有フィビュリン様細胞外基質タンパク質１（ＥＦＥＭＰ１）；三部分モチーフ含有タンパク質３４；ＡＰ１−サブユニットγ結合タンパク質１のアイソフォーム３；プロフィリン（Ｐｒｏｆｌｉｎ）−１；ヒストンＨ４；ヘモグロビンサブユニットα；トランスゲリン）；ルミカン前駆体；ヘモグロビンβ；フィブリノーゲンβ鎖前駆体；免疫グロブリンκ定常部位（ＩＧＫＣ）；未同定タンパク質ＡＬＢ；ＡｐｏＡ１；Ｃ４Ａ；Ｃ３  １８７ｋＤａタンパク質；アクチン，細胞質性１（アクチンβ）；ヘモグロビンβ；ヘモグロビンサブユニットα；ＰＯＴＥ−２αアクチン；ＳＬＣ４Ａ１０；リボヌクレアーゼＰタンパク質サブユニットＰ２０（ＰＯＰ７）；核ＲＮＡ排出因子１（ＮＸＦ１）；コイルドコイルドメイン及びアンキリンリピートを有するＵＶＥＡＬ自己抗原，ＵＡＣＡ；未同定タンパク質Ｃ１３ＯＲＦ２７；ｓｕｓｈｉ、ナイドジェン及びＥＧＦ−様ドメイン含有タンパク質１前駆体のアイソフォーム３；ダイニン重鎖１０のアイソフォーム１，軸糸性（ＤＮＡＨ１０）；ギャップジャンクションα−１タンパク質（ＧＪＡ１／Ｃｏｎｎｅｘｉｏｎ４３）；キネシン様タンパク質ＫＩＦ２５（ＫＩＦ２５）のアイソフォーム１；ＧＡＰＤＨ−グリセルアルデヒド−３−リン酸デヒドロゲナーゼ；未同定タンパク質ＡＬＢ；ガレクチン−３，ＬＧＡＬＳ３；ＮＡＣ−αドメイン含有タンパク質１（ＮＡＣＡＤ）類似体；アセチル−ＣｏＡアセチルトランスフェラーゼ，ミトコンドリア性，ＡＣＡＴ１；ＫＨ−型スプライシング調節タンパク質，ＦＵＢＰ２；プロフィリン１（ＰＦＮ１）；塩素細胞内チャンネルタンパク質１，ＣＬＩＣ１；ジンクフィンガータンパク質８３１；エンドプラスミン；リボソームタンパク質Ｓ１０（ＲＰＳ１０）；スプライシング因子，アルギニン／セリン−リッチ３；ＡＣＴＡ２タンパク質（αアクチン，平滑筋）���ナトリウムチャンネルタンパク質タイプ８サブユニットαのアイソフォーム１，ＳＣＮ８Ａ；ガレクチン−９のアイソフォームロング；Ｔ−複合体タンパク質１サブユニットε，ＣＣＴ５；α−エノラーゼ，肺特異性；癌原遺伝子セリン／スレオニン−タンパク質キナーゼＭＯＳ；β−アデュシン（ＡＤＤ２）のアイソフォーム１；アポリポタンパク質Ｅ（ＡＰＯＥ）；ユビキリン−４（ＵＢＱＬＮ４）（アタキシン−１ユビキチン様相互作用タンパク質）；Ｓｕｍｏ結合酵素ＵＢ２１（酵母におけるホモログＵＢＣ９）；ミオシン−１５（ＭＹＨ１５）；ＦＬＪ９３０９１，ヒトＵＭＰ−ＣＭＰキナーゼ（ＵＭＰ−ＣＭＰＫ）；インテレクチン−１（ＩＴＬＮ１）；アポリポタンパク質Ａ−ＩＶ（ＡＰＯＡ４）；ミトコンドリアピルビン酸デヒドロゲナーゼ（リポアミド）α１（ＰＤＨＡ１）；ロイシンリッチリピート含有タンパク質５９（ＬＲＲＣ５９）；６０Ｓリボソームタンパク質Ｌ３７Ａ（ＲＰＬ３７Ａ）；ウリジン−シチジンキナーゼ１−様１（ＵＣＫＬ１）；アルデヒドデヒドロゲナーゼ９Ａ１（ＡＬＤＨ９Ａ１）；チオレドキシン還元酵素１，細胞質性（ＴＸＮＲＤ１）のアイソフォーム３；核内受容体サブファミリー２グループＥメンバー１（ＮＲ２Ｅ１）；陽イオンチャンネル精子関連タンパク質３（ＣＡＴＳＰＥＲ３）；膜貫通ＥＭＰ２４ドメイン含有タンパク質１（ＴＭＥＤ１）；タンパク質ＦＡＭ１５４Ａ（ＦＡＭ１５４Ａ）；及び、転写リプレッサーＮＦ−Ｘ１（ＮＦＸ１）のアイソフォーム１；又は、その任意の組み合わせ（「本発明にかかるポリペプチド」）、からなる群より選択される癌関連ポリヌクレオチド、タンパク質、又はポリペプチドの発現レベルを測定する工程を含む。対照サンプルと比較して、生物学的サンプル、例えば、体液中の癌関連ポリヌクレオチドの発現レベルの増大は、対象が、癌を有する又は癌の発症に対する素因を有することを示す。このタンパク質又はポリペプチドは、配列番号１〜１５７として示されるアミノ酸配列を含み得る。癌は結腸直腸癌であり得る。この方法は、１以上又は２以上の癌関連タンパク質又はポリペプチドの発現レベルを測定する工程をさらに含み得る。癌関連タンパク質又はポリペプチドの発現レベルは、（ａ）タンパク質又はポリペプチドの存在を検出する工程、（ｂ）癌関連ポリヌクレオチドによってコードされるタンパク質又はポリペプチドの生物学的活性を検出する工程、及び（ｃ）癌関連ポリヌクレオチドのｍＲＮＡを検出する工程、からなる群より選択される方法によって測定し得る。生物学的サンプルは、細胞、細胞抽出物、組織、体液、及び実質的に細胞を含まない体液（例えば、約１、５、又は１０％未満の細胞）、例えば、血清、尿、涙、乳汁、精液、前立腺液、肺洗浄液、及び唾液を含み得る。癌関連タンパク質又はポリペプチドのレベルは、変化が介在するタンパク質又はポリペプチドに特異的なタンパク質又はポリペプチドのエピトープと結合する抗体を用いて、生物学的サンプル中のそのレベルを測定することにより、又は、当技術分野において公知のその他の手段によって検出し得る。
【０００７】
本発明の別の実施形態は、本発明にかかるタンパク質又はポリペプチド、或いは、その任意の組み合わせと特異的に結合する単離された抗体又はその抗原結合断片を提供する。本発明にかかるタンパク質又はポリペプチドは、配列番号１〜１５７として示されるアミノ酸配列を含み得る。抗体は、モノクローナル抗体、ポリクローナル抗体、一本鎖抗体、単一特異性一本鎖抗体、二重特異性一本鎖抗体、二価一本鎖抗体、四価一本鎖抗体、キメラ抗体、抗体の抗原結合断片、又はヒト化抗体であり得る。
【０００８】
本発明のさらに別の実施形態は、抗癌化合物のためのスクリーニング方法を提供する。この方法は、試験化合物の存在下、第１の生物学的サンプル中の、変化が介在するタンパク質又はポリペプチド発現産物のレベルを、試験化合物の非存在下、第２の生物学的サンプル中の、変化が介在するタンパク質又はポリペプチド発現産物のレベルと比較する工程を含む。変化が介在する発現産物は、本発明にかかるタンパク質若しくはポリペプチド、又は本発明にかかるポリペプチドをコードするｍＲＮＡ、又はその任意の組み合わせを含む。第２の生物学的サンプルの場合と比較した時に、第１の生物学的サンプル中の発現産物のレベルを低下させる試験化合物が、抗癌剤として同定される。このタンパク質又はポリペプチドは、配列番号１〜１５７として示されるアミノ酸配列を含み得る。
【０００９】
さらに本発明の別の実施形態は、癌を治療又は予防するための化合物のスクリーニング方法を提供する。この方法は、（ａ）候補化合物を、本発明にかかるタンパク質若しくはポリペプチド、又はその任意の組み合わせを発現する細胞と接触させる工程、及び、（ｂ）このタンパク質又はポリペプチドの発現レベルを低下させる化合物を選択する工程、を含む。このタンパク質又はポリペプチドは、配列番号１〜１５７として示されるアミノ酸配列を含み得る。
【００１０】
本発明の別の実施形態は、哺乳類における癌の検出のためのキットを提供する。このキットは、（ａ）本発明にかかるタンパク質又はポリペプチドのエピトープと特異的に結合する抗体又はその抗原結合断片、及び（ｂ）抗体とタンパク質又はポリペプチドとの間の結合反応を検出するための１以上の試薬を含む。このタンパク質又はポリペプチドは、配列番号１〜１５７として示されるアミノ酸配列又はその任意の組み合わせを含み得る。
【００１１】
本発明のさらに別の実施形態は、本発明にかかるタンパク質又はポリペプチドをコードするポリヌクレオチドに特異的である少なくとも１つのポリヌクレオチドプライマー又はプローブを含む、生物学的サンプル中の癌細胞を検出するためのキットを提供する。このタンパク質又はポリペプチドは、配列番号１〜１５７として示されるアミノ酸配列又はその任意の組み合わせを含み得る。キットは、本発明にかかるタンパク質又はポリペプチドをコードするポリヌクレオチドに特異的な少なくとも２つのポリヌクレオチドプライマーを含み得る。
【００１２】
さらに本発明の別の実施形態は、少なくとも２つの本発明にかかるタンパク質若しくはポリペプチド又はその任意の組み合わせを含む融合タンパク質を提供する。少なくとも２つのタンパク質又はポリペプチドは、配列番号１〜１５７として示されるアミノ酸配列からなる群より選択され得る。
【００１３】
本発明のさらに別の実施形態は、生理学的に許容される担体及び免疫刺激剤からなる群より選択される第１の成分と、本発明にかかるタンパク質若しくはポリペプチド、又はその任意の組み合わせ；本発明にかかるタンパク質若しくはポリペプチドをコードするポリヌクレオチド、又はその任意の組み合わせ；本発明にかかる抗体又はその任意の組み合わせ；並びに、本発明にかかる融合タンパク質又はその任意の組み合わせ、からなる群より選択される第２の成分とを含む組成物を提供する。このタンパク質又はポリペプチドは、配列番号１〜１５７として示されるアミノ酸配列又はその任意の組み合わせを含み得る。
【００１４】
本発明の別の実施形態は、配列番号１〜１５７として示される本発明にかかる２以上のタンパク質又はポリペプチドのタンパク質又はポリペプチド発現パターンを含む、結腸直腸癌参照発現プロファイルを提供する。
【００１５】
本発明の別の実施形態は、本発明にかかるタンパク質若しくはポリペプチド、又はその任意の組み合わせをコードする２以上のポリヌクレオチドのポリヌクレオチド発現パターンを含む、結腸直腸癌参照発現プロファイルを提供する。本発明にかかるポリペプチドは、配列番号１〜１５７として示されるアミノ酸配列を含み得る。
【００１６】
さらに本発明の別の実施形態は、本発明にかかる１つのタンパク質又はポリペプチド、又は本発明にかかる２以上のポリペプチド、又はその任意の組み合わせ、をコードする２以上のポリヌクレオチドと特異的にハイブリダイズする２以上のポリヌクレオチドを含むアレイを提供する。本発明にかかるポリペプチドは、配列番号１〜１５７として示されるアミノ酸配列を含み得る。
【００１７】
本発明のさらに別の実施形態は、癌を治療するための組成物を提供する。この組成物は、本発明にかかるタンパク質若しくはポリペプチド、又はその任意の組み合わせと特異的に結合する、薬学的有効量の抗体又はその抗原結合断片を含む。本発明にかかるタンパク質又はポリペプチドは、配列番号１〜１５７として示されるアミノ酸配列を含み得る。
【００１８】
本発明のさらに別の実施形態は、癌を治療するための組成物を提供する。この組成物は、薬学的有効量の本発明にかかるポリペプチド又は本発明にかかるポリペプチドをコードするポリヌクレオチドを含む。本発明にかかるポリペプチドは、配列番号１〜１５７として示されるアミノ酸配列を含み得る。
【００１９】
本発明の別の実施形態は、対象における癌を治療するための、或いは、対象における免疫反応、例えば、抗腫瘍免疫反応、又は、任意のその他のタイプの免疫反応を刺激するための方法を提供する。この方法は、（ａ）薬学的有効量の本発明にかかるタンパク質又はポリペプチドを対象に投与する工程；（ｂ）本発明にかかるポリペプチドをコードする薬学的有効量のポリヌクレオチド又はその断片を対象に投与する工程；又は、（ｃ）本発明にかかるタンパク質又はポリペプチドと特異的に結合する薬学的有効量の抗体又はその抗原結合断片を対象に投与する工程を含む。本発明にかかるタンパク質又はポリペプチドは、配列番号１〜１５７として示されるアミノ酸配列を含み得る。癌は結腸直腸癌であり得る。
【００２０】
本発明のさらに別の実施形態は、第１の環境状態では第１の宿主によって発現されるが、第２の環境状態では発現されない、変化が介在するタンパク質又はポリペプチド及びその同起源の遺伝子又はポリヌクレオチドを単離する方法を提供する。この方法は、以下の工程：
（ａ）第１の環境状態の第１の宿主から細胞、組織又は液状サンプルを取得する工程、及び、任意で、サンプル中の潜在的に対象となる（すなわち、変化が介在する）タンパク質、ポリペプチド、及びその他の成分を保存するための条件で（例えば、凍結させて）、それを保存する工程；
（ｂ）動物、任意で、第１の宿主とは系統学的に遠い動物を、任意で、強力なアジュバントを用いて、強力な、広範な抗体反応を誘発させ、免疫化した動物を得るために、（ａ）からのサンプルを用いて、免疫化する工程；
（ｃ）免疫化した動物から抗体を回収する工程、及び、任意で、抗体を精製する工程；
（ｄ）抗体を、第２の環境状態の第２の宿主からの（任意で、（ａ）で使用されたものと同じ種又は同じ個体の）組織、ホモジナイズされた組織、細胞、細胞抽出物又は液状サンプルに吸着させる工程；
（ｅ）非吸着抗体を単離する工程；及び
（ｆ）第１の環境状態の第１の宿主の細胞、組織又は液状サンプル中には存在するが、第２の環境状態の宿主の細胞、組織又は液状サンプル中には存在しない、タンパク質、ポリペプチド又はその他の構成成分（例えば、脂質、炭水化物、又は糖タンパク質）を単離するために、非吸着抗体を使用する工程；並びに、任意で、
（ｇ）単離したタンパク質、ポリペプチド又はその他の成分を同定する工程、
を含む。
【００２１】
第１の環境状態は、疾患、癌、又は自己免疫疾患であり得る。第２の環境状態は、正常状態、健康状態、非疾患状態、又は第１の環境状態と異なる環境状態であり得る。細胞及び組織は、宿主の任意の部分に由来し得る。宿主が動物である場合、体液は、尿、涙、血漿、乳汁、洗浄液、前立腺液、精液、唾液、血清、痰、及び胸水であり得る。植物からの体液は、篩部又は木部から抽出し得る。体液は、細胞を実質的に欠如し得る。第１の宿主が動物である場合、免疫化した動物は、第１の宿主動物と同じ種、又は第１の宿主動物とは異なる種類の動物であり得る。本方法はさらに、第１の状態の宿主から採取した細胞又は組織のホモジネート又は抽出物から、対象となるタンパク質、ペプチド又はその他の成分を直接単離する工程を含み得る。或いは、タンパク質又はペプチドは、第１の環境状態の宿主から取得したＤＮＡ又はｍＲＮＡを用いて構築したライブラリー（このライブラリーは、発現ライブラリー又は表示ライブラリーである）から、非吸着抗体を用いて捕捉され得る。「ライブラリーの精査」は、
（ａ）固体支持体上に非吸着抗体を固定化する工程；
（ｂ）第１の状態の第１の宿主の細胞若しくは組織ホモジネート若しくは液状物、又は、第１の状態の第１の宿主のＤＮＡ若しくはＲＮＡから作製したゲノム発現ライブラリー若しくは表面表示ライブラリーの発現タンパク質を添加する工程；
（ｃ）固体支持体から、非吸着タンパク質若しくはファージライブラリーからのメンバーを洗浄する工程；
（ｄ）固体支持体に結合しているタンパク質及びポリペプチド又は表面表示ライブラリーのメンバーを回収する工程；及び
（ｅ）特異的に捕捉されたタンパク質及びポリペプチド、又は、表面表示ライブラリーの精査の場合には、抗体によって捕捉された同起源のタンパク質若しくはポリペプチドの発現を担う遺伝子若しくはポリヌクレオチド、を同定する工程、を含み得る。
【００２２】
固体支持体は、ホモジネート、液状物、又はライブラリーを、非特異的結合を減少させるために添加する前に、ブロッキング剤を用いてブロッキングし得る。固体支持体は、ニトロセルロース、ナイロン、ポリスチレン、ポリ塩化ビニル、ラテックス、グラスファイバー、ガラス、ミクロスフェア、リポソーム、セファロース、セファデックス、及び磁気粒子からなる群より選択され得る。抗体は、ヒト、ヒヒ、チンパンジー、マカク、ウシ、ヒツジ、ブタ、ウマ、ヤギ、イヌ、ネコ、ウサギ、モルモット、ラット、マウス、ニワトリ、アヒル、及び魚類からなる群より選択される免疫化した動物に由来し得る。細胞、組織、及び体液サンプルは、第１の環境状態の宿主から取得した直後に凍結し得る。第２の環境状態の第２の宿主からの細胞、組織、及び体液サンプルは、必要な分子の分解を最小限にして、変化を介在しない成分を吸着させ、除去するために、取得直後に凍結し得る。捕捉されたタンパク質、ポリペプチド又はその他の成分（例えば、脂質、炭水化物、又は糖タンパク質）の同定は、分離法を伴う質量分析法（例えば、ＧｅＬＣ−ＭＳ／ＭＳ）等の当技術分野において公知の従来法を用いて実施し得る。
【００２３】
疾患又は変化が介在する状態に応じて宿主によって発現される単離タンパク質／ポリペプチドの特定的に発現された特性を確認及び検証する方法もまた提供される。その方法は、
（ａ）天然又は組み換えタンパク質又はポリペプチドを精製する工程；
（ｂ）このポリペプチドに対して非交差反応性の（例えば、モノクローナル）抗体を産生させる工程；
（ｃ）（ｂ）の抗体を用いて、第１及び第２の環境状態の宿主の細胞、細胞抽出物、体液、又は組織を精査する工程；及び
（ｄ）第１の環境状態にあり、第２の環境状態にはない、サンプルを用いて、抗体の相対的反応性を示す工程、を含み得る。
これにより、同定されるタンパク質又はポリペプチド及びその同起源のポリヌクレオチドは、第１の環境状態にあり、第２の環境状態にはない宿主から得られる細胞、細胞抽出物、体液、又は組織と、抗体が特異的に結合する場合には、第１の環境状態で発現され、第２の環境状態では発現されない、変化が介在する分子として確認される。
【図面の簡単な説明】
【００２４】
【図１】図１は、ドットイムノブロットアッセイによる、ステージＩＶヒト結腸直腸癌組織のホモジネートを用いてニワトリに産生させたポリクローナル卵抗体（ＹＰＡｂｓ）と、ステージＩＶ結腸直腸癌を有する患者のプール血清との反応性の評価を示す。スポットされたステージＩＶ結腸癌患者からのプール血清の異なる反応性を、年齢、性別及び民族性を合わせた健康な患者からの対照血清（スポット４）、ＢＳＡ（スポット３）、及び、健常組織のホモジネート（スポット１）のスポットと比較した。ステージＩＶ癌組織のホモジネートは、陽性対照であった（スポット２）。
【発明を実施するための形態】
【００２５】
発明の詳細な説明
本明細書中及び添付される特許請求の範囲において使用される場合、単数形「ａ」、「ａｎ」及び「ｔｈｅ」は、明らかに示されていない限り、複数形への言及も含む。
【００２６】
癌細胞において示差的に調節されるタンパク質の同定
プロテオミクスに基づく変化が介在する抗原技術（ＰＣＭＡＴ）は、細胞が変化（例えば、正常・健康な細胞から疾患状態の細胞への変化）を受けるか、又は、環境状態の変化（例えば、湿気のある状態から湿気の無い状態への植物細胞の変化）に曝露された場合に特異的に発現されるタンパク質及びポリペプチド及びそれらの同起源の遺伝子又はポリヌクレオチドを同定する方法である。ＰＣＭＡＴは、細胞が疾患状態又は癌になった場合にアップレギュレートされる又は特異的に発現されるタンパク質及びポリペプチド及びそれらの同起源の遺伝子又はポリヌクレオチドを同定するために使用し得る。
【００２７】
「特異的に発現される」とは、タンパク質又はポリペプチドが、第２の環境状態と比較した場合に、第１の環境状態において、より多く又はより少なく発現されることを意味する。例えば、タンパク質又はポリペプチドが、第１の環境状態では発現されるが、第２の環境状態では発現されない場合もある。或いは、タンパク質又はポリペプチドが、第２の環境状態と比較した場合に、第１の環境状態において、より多くの割合、例えば、１０％、２０％、５０％、１００％、２００％、又はそれ以上多く発現される場合もある。
【００２８】
第１の環境状態としては、限定するものではないが、疾患状態（例えば、ウイルス性疾患、細菌性疾患、真菌性疾患、プリオンによって引き起こされる疾患、原虫によって引き起こされる疾患、寄生虫性疾患、癌、自己免疫疾患（例えば、関節炎、慢性炎症性腸疾患、又は糖尿病)、発熱、風邪、毒性化学物質への曝露、薬物への曝露、化学療法薬又は化学療法治療計画への曝露、ストレスへの曝露、有害金属への曝露、放射線への曝露、毒物への曝露、抗生物質への曝露、微生物を死滅させる又はその増殖を遅延させることが意図される化学物質（例えば、殺菌剤、抗ウイルス剤、及び、静菌剤又は静ウイルス剤、低酸素状態、高酸素状態、低ｐＨ状態、高ｐＨ状態）への曝露、鉄への曝露、低栄養素レベルへの曝露が挙げられる。
【００２９】
第２の環境状態は、例えば、正常状態、健康状態、非疾患状態、及び／又は、第１の環境状態が存在しない状態であり得る。本発明の一実施形態において、第１の環境状態は、疾患の１つのステージ又はフェーズ（例えば、初期、中期、後期、慢性期、治療後、治療前、特定の時間量の治療後、回復期）であり得るし、第２の環境状態は、疾患の第２の異なるステージ（例えば、初期、中期、後期、慢性期、治療後、治療前、特定の時間量の治療後、回復期）であり得る。
【００３０】
本発明の一実施形態は、第１の環境状態（例えば、疾患状態）では発現されるが、第２の環境状態（例えば、健康又は非疾患状態）では発現されない、タンパク質、ポリペプチド又は細胞のその他の成分（例えば、脂質、炭水化物、又は糖タンパク質）を同定するための方法を提供する。一般的に、この方法は、第１の状態（例えば、疾患状態）にある宿主から第１のサンプルを取得し、この宿主サンプルを第２の動物に免疫化する工程を含む。免疫化した動物から抗体を回収し、第２の環境状態（例えば、健康状態）の第２の宿主から回収した宿主サンプルに抗体を吸着させる。第２の宿主は、第２の環境状態の同じ個別の第１の宿主（例えば、第１の宿主からの健康な組織若しくは細胞）、又は、第１の宿主と同じ若しくは異なる種の異なる宿主であり得る。非吸着抗体は回収され、疾患組織若しくは第１の宿主の液状物から直接的に、又は宿主のＤＮＡ若しくはＲＮＡ若しくは類似するＤＮＡ若しくはＲＮＡの発現ライブラリー若しくは表示ライブラリーから、異なって発現されるタンパク質、ポリペプチド又はその他の成分を回収するために、非吸着抗体は使用され得る。
【００３１】
第１の環境状態に曝露される宿主は、任意のタイプの生物、例えば、ヒト、ヒヒ、チンパンジー、マカク、ウシ、ヒツジ、ブタ、ウマ、ヤギ、イヌ、ネコ、ウサギ、モルモット、ラット、又はマウス等の哺乳類であり得る。動物はまた、例えば、ニワトリ、アヒル、昆虫、又は魚類であり得る。宿主はまた、植物界又は微生物界の仲間であり得る。
【００３２】
宿主が動物界に由来する場合、第１の環境状態の宿主から回収されるサンプルは、例えば、細胞、細胞抽出物、組織、体液、実質的に細胞を含まない体液（例えば、約１、５、又は１０％未満の細胞）、血清、尿、涙、乳汁、精液、前立腺液、肺洗浄液、唾液、粘膜細胞、腫瘍細胞、癌細胞、生検サンプル、洗浄サンプル、痰、血漿、血液、糞便サンプル、リンパ節サンプル、骨髄、結腸組織、直腸組織、又は胸水サンプルであり得る。宿主が植物である場合、サンプルは、例えば、細胞、組織、細胞抽出物、師部からの液状物、木部（ｘｙｌｕｍ）からの液状物であり得る。宿主が、微生物、細菌、ウイルス又はプリオンである場合、サンプルは、細胞若しくは細胞抽出物、又は、その微生物に感染若しくはコロニー化された宿主の細胞若しくは細胞抽出物であり得る。
【００３３】
第１の環境状態の動物宿主からのサンプルは、免疫化のために、回収して、直ぐプロセシングされ得るし、又は、サンプルを採取した時点における、宿主動物サンプル中に存在した潜在的エピトープを可能な限り全てを保存するために、後からプロセシングするため、迅速に凍結される。異なる時間間隔において、又は異なるサンプリング場所から、又は同じ第１の環境状態若しくは類似の環境状態に曝露された異なる動物から、回収された個別のサンプル又はプールされたサンプルを用いて、抗体反応を得るために動物を免疫化し得る。
【００３４】
免疫化した動物から、抗体を回収する。免疫化される動物は、液性免疫反応を備え得る任意のタイプの動物、例えば、ヒト、ヒヒ、チンパンジー、マカク、ウシ、ヒツジ、ブタ、ウマ、ヤギ、イヌ、ネコ、ウサギ、モルモット、ラット、又はマウス等の哺乳類であり得る。動物はまた、例えば、ニワトリ、アヒル、昆虫、又は魚類であり得る。一実施形態において、免疫化される動物は、第１の宿主動物と同じ種である。別の実施形態において、免疫化される動物は、第１の宿主動物とは異なる種である。別の実施形態において、免疫化される動物は、第１の宿主動物とは異なる種であり、この免疫化される動物が、第１の宿主動物とは遠く関係する（例えば、第１の宿主動物がヒトであり、免疫化される動物がニワトリである）。
【００３５】
体液を免疫原として使用する場合、液状サンプルは、第１の環境状態の場所に由来する必要は無い。すなわち、体液は、疾患組織又は癌病巣の直接の部位から回収する必要は無いが、その代わり、例えば、疾患組織又は癌病巣から離れた場所から採取した血清であり得る。
【００３６】
抗体産生のための抗原サンプルを用いた動物の免疫化は、当技術分野において周知である。例えば、Ａｎｔｉｂｏｄｙ  Ｔｅｃｈｎｉｑｕｅｓ，Ｍａｌｉｋ＆Ｌｉｌｌｅｈｏｊ，ｅｄｓ．，Ａｃａｄｅｍｉｃ  Ｐｒｅｓｓ（１９９４）；Ａｎｔｉｂｏｄｉｅｓ：Ａ  Ｌａｂｏｒａｔｏｒｙ  Ｍａｎｕａｌ，Ｈａｒｌｏｗ＆Ｌａｎｅ，ｅｄｓ．，Ｃｏｌｄ  Ｓｐｒｉｎｇ  Ｈａｒｂｏｒ  Ｌａｂｏｒａｔｏｒｉｅｓ（１９８８）を参照されたい。サンプルは、動物への投与前にホモジナイズし得る。投与は、例えば、筋肉内、腹腔内、皮下、皮内、静脈内、若しくは経鼻／吸入、又はその組み合わせにより得る。
【００３７】
動物へのサンプルの投与は、アジュバントと組み合わせ得る。或いは、アジュバントは、別個に動物に投与し得る。アジュバントは、抗原に対する免疫反応を増大し得る。アジュバントは、例えば、完全フロインドアジュバント（ＣＦＡ）、不完全フロインドアジュバント（ＩＦＡ）、モンタニドＩＳＡ（不完全セピックアジュバント）、リビアジュバントシステム（ＲＡＳ）、ＴｉｔｅｒＭａｘ（登録商標）、シンンテックスアジュバント処方物（ＳＡＦ）、アルミニウム塩アジュバント、ニトロセルロース吸着抗原、カプセル化又は捕捉抗原、免疫刺激複合体（ＩＳＣＯＭｓ）、例えば、Ｑｕｉｌ  Ａ又はＱＳ−２１、及びＧｅｒｂｕ（登録商標）アジュバントであり得る。当業者は、特定のサンプルのための適当なアジュバントを選択し得る。
【００３８】
第１の環境状態からの宿主サンプルの追加免疫投与を、免疫化の２週間後、１ヶ月後、２ヶ月後、又は３ヶ月後にその動物に行い得る。
【００３９】
免疫反応が動物に生じた後、抗体サンプルを、免疫化した動物から回収する。サンプルは、例えば、免疫化した動物の血清を含み得る。動物の血清は、第１の環境状態（例えば、疾患状態）で宿主動物によって発現される抗原に特異的な抗体等の抗体を含み得る。個々の免疫化した動物から回収した抗体を使用し得るし、又は、２以上の動物からプールした抗体も使用し得る。例えば、約２、５、２５、１００、５００、又は１，０００体の動物から回収した抗体を使用し得る。
【００４０】
第２の環境状態、例えば、健康又は非疾患状態で産生される抗原に対する抗体は、抗体のサンプルから差し引かれる。結果的に得られるのは「非吸着抗体」サンプルである。免疫化した動物から抗体を回収し、抗体を、サンプルが第２の環境状態（例えば、健康、正常又は第１の環境状態とは異なる状態）から得られること以外は、抗体を産生させるために使用されるものに相当する、動物宿主サンプルに吸着させる。動物宿主サンプル（すなわち、第２の環境状態の宿主動物から回収した宿主サンプル）は、例えば、細胞、細胞抽出物、組織、体液、実質的に細胞を含まない体液（例えば、約１、５、又は１０％未満の細胞）、血清、尿、涙、乳汁、精液、前立腺液、肺洗浄液、唾液、粘膜細胞、腫瘍細胞、癌細胞、生検サンプル、洗浄サンプル、痰、血漿、血液、糞便サンプル、リンパ節サンプル、骨髄、結腸組織、直腸組織、胸水サンプル、微生物又は植物の細胞、組織、又は細胞抽出物であり得る。吸着は、第２の環境状態（例えば、疾患の無い状態）の宿主によって作られるタンパク質及びその他の細胞成分と反応性を示す抗体を除去する。第１の環境状態の動物宿主によって発現される抗原と反応性を示す非吸着抗体は、回収され、第１の環境状態の宿主によって特異的に発現されるタンパク質、ポリペプチド及びその他の成分を捕捉するために使用される。タンパク質及びポリペプチドの供給源は、第１の環境状態の動物からの組織又は体液の抽出物であり得る。或いは、宿主のＤＮＡ又はＲＮＡの発現又は表示ライブラリーは、タンパク質の供給源として使用し得る。吸着抗体によって特異的に捕捉されるタンパク質が、溶出、濃縮され、当業者に公知のプロテオミクス方法（例えば、ＧｅＬＣ−ＭＳ／ＭＳ）によって同定される。表面表示ライブラリーが使用される場合、表示されたタンパク質をコードするクローニングされた遺伝子断片を配列決定し、この断片から発現されるタンパク質が推定される。
【００４１】
吸着工程は、例えば、抗体サンプルを、ニトロセルロース膜又はラテックスビーズ等の固体支持体上に固定化された第２の環境状態からの宿主サンプルに接触させることにより、実施し得る。Ｂｒａｄｙ＆Ｄａｐｈｔａｒｙ，Ｊ．Ｉｎｆｅｃｔ．Ｄｉｓ．１５８：９６５−９７２（１９８８）を参照されたい。任意で、第２の環境状態からの宿主サンプルは、さらなる免疫反応性エピトープに曝露するために使用する前に、（例えば、加熱することにより）変性させ得る。２つ以上の連続する吸着工程は、同じ又は異なる吸着方法を用いて実施し得る。
【００４２】
対応する抗原が第２の環境状態の宿主に由来する、抗体サンプル中の全て又は実質的に全ての抗体は、これらの抗原と結合して免疫複合体を形成し得る。しかしながら、第１の環境状態で特異的に発現される抗原に対して向けられた抗体は、それらの対応する抗原は第２の環境状態の宿主サンプル中には存在しないことから、複合体を形成しないままであり得る。複合体を形成しない抗体は、非吸着抗体サンプルを含む。
【００４３】
ポリペプチドは、本発明にかかるポリヌクレオチドから発現させ得る。次に、ポリペプチドは、本発明にかかるポリペプチド中に存在する免疫学的エピトープと特異的に結合する抗体を作製するために使用され得る。本発明にかかる抗体は、本発明にかかるポリペプチド又はその断片と特異的に結合する抗体分子である。本発明にかかる抗体は、ポリクローナル抗体、モノクローナル抗体、一本鎖抗体（ｓｃＦｖ）、又は抗体の抗原結合断片であり得る。
【００４４】
第１の環境状態で誘導される抗原は、例えば、疾患部位から採取される生物学的サンプルを直接精査することにより、又は、当技術分野において公知の任意の方法によって体液サンプルから、第１の環境状態に反応する動物宿主によって実際に発現されるものとして、直接検証され得る。例えば、変化が介在するタンパク質に対して作製されるモノクローナル抗体を、産生し、試験サンプル中に存在する又は存在し得ることが知られるその他のタンパク質又はポリペプチドに対するそれらの特異性及び交差反応性について試験し得る。変化が介在するタンパク質又はポリペプチド上のエピトープに対して適当な特異性を示すモノクローナル抗体は、様々な方法により標識することができ、第１及び第２の両方の環境状態の宿主からの組織又は体液等の適当な生物学的サンプルとのそれらの反応性について試験し得る。標識抗体は、状態１（すなわち、疾患状態）の宿主からの生物学的サンプルと反応し得るが、状態２（すなわち、健康又は非疾患状態）の宿主からの生物学的サンプルとは反応し得ない。これらの結果は、宿主が、第１の環境状態で、対象となる抗原を特異的に発現し、かつ、そのように同定された変化が介在するタンパク質又はポリペプチドが、疾患状態の診断、予防、及び治療において使用される可能性を有するという直接的証拠を提供する。
【００４５】
疾患の経過を通じて定期的な間隔で採取したサンプルは、一過性に発現され得るタンパク質及びその他の潜在的に重要な細胞成分の存在を保証し得る。採取されるサンプルが多ければ多いほど、特異的に発現される成分の全体のアレイが取得される可能性が良好なものとなる。疾患の異なる時間ステージ又は第１の状態で得られるサンプルは、免疫化のために組み合わせ得る。或いは、特定のタンパク質又はその他の細胞成分が発現される、疾患時におけるおよその時間を測定するために、別々に免疫化するためにそれらを使用し得る。
【００４６】
例えば、疾患の様々なステージにおいて第１の環境状態で発現される動物宿主のタンパク質及びポリペプチドを比較することは、第１の環境状態の１以上の動物宿主サンプルを含む第１のサンプルを用いて動物を免疫化することを含み得、この場合、１以上の宿主サンプルのそれぞれは、疾患の進行又は治療フェーズのほぼ同じステージにある（例えば、初期、中期、後期、慢性期、治療後、治療前、特定の時間量の治療後、回復期）。第１の状態のステージ又は治療フェーズは、例えば、医療専門家によって確認され得る。免疫化した動物から抗体を回収し、第２の環境状態（例えば、健康又は正常状態）の宿主サンプルに吸着させる。非吸着抗体は回収され、回復を伴い又は回復を伴わず、及び、治療を伴い又は治療を伴わず、疾患の時間的経過全体を通じて発現される、変化が介在するタンパク質及びポリペプチドを同定するために、上記のように使用される。
【００４７】
動物は、第１の環境状態の１以上の動物宿主サンプルを含む第２のサンプルを用いて免疫化され、この場合、１以上の宿主サンプルのそれぞれは、疾患の進行のほぼ同じステージ又はほぼ同じ治療フェーズにあり、このステージ又はフェーズは、上記したステージ又はフェーズとは異なる。免疫化した動物から抗体を回収し、第２の環境状態の宿主サンプルに吸着させる。非吸着抗体は回収され、疾患の特定のステージに特異的に発現されるか、又は、回復若しくは治療に応じて特異的に発現される、変化が介在するタンパク質及びポリペプチドを同定するために、上記のように使用される。
【００４８】
ＰＣＭＡＴ技術の結腸直腸癌への適用
ＰＣＭＡＴ及びＰＣＭＡＴの変法が、健常な結腸直腸細胞が癌性の結腸直腸細胞になる時に発現されるポリヌクレオチドを同定するために、本発明において使用された。腺癌組織は、Ａｓｔｅｒａｎｄ  ＸｐｒｅｓｓＢａｎｋ（Ｄｅｔｒｏｉｔ，ＭＩ）から得られた。サンプルを回収し、回収時において存在するインタクトな任意の潜在的抗原を保存するために迅速に凍結した。疾患組織の同定及びステージングは、臨床的及び組織病理学的検査によって実施された。組織サンプルの完全性は、ＲＮＡプロファイルによって確認された。約２００の利用可能な組織サンプルの潜在的リストから、４サンプルが、以下の条件に基づいて選択された：腺癌が主要診断であった；ステージ１、２、３及び４は、ＡＪＣＣ／ＵＩＣＣ分類スキームに基づいて表された；サンプルを回収して、迅速に凍結した後の期間、最小限の組織分解が起こっていることを、ＲＮＡプロファイルは示した；疾患組織は大腸から取得した；一組の（同種の）、健常組織（臨床的及び組織病理学的検査によって確認されている）が利用可能であった；及び、サンプルは、男性及び女性の両方に相当した。
【００４９】
４つの各癌組織サンプル（ステージ１、２、３及び４）は、独立して処理され、次に、ＰＣＭＡＴに供され、これにより、健常腸組織において発現されるタンパク質と比較して、腺癌サンプルにおいて特異的に発現される、タンパク質及びポリペプチドが同定された。
【００５０】
簡潔に述べるならば、腺癌サンプルをＰＢＳ中でホモジナイズし、各癌ステージからのサンプルを、適当な動物を免疫化するために独立して使用した。ヒトとは系統学的に遠いニワトリが、免疫反応の強さ及び広さを最適化するためのこのステップにおいて選択された。強力なアジュバント（完全フロインドアジュバント）もまた、この目的のために使用された。結腸直腸癌ステージ特異的ポリクローナル免疫グロブリン（ＰＡｂｓ）を、免疫化した動物の卵黄から取得した。結腸腺癌組織に固有のタンパク質抗原に対して向けられた免疫ウロブリンを選択的に富化するため、と同時に、健常組織及び癌組織の両方を含む細胞によって発現されるタンパク質抗原に対して向けられた免疫グロブリンを枯渇させるために、疾患組織に関して、健常な同系腸組織のホモジネートを調製した。健常腸組織によって発現されるタンパク質と反応性を示す抗体は、健常組織からのタンパク質を共有結合させたＵｌｔｒａＢｉｎｄアフィニティーメンブレンを用いて吸着させることにより、免疫グロブリンから枯渇させられた。吸着された免疫グロブリンと一組の健常な組織ホモジネートとの間において、ＥＬＩＳＡ又はウェスタンブロットで反応性が本質的に見られなくなるまで、この手順は繰り返された。健常組織から構成的に発現されるタンパク質抗原と反応性を示す抗体の枯渇した免疫グロブリンを、ｃＤＮＡライブラリー中の不純物質と反応性を示す又は交差反応性を示す任意の抗体を除去するために、インデューサー（１ｍＭ  ＩＰＴＧ）を用いて増殖させた大腸菌宿主株／ｐＥＴ３０の全細胞又は溶解物とのさらなる吸着工程に供した。
【００５１】
変化が介在するタンパク質は、２つの異なる供給源を用いた吸着工程後に残存している非吸着抗体を用いて捕捉した。第１の供給源は、動物を免疫化するために使用した疾患組織（ステージ１、２、３、及び４）のホモジネートであった。第２の供給源は、規格化されたｃＤＮＡライブラリー、ＮＣＩ＿ＣＧＡＰ＿Ｃｏ１４であり、これは、Ｉ．Ｍ．Ａ．Ｇ．Ｅ．コンソーシアムから取得した。このライブラリーは、伝えられるところによれば、中程度に分化した結腸腺癌から単離されたｍＲＮＡの逆転写により作製されたｃＤＮＡを用いて、シャトルベクターｐＣＭＶ−ＳＰＯＲＴ６中にクローニングすることにより構築された。
【００５２】
「荷電」磁気ビーズを作製するために、製造業者（Ｄｙｎａｌ  Ｂｉｏｔｅｃｈ）の説明書にしたがって、吸着免疫グロブリン調製物を、Ｍ−２８０トシル活性化Ｄｙｎａｂｅａｄｓに共有結合的に結合させた。免疫捕捉のために、５ｍｌの予め調製された疾患組織ホモジネート又は１ｍｇ／ｍｌの濃度で組み換えタンパク質を含むｃＤＮＡ発現ライブラリー画分を、傾斜回転させながら、２時間、４℃にて、０．５ｍｌの荷電ビーズと一緒にインキュベートした。免疫捕捉後、荷電ビーズは、１０倍ビーズ容量の洗浄バッファー（ＰＢＳ−０．２％ＮＯＧ）を用いて洗浄した。
【００５３】
特異的に結合しているタンパク質を、１Ｍ酢酸を用いて３回溶出させた。全ての洗浄及び溶出画分を、分析のために回収した。溶出後、特異的に結合しているタンパク質を、１０倍容量の０．２Ｍ  Ｎａ2ＰＯ4（ｐＨ７．４）の添加により直ぐに中和し、さらに使用するまで、０．０２％アジ化ナトリウムの存在下、４℃にて保存する。陰性対照は、免疫前の免疫グロブリンを用いて帯電させられ、非特異的に結合しているタンパク質を捕捉するために上記のように処理された、同一体積のビーズから構成された。ｃＤＮＡライブラリーからの可溶性溶解物を用いて処理した荷電カラムからの溶出物、及び腫瘍のホモジネートは、陰性対照には存在しないタンパク質の存在を明らかに示した。
【００５４】
吸着している免疫グロブリンによって電荷を有するカラムに特異的に結合しているタンパク質は、フロリダ大学バイオテクノロジー研究学際領域センター（ＩＣＢＲ）のＧｅＬＣ−ＭＳ／ＭＳによって同定された。上記荷電カラムから溶出された特異的に結合している組み換えタンパク質は、濃縮され、１Ｄ  ＳＤＳ−ＰＡＧＥ上で分画化され、タンデムＭＳ／ＭＳの前にゲル中でトリプシンにより切断した。１Ｄ−レーンの画分は、還元してアルキル化し、トリプシン（Ｐｒｏｍｅｇａ）を用いて切断した。酵素的に切断したサンプルは、ギ酸勾配を用いて溶出させるＣ１８  Ｐｅｐ  Ｍａｐ  ＨＰＬＣカラムを用いて分離した。ＧｅＬＣ−ＭＳ／ＭＳ分析は、ハイブリッド四重極−ＴＯＦ質量分析装置（ＱＳＴＡＲ，Ａｐｐｌｉｅｄ  Ｂｉｏｓｙｓｔｅｍｓ，Ｆｒａｍｉｎｇｈａｍ，ＭＡ）で行った。全てのＭＳ／ＭＳサンプルは、Ｍａｓｃｏｔバージョン２．０．０１（Ｍａｔｒｉｘ  Ｓｃｉｅｎｃｅ，Ｌｏｎｄｏｎ，ＵＫ）及びＳｃａｆｆｏｌｄ（バージョン−０１−０６−０３，Ｐｒｏｔｅｏｍｅ  Ｓｏｆｔｗａｒｅ  Ｉｎｃ．，Ｐｏｒｔｌａｎｄ，ＯＲ）を用いて分析した。同定された変化が介在する抗原を、ヒトゲノム配列データベースに問い合わせを行うことにより、バイオインフォマティクスを介して分析した。
【００５５】
ステージＩ癌細胞においてアップレギュレートされるタンパク質及びそれらの同起源のポリヌクレオチドが同定された。同定されたポリペプチド及びタンパク質は、以下の通りである：タイチン（ＴＴＮ横紋筋肉腫抗原ＭＵ−ＲＭＳ４０としても知られる）（例えば、ＧｅｎＢａｎｋ登録番号Ｑ８ＷＺ４２−２（配列番号１））；ＨＢＡ１（例えば、ＧｅｎＢａｎｋ登録番号Ｐ６９９０５（配列番号２））；インスリン様増殖因子１受容体（ＩＧＦ１Ｒ）（例えば、ＧｅｎＢａｎｋ登録番号Ｐ０８０６９（配列番号３））；ゾナドヘシン前駆体のアイソフォーム３（例えば、ＧｅｎＢａｎｋ登録番号Ｑ９Ｙ４９３−１（配列番号４））；潜在型形質転換増殖因子β結合タンパク質４（ＬＴＢＰ４）（例えば、ＵｎｉＰｒｏｔ登録番号Ａ６ＮＣＧ８（配列番号５））；ＡＳＸＬ１（付加的性コーム様１）（例えば、ＧｅｎＢａｎｋ登録番号Ｑ８ＩＸＪ９−１（配列番号６））；βグロビン（ＨＢＢ）（例えば、ＧｅｎＢａｎｋ登録番号Ｐ６８８７１（配列番号７））；ＢＭＰ１５−骨形成タンパク質（例えば、ＧｅｎＢａｎｋ登録番号ＮＭ＿００５４４８．１（ＵｎｉＰｒｏｔ登録番号Ｏ９５９７２も参照されたい）（配列番号８））；ＴＲＩＭ４９（ＲＮＦ１８；三部分モチーフ含有４９としても知られる）（例えば、ＧｅｎＢａｎｋ登録番号Ｑ９ＮＳ８０（配列番号９））；ＤＮＡＪホモログサブファミリーＢメンバー１１前駆体（例えば、ＧｅｎＢａｎｋ登録番号Ｑ９ＵＢＳ４（配列番号１０））；未同定造血幹細胞／前駆細胞タンパク質ＭＤＳ０２７（ＭＤＳ０２７  ｈＨＢｒｋ１  ＨＳＰＣ３００としても知られる）（例えば、ＧｅｎＢａｎｋ登録番号Ｑ９ＮＺ４７（配列番号１１））；未同定タンパク質ＡＬＢ（例えば、ＵｎｉＰｒｏｔ登録番号Ａ６ＮＢＺ８（配列番号１２））；ｓｕｓｈｉ、ナイドジェン及びＥＧＦ−様ドメイン含有タンパク質１前駆体のアイソフォーム３（例えば、ＧｅｎＢａｎｋ登録番号Ｑ８ＴＥＲ０−４（配列番号１３））；ペリフェリンのアイソフォーム２（例えば、ＧｅｎＢａｎｋ登録番号Ｐ４１２１９−２（配列番号１４））；ミトコンドリア２８Ｓリボソームタンパク質Ｓ２２（例えば、ＧｅｎＢａｎｋ登録番号Ｐ８２６５０（配列番号１５））；翻訳開始因子ＥＩＦ−２Ｂサブユニットε（例えば、ＧｅｎＢａｎｋ登録番号Ｑ１３１４４（配列番号１６））；エストラジオール１７−β−デヒドロゲナーゼ１（例えば、ＧｅｎＢａｎｋ登録番号Ｐ１４０６１（配列番号１７））；ＸＲＣＣ６ＢＰ１（例えば、ＧｅｎＢａｎｋ登録番号Ｑ８Ｎ４Ｌ５（配列番号１８））；脳特異的血管新生阻害物質１前駆体（例えば、ＧｅｎＢａｎｋ登録番号Ｏ１４５１４（配列番号１９））；リングフィンガー及びＣＣＣＨ−型ジンクフィンガードメイン含有タンパク質２のアイソフォーム２（例えば、ＧｅｎＢａｎｋ登録番号Ｑ９ＨＢＤ１−２（配列番号２０））；ヘモグロビンサブユニットβ（例えば、ＧｅｎＢａｎｋ登録番号Ｐ６８８７１（配列番号２１））；遠位上流エレメント結合タンパク質１のアイソフォーム１（例えば、ＧｅｎＢａｎｋ登録番号Ｑ９６ＡＥ４−１（配列番号２２））；ガレクチン−３（例えば、ＧｅｎＢａｎｋ登録番号Ｐ１７９３１（配列番号２３））；リゾチームＣ前駆体���例えば、ＧｅｎＢａｎｋ登録番号Ｐ６１６２６（配列番号２４））；アクチン，α骨格筋（例えば、ＧｅｎＢａｎｋ登録番号Ｐ６８１３３（配列番号２５））；ピルビン酸キナーゼアイソザイムＭ１／Ｍ２のアイソフォームＭ２（例えば、ＧｅｎＢａｎｋ登録番号Ｐ１４６１８−１（配列番号２６））；ＡＧＲ２（例えば、ＧｅｎＢａｎｋ登録番号Ｏ９５９９４（配列番号２７））；好中球デフェンシン１前駆体（例えば、ＧｅｎＢａｎｋ登録番号Ｐ５９６６５（配列番号２８））；ミエロブラスチン前駆体（例えば、ＧｅｎＢａｎｋ登録番号Ｐ２４１５８（配列番号２９））；未同定タンパク質ＰＳＭＥ２（例えば、ＧｅｎＢａｎｋ登録番号Ｑ９ＵＬ４６（配列番号３０））；チューブリンβ−２Ｃ鎖（例えば、ＵｎｉＰｒｏｔ登録番号Ｐ６８３７１（配列番号３１））；チオ硫酸サルファトランスフェラーゼ（例えば、ＧｅｎＢａｎｋ登録番号Ｑ１６７６２（配列番号３２））；熱ショック７０ｋＤａタンパク質１（例えば、ＧｅｎＢａｎｋ登録番号Ｐ０８１０７（配列番号３３））；Ｉｇκ鎖Ｖ−ＩＩＩ領域ＳＩＥ（例えば、ＧｅｎＢａｎｋ登録番号Ｐ０１６２０（配列番号３４））；マクロファージ遊走阻止因子（例えば、ＧｅｎＢａｎｋ登録番号Ｐ１４１７４（配列番号３５））；ＡＴＰシンターゼサブユニットＤのアイソフォーム１，ミトコンドリア性（例えば、ＧｅｎＢａｎｋ登録番号Ｏ７５９４７−１（配列番号３６））；未同定タンパク質ＥＮＳＰ０００００３７４０５１（例えば、ＧｅｎＢａｎｋ登録番号Ａ６ＮＧＭ３（配列番号３７））；イソクエン酸デヒドロゲナーゼ［ＮＡＤＰ］細胞質性（例えば、ＵｎｉＰｒｏｔ登録番号Ｏ７５８７４（配列番号３８））；ヘモグロビンサブユニットδ（例えば、ＧｅｎＢａｎｋ登録番号Ｐ０２０４２（配列番号３９））；スプライシング因子，アルギニン／セリン−リッチ７のアイソフォーム１（例えば、ＧｅｎＢａｎｋ登録番号Ｑ１６６２９−１（配列番号４０））；ｍＲＮＡ−キャッピング酵素のアイソフォーム１（例えば、ＧｅｎＢａｎｋ登録番号Ｏ６０９４２−１（配列番号４１））；ＬＯＮプロテアーゼホモログ，ミトコンドリア前駆体（例えば、ＧｅｎＢａｎｋ登録番号Ｐ３６７７６（配列番号４２））；シグナル認識粒子５４ｋＤａタンパク質（例えば、ＧｅｎＢａｎｋ登録番号Ｐ６１０１１（配列番号４３））；ガレクチン−９のアイソフォームロング（例えば、ＧｅｎＢａｎｋ登録番号Ｏ００１８２−１（配列番号４４））；インテグリン結合タンパク質キナーゼ（例えば、ＧｅｎＢａｎｋ登録番号Ｑ１３４１８（配列番号４５））；二官能性アミノアシル−ｔＲＮＡ合成酵素（例えば、ＧｅｎＢａｎｋ登録番号Ｐ０７８１４（配列番号４６））；ジンクフィンガータンパク質２０７のアイソフォーム１（例えば、ＧｅｎＢａｎｋ登録番号Ｏ４３６７０−１（配列番号４７））；無機ピロホスファターゼ（例えば、ＧｅｎＢａｎｋ登録番号Ｑ１５１８１（配列番号４８））；カルポニン−２（例えば、ＧｅｎＢａｎｋ登録番号Ｑ９９４３９（配列番号４９））；マッスルブラインド様タンパク質３のアイソフォーム１（例えば、ＧｅｎＢａｎｋ登録番号Ｑ９ＮＵＫ０−１（配列番号５０））；カテプシンＧ前駆体（例えば、ＧｅｎＢａｎｋ登録番号��０８３１１（配列番号５１））；ジンクフィンガー及びＢＴＢドメイン含有タンパク質３４（例えば、ＧｅｎＢａｎｋ登録番号Ｑ８ＮＣＮ２（配列番号５２））；アデニンホスホリボシルトランスフェラーゼ（例えば、ＧｅｎＢａｎｋ登録番号Ｐ０７７４１（配列番号５３））；４０Ｓリボソームタンパク質Ｓ９（例えば、ＧｅｎＢａｎｋ登録番号Ｐ４６７８１（配列番号５４））；タリン−１（例えば、ＧｅｎＢａｎｋ登録番号Ｑ９Ｙ４９０（配列番号５５））；ロイシンリッチリピート含有タンパク質５９（例えば、ＧｅｎＢａｎｋ登録番号Ｑ９６ＡＧ４（配列番号５６））；ＡＴＰシンターゼサブユニットα，ミトコンドリア前駆体（例えば、ＧｅｎＢａｎｋ登録番号Ｐ２５７０５（配列番号５７））；タンパク質輸送タンパク質ＳＥＣ３１Ａのアイソフォーム７（例えば、ＧｅｎＢａｎｋ登録番号Ｏ９４９７９−７（配列番号５８））；ジヒドロキシアセトンキナーゼ（例えば、ＧｅｎＢａｎｋ登録番号Ｑ３ＬＸＡ３（配列番号５９））；異種核内リボ核タンパク質Ｃ１／Ｃ２（ＨＮＲＮＰ  Ｃ１／ＨＮＲＮＰ  Ｃ２）アイソフォーム４タンパク質類似体（例えば、ＥＮＳＥＭＢＬ登録番号ＥＮＳＴ００００３４２７０９（ＧｅｎＢａｎｋ登録番号ＮＭ＿００４５００．３及びＵＮＩＰＡＲＣ登録番号ＩＰＩ００８６８８３５）（配列番号６０）も参照されたい）；１８ｋＤａタンパク質（例えば、ＵＮＩＰＡＲＣ登録番号ＩＰＩ００７９６５５４（配列番号６１））；寒冷凝集素ＦＳ−１  Ｌ−鎖（例えば、ＧｅｎＢａｎｋ登録番号Ａ２ＮＢ４５（配列番号６２））；異種核内リボ核タンパク質ｄ０のアイソフォーム１（例えば、ＵｎｉＰｒｏｔ登録番号Ｑ１４１０３−１（配列番号６３））；ＤＡＺＡＰ１／ＭＥＦ２Ｄ融合タンパク質（例えば、ＧｅｎＢａｎｋ登録番号Ｑ５ＩＲＮ２（配列番号６４））。
ステージＩＶ癌細胞においてアップレギュレートされるタンパク質及びそれらの同起源のポリヌクレオチドも同定された。これらのポリヌクレオチドは、以下のポリペプチドをコードする：同定されたポリペプチド及びタンパク質は、以下の通りである：ＰＯＴＥ２（ＡＮＫＲＤ２６様ファミリーＣ，メンバー１Ａとしても知られる）（例えば、ＧｅｎＢａｎｋ登録番号ＮＰ＿００１０７７００７（配列番号６５））；ケラチン１８（ＫＲＴ１８）（例えば、ＧｅｎＢａｎｋ登録番号ＮＰ＿０００２１５（配列番号６６））；ＰＳＭＥ４  プロテアソ−ムアクチベーター複合体サブユニットのアイソフォーム１（プロソームマクロペイン、アクチベーターサブユニット４としても知られる）（例えば、ＧｅｎＢａｎｋ登録番号ＮＰ＿０５５４２９（配列番号６７））；マイトジェン活性化タンパク質キナーゼ活性化タンパク質キナーゼ（ＭＡＰＫＡＰＫ３３）（例えば、ＧｅｎＢａｎｋ登録番号ＮＰ＿００４６２６（配列番号６８））；補体成分１，ｓサブコンポーネント（Ｃ１Ｓ）（例えば、ＧｅｎＢａｎｋ登録番号ＮＰ＿００１７２５（配列番号６９））；リゾチームＣ前駆体（ＬＹＺ）（例えば、ＧｅｎＢａｎｋ登録番号ＮＰ＿０００２３０（配列番号７０））；ケラチン（Ｋｅｒｉｔｉｎ）型細胞骨格２０（ＫＲＴ２０）（例えば、ＧｅｎＢａｎｋ登録番号ＮＰ＿０６１８８３（配列番号７１））；ＲＮＡＳＥ３（ＥＣＰ  ＲＮＳ３，リボヌクレアーゼ，ＲＮａｓｅＡファミリー３としても知られる）（例えば、ＧｅｎＢａｎｋ登録番号ＮＰ＿００２９２６（配列番号７２））；アルデヒドデヒドロゲナーゼＸ，ミトコンドリア前駆体（ＡＬＤＨ１Ｂ１）（例えば、ＧｅｎＢａｎｋ登録番号ＮＰ＿０００６８３（配列番号７３））；ＣＤＮＡ  ＦＬＪ２５５０６  ｆｉｓ，クローンＣＢＲ０５１８５（例えば、ＧｅｎＢａｎｋ登録番号Ｑ８Ｎ７Ｉ６（配列番号７４））；フィビュリン（ｆｉｂｕｌｉｎ）−１前駆体（ＦＢＬＮ１）のアイソフォームＢ（例えば、ＧｅｎＢａｎｋ登録番号Ｐ２３１４２−２（配列番号７５））；ヌクレオバインディン１（ＮＵＣＢ１）（例えば、ＧｅｎＢａｎｋ登録番号ＮＰ＿００６１７５（配列番号７６））；ヒストンクラスター２，Ｈ２ｂａ（ＨＩＳＴ２Ｈ２ＢＡ）（例えば、ＧｅｎＢａｎｋ登録番号ＮＰ＿００１０１９７７０（配列番号７７））；三部分モチーフ含有２８（ＴＲＩＭ２８）（例えば、ＧｅｎＢａｎｋ登録番号ＮＰ＿００５７５３（配列番号７８））；ペルオキシソームＤ３，Ｄ２エノイル−ＣｏＡイソメラーゼ（ＰＥＣＩ）（例えば、ＧｅｎＢａｎｋ登録番号ＮＰ＿００６１０８（配列番号７９））；ペプチジルプロリルイソメラーゼＢ（ＰＰＩＢ）（例えば、ＧｅｎＢａｎｋ登録番号ＮＰ＿０００９３３（配列番号８０））；４０Ｓリボソームタンパク質Ｓ１７類似体（例えば、ＧｅｎＢａｎｋ登録番号ＩＰ００７４３３０５（配列番号８１））；真核生物翻訳伸長因子１γ（ＥＥＦ１Ｇ）（例えば、ＧｅｎＢａｎｋ登録番号ＩＰＩ００７４７４９７（配列番号８２））；ケラチン８（ＫＲＴ８）（例えば、ＧｅｎＢａｎｋ登録番号ＮＰ＿００２２６４（配列番号８３））；フィビュリン２（ＦＢＬＮ２）（例えば、ＧｅｎＢａｎｋ登録番号ＮＰ＿００１９８９（配列番��８４））；ＶＩＭ（例えば、ＧｅｎＢａｎｋ登録番号ＮＰ＿００３３７１（配列番号８５））；フィブリノーゲンα鎖（ＦＧＡ）（例えば、ＧｅｎＢａｎｋ登録番号ＮＰ＿０００４９９（配列番号８６））；アネキシンＡ２（ＡＮＸＡ２）（例えば、ＧｅｎＢａｎｋ登録番号ＮＰ＿００１００２８５８（配列番号８７））；Ｈ２Ａヒストンファミリー，メンバーＪ（Ｈ２ＡＦＪ）（例えば、ＧｅｎＢａｎｋ登録番号ＮＰ＿８０８７６０（配列番号８８））；アクチンα，心筋１（ＡＣＴＣ１）（例えば、ＧｅｎＢａｎｋ登録番号ＮＰ＿００５１５０（配列番号８９））；ケラチン１９（ＫＲＴ１９）（例えば、ＧｅｎＢａｎｋ登録番号ＮＰ＿００２２６７（配列番号９０））；免疫グロブリン（Ｉｍｍｕｎｏｇｌｏｂｉｎ）λ遺伝子座（ＩＧＬ＠タンパク質）（例えば、ＧｅｎＢａｎｋ登録番号Ｑ６ＰＩＱ７（配列番号９１））；免疫グロブリン重鎖定常部位μ（ＩＧＨＭ）（例えば、ＧｅｎＢａｎｋ登録番号Ｑ８ＷＵＫ１（配列番号９２））；ＥＧＦ含有フィビュリン様細胞外基質タンパク質１（ＥＦＥＭＰ１）（例えば、ＧｅｎＢａｎｋ登録番号Ｑ１２８０５−３（配列番号９３））；三部分モチーフ含有タンパク質３４（例えば、ＧｅｎＢａｎｋ登録番号ＮＰ＿０６７６２９（配列番号９４））；ＡＰ１−サブユニットγ結合タンパク質１のアイソフォーム３（例えば、ＧｅｎＢａｎｋ登録番号ＮＰ＿５４２１１７（配列番号９５））；プロフィリン（Ｐｒｏｆｌｉｎ）−１（例えば、ＧｅｎＢａｎｋ登録番号ＮＰ＿００５０１３（配列番号９６））；ヒストンＨ４（例えば、ＧｅｎＢａｎｋ登録番号ＮＰ＿００１０２９２４９（配列番号９７））；ヘモグロビンサブユニットα（例えば、ＧｅｎＢａｎｋ登録番号ＮＰ＿０００５４９（配列番号９８））；トランスゲリン（ＴＡＧＬＮとしても知られる）（例えば、ＧｅｎＢａｎｋ登録番号ＮＰ＿００１００１５２２（配列番号９９））；ルミカン前駆体（例えば、ＧｅｎＢａｎｋ登録番号ＮＰ＿００２３３６（配列番号１００））；ヘモグロビンβ（ＨＢＤ  ＣＤ１１３ｔとしても知られる）（例えば、ＧｅｎＢａｎｋ登録番号ＮＰ＿０００５０９（配列番号１０１））；フィブリノーゲンβ鎖前駆体（例えば、ＧｅｎＢａｎｋ登録番号ＮＰ＿００５１３２（配列番号１０２））；免疫グロブリンκ定常部位（ＩＧＫＣ）（例えば、ＧｅｎＢａｎｋ登録番号Ｑ６ＧＭＸ８（配列番号１０３））；未同定タンパク質ＡＬＢ（アルブミンとしても知られる）（例えば、ＧｅｎＢａｎｋ登録番号Ｑ５６Ｇ８９（配列番号１０４））。
【００５６】
別の実施例においては、疾患状態、すなわち、ステージＩＶ結腸直腸癌時に体液中に放出されるタンパク質を同定するために、ＰＣＭＡＴが使用された。実施例１を参照されたい。この研究は、ステージＩＶヒト結腸直腸癌組織の抗原性が増強された（ａｄｊｕｖａｎｔｅｄ）ホモジネートに対してニワトリで産生させたＹＰＡｂｓ（ポリクローナルＩｇＹ抗体）を使用した。ステージＩＶ腫瘍組織から得られたＹＰＡｂｓを、固体支持体に結合させた健康な対象からの血清に吸着させた。健康な血清中に存在する抗原と反応する抗体は残っていないことを、ウェスタンブロット及びドットブロットを用いて確認した後、残っている非吸着抗体を、上記のように荷電カラムを作製するために固体支持体の樹脂に結合させた。ステージＩＶ結腸直腸癌の患者からの血清を、カラムに通し、非特異的に結合しているタンパク質及びペプチドを、洗浄することによって除去した。特異的に結合しているタンパク質は、酢酸を用いて除去し、それらは、上記のようにＧｅＬＣ−ＭＳ／ＭＳによって同定した。配列番号１０８〜１５７を同定するために、ステージＩＩ腫瘍組織が同様に使用され、それらは以下の通りである：アクチン，細胞質性１（アクチンβ）（例えば、ＧｅｎＢａｎｋ登録番号ＮＰ＿００１０９２（配列番号１０８））；ヘモグロビンβ（例えば、ＧｅｎＢａｎｋ登録番号Ｏ９５４０８（配列番号１０９））；ヘモグロビンサブユニットα（例えば、ＧｅｎＢａｎｋ登録番号Ｐ６９９０５（配列番号１１０））；ＰＯＴＥ−２αアクチン（例えば、ＧｅｎＢａｎｋ登録番号Ａ５Ａ３Ｅ０（配列番号１１１））；ＳＬＣ４Ａ１０（例えば、ＧｅｎＢａｎｋ登録番号Ｑ６Ｕ８４１（配列番号１１２））；リボヌクレアーゼＰタンパク質サブユニットＰ２０（ＰＯＰ７）（例えば、ＧｅｎＢａｎｋ登録番号Ｏ７５８１７（配列番号１１３））；核ＲＮＡ排出因子１（ＮＸＦ１）（例えば、ＧｅｎＢａｎｋ登録番号Ｑ５９Ｅ９６（配列番号１１４））；コイルドコイルドメイン及びアンキリンリピートを有するＵＶＥＡＬ自己抗原，ＵＡＣＡ（例えば、ＧｅｎＢａｎｋ登録番号Ｑ０５ＤＢ３（配列番号１１５））；未同定タンパク質Ｃ１３ＯＲＦ２７（例えば、ＧｅｎＢａｎｋ登録番号Ｑ５ＪＵＲ７（配列番号１１６））；ｓｕｓｈｉ、ナイドジェン及びＥＧＦ−様ドメイン含有タンパク質１前駆体のアイソフォーム３（例えば、ＧｅｎＢａｎｋ登録番号Ｑ８ＴＥＲ０（配列番号１１７））；ダイニン重鎖１０のアイソフォーム１，軸糸性（ＤＮＡＨ１０）：（例えば、ＧｅｎＢａｎｋ登録番号Ｑ８ＩＶＦ４（配列番号１１８））；ギャップジャンクションα−１タンパク質（ＧＪＡ１／Ｃｏｎｎｅｘｉｏｎ４３）（例えば、ＧｅｎＢａｎｋ登録番号Ｐ１７３０２（配列番号１１９））；キネシン様タンパク質ＫＩＦ２５（ＫＩＦ２５）のアイソフォーム１（例えば、ＧｅｎＢａｎｋ登録番号Ｑ５ＳＺＵ８（配列番号１２０））；ＧＡＰＤＨ−グリセルアルデヒド−３−リン酸デヒドロゲナーゼ（例えば、ＧｅｎＢａｎｋ登録番号Ｐ０４４０６（配列番号１２１））；未同定タンパク質ＡＬＢ（例えば、ＧｅｎＢａｎｋ登録番号Ｐ０２７６８（配列番号１２２））；ガレクチン−３，ＬＧＡＬＳ３（例えば、ＧｅｎＢａｎｋ登録番号Ｎ��＿００２２９７（配列番号１２３））；ＮＡＣ−αドメイン含有タンパク質１（ＮＡＣＡＤ）類似体（例えば、ＧｅｎＢａｎｋ登録番号Ｏ１５０６９（配列番号１２４））；アセチル−ＣｏＡアセチルトランスフェラーゼ，ミトコンドリア性，ＡＣＡＴ１（例えば、ＧｅｎＢａｎｋ登録番号ＮＰ＿００００１０（配列番号１２５））；ＫＨ−型スプライシング調節タンパク質，ＦＵＢＰ２（例えば、ＧｅｎＢａｎｋ登録番号ＮＰ＿００３６７６（配列番号１２６））；プロフィリン１（ＰＦＮ１）（例えば、ＧｅｎＢａｎｋ登録番号ＮＰ＿００５０１３（配列番号１２７））；塩素細胞内チャンネルタンパク質１，ＣＬＩＣ１（例えば、ＧｅｎＢａｎｋ登録番号ＮＰ＿００１２７９（配列番号１２８））；ジンクフィンガータンパク質８３１（例えば、ＧｅｎＢａｎｋ登録番号ＮＰ＿８４８５５２（配列番号１２９））；エンドプラスミン（例えば、ＧｅｎＢａｎｋ登録番号ＮＰ＿００３２９０（配列番号１３０））；リボソームタンパク質Ｓ１０（ＲＰＳ１０）（例えば、ＧｅｎＢａｎｋ登録番号Ｐ４６７８３（配列番号１３１））；スプライシング因子，アルギニン／セリン−リッチ３（例えば、ＧｅｎＢａｎｋ登録番号ＮＰ＿００３００８（配列番号１３２））；ＡＣＴＡ２タンパク質（αアクチン，平滑筋）（例えば、ＧｅｎＢａｎｋ登録番号Ｐ６２７３６（配列番号１３３））；ナトリウムチャンネルタンパク質タイプ８サブユニットα，ＳＣＮ８Ａのアイソフォーム１（例えば、ＧｅｎＢａｎｋ登録番号ＮＰ＿０５５００６配列番号１３４））；ガレクチン−９のアイソフォームロング（例えば、ＧｅｎＢａｎｋ登録番号ＮＰ＿０３３６６５配列番号１３５））；Ｔ−複合体タンパク質１サブユニットε，ＣＣＴ５（例えば、ＧｅｎＢａｎｋ登録番号ＮＰ＿０３６２０５（配列番号１３６））；α−エノラーゼ，肺特異性（例えば、ＧｅｎＢａｎｋ登録番号ＣＡＡ４７１７９（配列番号１３７））；癌原遺伝子セリン／スレオニン−タンパク質キナーゼＭＯＳ（例えば、ＧｅｎＢａｎｋ登録番号ＮＰ＿００５３６３（配列番号１３８））；β−アデュシン（ＡＤＤ２）のアイソフォーム１（例えば、ＧｅｎＢａｎｋ登録番号ＮＰ＿００１６０８（配列番号１３９））；アポリポタンパク質Ｅ（ＡＰＯＥ）（例えば、ＧｅｎＢａｎｋ登録番号ＮＰ＿００００３２配列番号１４０））；ユビキリン−４（ＵＢＱＬＮ４）（アタキシン−１ユビキチン様相互作用タンパク質）（例えば、ＧｅｎＢａｎｋ登録番号ＮＰ＿０６４５１６（配列番号１４１））；Ｓｕｍｏ結合酵素ＵＢ２１（酵母におけるホモログＵＢＣ９）（例えば、ＧｅｎＢａｎｋ登録番号ＮＰ＿００３３３６（配列番号１４２））；ミオシン−１５（ＭＹＨ１５）（例えば、ＧｅｎＢａｎｋ登録番号ＮＰ＿０５５７９６（配列番号１４３））：ＦＬＪ９３０９１，ヒトＵＭＰ−ＣＭＰキナーゼ（ＵＭＰ−ＣＭＰＫ）（例えば、ＧｅｎＢａｎｋ登録番号ＮＰ＿０５７３９２（配列番号１４４））；インテレクチン−１（ＩＴＬＮ１）（例えば、ＧｅｎＢａｎｋ登録番号ＮＰ＿０６００９５（配列番号１４５））；アポリポタンパク質Ａ−ＩＶ（ＡＰＯＡ４）（例えば、ＧｅｎＢａｎｋ登録番号Ｑ１３７８４（配列番号１４６））；ミトコンドリアピルビン酸デヒドロゲ��ーゼ（リポアミド）α１（ＰＤＨＡ１）（例えば、ＧｅｎＢａｎｋ登録番号Ｐ０８５５９（配列番号１４７））；ロイシンリッチリピート含有タンパク質５９（ＬＲＲＣ５９）（例えば、ＧｅｎＢａｎｋ登録番号ＮＰ＿０６０９７９（配列番号１４８））；６０Ｓリボソームタンパク質Ｌ３７Ａ．（ＲＰＬ３７Ａ）（例えば、ＧｅｎＢａｎｋ登録番号ＮＰ＿０００９８９（配列番号１４９））；ウリジン−シチジンキナーゼ１−様１（ＵＣＫＬ１）（例えば、ＧｅｎＢａｎｋ登録番号Ｑ５３ＨＭ１（配列番号１５０））；アルデヒドデヒドロゲナーゼ９Ａ１（ＡＬＤＨ９Ａ１）（例えば、ＧｅｎＢａｎｋ登録番号ＮＰ＿０００６８７（配列番号１５１））；チオレドキシン還元酵素１，細胞質性（ＴＸＮＲＤ１）のアイソフォーム３（例えば、ＧｅｎＢａｎｋ登録番号Ｑ１６８８１（配列番号１５２））；核内受容体サブファミリー２グループＥメンバー１（ＮＲ２Ｅ１）（例えば、ＧｅｎＢａｎｋ登録番号ＮＰ＿００３２６０（配列番号１５３））；陽イオンチャンネル精子関連タンパク質３（ＣＡＴＰＥＲ３）（例えば、ＧｅｎＢａｎｋ登録番号ＮＰ＿８２１１３８（配列番号１５４））；膜貫通ＥＭＰ２４ドメイン含有タンパク質１（ＴＭＥＤ１）（例えば、ＧｅｎＢａｎｋ登録番号ＮＰ＿００６８４９（配列番号１５５））；タンパク質ＦＡＭ１５４Ａ（ＦＡＭ１５４Ａ）（例えば、ＧｅｎＢａｎｋ登録番号ＮＰ＿７１４９１８（配列番号１５６））；転写リプレッサーＮＦ−Ｘ１（ＮＦＸ１）のアイソフォーム１（例えば、ＧｅｎＢａｎｋ登録番号ＮＰ＿００２４９５（配列番号１５７））。
【００５７】
ステージＩＶ癌細胞においてアップレギュレートされる、放出され変化が介在するタンパク質及びそれらの同起源のポリヌクレオチドが同定された。このポリヌクレオチドは、配列番号１０５〜１０７（．ＡｐｏＡ１  例えば、ＧｅｎＢａｎｋ登録番号Ｐ０２６４７（配列番号１０５）；Ｃ４Ａ（例えば、ＧｅｎＢａｎｋ登録番号Ｐ０Ｃ０Ｌ４（配列番号１０６）；及び、Ｃ３  １８７ｋＤａタンパク質（例えば、ＧｅｎＢａｎｋ登録番号Ｐ０１０２４（配列番号１０７））中に示されるポリペプチドをコードする。
【００５８】
一般的に、ＰＣＭＡＴは、その速さ（プロジェクトにおけるバイオマーカーの探索部分全体が６ヶ月未満で実施され得る）、費用対効果、及び、最も重要なことに、その感度、を含む、多数の優れた特性を有する。一般的に、ニワトリは、高い力価で、広い反応性を示す抗体を産生させるための優れた宿主として役立つ：ニワトリは、非常に強力なアジュバントを極めて良好に許容し、ヒトとは系統学的に遠く、このことは、癌研究においてヒト免疫原に対する反応傾向を増大し、ニワトリは、非常に多くの免疫レパートリーを有し、膨大な量の精製ＩｇＹ（ＩｇＧと本質的に同じ）が、それらの卵から容易に取得し得る。強力なアジュバントの使用は、少ない量のタンパク質であっても抗体反応を誘導し、抗体を回収し得ることを確実にするために役立つ。感度を増大させるＰＣＭＡＴの別の特徴は、荷電カラムのサイズ及びそれを通し得る体液の量が重要であり得るということである。さらに、この特徴は、少量のタンパク質を見つける可能性も増大させる。最終的に、背景のタンパク質と反応性を示す抗体を除去するために健康な対象からの液状物を使用するサブトラクション工程は、大変高いシグナルノイズ比をもたらす。ＰＣＭＡＴによってもたらされる感度の必要性は、どんなに記載しても記載し過ぎることはない。体液中に放出される癌タンパク質は、比較的少量であり、したがって、現在使われているストラテジーによって見過ごされる可能性が非常に高い。癌によって放出されるタンパク質を見つけるためにＰＣＭＡＴを使用することは、癌診断の開発のための新規ターゲットの同定のための他に類をみない機会をもたらす。
【００５９】
これらのポリペプチドの全てが、本明細書中において、「本発明にかかるポリペプチド」又は「癌関連抗原若しくはポリペプチド」と呼ばれる。本発明にかかるポリペプチドをコードするポリヌクレオチドは、本明細書中において、「本発明にかかるポリヌクレオチド」又は「癌関連ポリヌクレオチド」と呼ばれる。
【００６０】
ポリペプチド
ポリペプチドは、アミド結合によって共有結合している、３個以上のアミノ酸のポリマーである。ポリペプチドは、翻訳後に修飾され得る。精製されたポリペプチドとは、細胞性物質、その他のタイプのポリペプチド、ポリペプチドの合成において使用される化学物質前駆体、化学物質、又はその組み合わせを実質的に含まないポリペプチド調製物である。ポリペプチドの合成において使用される細胞性物質、培養培地、化学物質前駆体、及び／又は化学物質を実質的に含まないポリペプチド調製物とは、約３０％未満、２０％、１０％、５％、１％又はそれ以上の、合成において使用されるその他のポリペプチド、培養培地、化学物質前駆体、及び／又はその他の化学物質を含む。したがって、精製されたポリペプチドは、約７０％、８０％、９０％、９５％、９９％又はそれ以上純粋である。
【００６１】
本発明にかかるポリペプチドは、ポリペプチドのアミノ末端及びカルボキシ末端の一方又は両方と直接連続する、少なくとも１、２、３、４、５、１０、２５、１００、５００、１，０００個又はそれ以上の天然のアミノ酸を含み得る。
【００６２】
本発明にかかるポリペプチドは、全長ポリペプチド若しくはタンパク質、又はポリペプチド若しくはタンパク質の断片のいずれかであり得る。例えば、本発明にかかるポリペプチドの断片は、本発明にかかるポリペプチドの、約５、１０、１５、２０、３０、４０、５０、６０、７０、８０、９０、１００、２５０、５００、７５０、１，０００、２，０００、３，０００、４，０００、５，０００個若しくはそれ以上の連続するアミノ酸、又は、５〜５，０００の間の任意の値若しくは範囲を含み得る。本発明にかかるポリペプチドの例としては、配列番号１〜１５７に示されるものが挙げられる。変異体ポリペプチドは、配列番号１〜１５７に示されるポリペプチド配列に対して、少なくとも約８０、又は約８５％、９０、９１、９２、９３、９４、９５、９６、９７、９８、９９％又はそれ以上同一である。変異体ポリペプチドは、１以上の保存的アミノ酸変異又はその他のわずかな修飾を有し、又、生物学的活性を保持する（すなわち、生物機能的に同等である）。生物学的活性同等物は、対応する野生型ポリペプチドと比較した場合に、実質的に同等の機能を有する。
【００６３】
パーセント配列同一性は、その意義が認められている技術を有し、２つのポリペプチド又はポリヌクレオチド間の配列の同一性を調べるための多数の方法が存在する。例えば、Ｌｅｓｋ，Ｅｄ．，Ｃｏｍｐｕｔａｔｉｏｎａｌ  Ｍｏｌｅｃｕｌａｒ  Ｂｉｏｌｏｇｙ，Ｏｘｆｏｒｄ  Ｕｎｉｖｅｒｓｉｔｙ  Ｐｒｅｓｓ，Ｎｅｗ  Ｙｏｒｋ，（１９８８）；Ｓｍｉｔｈ，Ｅｄ．，Ｂｉｏｃｏｍｐｕｔｉｎｇ：Ｉｎｆｏｒｍａｔｉｃｓ  Ａｎｄ  Ｇｅｎｏｍｅ  Ｐｒｏｊｅｃｔｓ，Ａｃａｄｅｍｉｃ  Ｐｒｅｓｓ，Ｎｅｗ  Ｙｏｒｋ，（１９９３）；Ｇｒｉｆｆｉｎ＆Ｇｒｉｆｆｉｎ，Ｅｄｓ．，Ｃｏｍｐｕｔｅｒ  Ａｎａｌｙｓｉｓ  Ｏｆ  Ｓｅｑｕｅｎｃｅ  Ｄａｔａ，Ｐａｒｔ  Ｉ，Ｈｕｍａｎａ  Ｐｒｅｓｓ，Ｎｅｗ  Ｊｅｒｓｅｙ，（１９９４）；ｖｏｎ  Ｈｅｉｎｊｅ，Ｓｅｑｕｅｎｃｅ  Ａｎａｌｙｓｉｓ  Ｉｎ  Ｍｏｌｅｃｕｌａｒ  Ｂｉｏｌｏｇｙ，Ａｃａｄｅｍｉｃ  Ｐｒｅｓｓ，（１９８７）；ａｎｄ  Ｇｒｉｂｓｋｏｖ＆Ｄｅｖｅｒｅｕｘ，Ｅｄｓ．，Ｓｅｑｕｅｎｃｅ  Ａｎａｌｙｓｉｓ  Ｐｒｉｍｅｒ，Ｍ  Ｓｔｏｃｋｔｏｎ  Ｐｒｅｓｓ，Ｎｅｗ  Ｙｏｒｋ，（１９９１）を参照されたい。ポリヌクレオチド又はポリペプチドを整列させるための方法は、コンピュータープログラムとして体系化されており、例えば、ＧＣＧプログラムパッケージ（Ｄｅｖｅｒｅｕｘ  ｅｔ  ａｌ．，Ｎｕｃ．Ａｃｉｄｓ  Ｒｅｓ．１２：３８７（１９８４））、ＢＬＡＳＴＰ、ＢＬＡＳＴＮ、ＦＡＳＴＡ（Ａｔｓｃｈｕｌ  ｅｔ  ａｌ．，Ｊ．Ｍｏｌｅｃ．Ｂｉｏｌ．２１５：４０３（１９９０））、並びに、Ｓｍｉｔｈ及びＷａｔｅｒｍａｎ（Ａｄｖ．Ａｐｐ．Ｍａｔｈ．，２：４８２−４８９（１９８１）の局所的相同性アルゴリズムを使用するＢｅｓｔｆｉｔプログラム（Ｗｉｓｃｏｎｓｉｎ配列分析パッケージ，Ｕｎｉｘ用バージョン８，Ｇｅｎｅｔｉｃｓ  Ｃｏｍｐｕｔｅｒ  Ｇｒｏｕｐ，Ｕｎｉｖｅｒｓｉｔｙ  Ｒｅｓｅａｒｃｈ  Ｐａｒｋ，５７５  Ｓｃｉｅｎｃｅ  Ｄｒｉｖｅ，Ｍａｄｉｓｏｎ，ＷＩ  ５３７１１）が挙げられる。例えば、ＦＡＳＴＡアルゴリズムを利用するコンピュータープログラムＡＬＩＧＮは、−１２のギャップオープンペナルティーと、−２のギャップエクステンションペナルティーとを用いる、アフィンギャップサーチを用いて使用し得る。
【００６４】
特定の配列が、例えば、参照配列と約９５％同一であるか否かを測定するために、任意の配列アラインメントプログラムを使用する場合、参照ポリヌクレオチドの全長に亘って同一性のパーセンテージが計算され、参照ヌクレオチド中のヌクレオチド数全体の最大５％の同一性のギャップが許容されるように、パラメーターは設定される。
【００６５】
変異体は、一般的に、本発明にかかるポリペプチドの１つを改変し、それが生物学的に同等であるか否かを調べるために改変ポリペプチドの特性を評価することにより、同定し得る。例えば、免疫組織化学的アッセイ、酵素結合免疫吸着測定法（ＥＬＩＳＡ）、ラジオイムノアッセイ（ＲＩＡ）、免疫酵素アッセイ又はウェスタンブロットアッセイ等のアッセイにおいて、本発明にかかるポリペプチドと実質的に同じように反応する場合には、例えば、元のポリペプチドの活性の９０〜１１０％を有する場合には、変異体は生物学的に同等である。一実施形態において、アッセイは競合アッセイであり、この場合、生物学的に同等なポリペプチドは、本発明にかかるポリペプチドの対応する反応性抗原又は抗体への結合を約８０、９５、９９、又は１００％低下させ得る。対応する野生型ポリペプチドと特異的に結合する抗体は、変異体ポリペプチドとも特異的に結合する。本発明にかかる変異体ポリペプチドは、約１、２、３、４、５、１０、２０、３０、４０、５０、６０、７０、８０、１００、２００個又はそれ以上の保存的アミノ酸置換、又は、約１〜約２００個の間の任意の値又は範囲の置換を含み得る。
【００６６】
保存的置換は、類似した特性を有する別のアミノ酸とアミノ酸が置換されているものであり、したがって、ペプチド化学の技術分野における当業者であれば、実質的に変化しないポリペプチドの二次構造及びヒドロパシー特性を予想し得る。保存的置換としては、例えば、脂肪族又は疎水性アミノ酸Ａｌａ、Ｖａｌ、Ｌｅｕ及びＩｌｅの置換；ヒドロキシル残基Ｓｅｒ及びＴｈｒの置換；酸性残基Ａｓｐ及びＧｌｕの置換；アミド残基Ａｓｎ及びＧｌｎの置換、塩基性残基Ｌｙｓ、Ａｒｇ、及びＨｉｓ；芳香族残基Ｐｈｅ、Ｔｙｒ、及びＴｒｐの置換、並びに、低分子アミノ酸Ａｌａ、Ｓｅｒ、Ｔｈｒ、Ｍｅｔ、及びＧｌｙの置換等のアミノ酸グループ内の交換が挙げられる。
【００６７】
本発明にかかるポリペプチドは、タンパク質の移送を翻訳と同時に又は翻訳後に指示するシグナル（又はリーダー）配列をさらに含み得る。ポリペプチドはまた、ポリペプチドの合成、精製又は同定を簡易にするための（例えば、ポリＨｉｓ）、又は、ポリペプチドの固体支持体への結合を促進させるための、リンカー又はその他の配列を含み得る。本発明にかかるポリペプチドは、タンパク質の移送を翻訳と同時に又は翻訳後に指示するシグナル（又はリーダー）配列をさらに含み得る。ポリペプチドはまた、ポリペプチドの合成、精製又は同定を簡易にするための（例えば、ポリＨｉｓ）、又は、ポリペプチドの固体支持体への結合を促進させるための、リンカー又はその他の配列を含み得る。例えば、ポリペプチドは、免疫グロブリンＦｃ領域又はウシ血清アルブミンに結合させ得る。
【００６８】
ポリペプチドは、そのポリペプチドが天然には結合していないアミノ酸に、共有結合的に又は非共有結合的に結合させ得る。ポリペプチドはまた、アミノ酸以外の化合物又は分子に、共有結合的に又は非共有結合的に連結させ得る。本発明の一実施形態において、タンパク質精製リガンドは、例えば、本発明にかかるポリペプチドのアミノ末端又はカルボキシ末端における１以上のアミノ酸残基であり得る。アミノ酸スペーサーは、本発明にかかるポリペプチドと天然においては通常、結合していないアミノ酸の配列である。アミノ酸スペーサーは、約１、５、１０、２０、１００、５００、１，０００個又はそれ以上のアミノ酸を含み得る。
【００６９】
所望であれば、ポリペプチドは、その他のアミノ酸配列、例えば、アミノ酸リンカー、アミノ酸スペーサー、シグナル配列、ＴＭＲ移送停止配列、膜貫通ドメイン、及び、タンパク質精製に有用なリガンド、例えば、グルタチオン−Ｓ−トランスフェラーゼ、ヒスチジンタグ、及びブドウ球菌タンパク質Ａ、又はその組み合わせをも含む、融合タンパク質であり得る。２以上の本発明にかかるポリペプチドが、融合タンパク質中には存在し得る。本発明にかかるポリペプチドの断片は、本発明にかかる融合タンパク質中に存在し得る。本発明にかかる融合タンパク質は、１以上の配列番号１〜１５７、その断片、又はその組み合わせを含み得る。
【００７０】
本発明にかかるポリペプチドは、マルチマーの形態をとり得る。ポリペプチドは、配列番号１〜１５７の１以上のコピー又はその組み合わせを含み得る。マルチマーポリペプチドは、多重抗原ペプチド（ＭＡＰ）であり得る。例えば、Ｔａｍ，Ｊ．Ｉｍｍｕｎｏｌ．Ｍｅｔｈｏｄｓ，１９６：１７−３２（１９９６）を参照されたい。
【００７１】
本発明にかかるポリペプチドは、抗体によって認識される抗原を含み得る。抗原は、１以上のエピトープ（すなわち、抗原決定基）を含み得る。エピトープは、直線状エピトープ、連続エピトープ又は立体構造エピトープであり得る。本発明にかかるポリペプチド中のエピトープは、複数の方法によって同定され得る。例えば、米国特許第４，５５４，１０１号；Ｊａｍｅｓｏｎ＆Ｗｏｌｆ，ＣＡＢＩＯＳ  ４：１８１−１８６（１９８８）を参照されたい。例えば、本発明にかかるポリペプチドは、単離及びスクリーニングされ得る。全体のポリペプチド配列に一緒に広がる一連の短いペプチドを、タンパク質分解的切断によって調製し得る。例えば、１００ｍｅｒポリペプチド断片を始めとして、各断片を、ＥＬＩＳＡにおいて認識されるエピトープの存在について試験し得る。例えば、ＥＬＩＳＡアッセイにおいて、１００ｍｅｒポリペプチド断片等のポリペプチドを、プラスチック製マルチウェルプレートのウェル等の固体支持体に付着させる。抗体集団を標識して、固体支持体に添加し、非特異的吸着がブロックされる条件下で、標識していない抗原を結合させ、全ての結合していない抗体及びその他のタンパク質は洗い流す。抗体の結合は、例えば、無色基質を有色反応生成物に変換する反応によって検出される。次に、漸進的により小さな断片及び重複する断片を、対象となるエピトープをマッピングするために、同定された１００ｍｅｒから試験し得る。
【００７２】
本発明にかかるポリペプチドは、組み換え技術によって作製し得る。本発明にかかるポリペプチドをコードするポリヌクレオチドは、当技術分野において周知の技術を用いて、適当な発現宿主細胞系中で発現し得る、組み換え発現ベクター中に導入し得る。様々な細菌、酵母、植物、哺乳類及び昆虫発現系が当技術分野において利用可能であり、かかる任意の発現系を使用し得る。任意に、ポリペプチドをコードするポリヌクレオチドは、無細胞翻訳系において翻訳し得る。ポリペプチドはまた、化学的に合成するか、又は、癌細胞から取得し得る。
【００７３】
本発明にかかる免疫原性ポリペプチドは、配列番号１〜１５７に示されるアミノ酸配列を含み得る。免疫原性ポリペプチドは、配列番号１〜１５７を有するポリペプチドのエピトープを認識する抗体又はその他の免疫反応（例えば、免疫系におけるＴ細胞応答）を誘導し得る。本発明にかかる免疫原性ポリペプチドはまた、配列番号１〜１５７に示されるアミノ酸配列を有するポリペプチドの断片であり得る。本発明にかかる免疫原性ポリペプチド断片は、約５、１０、１５、２０、３０、４０、５０、６０、７０、８０、９０、１００、２５０、５００、７５０、１，０００、２，０００、３，０００、４，０００、５，０００個若しくはそれ以上のアミノ酸長、又は、約５〜約５，０００アミノ酸長の間の任意の値若しくは範囲であり得る。
【００７４】
ポリヌクレオチド
本発明にかかるポリヌクレオチドは、全ゲノムよりは短い核酸を含み、一本鎖又は二本鎖の核酸であり得る。ポリヌクレオチドは、ＲＮＡ、ｍＲＮＡ、ＤＮＡ、ｃＤＮＡ、ゲノムＤＮＡ、化学合成されたＲＮＡ若しくはＤＮＡ、又はその組み合わせであり得る。ポリヌクレオチドは、その他の成分、例えば、タンパク質、脂質及びその他のポリヌクレオチドを含まずに精製し得る。例えば、ポリヌクレオチドは、５０％、７５％、９０％、９５％、９６％、９７％、９８％、９９％、又は１００％精製し得る。本発明にかかるポリヌクレオチドは、上記したポリペプチドをコードする。本発明の一実施形態において、本発明にかかるポリペプチド及び配列番号１〜１５７に示されるポリペプチドをコードするポリヌクレオチド、その相補鎖、又はその組み合わせ。本発明にかかるポリヌクレオチドは、その他のヌクレオチド配列、例えば、リンカー、シグナル配列、ＴＭＲ移送停止配列、膜貫通ドメイン、又はタンパク質精製に有用なリガンド、例えば、グルタチオン−Ｓ−トランスフェラーゼ、ヒスチジンタグ、及びブドウ球菌タンパク質Ａをコードする配列を含み得る。
【００７５】
本発明にかかるポリヌクレオチドは単離し得る。単離ポリヌクレオチドとは、天然にそのポリヌクレオチドが関連するゲノム配列に隣接する５’及び３’の一方又は両方とは直接連続しないポリヌクレオチドである。単離ポリヌクレオチドは、天然のゲノム中において、組み換えＤＮＡ分子と直接隣接することが天然に見られる核酸配列が、除去されている場合又は存在しない場合に、例えば、任意の長さの組み換えＤＮＡ分子であり得る。単離ポリヌクレオチドは、非天然の核酸分子も含む。例えば、ｃＤＮＡ又はゲノムライブラリー、又はゲノムＤＮＡの制限酵素消化物を含むゲルスライス内の数百から数百万のその他の核酸分子中に存在する核酸分子は、単離された又は精製されたポリヌクレオチドとはみなされない。
【００７６】
本発明にかかるポリヌクレオチドは、免疫原性ポリペプチドをコードする断片も含み得る。本発明にかかるポリヌクレオチドは、全長ポリペプチド又はタンパク質、ポリペプチド断片、及び変異体又は融合ポリペプチドをコードし得る。
【００７７】
本発明にかかるポリペプチドをコードする縮重ヌクレオチド配列、並びに、本発明にかかるポリヌクレオチド配列及びその相補配列と、少なくとも約８０％、又は約８５、９０、９５、９６、９７、９８、９９％又はそれ以上同一である相同ヌクレオチド配列もまた、本発明にかかるポリヌクレオチドである。パーセント配列同一性は、「ポリペプチド」の項において記載されるようにして計算し得る。縮重ヌクレオチド配列とは、本発明にかかるポリペプチド又はその断片をコードするが、遺伝コードの縮重により、野生型のポリヌクレオチド配列とは核酸配列が異なるポリヌクレオチドである。生物学的機能を有する本発明にかかるポリペプチドをコードするポリヌクレオチドの相補ＤＮＡ（ｃＤＮＡ）分子、種間ホモログ、及び変異体もまた、本発明にかかるポリヌクレオチドである。本発明にかかるポリヌクレオチドは、例えば、生物学的サンプル、例えば、個々の患者からの血液、血清、唾液、又は組織中に存在する核酸配列から単離し得る。ポリヌクレオチドはまた、研究室において、例えば、自動合成装置を用いて、合成し得る。ＰＣＲ等の増幅方法を用いて、ゲノムＤＮＡ又は、ポリペプチドをコードするｃＤＮＡのいずれかからポリヌクレオチドを増幅し得る。
【００７８】
本発明にかかるポリヌクレオチドは、天然のポリペプチドのコード配列を含み得るし、又は、天然には存在しない改変された配列をコードし得る。所望であれば、ポリヌクレオチドは、例えば、複製開始点、プロモーター、エンハンサー、又は、宿主細胞中で本発明にかかるポリヌクレオチドの発現を推進するその他の調節エレメント等の発現調節エレメントを含む発現ベクター中にクローニングし得る。発現ベクターは、例えば、ｐＢＲ３２２、ｐＵＣ、又はＣｏｌＥ１等のプラスミド、又は、アデノウイルス２型ベクター又は５型ベクター等のアデノウイルスベクターであり得る。任意に、その他のベクターも使用し得る、例えば、限定するものではないが、シンドビスウイルス、シミアンウイルス４０、アルファウイルスベクター、ポックスウイルスベクター、及びサイトメガロウイルス、並びに、マウス肉腫ウイルス、マウス乳腺腫瘍ウイルス、モロニーマウス白血病ウイルス、及びラウス肉腫ウイルス等のレトロウイルスベクターが挙げられる。ＭＣ及びＭＣ１等のミニ染色体、バクテリオファージ、ファージミド、酵母人工染色体、細菌人工染色体、ウイルス粒子、ウイルス様粒子、コスミド（ファージλのｃｏｓ部位が挿入されたプラスミド）及びレプリコン（細胞中においてそれ自体の調節下において複製し得る遺伝子エレメント）もまた使用し得る。
【００７９】
発現調節配列と機能し得るように連結されたポリヌクレオチドの調製方法及び宿主細胞中でのそれらの発現方法は、当技術分野において周知である。例えば、米国特許第４，３６６，２４６号を参照されたい。本発明にかかるポリヌクレオチドは、ポリヌクレオチドの転写及び／又は翻訳を指示する１以上の発現調節エレメントに隣接して又は近くにそれが位置した場合には、機能し得るように連結される。
【００８０】
本発明にかかるポリヌクレオチドは、サンプル、例えば、生物学的サンプル、中のポリヌクレオチドの存在を検出するために、例えば、プローブ又はプライマーとして、例えば、ＰＣＲプライマーとして使用し得る。本発明にかかるポリヌクレオチドと特異的にハイブリダイズするかかるプローブ及びプライマーの能力は、所定のサンプル中において相補配列の存在を検出する場合にそれらを使用することを可能にする。本発明にかかるポリヌクレオチドプローブ及びプライマーは、サンプル中、例えば、唾液、痰、血液、尿、糞便、脳脊髄液、羊水、傷からの浸出液、又は組織等の生物学的サンプル中において、相補配列とハイブリダイズし得る。サンプルからのポリヌクレオチドは、例えば、ゲル電気泳動又はその他のサイズ分離技術に供し得るし、又は、サイズ分離を行うことなく、固定化し得る。ポリヌクレオチドプローブ又はプライマーは、標識し得る。プローブ及びプライマーを標識するための適当な標識及び方法は、当技術分野において公知であり、例えば、ニック翻訳若しくはキナーゼによって取り込まれる放射活性標識、ビオチン標識、蛍光標識、化学発光標識、生物発光標識、金属キレート標識及び酵素標識が挙げられる。サンプルからのポリヌクレオチドは、適当なストリンジェンシーのハイブリダイゼーション条件下で、プローブ又はプライマーと接触させる。
【００８１】
用途に応じて、標的配列に向かうプローブ又はプライマーの様々な選択性を達成するために、様々なハイブリダイゼーション条件が使用され得る。高い選択性を必要とする用途のためには、例えば、約０．０２Ｍ〜約０．１５Ｍの塩、又は約０．０２Ｍ〜約０．１５Ｍの塩の間の任意の値又は範囲の塩濃度、約５０℃〜約７０℃、又は約５０℃〜７０℃の範囲の任意の値又は範囲の温度によって提供される低い塩濃度及び／又は高い温度条件等の比較的ストリンジェントな条件が使用され得る。低い選択性を必要とする用途のためには、ストリンジェンシーがより低いハイブリダイゼーション条件が使用され得る。例えば、約０．１４Ｍ〜約０．９Ｍの塩、又は約０．１４Ｍ〜約０．９Ｍの塩の間の任意の値又は範囲の塩濃度、約２０℃〜約５５℃、又は約２０℃〜５５℃の範囲の任意の値又は範囲の温度。プローブ又はプライマーと、試験サンプルからの相補ポリヌクレオチドとを含む、ハイブリダイズした複合体の存在は、サンプル中における癌の存在を示し得る。
【００８２】
抗体
本発明にかかる抗体は、本発明にかかるポリペプチド又はその断片と特異的かつ安定的に結合する抗体分子である。本発明にかかる抗体は、ポリクローナル抗体、モノクローナル抗体、一本鎖抗体（ｓｃＦｖ）、単一特異性一本鎖抗体、二重特異性一本鎖抗体、二価一本鎖抗体、四価一本鎖抗体、キメラ抗体、ヒト化抗体、又は抗体の抗原結合断片であり得る。抗原と結合する抗体の断片は、インタクトな抗体の抗原結合部位又は可変領域を含むインタクトな抗体の部分であり、この部分は、インタクトな抗体のＦｃ領域の定常重鎖ドメインは含まない。抗原と結合する抗体断片の例としては、Ｆａｂ、Ｆａｂ’、Ｆａｂ’−ＳＨ、Ｆ（ａｂ’）2及びＦv断片が挙げられる。
【００８３】
単離された抗体は、その天然の環境からは実質的に分離されている。例えば、単離された抗体は、それが由来する生物源から実質的に分離されている。精製された抗体は、その天然の環境においては抗体に関連するその他の物質を実質的に含まない。例えば、精製された抗体は、それが由来する細胞又は組織からの細胞性物質又はその他のタンパク質又は抗体を実質的に含まない。この用語は、単離された抗体が、少なくとも約７０％〜８０％（ｗ／ｗ）の純度、より好ましくは、少なくとも約８０％〜９０％（ｗ／ｗ）の純度、さらにより好ましくは、約９０〜９５％の純度、及び、最も好ましくは、少なくとも約９５％、９６％、９７％、９８％、９９％、又は１００％（ｗ／ｗ）の純度である調製物のことをいう。
【００８４】
本発明にかかる抗体は、例えば、ＩｇＧ（ＩｇＧ１、ＩｇＧ２、ＩｇＧ４）、ＩｇＭ、ＩｇＡ、ＩｇＤ、ＩｇＥ、及びＩｇＹを含む、任意の抗体クラス及び任意のサブタイプであり得る。抗体又はその抗原結合断片は、本発明にかかるポリペプチドのエピトープと結合する。抗体は適当な実験動物中でインビボで又は組み換えＤＮＡ技術を用いてインビトロで作製し得る。抗体の調製及び特性決定のための手段は当技術分野において周知である。例えば、Ｄｅａｎ，Ｍｅｔｈｏｄｓ  Ｍｏｌ．Ｂｉｏｌ．８０：２３−３７（１９９８）；Ｄｅａｎ，Ｍｅｔｈｏｄｓ  Ｍｏｌ．Ｂｉｏｌ．３２：３６１−７９（１９９４）；Ｂａｉｌｅｇ，Ｍｅｔｈｏｄｓ  Ｍｏｌ．Ｂｉｏｌ．３２：３８１−８８（１９９４）；Ｇｕｌｌｉｃｋ，Ｍｅｔｈｏｄｓ  Ｍｏｌ．Ｂｉｏｌ．３２：３８９−９９（１９９４）；Ｄｒｅｎｃｋｈａｈｎ  ｅｔ  ａｌ．Ｍｅｔｈｏｄｓ  Ｃｅｌｌ．Ｂｉｏｌ．３７：７−５６（１９９３）；Ｍｏｒｒｉｓｏｎ，Ａｎｎ．Ｒｅｖ．Ｉｍｍｕｎｏｌ．１０：２３９−６５（１９９２）；Ｗｒｉｇｈｔ  ｅｔ  ａｌ．Ｃｒｉｔ．Ｒｅｖ．Ｉｍｍｕｎｏｌ．１２：１２５−６８（１９９２）を参照されたい。例えば、ポリクローナル抗体は、ヒト又はその他の霊長類、マウス、ラット、ウサギ、モルモット、ヤギ、ブタ、イヌ、ウシ、ヒツジ、ロバ、ニワトリ、又はウマ等の動物に本発明にかかるポリペプチドを投与することにより作成し得る。免疫化した動物から血清を回収し、抗体は、硫安沈殿、次に、クロマトグラフィー、例えば、アフィニティークロマトグラフィーにより血漿から精製する。ポリクローナル抗体の製造及びプロセシングのための技術は当技術分野において公知である。
【００８５】
「特異的に結合する」又は「〜に対して特異的である」とは、第１の抗原、例えば、本発明にかかるポリペプチドが、その他の非特異的分子よりも高い親和性で、本発明にかかる抗体を認識し、結合することを意味する。非特異的分子は、第１の抗原とは共通のエピトープを有しない抗原である。この場合、本発明にかかるポリペプチドは、通常、非特異的対照分子の望ましい選択肢とはなり得ないであろう。例えば、非特異的抗原に対してよりも効率的に結合する、第１の抗原（例えば、ペプチド）に対して産生させた抗体は、第１の抗原と特異的に結合すると記載し得る。好ましい実施形態において、１０7ｌ／ｍｏｌ又はそれ以上の結合親和性Ｋaで結合する場合に、抗体又はその抗原結合部分は、配列番号１〜１５７又はその断片等の本発明にかかるポリペプチドと特異的に結合する。特異的結合は、当技術分野において周知の方法を用いて、例えば、酵素結合免疫吸着測定法（ＥＬＩＳＡ）、ラジオイムノアッセイ（ＲＩＡ）、又はウェスタンブロット法を用いて調べ得る。
【００８６】
さらに、本発明にかかるポリペプチド上に存在するエピトープに対して向けられたモノクローナル抗体も、容易に作製し得る。例えば、本発明にかかるポリペプチドを用いて免疫化したマウス等の哺乳類からの正常Ｂ細胞を、例えば、ＨＡＴ感受性マウスミエローマ細胞と融合させることにより、ハイブリドーマを作製し得る。抗体を産生するハイブリドーマは、ＲＩＡ又はＥＬＩＳＡを用いて同定し得、又、半固体寒天中でのクローニング又は限界希釈法により単離し得る。ポリペプチド−特異的抗体を産生するクローンは、別のラウンドのスクリーニングによって単離される。モノクローナル抗体は、標準的技法を用いて、例えば、本発明にかかるポリペプチドをマイクロタイタープレートに結合させ、ＥＬＩＳＡアッセイによってモノクローナル抗体の結合を測定することにより、特異性に対してスクリーニングし得る。モノクローナル抗体の製造及びプロセシングのための技術は当技術分野において公知である。例えば、Ｋｏｈｌｅｒ＆Ｍｉｌｓｔｅｉｎ，Ｎａｔｕｒｅ，２５６：４９５（１９７５）を参照されたい。特定のアイソタイプのモノクローナル抗体は、初期融合体から選択することにより、直接的に調製するか、又は、クラススイッチ変異体を単離するための同胞選抜法を用いることにより、様々なアイソタイプのモノクローナル抗体を分泌する親ハイブリドーマから、二次的に調製し得る。Ｓｔｅｐｌｅｗｓｋｉら，Ｐ．Ｎ．Ａ．Ｓ．  Ｕ．Ｓ．Ａ．８２：８６５３  １９８５；Ｓｐｒｉａら，Ｊ．Ｉｍｍｕｎｏｌｏｇ．Ｍｅｔｈ．７４：３０７，１９８４を参照されたい。本発明にかかるモノクローナル抗体は、組み換えモノクローナル抗体であり得る。例えば、米国特許第４，４７４，８９３号；米国特許第４，８１６，５６７号を参照されたい。本発明にかかる抗体は、化学的に構築し得る。例えば、米国特許第４，６７６，９８０号を参照されたい。
【００８７】
本発明にかかる抗体は、キメラ抗体（例えば、米国特許第５，４８２，８５６号を参照されたい）、ヒト化抗体（例えば、Ｊｏｎｅｓ  ｅｔ  ａｌ．，Ｎａｔｕｒｅ  ３２１：５２２（１９８６）；Ｒｅｉｃｈｍａｎｎ  ｅｔ  ａｌ．，Ｎａｔｕｒｅ  ３３２：３２３（１９８８）；Ｐｒｅｓｔａ，Ｃｕｒｒ．Ｏｐ．Ｓｔｒｕｃｔ．Ｂｉｏｌ．２：５９３（１９９２）を参照されたい）、又はヒト抗体であり得る。ヒト抗体は、例えば、直接不死化法（ｄｉｒｅｃｔ  ｉｍｍｏｒｔｉｌｉｚａｔｉｏｎ）、ファージディスプレイ、トランスジェニックマウス、又は、トリメラ法（Ｔｒｉｍｅｒａ  ｍｅｔｈｏｄｏｌｏｇｙ）によって作製し得る、例えば、Ｒｅｉｓｅｎｅｒ  ｅｔ  ａｌ．，Ｔｒｅｎｄｓ  Ｂｉｏｔｅｃｈｎｏｌ．１６：２４２−２４６（１９９８）を参照されたい。
【００８８】
抗原（例えば、本発明にかかるポリペプチド）と特異的に結合する抗体は、癌を有することが疑われる動物、例えば、ヒトからのサンプル、例えば、血清、血液、尿、組織、又は唾液サンプル中の癌関連抗原を検出するために特に有用である。癌関連抗原のためのイムノアッセイは、１つの抗体又は複数の抗体を利用し得る。癌関連抗原に対するイムノアッセイは、例えば、本発明にかかるポリペプチドの１つのエピトープに対して向けられたモノクローナル抗体、本発明にかかる１つのポリペプチドのエピトープに対して向けられたモノクローナル抗体の組み合わせ、本発明にかかる異なるポリペプチドのエピトープに対して向けられたモノクローナル抗体、本発明にかかるポリペプチドからの同じ抗原に対して向けられたポリクローナル抗体、異なる抗原に対して向けられたポリクローナル抗体、又は、モノクローナル抗体及びポリクローナル抗体の組み合わせを使用し得る。イムノアッセイのプロトコールは、例えば、標識抗体を用いた、例えば、競合反応、直接反応、又はサンドイッチ型アッセイに基づき得る。本発明にかかる抗体は、例えば、蛍光、化学発光、放射活性、酵素、コロイド金属、放射性同位体及び生物発光標識を含む、当技術分野において公知の任意のタイプの標識を用いて標識し得る。
【００８９】
本発明にかかる抗体は、（ａ）本発明にかかるポリペプチド、例えば、配列番号１〜１５７、又は、その抗原結合断片との結合について、参照抗体と競合する；（ｂ）本発明にかかるポリペプチド、例えば、配列番号１〜１５７、又は、その抗原結合断片の、参照抗体と同じエピトープと結合する；（ｃ）参照抗体と実質的に同じＫdを有する、本発明にかかるポリペプチド、例えば、配列番号１〜１５７、又は、その抗原結合断片と結合する；及び／又は、（ｄ）参照抗体が、１０7ｌ／ｍｏｌ又はそれ以上の結合親和性Ｋaを有する本発明にかかるポリペプチド、例えば、配列番号１〜１５７又はその抗原結合断片と、特異的に結合する抗体又はその抗原結合断片である、参照抗体と実質的に同じオフ速度（ｏｆｆ  ｒａｔｅ）を有する、本発明にかかるポリペプチド、例えば、配列番号１〜１５７又はその抗原結合断片と結合する、抗体及びその抗原結合断片を含む。
【００９０】
本発明にかかる抗体又はその抗原結合断片は、支持体に結合させて、癌関連抗原の存在を検出するために使用し得る。支持体としては、例えば、ガラス、ポリスチレン、ポリプロピレン、ポリエチレン、デキストラン、ナイロン、アミラーゼ、天然及び修飾セルロース、ポリアクリルアミド、アガロース及びマグネタイト（ｍａｇｌｅｔｉｔｅ）が挙げられる。
【００９１】
本発明にかかる抗体はさらに、イムノアフィニティーカラムにより癌関連抗原を単離するために使用し得る。抗体は、抗体が免疫選択活性を保持するように、例えば、吸着又は共有結合により固体支持体に固定し得る。任意に、抗体の抗原結合部位が接近可能なままとなるように、スペーサーグループを含め得る。固定化された抗体は、例えば、唾液、血清、痰、血液、尿、糞便、脳脊髄液、羊水、傷からの浸出液、又は組織を含む生物サンプル等のサンプルから、癌関連抗原を結合するために使用し得る。結合した癌関連抗原は、例えばｐＨの変化によりカラムのマトリクスから回収される。
【００９２】
本発明にかかる抗体はまた、免疫局在性の研究において、多様な細胞現象又は生理的条件の間での本発明にかかるポリペプチドの存在および分布を分析するために、使用し得る。抗体は、受動免疫に関与する分子を同定するため、及び非タンパク質抗原の生合成に関与する分子を同定するためにも使用され得る。かかる分子の同定は、ワクチン開発において有用となり得る。例えば、モノクローナル抗体及び一本鎖抗体等の本発明にかかる抗体は、癌の回復の経過をモニターするために使用し得る。本発明にかかるステージＩＶポリヌクレオチド（すなわち、配列番号６５〜１０７をコードするポリヌクレオチド）は、本方法において特に有用であるが、ステージＩ（すなわち、配列番号１〜６４をコードするポリヌクレオチド）及びステージＩＩ（すなわち、配列番号１０８〜１５７をコードするポリヌクレオチド）は、本方法において使用し得る。動物からの試験サンプル中の癌関連抗原に対する抗体の増加又は減少を測定することにより、癌の回復を目的とした特定の治療計画が有効か否かを決定し得る。抗体は、例えば、ＲＩＡ、ＥＬＩＳＡ、又はウエスタンブロットアッセイ等の直接結合アッセイを用いて、検出及び／又は定量化し得る。
【００９３】
癌の検出方法
対象における癌、癌を発症する素因、又は癌を発症する感受性を検出する方法が、本発明において提供される。癌に対する素因とは、対象が、癌、例えば、結腸直腸癌に罹りやすいか、又は、正常な個体若しくは正常な個体群よりも癌を発症する可能性が高いことを意味する。対象は、ヒト、非ヒト霊長類、マウス、ラット、イヌ、ネコ、ヒツジ、ブタ、ウマ、又はウシ等の哺乳類であり得る。結腸直腸癌組織において特異的に発現されるポリペプチド（すなわち、癌組織においては発現されるが、健常組織においては、発現されないか、若しくは、低レベルで発現されるポリペプチド）が１０７個、同定された。これらのポリペプチドは、癌関連ポリペプチドであり、癌関連ポリヌクレオチドによってコードされている。ステージＩのポリペプチド及びポリヌクレオチドは、早期診断のために特に有用である。本発明にかかるポリペプチドをコードする１以上の癌関連ポリヌクレオチドの発現レベルは、対象からの生物学的サンプル中において測定することができ、この場合、ポリヌクレオチドの正常な対照発現レベルと比較して、癌関連ポリヌクレオチドの発現レベルの増大は、対象が癌を有するか、又は、癌の発症リスクがあることを示す。健常な細胞及び組織においては、本発明にかかるポリヌクレオチドが発現されないか、又は、低レベルで発現されることから、正常な対照発現レベルとの比較は必要とされない。
【００９４】
一般的に、広範な癌に対して、ＰＣＭＡＴを適用し得る。癌は、結腸癌(結腸直腸癌又は大腸癌とも知られ、又、本明細書中においても言及される)、腺癌、上皮性悪性腫瘍、非上皮性悪性腫瘍、リンパ腫、白血病、前立腺（ｐｒｏｓｔｒａｔｅ）癌、胃癌、肺癌、膀胱癌、メラノーマ、膵臓癌、乳癌、子宮内膜癌、卵巣癌、肛門癌、皮膚癌、骨肉腫、脳腫瘍、消化管癌、食道癌、胆管癌、眼癌、胆嚢癌、グリオーマ、頭頸部癌、肝臓癌、腎臓癌、喉頭癌、口唇部癌、中皮腫、小腸癌、精巣癌、甲状腺癌、尿道癌、子宮癌、膣癌、外陰癌、陰茎癌、又はその任意の組み合わせ若しくはサブセットであり得る。生物学的サンプルは、例えば、粘膜細胞、腫瘍細胞、癌細胞、生検サンプル、洗浄サンプル、痰サンプル、血清サンプル、胃液分泌サンプル、血漿サンプル、血液サンプル、糞便サンプル、リンパ節サンプル、骨髄サンプル、尿サンプル、組織サンプル、結腸直腸組織サンプル、胸水サンプル、細胞、細胞抽出物、体液、実質的に細胞を含まない体液（例えば、約１、５、又は１０％未満の細胞、涙、乳汁、精液、前立腺液、肺洗浄液、又は唾液であり得る。
【００９５】
癌関連タンパク質又はポリペプチドの発現レベルは、癌関連ポリヌクレオチドによってコードされるポリペプチドを検出することにより検出し得る。ポリペプチドの発現レベルは、ＥＬＩＳＡ、免疫組織化学的アッセイ、免疫細胞化学的アッセイ、及び抗体標識細胞のフローサイトメトリーアッセイ等のイムノアッセイを用いて検出し得る。ポリペプチドの発現レベルは、例えば、そのポリペプチドと特異的に結合する抗体を用いて検出し得る。癌関連タンパク質及びポリペプチドの発現レベルもまた、癌関連ポリヌクレオチドによってコードされるポリペプチドの生物学的活性を検出することにより測定し得る。ポリペプチドの生物学的活性の検出方法は当技術分野において周知である。
【００９６】
本発明にかかるポリヌクレオチド（すなわち、「癌関連ポリヌクレオチド」）の発現レベルは、癌関連ポリヌクレオチドのｍＲＮＡ発現レベルを検出することにより測定し得る。癌関連ポリヌクレオチドの発現レベルは、患者由来の生物学的サンプルのポリヌクレオチド転写物に対する癌関連ポリヌクレオチドプローブのハイブリダイゼーションを検出することにより測定し得る。ハイブリダイゼーションは、例えば、ポリヌクレオチドアレイを用いて検出し得る。例えば、本発明にかかる癌関連ポリヌクレオチドに対応するＲＮＡ配列を検出するためのプローブは、例えば、ノーザンブロットハイブリダイゼーションアッセイにおいて使用し得る。或いは、本発明にかかるポリヌクレオチドは、例えば、逆転写ポリメラーゼ連鎖反応（ＲＴ−ＰＣＲ）、ポリメラーゼ連鎖反応増幅（ＰＣＲ）、リガーゼ連鎖反応増幅（ＬＣＲ）、鎖置換増幅（ＳＤＡ）、及び核酸配列ベース増幅（ＮＡＳＢＡ）等の増幅反応に基づく検出法において、ポリヌクレオチドを特異的に増幅するプライマーを構築するために使用し得る。
【００９７】
試験サンプル中の本発明にかかる１以上の癌関連ポリヌクレオチドの発現レベルを、対照サンプル中の癌関連ポリヌクレオチドの発現レベルと比較し得る。対照サンプルは、例えば、癌性サンプル又は非癌性サンプル（例えば、健常な結腸直腸組織等の健常組織）であり得る。
【００９８】
対照サンプルが非癌性である場合、試験サンプル及び対照サンプル中の類似するタンパク質又はポリヌクレオチド発現レベルは、試験サンプルが非癌性であることを示す。試験サンプルは、複数の対照サンプルと比較し得る。したがって、試験サンプルは、例えば、癌細胞を含む第２の対照サンプル、及び、例えば、非癌性細胞を含む第２の対照と比較し得る。
【００９９】
本発明にかかるタンパク質、ポリペプチド及びポリヌクレオチドは、ある薬剤が特定の対象において適当な抗癌剤であるか否かを調べるために、特定の対象からの試験サンプル中において、治療的又は予防的抗癌剤、例えば、抗結腸直腸抗癌剤、として推定される薬剤を試験するために使用され得る。特定の対象のために適当な抗癌剤を同定するために、試験サンプル、例えば、対象から取得される癌細胞又は腫瘍サンプル、が、この抗癌剤に曝露される。本発明にかかる１以上のポリヌクレオチドの発現が調べられる。試験サンプルにおける癌関連ポリヌクレオチドの発現パターンを、測定し、１以上の対照プロファイル、例えば、結腸直腸癌参照発現プロファイル又は非結腸直腸癌参照発現プロファイル、と比較し得る。好ましくは、細胞集団を、生体外で、薬剤又は活性形態の抗癌剤と接触させる。
【０１００】
試験サンプル中の癌関連ポリペプチド又はポリヌクレオチドの発現を、次に、対照サンプル中の癌関連ポリペプチド又はポリヌクレオチドの発現と比較する。対照サンプルは、その癌の状態が知られている細胞であり得る。対照サンプルが非癌性である場合、試験サンプルと対照サンプルとの間で類似する遺伝子発現プロファイルは、抗癌剤が対象の癌を治療するために適当であることを示す。試験サンプル中のポリペプチド又はポリヌクレオチドの発現と、対照サンプル中のポリペプチド又はポリヌクレオチドの発現との間の発現の相違は、抗癌剤が対象の癌を治療するために適当でないことを示す。癌組織からの対照サンプルと比較して、試験サンプル中の１以上の癌関連ポリペプチド又はポリヌクレオチドの発現の減少は、薬剤が治療的であることを示す。
【０１０１】
本発明にかかるポリペプチド又はポリヌクレオチドはまた、癌、例えば、結腸直腸癌、を治療するための候補治療薬を同定するために使用し得る。候補治療薬は、癌状態、例えば、結腸直腸癌状態に特徴的な癌関連ポリペプチド又はポリヌクレオチドの発現プロファイルを、非癌状態が示すパターンへと、候補治療薬が変化させ得るか否かを調べるためにスクリーニングされる。
【０１０２】
癌性サンプルは、試験薬に又は（連続的若しくは同時に）試験薬の組み合わせに曝露し、サンプル中の１以上の癌関連ポリペプチド又はポリヌクレオチドの発現を測定する。試験サンプル中の癌関連ポリペプチド又はポリヌクレオチドの発現を、試験薬に曝露していない対照サンプル中の癌関連ポリペプチド又はポリヌクレオチドの発現レベルと比較する。治療的試験薬は、癌細胞においてアップレギュレートされている癌関連ポリペプチド又はポリヌクレオチドの発現を低下させ得る。
【０１０３】
対照サンプルは、癌細胞、例えば、癌性の結腸直腸癌細胞であり得る。試験薬の非存在下における対照サンプルの発現プロファイルから、試験薬の存在下における癌関連ポリペプチド又はポリヌクレオチドの発現への低下は、試験薬が、癌、例えば、結腸直腸癌を治療するための候補治療薬であることを示す。
【０１０４】
また、試験サンプル中の本発明にかかる１以上のポリペプチド又はポリヌクレオチドの発現を、疾患ステージの範囲全体に亘って患者から得られる対照サンプル中のポリペプチド又はポリヌクレオチドの発現と比較することにより、癌、例えば、結腸直腸癌を有する対象の予後を評価する方法も提供される。試験サンプルと対照サンプル中の本発明にかかる１以上のポリペプチド又はポリヌクレオチドの発現を比較することにより、又は、対象に由来する試験サンプル中において、時間をかけて、ポリペプチド又はポリヌクレオチドの発現パターンを比較することにより、対象の予後を評価し得る。１以上のステージＩＶのポリペプチド又はポリヌクレオチド（すなわち、配列番号６５〜１０７をコードするポリペプチド又はポリヌクレオチド）の発現は、予後が悪いことを示し得る。１以上のステージＩＶのポリヌクレオチドの発現ではなくて、１以上のステージＩのポリペプチド又はポリヌクレオチド（すなわち、配列番号１〜６４をコードするポリペプチド又はポリヌクレオチド）の発現は、良好な予後を示し得る。
【０１０５】
対照サンプルは、健常サンプル、又は癌サンプル、例えば、結腸直腸癌サンプルであり得る。或いは、対照サンプルは、癌発現プロファイル、例えば、結腸直腸癌発現プロファイルである。対照サンプルが癌である場合、本発明にかかる１以上のポリペプチドの発現の増大は、予後が好ましくないことを示す。本発明にかかるポリペプチドの発現の低下は、対象の予後が好ましいことを示す。或いは、対照サンプルが健常サンプルである場合、本発明にかかる１以上のポリペプチドの発現の増大は、対象の予後が好ましくないことを示すのに対して、低下又は同様の発現は、より好ましい予後を示す。
【０１０６】
本発明はまた、本発明にかかる２以上のポリペプチド又はポリヌクレオチドのポリペプチド又はポリヌクレオチド発現パターンを含み、任意で、疾患経過全体に亘る、結腸直腸癌参照発現プロファイルを提供する。発現プロファイルは、結腸直腸癌又は疾患の発症の素因の診断のため、治療経過をモニタリングするため、及び疾患を有する対象の予後を評価するための対照として役立つ。
【０１０７】
本発明はまた、癌の高度又は低度の転移拡散の傾向を予測するための方法を提供する。癌サンプル中のポリペプチド又はポリヌクレオチド発現産物の存在及び／又はレベルは、検出及び／又は定量化することができ、腫瘍が転移する傾向に相関し得る。１以上のステージＩＶのポリペプチド又はポリヌクレオチド（すなわち、配列番号６５〜１０７をコードするポリペプチド又はポリヌクレオチド）の発現は、高度な癌の転移拡散を示し得る。１以上のステージＩＶのポリヌクレオチドの発現ではなくて、１以上のステージＩのポリヌクレオチド（すなわち、配列番号１〜６４をコードするポリペプチド又はポリヌクレオチド）の発現は、低度な癌の転移拡散を示し得る。
【０１０８】
本発明にかかるポリペプチド及びポリヌクレオチドはまた、癌、例えば、結腸直腸癌の治療経過をモニタリングするために使用し得る。癌、例えば、結腸直腸癌の治療を受けている対象から、試験サンプルが取得される。試験サンプルは、治療前、治療中、又は治療後の様々な時点で対象から取得し得る。試験サンプル中の本発明にかかる１以上のポリペプチド又はポリヌクレオチドの発現を測定し、既知の癌状態を示す細胞を含む対照サンプルと比較する。好ましくは、対照サンプルは、治療されていない。本発明にかかるステージＩＶのポリペプチド又はポリヌクレオチド（すなわち、配列番号６５〜１０７のポリペプチド又は配列番号６５〜１０７をコードするポリヌクレオチド）は、本方法において特に有用であるが、ステージＩ（すなわち、配列番号１〜６４のポリペプチド又は配列番号１〜６４をコードするポリヌクレオチド）及びステージＩＩ（すなわち、配列番号１０８〜１５７のポリペプチド又は配列番号１０８〜１５７をコードするポリヌクレオチド）も本方法において使用し得る。
【０１０９】
対照サンプルが非癌性細胞を含む場合、試験サンプル中と対照サンプル中との間の本発明にかかるポリペプチド又はポリヌクレオチドの発現の類似性は、治療が有効であることを示す。しかしながら、対照サンプルと比較した場合に、試験サンプル中の本発明にかかるポリペプチド又はポリヌクレオチドの発現の低下は、治療が有効でないことを示す。
【０１１０】
有効とは、治療が、癌、例えば、結腸直腸癌、の大きさ、有病率、又は転移の可能性の低下をもたらすことを意味する。治療が予防的に適用される場合に、有効とは、治療が、癌、例えば、結腸直腸癌、の形成を抑制、遅延、又は防ぐことを意味する。有効性は、癌、例えば、結腸直腸癌、を診断又は治療するための任意の公知の方法を用いて測定し得る。
【０１１１】
対照サンプルが癌性である場合、例えば、対照サンプルが、治療開始前ではあるが、診断時における、対象から採取した癌細胞を含む場合、試験サンプルと対照サンプルとの間の発現パターンの類似性は、治療が有効でないことを示す。試験サンプル中及び対照サンプル中のポリペプチド又はポリヌクレオチドの発現の違い（すなわち、試験サンプル中における低下）は、治療が有効であることを示す。対照サンプルが非癌性細胞を含む場合、対照サンプルと比較して、試験サンプル中の本発明にかかる１以上のポリペプチド又はポリヌクレオチドの発現の低下は、治療が有効であることを示す。
【０１１２】
癌の治療方法
本発明は、例えば、（ａ）薬学的有効量の本発明にかかるポリペプチドを対象に投与する工程；（ｂ）本発明にかかるポリペプチドをコードする薬学的有効量のポリヌクレオチドを対象に投与する工程；又は、（ｃ）本発明にかかるポリペプチドと特異的に結合する薬学的有効量の抗体又はその抗原結合断片を投与する工程を含む、対象における癌、例えば、結腸直腸癌を治療するための又は対象における免疫反応を刺激するための方法を提供する。
【０１１３】
本発明は、例えば、本発明にかかるポリペプチドを抗原提示細胞と接触させる工程、又は、ポリペプチドをコードするポリヌクレオチド若しくはポリヌクレオチドを含むベクターを抗原提示細胞に導入し、次に、対象に抗原提示細胞を投与する工程を含む、対象における抗腫瘍免疫性を誘導するための方法も提供する。
【０１１４】
治療薬の投与は、疾患リスクを有する（又は、疾患に対して感受性を有する）対象、又は、異なって発現される本発明にかかるポリヌクレオチドが関連する疾患を有する対象に対して、予防的又は治療的であり得る。本発明にかかるポリヌクレオチドの１以上の発現産物の発現、機能、又はその両方は、対象を予防的又は治療的に処置するために低下され得る。対象に、本発明にかかるポリヌクレオチドの発現を抑制又は低下させるポリヌクレオチド、例えば、アンチセンス分子又はｓｉＲＮＡ分子を、投与することにより、発現は抑制又は低下され得る。
【０１１５】
本発明にかかるポリヌクレオチドに対応するアンチセンス分子及びｓｉＲＮＡは、癌、例えば、結腸直腸癌の治療のために有用である。アンチセンス分子及びｓｉＲＮＡ分子は、標的配列に対して全体的に相補性であるか、又は、アンチセンス分子及びｓｉＲＮＡ分子が、標的配列と特異的にハイブリダイズし得る範囲で、１以上のヌクレオチドのミスマッチを有し得る。例えば、アンチセンス分子又はｓｉＲＮＡ分子は、本発明にかかるポリヌクレオチド又はその相補鎖に対して、少なくとも１５連続ヌクレオチドの範囲に亘って、少なくとも８０％又はそれ以上、より好ましくは９０％又はそれ以上、さらにより好ましくは９５％又はそれ以上の相同性を有するポリヌクレオチドを含む。当技術分野において公知のアルゴリズムを、相同性を測定するために使用し得る。
【０１１６】
本発明にかかるアンチセンス分子、ｓｉＲＮＡ分子及びポリヌクレオチドは、標準的なベクター及び／又は遺伝子送達系によって対象に送達し得る。適当な遺伝子送達系としては、リポソーム、受容体介在型送達系、裸のＤＮＡ、及び、ウイルスベクター、例えば、特に、ヘルペスウイルス、レトロウイルス、アデノウイルス及びアデノ随伴ウイルス、が挙げられる。
【０１１７】
アンチセンス分子又はｓｉＲＮＡ分子は、本発明にかかるポリヌクレオチドの発現を抑制するので、本発明にかかるポリペプチドの生物学的活性を抑制するために有用である。したがって、本発明にかかるポリヌクレオチドを標的とするアンチセンス分子又はｓｉＲＮＡ分子を含む組成物は、癌、例えば、結腸直腸癌、を治療する場合に有用である。
【０１１８】
本発明の別の実施形態において、本発明にかかるポリヌクレオチドの１以上の発現産物の機能は、発現産物と結合する又は発現産物の機能を抑制する化合物を投与することにより、抑制し得る。化合物は、例えば、本発明にかかるポリヌクレオチドの発現産物と特異的に結合する抗体であり得る。
【０１１９】
利用し得る治療化合物としては、例えば、（ｉ）配列番号１〜１５７のポリペプチド又はその断片；（ｉｉ）配列番号１〜１５７と特異的に結合する抗体又はその特異的結合断片；（ｉｉｉ）配列番号１〜１５７をコードするポリヌクレオチド又はその断片；（ｉｖ）配列番号１〜１５７をコードするポリヌクレオチド（又はその相補鎖）又はその断片に特異的なアンチセンス分子；（ｖ）配列番号１〜１５７をコードするポリヌクレオチド（又はその相補鎖）又はその断片に特異的なｓｉＲＮＡ分子；及び、（ｖｉ）モジュレーター（すなわち、本発明にかかるポリペプチドとその結合パートナーとの間の相互作用を変化させる、阻害剤、アゴニスト及びアンタゴニスト）が挙げられる。
【０１２０】
予防的医薬組成物の投与は、疾患又は障害が防がれるように、或いは、その進行が遅延させられるように、疾患又は障害に特徴的な症候の発現よりも前に起こり得る。
【０１２１】
本発明は、本発明にかかるポリヌクレオチドによってコードされるポリペプチド、又はそのポリペプチドの免疫学的に活性な断片、又はそのポリペプチドをコードするポリヌクレオチド、又はその断片、を含む免疫学的組成物（すなわち、対象に抗体又はその他の免疫反応を誘発し得る組成物）を対象に投与する工程を含む、対象における癌、例えば、結腸直腸癌、の治療又は予防方法にも関する。ポリペプチドの投与は、対照において抗腫瘍免疫性を誘発し得る。一実施形態において、本発明にかかるポリペプチド又はその断片は、Ｔ細胞受容体（ＴＣＲ）と結合した形態で投与してもよく、又は、マクロファージ、樹状細胞（ＤＣ）又はＢ細胞等の抗原提示細胞（ＡＰＣ）によって提供してもよい。
【０１２２】
本発明において、癌、例えば、結腸直腸癌、に対する免疫学的組成物は、対象に接種した際に、抗腫瘍免疫性を誘発するように機能し得る。本発明にかかるポリペプチドは、癌、例えば、結腸直腸癌、に対する強力かつ特異的な免疫反応を誘発し得る。一般的に、抗腫瘍免疫性は、腫瘍に対する細胞傷害性リンパ球の誘導、腫瘍を認識する抗体の誘導、及び抗腫瘍サイトカイン産生の誘導を含む。
【０１２３】
抗腫瘍免疫性は、本発明にかかる免疫学的組成物を投与することにより誘導され、抗腫瘍免疫性の誘導は、癌、例えば、結腸直腸癌、の治療及び予防を可能にする。
【０１２４】
免疫学的活性を有する本発明にかかるポリペプチド又はそのポリペプチドをコードするベクターは、アジュバントと組み合わせてもよい。アジュバントは、免疫学的活性を有するポリペプチドと一緒に（又は連続的に）投与した場合に、ポリペプチドに対する免疫反応を増大し得る。免疫学的組成物は、全身的又は局所的に投与される。免疫学的組成物の投与は、単回投与によって行ってもよく、又は、複数回投与によって追加免疫してもよい。
【０１２５】
別の態様において、本発明は、本明細書中に記載される１以上の治療化合物を含む医薬的、すなわち治療的、組成物を含む。医薬製剤は、経口、経直腸、経鼻、局所（例えば、口腔内及び舌下）、経膣、又は非経口（例えば、筋肉内、腹腔内、腫瘍内、皮下及び静脈内）投与、又は吸入若しくはガス注入による投与に適したものを含み得る。製剤は、適切な場合に、個別の投与単位で便利に提供し得るし、製薬学の技術分野において周知の方法のいずれかによって調製し得る。かかる製薬学的方法の全てには、活性化合物を、液体担体、又は細かく分離された固体担体、又は必要な場合にはその両方と結合させる工程、次に、必要な場合に、生成物を所望の製剤へと成形する工程を含む。
【０１２６】
経口投与のための医薬製剤は、それぞれが予め決められた量の活性成分を含む、個別の単位、例えば、カプセル、カシェ剤、又は錠剤として；粉末又は顆粒として；溶液、懸濁液として、又は、乳濁液として便利に提供し得る。錠剤又はカプセルは、任意に、その中の活性成分が徐放又は放出制御されるように製剤化してもよい。活性成分はまた、ボーラス舐剤又はペーストとして提供してもよく、又、純粋な形態、すなわち、担体を含まない形態であってもよい。経口液体調製物は、例えば、水性又は油性懸濁液、溶液、乳濁液、シロップ又はエリキシルの形態であってもよく、又は、使用前に水若しくはその他の適当なビヒクルと構成させるための乾燥製品として提供してもよい。かかる液体調製物は、懸濁化剤、乳化剤、非水性ビヒクル（食用油も含み得る）、又は保存剤等の従来の添加剤を含んでもよい。
【０１２７】
非経口投与のための製剤としては、抗酸化剤、バッファー、静菌剤、及び、製剤を意図される受容者の血液と等張にする溶質を含んでもよい、水性及び非水性の無菌注射溶液が挙げられる。製剤は、単位用量又は複数回用量用容器、例えば、密封されたアンプル及びバイアル中に入れて提供してもよいし、使用直前に、無菌液体担体、例えば、生理食塩水、注射用水、の添加のみを必要とするフリーズドライされた（凍結乾燥された）状態で保存してもよい。或いは、製剤は、持続注入のために提供してもよい。即時注射溶液及び懸濁液は、従前に記載された種類の無菌粉末、顆粒及び錠剤から調製してもよい。
【０１２８】
経直腸投与のための製剤は、カカオバター又はポリエチレングリコール等の通常の担体を用いた坐剤として提供してもよい。口中の局所投与、例えば、口腔内投与又は舌下投与のための製剤としては、ショ糖等の風味基剤及びアカシア又はトラガカント中に活性成分を含むロゼンジ剤、並びに、ゼラチン及びグリセリン又はショ糖及びアカシア等の基剤中に活性成分を含むトローチ剤が挙げられる。経鼻投与のために、本発明にかかる化合物は、液状スプレー又は分散性パウダーとして、又はドロップの形態で使用し得る。ドロップは、１以上の分散剤、可溶化剤又は懸濁化剤をも含む水性又は非水性の基剤と一緒に製剤化し得る。液状スプレーは、加圧パックから便利に送達される。
【０１２９】
吸入投与のために、化合物は、ガス注入器（ｉｎｓｕｆｆｌａｔｏｒ）、ネブライザー、加圧パック、又はエアロゾルスプレーを送達するためのその他の便利な手段から、便利に送達される。加圧パックは、ジクロロジフルオロメタン、トリクロロフルオロメタン、ジクロロテトラフルオロエタン、二酸化炭素又はその他の適当なガス等の適当な噴射剤を含んでもよい。加圧エアロゾルの場合、用量単位は、定量を送達するためのバルブを装備することにより決定してもよい。
【０１３０】
或いは、吸入又はガス注入による投与のために、化合物は、ドライパウダー組成物、例えば、化合物と、乳糖又はデンプン等の適当な粉体基剤との粉体混合物、の形態をとってもよい。粉体組成物は、単位投与形態として、例えば、吸入器又はガス注入器を用いて、粉体をそこから投与し得るカプセル、カートリッジ、ゼラチン又はブリスターパックとして提供してもよい。
【０１３１】
所望の場合には、活性成分の持続的放出を可能にするために適合させた上記製剤を、使用してもよい。医薬組成物はまた、抗菌剤、免疫抑制剤又は保存剤等のその他の活性成分を含んでもよい。
【０１３２】
上記条件のそれぞれに対して、組成物は、１日あたり、約０．１〜約２５０ｍｇ／ｋｇの用量で、経口的に、又は注射によって投与してもよい。成人ヒトのための用量範囲は、通常、約５ｍｇ〜約１７．５ｇ／日、好ましくは、約５ｍｇ〜約１０ｇ／日、及び、最も好ましくは、約１００ｍｇ〜約３ｇ／日である。錠剤又は個別の単位で提供されるその他の単位投与形態は、かかる用量で又はその複数回の用量で有効である量、例えば、約５ｍｇ〜約５００ｍｇ、通常は、約１００ｍｇ〜約５００ｍｇを含む単位、を便利に含み得る。使用される用量は、対象の年齢及び性別、治療される正確な疾患、及びその重篤度を含む、多くの要素に依存し得る。
【０１３３】
抗癌化合物のスクリーニング方法
本発明は、抗癌化合物、例えば、抗結腸直腸癌化合物、のためのスクリーニング方法を提供する。例えば、抗癌化合物は、試験化合物の存在下、第１の生物学的サンプル（例えば、癌サンプル）中におけるポリペプチド又はポリヌクレオチド発現産物のレベルを、試験化合物の非存在下、第２の生物学的サンプル（例えば、癌サンプル）中におけるポリペプチド又はポリヌクレオチド発現産物のレベルを比較することにより、同定し得る；この場合、ポリペプチド又はポリヌクレオチド発現産物は、例えば、配列番号１〜１５７からなる群より選択されるポリペプチド、又はこのポリペプチドをコードするｍＲＮＡを含む。第２の生物学的サンプルと比較した場合に、第１の生物学的サンプル中のポリペプチド又はポリヌクレオチド発現産物のレベルを低下させる試験化合物が、抗癌剤として同定される。本発明の一実施形態において、試験化合物は、第２の生物学的サンプル中の発現産物のレベルと比較した場合に、第１の生物学的サンプル中において、ポリペプチド又はポリヌクレオチド発現産物のレベルを、少なくとも約１０％、２０％、３０％、４０％、５０％、６０％、７０％、８０％、９０％（又は、約１０％と約９０％の間の任意の値若しくは範囲）低下させる。
【０１３４】
本発明の一実施形態において、抗癌化合物、例えば、抗結腸直腸癌化合物、のためのスクリーニングは、試験化合物の存在下、第１の生物学的サンプル中の本発明にかかるポリペプチドの生物学的活性のレベルを、試験化合物の非存在下、第２の生物学的サンプル中の生物学的活性のレベルと比較する工程を含み得；この場合、第２の生物学的サンプル中と比較した場合に、第１の生物学的サンプル中の生物学的活性のレベルを低下させる化合物が、抗癌剤として同定される。
【０１３５】
本発明の一実施形態において、抗癌化合物、例えば、抗結腸直腸癌化合物、のためのスクリーニングは、ａ）試験化合物を、本発明にかかるポリペプチドと接触させる工程；ｂ）ポリペプチドと試験化合物との間の結合活性を検出する工程；及び、ｃ）ポリペプチドと結合する化合物を選択する工程、を含み得る。
【０１３６】
本発明の一実施形態において、抗癌化合物、例えば、抗結腸直腸癌化合物、のためのスクリーニングは、ａ）候補化合物を、１以上の本発明にかかるポリペプチドを発現する試験細胞と接触させる工程；及び、ｂ）１以上の本発明にかかるポリペプチドの発現レベルを低下させる化合物を選択する工程、を含み得る。試験細胞は、結腸直腸癌細胞を含み得る。
【０１３７】
本発明の一実施形態において、抗癌化合物、例えば、抗結腸直腸癌化合物、のためのスクリーニングは、ａ）候補化合物を、転写調節領域の制御下で発現される１以上のマーカー遺伝子及びレポーター遺伝子の転写調節領域を含み、この場合、これら１以上のマーカー遺伝子が、配列番号１〜１５７をコードするポリヌクレオチドからなる群より選択されるベクターを導入された細胞と接触させる工程；）レポーター遺伝子の活性を測定する工程；及び、ｃ）対照と比較した場合に、レポーター遺伝子の発現レベルを低下させる化合物を選択する工程、を含み得る。
【０１３８】
本発明は、例えば、診断法において使用するためのキットを提供する。キットの成分は、例えば、化合物、試薬、容器及び／又は装置を含み得る。例えば、キット中の１つの容器は、本発明にかかるポリペプチドと特異的に結合するモノクローナル抗体又はその抗原結合断片を含んでもよい。抗体又は抗原結合断片は、例えば、支持材に結合させ得る。１以上のさらなる容器は、アッセイにおいて使用するための試薬又はバッファー等の要素を含み得る。キットは、或いは、特異的な抗体の結合の直接的又は間接的検出に適したレポーター基を含む検出試薬をも含み得る。
【０１３９】
或いは、キットは、例えば、生物学的サンプル中における本発明にかかるポリペプチドをコードするｍＲＮＡのレベルを検出するために使用し得る。かかるキットは、本発明にかかるポリペプチドをコードするポリヌクレオチド（又はその相補鎖）とハイブリダイズする、少なくとも１つ、２つ、又はそれ以上のポリヌクレオチドプローブ又はプライマーを含み得る。かかるポリヌクレオチドは、例えば、増幅アッセイ（例えば、ＲＴ−ＰＣＲ）又はハイブリダイゼーションアッセイ内で使用し得る。かかるキット中に存在し得るさらなる構成要素は、第２のポリヌクレオチド、及び／又は、本発明にかかるポリペプチドをコードするポリヌクレオチドの検出を容易にするための診断試薬若しくは容器を含む。
【０１４０】
本明細書中において例示的に記載される発明は、本明細書中に具体的に開示されない任意の要素又は限定の存在しない条件下で、適当に実施され得る。すなわち、例えば、本明細書中における各場合において、用語「含んでなる」、「から本質的に成る」、及び「から成る」のいずれも、これらの用語の通常の意味を変えることなく他の２つの用語のいずれかと交換してもよい。使用される用語及び表現は、限定の言葉としてではなく、記述の言葉として使用され、かかる用語及び表現を使用する場合、示され及び記載される特徴の任意の同等物又はその部分を除外することは全く意図されず、様々な変更が、請求される本発明の範囲において可能であることが認識される。したがって、本発明は、好ましい実施形態によって具体的に開示されているが、任意的な特徴、本明細書中で開示される概念の修飾及び変更を、当業者が用い得ること、及び、かかる修飾及び変更が、明細書及び添付される特許請求の範囲に規定される本発明の範囲内であると考えられること、を理解すべきである。
【０１４１】
さらに、本発明の特徴又は態様が、マーカッシュグループ又はその他のグループ化方法で選択肢が記載されている場合、当業者であれば、それによって、本発明が、マーカッシュグループ又はその他のグループの任意の個別のメンバー又はサブグループによっても記載されていることが認識されるであろう。
【０１４２】
本開示において引用されている全ての参考文献は、参照により、それら全体として本明細書中に組み込まれる。さらにまた、本明細書中において列記された、ＧｅｎＢａｎｋ、ＥＮＳＥＭＢＬ、ＵＮＩＰＡＲＣ、及びＵｎｉＰｒｏｔ登録番号（及び、それに関連するデータ）の（本願の出願時における）内容は、参照により、それら全体として本明細書中に組み込まれる。
【０１４３】
タイチン（ＴＴＮ横紋筋肉腫抗原ＭＵ−ＲＭＳ４０としても知られる）（例えば、ＧｅｎＢａｎｋ登録番号Ｑ８ＷＺ４２−２（配列番号１）
1    mttqaptftq plqsvvvleg statfeahis gfpvpevswf rdgqvistst lpgvqisfsd
61   grakltipav tkansgrysl katngsgqat staellvkae tappnfvqrl qsmtvrqgsq
121  vrlqvrvtgi ptpvvkfyrd gaeiqssldf qisqegdlys lliaeayped sgtysvnatn
181  svgratstae llvqgeeevp akktktivst aqisesrqtr iekkieahfd arsiatvemv
241  idgaagqqlp hktphrippk pksrsptpps iaakaqlarq qspspirhsp spvrhvrapt
301  pspvrsvspa aristspirs vrspllmrkt qastvatgpe vpppwkqegy vassseaemr
361  ettlttstqi rteerwegry gvqeqvtisg aagaaasvsa sasyaaeava tgakevkqda
421  dksaavatvv aavdmarvre pvisaveqta qrttttavhi qpaqeqvrke aektavtkvv
481  vaadkakeqe lksrtkevit tkqeqmhvth eqirketekt fvpkvvisaa kakeqetris
541  eeitkkqkqv tqeairqete itaasmvvva takstkletv pgaqeetttq qdqmhlsyek
601  imketrktvv pkvivatpkv keqdlvsrgr egittkreqv qitqekmrke aektalstia
661  vatakakeqe tilrtretma trqeqiqvth gkvdvgkkae avatvvaavd qarvreprep
721  ghleesyaqq ttleygyker isaakvaepp qrpasephvv pkavkprviq apsethiktt
781  dqkgmhissq ikkttdltte rlvhvdkrpr tasphftvsk isvpktehgy easiagsaia
841  tlqkelsats saqkitksvk aptvkpsetr vraeptplpq fpfadtpdty kseagvevkk
901  evgvsitgtt vreerfevlh greakvteta rvpapveipv tpptlvsglk nvtviegesv
961  tlechisgyp sptvtwyred yqiessidfq itfqsgiarl mireafaeds grftcsavne
1021 agtvstscyl avqvseefek ettavtekft teekrfvesr dvvmtdtslt eeqagpgepa
1081 apyfitkpvv qklveggsvv fgcqvggnpk phvywkksgv plttgyrykv synkqtgeck
1141 lvismtfadd ageytivvrn khgetsasas lleeadyell mksqqemlyq tqvtafvqep
1201 kvgetapgfv yseyekeyek eqalirkkma kdtvvvrtyv edqefhissf eerlikeiey
1261 riikttleel leedgeekma vdiseseave sgfdlrikny rilegmgvtf hckmsgyplp
1321 kiawykdgkr ikhgeryqmd flqdgraslr ipvvlpedeg iytafasnik gnaicsgkly
1381 vepaaplgap tyiptlepvs rirslsprsv srspirmspa rmsparmspa rmsparmspg
1441 rrleetdesq lerlykpvfv lkpvsfkcle gqtarfdlkv vgrpmpetfw fhdgqqivnd
1501 ythkvviked gtqsliivpa tpsdsgewtv vaqnragrss isviltveav ehqvkpmfve
1561 klknvnikeg sqlemkvrat gnpnpdivwl knsdiivphk ypkiriegtk geaalkidst
1621 vsqdsawyta tainkagrdt trckvnveve faepeperkl iiprgtyrak eiaapelepl
1681 hlrygqeqwe egdlydkekq qkpffkkklt slrlkrfgpa hfecrltpig dptmvvewlh
1741 dgkpleaanr lrminefgyc sldygvaysr dsgiitcrat nkygtdhtsa tlivkdeksl
1801 veesqlpegr kglqrieele rmahegaltg vttdqkekqk pdivlypepv rvlegetarf
1861 rcrvtgypqp kvnwylngql irkskrfrvr ydgihyldiv dcksydtgev kvtaenpegv
1921 iehkvkleiq qredfrsvlr rapeprpefh vhepgklqfe vqkvdrpvdt tetkevvklk
1981 raerithekv peeseelrsk fkrrteegyy eaitavelks rkkdesyeel lrktkdellh
2041 wtkelteeek kalaeegkit iptfkpdkie lspsmeapki feriqsqtvg qgsdahfrvr
2101 vvgkpdpece wykngvkier sdriywywpe dnvcelvird vtaedsasim vkainiaget
2161 sshafllvqa kqlitftqel qdvvakekdt matfecetse pfvkvkwykd gmevhegdky
2221 rmhsdrkvhf lsiltidtsd aedyscvlve denvkttakl ivegavvefv kelqdievpe
2281 sysgeleciv speniegkwy hndvelksng kytitsrrgr qnltvkdvtk edqgeysfvi
2341 dgkkttcklk mkprpiailq glsdqkvceg divqlevkvs lesvegvwmk dgqevqpsdr
2401 vhividkqsh mlliedmtke dagnysftip alglstsgrv svysvdvitp lkdvnviegt
2461 kavleckvsv pdvtsvkwyl ndeqikpddr vqaivkgtkq rlvinrthas degpyklivg
2521 rvetncnlsv ekikiirglr dltctetqnv vfevelshsg idvlwnfkdk eikpsskyki
2581 eahgkiyklt vlnmmkddeg kytfyageni tsgkltvagg aiskpltdqt vaesqeavfe
2641 cevanpdskg ewlrdgkhlp ltnnirsesd ghkrrliiaa tklddigeyt ykvatsktsa
2701 klkveavkik ktlknltvte tqdavftvel thpnvkgvqw ikngvvlesn ekyaisvkgt
2761 iyslriknca ivdesvygfr lgrlgasarl hvetvkiikk pkdvtalena tvafevsvsh
2821 dtvpvkwfhk nveikpsdkh rlvserkvhk lmlqnispsd ageytavvgq leckaklfve
2881 tlhitktmkn ievpetktas fecevshfnv psmwlkngve iemsekfkiv vqgklhqlii
2941 mntstedsae ytfvcgndqv satltvtpim itsmlkdina eekdtitfev tvnyegisyk
3001 wlkngveiks tdkcqmrtkk lthslnirnv hfgdaadytf vagkatstat lyvearhief
3061 rkhikdikvl ekkramfece vsepditvqw mkddqelqit drikiqkeky vhrllipstr
3121 msdagkytvv aggnvstakl fvegrdvrir sikkevqvie kqravvefev neddvdahwy
3181 kdgieinfqv qerhkyvver rihrmfiset rqsdageytf vagrnrssvt lyvnapeppq
3241 vlqelqpvtv qsgkparfca visgrpqpki swykeeqlls tgfkckflhd gqeytlllie
3301 afpedaavyt ceakndygva ttsaslsvev pevvspdqem pvyppaiitp lqdtvtsegq
3361 parfqcrvsg tdlkvswysk dkkikpsrff rmtqfedtyq leiaeayped egtytfvasn
3421 avgqvsstan lsleapesil herieqeiem emkefsssfl saeeeglhsa elqlskinet
3481 lellsespvy stkfdsekeg tgpifikevs nadismgdva tlsvtvigip kpkiqwffng
3541 vlltpsadyk fvfdgddhsl iilftklede geytcmasnd ygkticsayl kinskgeghk
3601 dtetesavak sleklggpcp phflkelkpi rcaqglpaif eytvvgepap tvtwfkenkq
3661 lctsvyytii hnpngsgtfi vndpqredsg lyickaenml gestcaaell vlledtdmtd
3721 tpckakstpe apedfpqtpl kgpavealds eqeiatfvkd tilkaalite enqqlsyehi
3781 akanelssql plgaqelqsi leqdkltpes treflcings ihfqplkeps pnlqlqivqs
3841 qktfskegil mpeepetqav lsdtekifps amsieqinsl tveplktlla epegnypqss
3901 ieppmhsylt svaeevlspk ektvsdtnre qrvtlqkqea qsalilsqsl aeghveslqs
3961 pdvmisqvny eplvpsehsc teggkilies anplenagqd savrieegks lrfplaleek
4021 qvllkeehsd nvvmppdqii eskrepvaik kvqevqgrdl lskesllsgi peeqrlnlki
4081 qicralqaav aseqpglfse wlrniekvev eavnitqepr himcmylvts aksvteevti
4141 iiedvdpqma nlkmelrdal caiiyeeidi ltaegpriqq gaktslqeem dsfsgsqkve
4201 pitepevesk ylisteevsy fnvqsrvkyl datpvtkgva savvsdekqd eslkpseeke
4261 esssesgtee vatvkiqeae gglikedgpm ihtplvdtvs eegdivhltt sitnakevnw
4321 yfenklvpsd ekfkclqdqn tytlvidkvn tedhqgeyvc ealndsgkta tsakltvvkr
4381 aapvikrkie plevalghla kftceiqsap nvrfqwfkag reiyesdkcs irsskyissl
4441 eilrtqvvdc geytckasne ygsvsctatl tvteaypptf lsrpkslttf vgkaakfict
4501 vtgtpvieti wqkdgaalsp spnwkisdae nkhilelsnl tiqdrgvysc kasnkfgadi
4561 cqaeliiidk phfikelepv qsainkkvhl ecqvdedrkv tvtwskdgqk lppgkdykic
4621 fedkiatlei plaklkdsgt yvctasneag ssscsatvtv reppsfvkkv dpsylmlpge
4681 sarlhcklkg spviqvtwfk nnkelsesnt vrmyfvnsea ilditdvkve dsgsysceav
4741 ndvgsdscst eivikeppsf iktlepadiv rgtnallqce vsgtgpfeis wfkdkkqirs
4801 skkyrlfsqk slvcleifsf nsadvgeyec vvanevgkcg cmathllkep ptfvkkvddl
4861 ialggqtvtl qaavrgsepi svtwmkgqev iredgkikms fsngvavlii pdvqisfggk
4921 ytclaeneag sqtsvgeliv kepakiiera eliqvtagdp atleytvagt pelkpkwykd
4981 grplvaskky risfknnvaq lkfysaelhd sgqytfeisn evgssscett ftvldrdiap
5041 fftkplrnvd svvngtcrld ckiagslpmr vswfkdgkei aasdryriaf vegtasleii
5101 rvdmndagnf tcratnsvgs kdssgalivq eppsfvtkpg skdvlpgsav clkstfqgst
5161 pltirwfkgn kelvsggscy itkealessl elylvktsds gtytckvsnv aggvecsanl
5221 fvkepatfve klepsqllkk gdatqlackv tgtppikitw fandreikes skhrmsfves
5281 tavlrltdvg iedsgeymce aqneagsdhc ssivivkesp yftkefkpie vlkeydvmll
5341 aevagtppfe itwfkdntil rsgrkyktfi qdhlvslqil kfvaadagey qcrvtnevgs
5401 sicsarvtlr eppsfikkie stsslrggta afqatlkgsl pitvtwlkds deiteddnir
5461 mtfennvasl ylsgievkhd gkyvcqaknd agiqrcsall svkepatite eavsidvtqg
5521 dpatlqvkfs gtkeitakwf kdgqeltlgs kykisvtdtv silkiistek kdsgeytfev
5581 qndvgrssck arinvldlii ppsftkklkk mdsikgsfid lecivagshp isiqwfkddq
5641 eisasekykf sfhdntafle isqlegtdsg tytcsatnka ghnqcsghlt vkeppyfvek
5701 pqsqdvnpnt rvqlkalvgg tapmtikwfk dnkelhsgaa rsvwkddtst slelfaakat
5761 dsgtyicqls ndvgtatska tlfvkeppqf ikkpspvlvl rngqsttfec qitgtpkirv
5821 swyldgneit aiqkhgisfi dglatfqisg arvensgtyv cearndagta scsielkvke
5881 pptfirelkp vevvkysdve lecevtgtpp fevtwlknnr eirsskkytl tdrvsvfnlh
5941 itkcdpsdtg eyqcivsneg gscscstrva lkeppsfikk ientttvlks satfqstvag
6001 sppisitwlk ddqildeddn vyisfvdsva tlqirsvdng hsgrytcqak nesgvercya
6061 fllvqepaqi vekaksvdvt ekdpmtlecv vagtpelkvk wlkdgkqivp sryfsmsfen
6121 nvasfriqsv mkqdsgqytf kvendfgsss cdaylrvldq nippsftkkl tkmdkvlgss
6181 ihmeckvsgs lpisaqwfkd gkeistsaky rlvchersvs levnnleled tanytckvsn
6241 vagddacsgi ltvkeppsfl vkpgrqqaip dstvefkail kgtppfkikw fkddvelvsg
6301 pkcfiglegs tsflnlysvd asktgqytch vtndvgsdsc ttmllvtepp kfvkkleask
6361 ivkagdssrl eckiagspei rvvwfrnehe lpasdkyrmt fidsvaviqm nnlstedsgd
6421 ficeaqnpag stscstkviv keppvfssfp pivetlknae vslecelsgt ppfevvwykd
6481 krqlrsskky kiasknfhts ihilnvdtsd igeyhckaqn evgsdtcvct vklkepprfv
6541 sklnsltvva gepaelqasi egaqpifvqw lkekeevire seniritfve nvatlqfaka
6601 epanagkyic qikndggmee nmatlmvlep avivekagpm tvtvgetctl eckvagtpel
6661 svewykdgkl ltssqkhkfs fynkisslri lsverqdagt ytfqvqnnvg kssctavvdv
6721 sdravppsft rrlkntggvl gascileckv agsspisvaw fhektkivsg akyqttfsdn
6781 vctlqlnsld ssdmgnytcv aanvagsdec ravltvqepp sfvkepeple vlpgknvtft
6841 svirgtppfk vnwfrgarel vkgdrcniyf edtvaelelf nidisqsgey tcvvsnnagq
6901 ascttrlfvk epaaflkrls dhsvepgksi ilestytgtl pisvtwkkdg fnittsekcn
6961 ivttektcil eilnstkrda gqysceiene agrdvcgalv stleppyfvt elepleaavg
7021 dsvslqcqva gtpeitvswy kgdtklrptp eyrtyftnnv atlvfnkvni ndsgeytcka
7081 ensigtassk tvfriqerql ppsfarqlkd ieqtvglpvt ltcrlngsap iqvcwyrdgv
7141 llrddenlqt sfvdnvatlk ilqtdlshsg qyscsasnpl gtasssarlt arepkkspff
7201 dikpvsidvi agesadfech vtgaqpmrit wskdnkeirp ggnytitcvg ntphlrilkv
7261 gkgdsgqytc qatndvgkdm csaqlsvkep pkfvkkleas kvakqgesiq leckisgspe
7321 ikvswfrnds elheswkynm sfinsvallt ineasaedsg dyiceahngv gdascstalt
7381 vkappvftqk pspvgalkgs dvilqceisg tppfevvwvk drkqvrnskk fkitskhfdt
7441 slhilnleas dvgeyhckat nevgsdtcsc svkfkepprf vkklsdtstl igdavelrai
7501 vegfqpisvv wlkdrgevir esentrisfi dniatlqlgs peasnsgkyi cqikndagmr
7561 ecsavltvle pariiekpep mtvttgnpfa lecvvtgtpe lsakwfkdgr elsadskhhi
7621 tfinkvaslk ipcaemsdkg lysfevknsv gksnctvsvh vsdrivppsf irklkdvnai
7681 lgasvvlecr vsgsapisvg wfqdgneivs gpkcqssfse nvctlnlsll epsdtgiytc
7741 vaanvagsde csavltvqep psfeqtpdsv evlpgmsltf tsvirgtppf kvkwfkgsre
7801 lvpgescnis ledfvtelel fevqplesgd ysclvtndag sasctthlfv kepatfvkrl
7861 adfsvetgsp ivleatytgt ppisvswikd eylisqserc sitmteksti leilestied
7921 yaqysclien eagqdiceal vsvleppyfi eplehveavi gepatlqckv dgtpeirisw
7981 ykehtklrsa paykmqfknn vaslvinkvd hsdvgeysck adnsvgavas savlvikerk
8041 lppffarklk dvhetlgfpv afecringse plqvswykdg vllkddanlq tsfvhnvatl
8101 qilqtdqshi gqyncsasnp lgtasssakl ilsehevppf fdlkpvsvdl algesgtfkc
8161 hvtgtapiki twakdnreir pggnykmtlv entatltvlk vgkgdagqyt cyasniagkd
8221 scsahlgvqe pprfikklep srivkqdeft ryeckiggsp eikvlwykde teiqesskfr
8281 msfvdsvavl emhnlsveds gdytceahna agsassstsl kvkeppifrk kphpietlkg
8341 advhlecelq gtppfhvswy kdkrelrsgk kykimsenfl tsihilnvda adigeyqcka
8401 tndvgsdtcv gsialkappr fvkklsdist vvgkevqlqt tiegaepisv vwfkdkgeiv
8461 resdniwisy seniatlqfs rvepanagky tcqikndagm qecfatlsvl epativekpe
8521 sikvttgdtc tlectvagtp elstkwfkdg keltsdnkyk isffnkvsgl kiinvapsds
8581 gvysfevqnp vgkdsctasl qvsdrtvpps ftrklketng lsgssvvmec kvygsppisv
8641 swfhegneis sgrkyqttlt dntcaltvnm leesdsgdyt ciatnmagsd ecsapltvre
8701 ppsfvqkpdp mdvltgtnvt ftsivkgtpp fsvswfkgss elvpgdrcnv sledsvaele
8761 lfdvdtsqsg eytcivsnea gkasctthly ikapakfvkr lndysiekgk plilegtftg
8821 tppisvtwkk nginvtpsqr cnittteksa ileipsstve dagqyncyie nasgkdscsa
8881 qilileppyf vkqlepvkvs vgdsaslqcq lagtpeigvs wykgdtklrp tttykmhfrn
8941 nvatlvfnqv dindsgeyic kaensvgevs astfltvqeq klppsfsrql rdvqetvglp
9001 vvfdcaisgs episvswykd gkplkdspnv qtsfldntat lnifktdrsl agqysctatn
9061 pigsasssar liltegknpp ffdirlapvd avvgesadfe chvtgtqpik vswakdsrei
9121 rsggkyqisy lensahltvl kvdkgdsgqy tcyavnevgk dsctaqlnik erlippsftk
9181 rlsetveete gnsfklegrv agsqpitvaw yknnieiqpt snceitfknn tlvlqvrkag
9241 mndaglytck vsndagsalc tssivikepk kppvfdqhlt pvtvsegeyv qlschvqgse
9301 piriqwlkag reikpsdrcs fsfasgtavl elrdvakads gdyvckasnv agsdttkskv
9361 tikdkpavap atkkaavdgr lffvsepqsi rvvekttatf iakvggdpip nvkwtkgkwr
9421 qlnqggrvfi hqkgdeakle irdttktdsg lyrcvafneh geiesnvnlq vderkkqeki
9481 egdlramlkk tpilkkgage eeeidimell knvdpkeyek yarmygitdf rgllqafell
9541 kqsqeeethr leieeierse rdekefeelv sfiqqrlsqt epvtlikdie nqtvlkdnda
9601 vfeidikiny peiklswykg teklepsdkf eisidgdrht lrvkncqlkd qgnyrlvcgp
9661 hiasakltvi epawerhlqd vtlkegqtct mtcqfsvpnv ksewfrngri lkpqgrhkte
9721 vehkvhklti advraedqgq ytckyedlet saelrieaep iqftkriqni vvsehqsatf
9781 ecevsfddai vtwykgptel tesqkynfrn dgrchymtih nvtpddegvy sviarleprg
9841 earstaelyl ttkeiklelk ppdipdsrvp iptmpiravp peeippvvap piplllptpe
9901 ekkpppkrie vtkkavkkda kkvvakpkem tpreeivkkp pppttlipak apeiidvssk
9961 aeevkimtit rkkevqkeke avyekkqavh kekrvfiesf eepydeleve pytepfeqpy
10021 yeepdedyee ikveakkevh eeweedfeeg qeyyereegy degeeeweea yqereviqvq
10081 kevyeesher kvpakvpekk appppkvikk pviekiekts rrmeeekvqv tkvpevskki
10141 vpqkpsrtpv qeevievkvp avhtkkmvis eekmffasht eeevsvtvpe vqkeivteek
10201 ihvavskrve pppkvpelpe kpapeevapv pipkkveppa pkvpevpkkp vpeekkpvpv
10261 pkkepaappk vpevpkkpvp eekipvpvak kkeappakvp evqkrvvtee kitivtqree
10321 spppavpeip kkkvpeerkp vprkeeevpp ppkvpalpkk pvpeekvavp vpvakkappp
10381 raevskktvv eekrfvaeek lsfavpqrve vtrhevsaee ewsyseeeeg vsisvyreee
10441 reeeeeaevt eyevmeepee yvveeklhii skrveaepae vterqekkiv lkpkipakie
10501 epppakvpea pkkivpekkv papvpkkekv pppkvpeepk kpvpekkvpp kvikmeeplp
10561 akvterhmqi tqeekvlvav tkkeappkar vpeepkravp eekvlklkpk reeeppakvt
10621 efrkrvvkee kvsieapkre pqpikevtim eekeraytle eeavsvqree eyeeyeeydy
10681 kefeeyepte eydqyeeyee reyeryeehe eyitepekpi pvkpvpeepv ptkpkappak
10741 vlkkavpeek vpvpipkklk ppppkvpeep kkvfeekiri sitkrekeqv tepaakvpmk
10801 pkrvvaeekv pvprkevapp vrvpevpkel epeevafeee vvthveeylv eeeeeyihee
10861 eefiteeevv pvipvkvpev prkpvpeekk pvpvpkkkea ppakvpevpk kpeekvpvli
10921 pkkekpppak vpevpkkpvp eekvpvpvpk kveappakvp evpkkpvpek kvpvpapkkv
10981 eappakvpev pkklipeekk ptpvpkkvea pppkvpkkre pvpvpvalpq eeevlfeeei
11041 vpeeevlpee eevlpeeeev lpeeeevlpe eeeippeeee vppeeeyvpe eeefvpeeev
11101 lpevkpkvpv papvpeikkk vtekkvvipk keeappakvp evpkkveekr iilpkeeevl
11161 pvevteepee episeeeipe eppsieevee vapprvpevi kkavpeaptp vpkkveappa
11221 kvskkipeek vpvpvqkkea ppakvpevpk kvpekkvlvp kkeavppakg rtvleekvsv
11281 afrqevvvke rlelevveae veeipeeeef heveeyfeeg efheveefik leqhrveeeh
11341 rvekvhrvie vfeaeevevf ekpkappkgp eisekiippk kpptkvvprk eppakvpevp
11401 kkivveekvr vpeeprvppt kvpdvlppke vvpekkvpvp pakkpeappp kvpeapkevv
11461 pekkvpvppp kkpevpptkv pevpkaavpe kkvpeaippk pespppevpe apkevvpekk
11521 vpaappkkpe vtpvkvpeap kevvpekkvp vpppkkpevp ptkvpevpkv avpekkvpea
11581 ippkpesppp evfeepeeva leeppaevve epepaappqv tvppkkpvpe kkapavvakk
11641 pelppvkvpe vpkevvpekk vplvvpkkpe appakvpevp kevvpekkva vpkkpevppa
11701 kvpevpkkpv leekpavpvp eraespppev yeepeeiape eeiapeeekp vpvaeeeepe
11761 vpppavpeep kkiipekkvp vikkpeappp kepepekvie kpklkprppp pppappkedv
11821 kekifqlkai pkkkvpekpq vpekveltpl kvpggekkvr kllperkpep keevvlksvl
11881 rkrpeeeepk vepkklekvk kpavpepppp kpveevevpt vtkrerkipe ptkvpeikpa
11941 iplpapepkp kpeaevktik pppvepeptp iaapvtvpvv gkkaeakapk eeaakpkgpi
12001 kgvpkktpsp ieaerrklrp gsggekppde apftyqlkav plkfvkeikd iiltesefvg
12061 ssaifeclvs pstaittwmk dgsnirespk hrfiadgkdr klhiidvqls dageytcvlr
12121 lgnkektsta klvveelpvr fvktleeevt vvkgqplyls celnkerdvv wrkdgkivve
12181 kpgrivpgvi glmraltind addtdagtyt vtvenannle csscvkvvev irdwlvkpir
12241 dqhvkpkgta ifacdiakdt pnikwfkgyd eipaepndkt eilrdgnhly lkiknamped
12301 iaeyaveieg krypakltlg erevellkpi edvtiyekes asfdaeisea dipgqwklkg
12361 ellrpsptce ikaeggkrfl tlrkvkldqa gevlyqalna ittailtvke ieldfavplk
12421 dvtvperrqa rfecvltrea nviwskgpdi ikssdkfdii adgkkhilvi ndsqfddegv
12481 ytaevegkkt sarlfvtgir lkfmspledq tvkegetatf vcelshekmh vvwfkndakl
12541 htsrtvliss egkthklemk evtlddisqi kaqvkelsst aqlkvleadp yftvklhdkt
12601 avekdeitlk cevskdvpvk wfkdgeeivp spkysikadg lrrilkikka dlkdkgeyvc
12661 dcgtdktkan vtvearlikv ekplygvevf vgetahfeie lsepdvhgqw klkgqpltas
12721 pdceiiedgk khililhncq lgmtgevsfq aanaksaanl kvkelplifi tplsdvkvfe
12781 kdeakfecev srepktfrwl kgtqeitgdd rfelikdgtk hsmviksaaf edeakymfea
12841 edkhtsgkli iegirlkflt plkdvtakek esavftvels hdnirvkwfk ndqrlhttrs
12901 vsmqdegkth sitfkdlsid dtsqirveam gmsseakltv legdpyftgk lqdytgvekd
12961 evilqceisk adapvkwfkd gkeikpskna vikadgkkrm lilkkalksd igqytcdcgt
13021 dktsgkldie dreiklvrpl hsvevmetet arfeteised dihanwklkg eallqtpdce
13081 ikeegkihsl vlhncrldqt ggvdfqaanv kssahlrvkp rvigllrplk dvtvtageta
13141 tfdcelsyed ipvewylkgk klepsdkvvp rsegkvhtlt lrdvkledag evqltakdfk
13201 thanlfvkep pveftkpled qtveegatav lecevsrena kvkwfkngte ilkskkyeiv
13261 adgrvrklvi hdctpedikt ytcdakdfkt scnlnvvpph veflrpltdl qvrekemarf
13321 ecelsrenak vkwfkdgaei kkgkkydiis kgavrilvin kcllddeaey scevrtarts
13381 gmltvleeea vftknlanie vsetdtiklv cevskpgaev iwykgdeeii etgryeilte
13441 grkrilviqn ahledagnyn crlpssrtdg kvkvhelaae fiskpqnlei legekaefvc
13501 siskesfpvq wkrddktles gdkydviadg kkrvlvvkda tlqdmgtyvv mvgaaraaah
13561 ltvieklriv vplkdtrvke qqevvfncev ntegakakwf rneeaifdss kyiilqkdlv
13621 ytlrirdahl ddqanynvsl tnhrgenvks aanliveeed lriveplkdi etmekksvtf
13681 wckvnrlnvt lkwtkngeev pfdnrvsyrv dkykhmltik dcgfpdegey ivtagqdksv
13741 aelliieapt efvehledqt vtefddavfs cqlsrekanv kwyrngreik egkkykfekd
13801 gsihrliikd crlddeceya cgvedrksra rlfveeipve iirppqdile apgadvvfla
13861 elnkdkvevq wlrnnmvvvq gdkhqmmseg kihrlqicdi kprdqgeyrf iakdkearak
13921 lelaaapkik tadqdlvvdv gkpltmvvpy daypkaeaew fkeneplstk tidttaeqts
13981 frileakkgd kgrykivlqn khgkaegfin lkvidvpgpv rnlevtetfd gevslaweep
14041 ltdggskiig yvverrdikr ktwvlatdra esceftvtgl qkggveylfr vsarnrvgtg
14101 epvetdnpve arskydvpgp plnvtitdvn rfgvsltwep peydggaeit nyvielrdkt
14161 sirwdtamtv raedlsatvt dvvegqeysf rvraqnrigv gkpsaatpfv kvadpierps
14221 ppvnltssdq tqssvqlkwe pplkdggspi lgyiiercee gkdnwircnm klvpeltykv
14281 tglekgnkyl yrvsaenkag vsdpseilgp ltaddafvep tmdlsafkdg levivpnpit
14341 ilvpstgypr ptatwcfgdk vletgdrvkm ktlsayaelv ispsersdkg iytlklenrv
14401 ktisgeidvn viarpsapke lkfgditkds vhltweppdd dggspltgyv vekrevsrkt
14461 wtkvmdfvtd leftvpdlvq gkeylfkvca rnkcgpgepa yvdepvnmst patvpdppen
14521 vkwrdrtans ifltwdppkn dggsrikgyi vercprgsdk wvacgepvae tkmevtglee
14581 gkwyayrvka lnrqgaskps rpteeiqavd tqeapeifld vkllagltvk agtkielpat
14641 vtgkpepkit wtkadmilkq dkritienvp kkstvtivds krsdtgtyii eavnvcgrat
14701 avvevnvldk pgppaafdit dvtnescllt wnpprddggs kitnyvverr atdsevwhkl
14761 sstvkdtnfk atklipnkey ifrvaaenmy gvgepvqasp itakyqfdpp gpptrlepsd
14821 itkdavtltw cepdddggsp itgywverld pdtdkwvrcn kmpvkdttyr vkgltnkkky
14881 rfrvlaenla gpgkpskste pilikdpidp pwppgkptvk dvgktsvrln wtkpehdgga
14941 kiesyvieml ktgtdewvrv aegvpttqhl lpglmegqey sfrvravnka gesepsepsd
15001 pvlcreklyp pspprwlevi nitkntadlk wtvpekdggs pitnyivekr dvrrkgwqtv
15061 dttvkdtkct vtpltegsly vfrvaaenai gqsdyteied svlakdtftt pgppyalavv
15121 dvtkrhvdlk weppkndggr piqryviekk erlgtrwvka gktagpdcnf rvtdviegte
15181 vqfqvraene agvghpsept eilsiedpts ppsppldlhv tdagrkhiai awkppekngg
15241 spiigyhvem cpvgtekwmr vnsrpikdlk fkveegvvpd keyvlrvrav naigvsepse
15301 isenvvakdp dckptidlet hdiiviegek lsipvpfrav pvptvswhkd gkevkasdrl
15361 tmkndhisah levpksvrad agiytitlen klgsatasin vkviglpgpc kdikasditk
15421 ssckltwepp efdggtpilh yvlerreagr rtyipvmsge nklswtvkdl ipngeyffrv
15481 kavnkvggge yielknpvia qdpkqppdpp vdvevhnpta eamtitwkpp lydggskimg
15541 yiiekiakge erwkrcnehl vpiltytakg leegkeyqfr vraenaagis epsratpptk
15601 avdpidapkv ilrtslevkr gdeialdasi sgspyptitw ikdenvivpe eikkraaplv
15661 rrrkgevqee epfvlpltqr lsidnskkge sqlrvrdslr pdhglymikv endhgiakap
15721 ctvsvldtpg ppinfvfedi rktsvlckwe pplddggsei inytlekkdk tkpdsewivv
15781 tstlrhckys vtkliegkey lfrvraenrf gpgppcvskp lvakdpfgpp dapdkpived
15841 vtsnsmlvkw nepkdngspi lgywlekrev nsthwsrvnk sllnalkanv dgllegltyv
15901 frvcaenaag pgkfsppsdp ktahdpispp gppiprvtdt ssttielewe ppafngggei
15961 vgyfvdkqlv gtnewsrcte kmikvrqytv keiregadyk lrvsavnaag egppgetqpv
16021 tvaepqeppa veldvsvkgg iqimagktlr ipavvtgrpv ptkvwtkeeg eldkdrvvid
16081 nvgtkselii kdalrkdhgr yvitatnscg skfaaarvev fdvpgpvldl kpvvtnrkmc
16141 llnwsdpedd ggseitgfii erkdakmhtw rqpietersk cditgllegq eykfrviakn
16201 kfgcgppvei gpilavdplg pptsperlty tertkstitl dwkeprsngg spiqgyiiek
16261 rrhdkpdfer vnkrlcptts flvenldehq myefrvkavn eigesepslp lnvviqddev
16321 pptiklrlsv rgdtikvkag epvhipadvt glpmpkiews knetviekpt dalqitkeev
16381 srseaktels ipkavredkg tytvtasnrl gsvfrnvhve vydrpspprn lavtdikaes
16441 cyltwdapld nggseithyv idkrdasrkk aeweevtnta vekrygiwkl ipngqyefrv
16501 ravnkygisd ecksdkvviq dpyrlpgppg kpkvlartkg smlvswtppl dnggspitgy
16561 wlekreegsp ywsrvsrapi tkvglkgvef nvprllegvk yqframaina agigppseps
16621 dpevagdpif ppgppscpev kdktkssisl gwkppakdgg spikgyivem qeegttdwkr
16681 vnepdklitt cecvvpnlke lrkyrfrvka vneageseps dttgeipatd iqeepevfid
16741 igaqdclvck agsqiripav ikgrptpkss wefdgkakka mkdgvhdipe daqletaens
16801 sviiipeckr shtgkysita knkagqktan crvkvmdvpg ppkdlkvsdi trgscrlswk
16861 mpdddggdri kgyviekrti dgkawtkvnp dcgsttfvvp dllseqqyff rvraenrfgi
16921 gppvetiqrt tardpiyppd ppiklkigli tkntvhlswk ppkndggspv thyiveclaw
16981 dptgtkkeaw rqcnkrdvee lqftvedlve ggeyefrvka vnaagvskps atvgpcdcqr
17041 pdmppsidlk efmeveegtn vnivakikgv pfptltwfka ppkkpdnkep vlydthvnkl
17101 vvddtctlvi pqsrrsdtgl ytitavnnlg taskemrlnv lgrpgppvgp ikfesvsadq
17161 mtlswfppkd dggskitnyv iekreanrkt wvhvssepke ctytipklle gheyvfrima
17221 qnkygigepl dsepetarnl fsvpgapdkp tvssvtrnsm tvnweepeyd ggspvtgywl
17281 emkdttskrw krvnrdpika mtlgvsykvt gliegsdyqf rvyainaagv gpaslpsdpa
17341 tardpiappg ppfpkvtdwt kssadlewsp plkdggskvt gyiveykeeg keewekgkdk
17401 evrgtklvvt glkegafykf rvsavniagi gepgevtdvi emkdrlvspd lqldasvrdr
17461 ivvhaggvir iiayvsgkpp ptvtwnmner tlpqeatiet taisssmvik ncqrshqgvy
17521 sllakneage rkktiivdvl dvpgpvgtpf lahnltnesc kltwfspedd ggspitnyvi
17581 ekresdrraw tpvtytvtrq natvqgliqg kayffriaae nsigmgpfve tsealvirep
17641 itvperpedl evkevtkntv tltwnppkyd ggseiinyvl esrligtekf hkvtndnlls
17701 rkytvkglke gdtyeyrvsa vnivgqgkps fctkpitckd elapptlhld frdkltirvg
17761 eafaltgrys gkpkpkvswf kdeadvledd rthikttpat lalekikakr sdsgkycvvv
17821 enstgsrkgf cqvnvvdrpg ppvgpvsfde vtkdymvisw kpplddggsk itnyiiekke
17881 vgkdvwmpvt sasakttckv skllegkdyi frihaenlyg isdplvsdsm kakdrfrvpd
17941 apdqpivtev tkdsalvtwn kphdggkpit nyilekretm skrwarvtkd pihpytkfrv
18001 pdllegcqye frvsaeneig igdpsppskp vfakdpiakp sppvnpeaid ttcnsvdltw
18061 qpprhdggsk ilgyiveyqk vgdeewrran htpescpetk ykvtglrdgq tykfrvlavn
18121 aagesdpahv pepvlvkdrl eppelildan mareqhikvg dtlrlsaiik gvpfpkvtwk
18181 kedrdaptka ridvtpvgsk leirnaahed ggiysltven pagsktvsvk vlvldkpgpp
18241 rdlevseirk dscyltwkep lddggsvitn yvverrdvas aqwsplsats kkkshfakhl
18301 negnqylfrv aaenqygrgp fvetpkpika ldplhppgpp kdlhhvdvdk tevslvwnkp
18361 drdggspitg ylveyqeegt qdwikfktvt nlecvvtglq qgktyrfrvk aenivglglp
18421 dttipiecqe klvppsveld vklieglvvk agttvrfpai irgvpvptak wttdgseikt
18481 dehytvetdn fssvltiknc lrrdtgeyqi tvsnaagskt vavhltvldv pgpptgpini
18541 ldvtpehmti swqppkddgg spvinyivek qdtrkdtwgv vssgssktkl kiphlqkgce
18601 yvfrvraenk igvgppldst ptvakhkfsp psppgkpvvt ditenaatvs wtlpksdggs
18661 pitgyymerr evtgkwvrvn ktpiadlkfr vtglyegnty efrvfaenla glskpspssd
18721 pikacrpikp pgppinpklk dksretadlv wtkplsdggs pilgyvvecq kpgtaqwnri
18781 nkdelirqca frvpgliegn eyrfrikaan ivgegeprel aesviakdil hppeveldvt
18841 crdvitvrvg qtirilarvk grpepditwt kegkvlvrek rvdliqdlpr velqikeavr
18901 adhgkyiisa knssghaqgs aivnvldrpg pcqnlkvtnv tkenctiswe npldnggsei
18961 tnfiveyrkp nqkgwsivas dvtkrlikan llanneyyfr vcaenkvgvg ptietktpil
19021 ainpidrpge penlhiadkg ktfvylkwrr pdydggspnl syhverrlkg sddwervhkg
19081 sikethymvd rcvenqiyef rvqtknegge sdwvkteevv vkedlqkpvl dlklsgvltv
19141 kagdtirlea gvrgkpfpev awtkdkdatd ltrsprvkid tradsskfsl tkakrsdggk
19201 yvvtatntag sfvayatvnv ldkpgpvrnl kivdvssdrc tvcwdppedd ggceiqnyil
19261 ekcetkrmvw stysatvltp gttvtrlieg neyifrvrae nkigtgppte skpviaktky
19321 dkpgrpdppe vtkvskeemt vvwnppeydg gksitgyfle kkekhstrwv pvnksaiper
19381 rmkvqnllpd heyqfrvkae neigigepsl psrpvvakdp ieppgpptnf rvvdttkhsi
19441 tlgwgkpvyd ggapiigyvv emrpkiadas pdegwkrcna aaqlvrkeft vtsldenqey
19501 efrvcaqnqv gigrpaelke aikpkeilep peidldasmr klvivragcp irlfaivrgr
19561 papkvtwrkv gidnvvrkgq vdlvdtmafl vipnstrdds gkysltlvnp agekavfvnv
19621 rvldtpgpvs dlkvsdvtkt schvswappe ndggsqvthy ivekreadrk twstvtpevk
19681 ktsfhvtnlv pgneyyfrvt avneygpgvp tdvpkpvlas dplsepdppr klevtemtkn
19741 satlawlppl rdggakidgy itsyreeeqp adrwteysvv kdlslvvtgl kegkkykfrv
19801 aarnavgvsl preaegvyea keqllppkil mpeqitikag kklrieahvy gkphptckwk
19861 kgedevvtss hlavhkadss siliikdvtr kdsgyyslta enssgtdtqk ikvvvmdapg
19921 ppqppfdisd idadacslsw hipledggsn itnyivekcd vsrgdwvtal asvtktscrv
19981 gklipgqeyi frvraenrfg isepltspkm vaqfpfgvps epknarvtkv nkdcifvawd
20041 rpdsdggspi igylierker nsllwvkand tlvrsteypc aglvegleys friyalnkag
20101 ssppskptey vtarmpvdpp gkpevidvtk stvsliwarp khdggskiig yfveacklpg
20161 dkwvrcntap hqipqeeyta tgleekaqyq fraiartavn isppsepsdp vtilaenvpp
20221 ridlsvamks lltvkagtnv cldatvfgkp mptvswkkdg tllkpaegik mamqrnlctl
20281 elfsvnrkds gdytitaens sgsksatikl kvldkpgppa svkinkmysd ramlsweppl
20341 edggseitny ivdkretsrp nwaqvsatvp itscsvekli egheyqfric aenkygvgdp
20401 vftepaiakn pydppgrcdp pvisnitkdh mtvswkppad dggspitgyl lekretqavn
20461 wtkvnrkpii ertlkatglq egteyefrvt ainkagpgkp sdaskaayar dpqyppappa
20521 fpkvydttrs svslswgkpa ydggspiigy lvevkradsd nwvrcnlpqn lqktrfevtg
20581 lmedtqyqfr vyavnkigys dpsdvpdkhy pkdilippeg eldadlrktl ilragvtmrl
20641 yvpvkgrppp kitwskpnvn lrdrigldik stdfdtflrc envnkydagk yiltlenscg
20701 kkeytivvkv ldtpgppvnv tvkeiskdsa yvtweppiid ggspiinyvv qkrdaerksw
20761 stvttecskt sfrvanleeg ksyffrvfae neygigdpge trdavkasqt pgpvvdlkvr
20821 svsksscsig wkkphsdggs riigyvvdfl teenkwqrvm kslslqysak dltegkeytf
20881 rvsaenenge gtpseitvva rddvvapdld lkglpdlcyl akensnfrlk ipikgkpaps
20941 vswkkgedpl atdtrvsves savnttlivy dcqksdagky titlknvagt kegtisikvv
21001 gkpgiptgpi kfdevtaeam tlkwappkdd ggseitnyil ekrdsvnnkw vtcasavqkt
21061 tfrvtrlheg meytfrvsae nkygvgeglk sepivarhpf dvpdappppn ivdvrhdsvs
21121 ltwtdpkktg gspitgyhle fkernsllwk ranktpirmr dfkvtglteg leyefrvmai
21181 nlagvgkpsl psepvvaldp idppgkpevi nitrnsvtli wtepkydggh kltgyivekr
21241 dlpskswmka nhvnvpecaf tvtdlveggk yefriraknt agaisapses tetiickdey
21301 eaptivldpt ikdgltikag dtivlnaisi lgkplpkssw skagkdirps ditqitstpt
21361 ssmltikyat rkdageytit atnpfgtkve hvkvtvldvp gppgpveisn vsaekatltw
21421 tppledggsp iksyilekre tsrllwtvvs ediqscrhva tkliqgneyi frvsavnhyg
21481 kgepvqsepv kmvdrfgppg ppekpevsnv tkntatvswk rpvddggsei tgyhverrek
21541 kslrwvraik tpvsdlrckv tglqegstye frvsaenrag igppseasds vlmkdaaypp
21601 gppsnphvtd ttkksaslaw gkphydggle itgyvvehqk vgdeawikdt tgtalritqf
21661 vvpdlqtkek ynfrisaind agvgepavip dveiverema pdfeldaelr rtlvvragls
21721 irifvpikgr papevtwtkd ninlknrani entesftlli ipecnrydtg kfvmtienpa
21781 gkksgfvnvr vldtpgpvln lrptditkds vtlhwdlpli dggsritnyi vekreatrks
21841 ystattkchk ctykvtglse gceyffrvma eneygigept ettepvkase apsppdslni
21901 mditkstvsl awpkpkhdgg skitgyviea qrkgsdqwth ittvkglecv vrnltegeey
21961 tfqvmavnsa grsapresrp vivkeqtmlp eldlrgiyqk lviakagdni kveipvlgrp
22021 kptvtwkkgd qilkqtqrvn fettatstil ninecvrsds gpypltarni vgevgdviti
22081 qvhdipgppt gpikfdevss dfvtfswdpp endggvpisn yvvemrqtds ttwvelattv
22141 irttykatrl ttgleyqfrv kaqnrygvgp gitsacivan ypfkvpgppg tpqvtavtkd
22201 smtiswhepl sdggspilgy hverkerngi lwqtvskalv pgnifkssgl tdgiayefrv
22261 iaenmagksk pskpsepmla ldpidppgkp vplnitrhtv tlkwakpeyt ggfkitsyiv
22321 ekrdlpngrw lkanfsnile neftvsglte daayefrvia knaagaispp sepsdaitcr
22381 ddveapkikv dvkfkdtvil kageafrlea dvsgrppptm ewskdgkele gtakleikia
22441 dfstnlvnkd strrdsgayt ltatnpggfa khifnvkvld rpgppegpla vtevtsekcv
22501 lswfpplddg gakidhyivq kretsrlawt nvasevqvtk lkvtkllkgn eyifrvmavn
22561 kygvgeples epvlavnpyg ppdppknpev ttitkdsmvv cwghpdsdgg seiinyiver
22621 rdkagqrwik cnkktltdlr ykvsgltegh eyefrimaen aagisapspt spfykacdtv
22681 fkpgppgnpr vldtsrssis iawnkpiydg gseitgymve ialpeedewq ivtppaglka
22741 tsytitglte nqeykiriya mnseglgepa lvpgtpkaed rmlppeield adlrkvvtir
22801 acctlrlfvp ikgrpapevk wardhgesld kasiestssy tllivgnvnr fdsgkyiltv
22861 enssgsksaf vnvrvldtpg ppqdlkvkev tktsvtltwd pplldggski knyivekres
22921 trkaystvat nchktswkvd qlqegcsyyf rvlaeneygi glpaetaesv kaserplppg
22981 kitlmdvtrn svslswekpe hdggsrilgy ivemqtkgsd kwatcatvkv teatitgliq
23041 geeysfrvsa qnekgisdpr qlsvpviakd lvippafkll fntftvlage dlkvdvpfig
23101 rptpavtwhk dnvplkqttr vnaestenns lltikdacre dvghyvvklt nsageaietl
23161 nvivldkpgp ptgpvkmdev tadsitlswg ppkydggssi nnyivekrdt stttwqivsa
23221 tvarttikac rlktgceyqf riaaenrygk stylnseptv aqypfkvpgp pgtpvvtlss
23281 rdsmevqwne pisdggsrvi gyhlerkern silwvklnkt pipqtkfktt gleegveyef
23341 rvsaenivgi gkpskvsecy vardpcdppg rpeaiivtrn svtlqwkkpt ydggskitgy
23401 ivekkelpeg rwmkasftni idthfevtgl vedhryefrv iarnaagvfs epsestgait
23461 ardevdppri smdpkykdti vvhagesfkv dadiygkpip tiqwikgdqe lsntarleik
23521 stdfatslsv kdavrvdsgn yilkaknvag ersvtvnvkv ldrpgppegp vvisgvtaek
23581 ctlawkpplq dggsdiinyi verretsrlv wtvvdanvqt lsckvtklle gneytfrima
23641 vnkygvgepl esepvvaknp fvvpdapkap evttvtkdsm ivvwerpasd ggseilgyvl
23701 ekrdkegirw trchkrlige lrlrvtglie nhdyefrvsa enaaglseps ppsayqkacd
23761 piykpgppnn pkviditrss vflswskpiy dggceiqgyi vekcdvsvge wtmctpptgi
23821 nktnievekl lekheynfri cainkagvge hadvpgpiiv eekleapdid ldlelrkiin
23881 iraggslrlf vpikgrptpe vkwgkvdgei rdaaiidvts sftslvldnv nrydsgkytl
23941 tlenssgtks afvtvrvldt psppvnlkvt eitkdsvsit wepplldggs kiknyivekr
24001 eatrksyaav vtnchknswk idqlqegcsy yfrvtaeney giglpaqtad pikvaevpqp
24061 pgkitvddvt rnsvslswtk pehdggskii qyivemqakh sekwsecarv kslqavitnl
24121 tqgeeylfrv vavnekgrsd prslavpiva kdlviepdvk pafssysvqv gqdlkievpi
24181 sgrpkptitw tkdglplkqt trinvtdsld lttlsiketh kddggqygit vanvvgqkta
24241 sieivtldkp dppkgpvkfd dvsaesitls wnpplytggc qitnyivqkr dttttvwdvv
24301 satvarttlk vtklktgtey qfrifaenry gqsfalesdp ivaqypykep gppgtpfata
24361 iskdsmviqw hepvnnggsp vigyhlerke rnsilwtkvn ktiihdtqfk aqnleegiey
24421 efrvyaeniv gvgkasknse cyvardpcdp pgtpepimvk rneitlqwtk pvydggsmit
24481 gyivekrdlp dgrwmkasft nvietqftvs gltedqryef rviaknaaga iskpsdstgp
24541 itakdevelp rismdpkfrd tivvnagetf rleadvhgkp lptiewlrgd keieesarce
24601 ikntdfkall ivkdairidg gqyilrasnv agsksfpvnv kvldrpgppe gpvqvtgvts
24661 ekcsltwspp lqdggsdish yvvekretsr lawtvvasev vtnslkvtkl legneyvfri
24721 mavnkygvge plesapvlmk npfvlpgppk slevtniakd smtvcwnrpd sdggseiigy
24781 ivekrdrsgi rwikcnkrri tdlrlrvtgl tedheyefrv saenaagvge pspatvyyka
24841 cdpvfkpgpp tnahivdttk nsitlawgkp iydggseilg yvveickade eewqivtpqt
24901 glrvtrfeis kltehqeyki rvcalnkvgl geatsvpgtv kpedkleape ldldselrkg
24961 ivvraggsar ihipfkgrpt peitwsreeg eftdkvqiek gvnytqlsid ncdrndagky
25021 ilklenssgs ksafvtvkvl dtpgppqnla vkevrkdsaf lvweppiidg gakvknyvid
25081 krestrkaya nvsskcskts fkvenltega iyyfrvmaen efgvgvpvet vdavkaaepp
25141 sppgkvtltd vsqtsaslmw ekpehdggsr vlgyvvemqp kgtekwsiva eskvcnavvt
25201 glssgqeyqf rvkaynekgk sdprvlgvpv iakdltiqps lklpfntysi qagedlkiei
25261 pvigrprpni swvkdgeplk qttrvnveet atstvlhike gnkddfgkyt vtatnsagta
25321 tenlsvivle kpgppvgpvr fdevsadfvv isweppaytg gcqisnyive krdtttttwh
25381 mvsatvartt ikitklktgt eyqfrifaen rygksaplds kavivqypfk epgppgtpfv
25441 tsiskdqmlv qwhepvndgg tkiigyhleq keknsilwvk lnktpiqdtk fkttgldegl
25501 eyefkvsaen ivgigkpskv secfvardpc dppgrpeaiv itrnnvtlkw kkpaydggsk
25561 itgyivekkd lpdgrwmkas ftnvleteft vsglvedqry efrviarnaa gnfsepsdss
25621 gaitardeid apnasldpky kdvivvhage tfvleadirg kpipdvvwsk dgkeleetaa
25681 rmeikstiqk ttlvvkdcir tdggqyilkl snvggtksip itvkvldrpg ppegplkvtg
25741 vtaekcylaw npplqdggan ishyiiekre tsrlswtqvs tevqalnykv tkllpgneyi
25801 frvmavnkyg igeplesgpv tacnpykppg ppstpevsai tkdsmvvtwa rpvddggtei
25861 egyilekrdk egvrwtkcnk ktltdlrlrv tglteghsye frvaaenaag vgepsepsvf
25921 yracdalypp gppsnpkvtd tsrssvslaw skpiydggap vkgyvvevke aaadewttct
25981 pptglqgkqf tvtklkente ynfricains egvgepatlp gsvvaqerie ppeieldadl
26041 rkvvvlrasa tlrlfvtikg rpepevkwek aegiltdraq ievtssftml vidnvtrfds
26101 grynltlenn sgsktafvnv rvldspsapv nltirevkkd svtlsweppl idggakitny
26161 ivekrettrk ayatitnnct kttfrienlq egcsyyfrvl asneygiglp aettepvkvs
26221 epplppgrvt lvdvtrntat ikwekpesdg gskitgyvve mqtkgsekws tctqvktlea
26281 tisgltagee yvfrvaavne kgrsdprqlg vpviardiei kpsvelpfht fnvkareqlk
26341 idvpfkgrpq atvnwrkdgq tlkettrvnv sssktvtsls ikeaskedvg tyelcvsnsa
26401 gsitvpitii vldrpgppgp iridevscds itiswnppey dggcqisnyi vekkettstt
26461 whivsqavar tsikivrltt gseyqfrvca enrygkssys essavvaeyp fsppgppgtp
26521 kvvhatkstm lvtwqvpvnd ggsrvigyhl eykerssilw skankiliad tqmkvsglde
26581 glmyeyrvya eniagigkcs kscepvpard pcdppgqpev tnitrksvsl kwskphydgg
26641 akitgyiver relpdgrwlk cnytniqety fevteltedq ryefrvfarn aadsvsepse
26701 stgpiivkdd vepprvmmdv kfrdvivvka gevlkinadi agrplpvisw akdgieieer
26761 arteiistdn htlltvkdci rrdtgqyvlt lknvagtrsv avnckvldkp gppagplein
26821 gltaekcsls wgrpqedgga didyyivekr etshlawtic egelqmtsck vtkllkgney
26881 ifrvtgvnky gvgeplesva ikaldpftvp spptsleits vtkesmtlcw srpesdggse
26941 isgyiierre knslrwvrvn kkpvydlrvk stglregcey eyrvyaenaa glslpsetsp
27001 liraedpvfl psppskpkiv dsgkttitia wvkplfdgga pitgytveyk ksddtdwkts
27061 iqslrgteyt isglttgaey vfrvksvnkv gasdpsdssd pqiakereee plfdidsemr
27121 ktlivkagas ftmtvpfrgr pvpnvlwskp dtdlrtrayv dttdsrtslt ienanrndsg
27181 kytltiqnvl saasltlvvk vldtpgpptn itvqdvtkes avlswdvpen dggapvknyh
27241 iekreaskka wvsvtnncnr lsykvtnlqe gaiyyfrvsg enefgvgipa etkegvkite
27301 kpsppeklgv tsiskdsvsl twlkpehdgg srivhyvvea lekgqknwvk cavaksthhv
27361 vsglrensey ffrvfaenqa glsdprelll pvlikeqlep peidmknfps htvyvragsn
27421 lkvdipisgk plpkvtlsrd gvplkatmrf nteitaenlt inlkesvtad agryeitaan
27481 ssgttkafin ivvldrpgpp tgpvvisdit eesvtlkwep pkydggsqvt nyillkrets
27541 tavwtevsat vartmmkvmk lttgeeyqfr ikaenrfgis dhidsacvtv klpyttpgpp
27601 stpwvtnvtr esitvgwhep vsnggsavvg yhlemkdrns ilwqkanklv irtthfkvtt
27661 isagliyefr vyaenaagvg kpshpsepvl aidacepprn vritdiskns vslswqqpaf
27721 dggskitgyi verrdlpdgr wtkasftnvt etqfiisglt qnsqyefrvf arnavgsisn
27781 psevvgpitc idsyggpvid lpleytevvk yragtsvklr agisgkpapt iewykddkel
27841 qtnalvcven ttdlasilik dadrlnsgcy elklrnamgs asatirvqil dkpgppggpi
27901 efktvtaeki tllwrppadd ggakithyiv ekretsrvvw smvsehleec iitttkiikg
27961 neyifrvrav nkygigeple sdsvvaknaf vtpgppgipe vtkitknsmt vvwsrpiadg
28021 gsdisgyfle krdkkslgwf kvlketirdt rqkvtglten sdyqyrvcav naagqgpfse
28081 psefykaadp idppgppaki riadstkssi tlgwskpvyd ggsavtgyvv eirqgeeeew
28141 ttvstkgevr tteyvvsnlk pgvnyyfrvs avncagqgep iemnepvqak dileapeidl
28201 dvalrtsvia kagedvqvli pfkgrppptv twrkdeknlg sdarysient dssslltipq
28261 vtrndtgkyi ltiengvgep ksstvsvkvl dtpaacqklq vkhvsrgtvt llwdpplidg
28321 gspiinyvie krdatkrtws vvshkcssts fklidlsekt pfffrvlaen eigigepcet
28381 tepvkaaevp apirdlsmkd stktsvilsw tkpdfdggsv iteyvverkg kgeqtwshag
28441 isktceievs qlkeqsvlef rvfaknekgl sdpvtigpit vkeliitpev dlsdipgaqv
28501 tvrighnvhl elpykgkpkp siswlkdglp lkesefvrfs ktenkitlsi knakkehggk
28561 ytvildnavc riavpitvit lgppskpkgp irfdeikads vilswdvped ngggeitcys
28621 iekretsqtn wkmvcssvar ttfkvpnlvk daeyqfrvra enrygvsqpl vssiivakhq
28681 fripgppgkp viynvtsdgm sltwdapvyd ggsevtgfhv ekkernsilw qkvntspisg
28741 reyratglve gldyqfrvya ensaglssps dpskftlavs pvdppgtpdy idvtretitl
28801 kwnpplrdgg skivgysiek rqgnerwvrc nftdvsecqy tvtglspgdr yefriiarna
28861 vgtisppsqs sgiimtrden vppivefgpe yfdgliiksg eslrikalvq grpvprvtwf
28921 kdgveiekrm nmeitdvlgs tslfvrdatr dhrgvytvea knasgsakae ikvkvqdtpg
28981 kvvgpirftn itgekmtlww daplndgcap ithyiiekre tsrlawalie dkceaqsyta
29041 iklingneyq frvsavnkfg vgrpldsdpv vaqiqytvpd apgipepsni tgnsitltwa
29101 rpesdggsei qqyilerrek kstrwvkvis krpisetrfk vtgltegney efhvmaenaa
29161 gvgpasgisr likcrepvnp pgpptvvkvt dtskttvsle wskpvfdggm eiigyiiemc
29221 kadlgdwhkv naeacvktry tvtdlqagee ykfrvsaing agkgdscevt gtikavdrlt
29281 apeldidanf kqthvvraga sirlfiayqg rptptavwsk pdsnlslrad ihttdsfstl
29341 tvencnrnda gkytltvenn sgsksitftv kvldtpgppg pitfkdvtrg satlmwdapl
29401 ldggarihhy vvekreasrr swqvisekct rqifkvndla egvpyyfrvs avneygvgep
29461 yempepivat eqpapprrld vvdtskssav lawlkpdhdg gsritgylle mrqkgsdfwv
29521 eaghtkqltf tverlvekte yefrvkaknd agysepreaf ssviikepqi eptadltgit
29581 nqlitckags pftidvpisg rpapkvtwkl eemrlketdr vsitttkdrt tltvkdsmrg
29641 dsgryfltle ntagvktfsv tvvvigrpgp vtgpievssv saescvlswg epkdgggtei
29701 tnyivekres gttawqlvns svkrtqikvt hltkymeysf rvssenrfgv skplesapii
29761 aehpfvppsa ptrpevyhvs anamsirwee pyhdggskii gywvekkern tilwvkenkv
29821 pclecnykvt glvegleyqf rtyalnaagv skaseasrpi maqnpvdapg rpevtdvtrs
29881 tvsliwsapa ydggskvvgy iierkpvsev gdgrwlkcny tivsdnfftv talsegdtye
29941 frvlaknaag viskgsestg pvtcrdeyap pkaeldarlh gdlvtirags dlvldaavgg
30001 kpepkiiwtk gdkeldlcek vslqytgkra tavikfcdrs dsgkytltvk nasgtkavsv
30061 mvkvldspgp cgkltvsrvt qekctlawsl pqedggaeit hyiverrets rlnwvivege
30121 cptlsyvvtr liknneyifr vravnkygpg vpvesepiva rnsftipspp gipeevgtgk
30181 ehiiiqwtkp esdggneisn ylvdkrekks lrwtrvnkdy vvydtrlkvt slmegcdyqf
30241 rvtavnaagn sepseasnfi screpsytpg ppsaprvvdt tkhsislawt kpmydggtdi
30301 vgyvlemqek dtdqwyrvht natirnteft vpdlkmgqky sfrvaavnvk gmseysesia
30361 eiepveriei pdleladdlk ktvtiragas lrlmvsvsgr pppvitwskq gidlasraii
30421 dttesyslli vdkvnrydag kytieaenqs gkksatvlvk vydtpgpcps vkvkevsrds
30481 vtitweipti dggapvnnyi vekreaamra fktvttkcsk tlyrisglve gtmyyfrvlp
30541 eniygigepc etsdavlvse vplvpaklev vdvtkstvtl awekplydgg srltgyvlea
30601 ckagterwmk vvtlkptvle htvtslnege qylfriraqn ekgvsepret vtavtvqdlr
30661 vlptidlstm pqktihvpag rpvelvipia grpppaaswf fagsklrese rvtvethtkv
30721 akltiretti rdtgeytlel knvtgttset ikviildkpg pptgpikide idatsitisw
30781 eppeldggap lsgyvveqrd ahrpgwlpvs esvtrstfkf trltegneyv frvaatnrfg
30841 igsylqsevi ecrssiripg ppetlqifdv srdgmtltwy ppeddggsqv tgyiverkev
30901 radrwvrvnk vpvtmtryrs tgltegleye hrvtainarg sgkpsrpskp ivamdpiapp
30961 gkpqnprvtd ttrtsvslaw svpedeggsk vtgyliemqk vdqhewtkcn ttptkireyt
31021 lthlpqgaey rfrvlacnag gpgepaevpg tvkvtemley pdyelderyq egifvrqggv
31081 irltipikgk pfpickwtke gqdiskrami atsethtelv ikeadrgdsg tydlvlenkc
31141 gkkavyikvr vigspnspeg pleyddiqvr svrvswrppa ddggadilgy ilerrevpka
31201 awytidsrvr gtslvvkglk enveyhfrvs aenqfgiskp lkseepvtpk tplnppepps
31261 nppevldvtk ssvslswsrp kddggsrvtg yyierketst dkwvrhnktq itttmytvtg
31321 lvpdaeyqfr iiaqndvgls etspasepvv ckdpfdkpsq pgeleilsis kdsvtlqwek
31381 pecdggkeil gywveyrqsg dsawkksnke rikdkqftig glleateyef rvfaenetgl
31441 srprrtamsi ktkltsgeap girkemkdvt tklgeaaqls cqivgrplpd ikwyrfgkel
31501 iqsrkykmss dgrthtltvm teeqedegvy tciatnevge vetssklllq atpqfhpgyp
31561 lkekyygavg stlrlhvmyi grpvpamtwf hgqkllqnse nitientehy thlvmknvqr
31621 kthagkykvq lsnvfgtvda ildveiqdkp dkptgpivie allknsavis wkppaddggs
31681 witnyvvekc eakegaewql vssaisvttc rivnltenag yyfrvsaqnt fgisdplevs
31741 svviikspfe kpgapgkpti tavtkdscvv awkppasdgg akirnyylek rekkqnkwis
31801 vtteeiretv fsvknliegl eyefrvkcen lggesewsei sepitpksdv piqaphfkee
31861 lrnlnvryqs natlvckvtg hpkpivkwyr qgkeiiadgl kyriqefkgg yhqliiasvt
31921 dddatvyqvr atnqggsvsg taslevevpa kihlpktleg mgavhalrge vvsikipfsg
31981 kpdpvitwqk gqdlidnngh yqvivtrsft slvfpngver kdagfyvvca knrfgidqkt
32041 veldvadvpd pprgvkvsdv srdsvnltwt epasdggski tnyivekcat taerwlrvgq
32101 aretrytvin lfgktsyqfr viaenkfgls kpsepsepti tkedktramn ydeevdetre
32161 vsmtkashss tkelyekymi aedlgrgefg ivhrcvetss kktymakfvk vkgtdqvlvk
32221 keisilniar hrnilhlhes fesmeelvmi fefisgldif erintsafel nereivsyvh
32281 qvcealqflh shnighfdir peniiyqtrr sstikiiefg qarqlkpgdn frllftapey
32341 yapevhqhdv vstatdmwsl gtlvyvllsg inpflaetnq qiienimnae ytfdeeafke
32401 isieamdfvd rllvkerksr mtasealqhp wlkqkiervs tkvirtlkhr ryyhtlikkd
32461 lnmvvsaari scggairsqk gvsvakvkva sieigpvsgq imhavgeegg hvkyvckien
32521 ydqstqvtwy fgvrqlense kyeityedgv ailyvkditk lddgtyrckv vndygedssy
32581 aelfvkgvre vydyycrrtm kkikrrtdtm rllerppeft lplynktayv genvrfgvti
32641 tvhpephvtw yksgqkikpg dndkkytfes dkglyqltin svttdddaey tvvarnkyge
32701 dsckakltvt lhppptdstl rpmfkrllan aecqegqsvc feirvsgipp ptlkwekdgq
32761 plslgpniei ihegldyyal hirdtlpedt gyyrvtatnt agstscqahl qverlrykkq
32821 efkskeeher hvqkqidktl rmaeilsgte svpltqvake alreaavlyk pavstktvkg
32881 efrleieekk eerklrmpyd vpeprkykqt tieedqrikq fvpmsdmkwy kkirdqyemp
32941 gkldrvvqkr pkrirlsrwe qfyvmplpri tdqyrpkwri pklsqddlei vrparrrtps
33001 pdydfyyrpr rrslgdisde elllpiddyl amkrteeerl rleeelelgf sasppsrspp
33061 hfelsslrys spqahvkvee trkdfrysty hiptkaeast syaelrerha qaayrqpkqr
33121 qrimaerede ellrpvtttq hlseykseld fmskeeksrk ksrrqrevte iteieeeyei
33181 skhaqresss sasrllrrrr slsptyielm rpvselirsr pqpaeeyedd terrsptper
33241 trprspspvs serslsrfer sarfdifsry esmkaalktq ktserkyevl sqqpftldha
33301 pritlrmrsh rvpcgqntrf ilnvqskpta evkwyhngve lqesskihyt ntsgvltlei
33361 ldchtddsgt yravctnykg easdyatldv tggdyttyas qrrdeevprs vfpeltrtea
33421 yavssfkkts emeasssvre vksqmtetre slssyehsas aemksaalee ksleeksttr
33481 kikttlaari ltkprsmtvy egesarfscd tdgepvptvt wlrkgqvlst sarhqvtttk
33541 ykstfeissv qasdegnysv vvensegkqe aeftltiqka rvtekavtsp prvkspeprv
33601 kspeavkspk rvkspepshp kavsptetkp tptekvqhlp vsappkitqf lkaeaskeia
33661 kltcvvessv lrakevtwyk dgkklkengh fqfhysadgt yelkinnlte sdqgeyvcei
33721 sgeggtsktn lqfmgqafks ihekvskise tkksdqktte stvtrktepk apepisskpv
33781 ivtglqdttv ssdsvakfav katgeprpta iwtkdgkait qggkyklsed kggffleihk
33841 tdtsdsglyt ctvknsagsv sssckltika ikdteaqkvs tqktseitpq kkavvqeeis
33901 qkalrseeik mseaksqekl alkeeaskvl iseevkksaa tsleksivhe eitktsqase
33961 evrthaeika fstqmsineg qrlvlkania gatdvkwvln gveltnseey rygvsgsdqt
34021 ltikqashrd egiltciskt kegivkcqyd ltlskelsda pafisqprsq ninegqnvlf
34081 tceisgepsp eiewfknnlp isissnvsis rsrnvyslei rnasvsdsgk ytikaknfrg
34141 qcsataslmv lplveepsre vvlrtsgdts lqgsfssqsv qmsaskqeas fssfssssas
34201 smtemkfasm saqsmssmqe sfvemssssf mgisnmtqle sstskmlkag irgippkiea
34261 lpsdisideg kvltvacaft geptpevtws cggrkihsqe qgrfhientd dlttliimdv
34321 qkqdgglytl slgnefgsds atvnihirsi
【０１４４】
ＨＢＡ１（例えば、ＧｅｎＢａｎｋ登録番号Ｐ６９９０５（配列番号２）：
1  mvlspadktn vkaawgkvga hageygaeal ermflsfptt ktyfphfdls hgsaqvkghg
61 kkvadaltna vahvddmpna lsalsdlhah klrvdpvnfk llshcllvtl aahlpaeftp
121 avhasldkfl asvstvltsk yr
【０１４５】
インスリン様増殖因子１受容体（ＩＧＦ１Ｒ）（例えば、ＧｅｎＢａｎｋ登録番号Ｐ０８０６９（配列番号３）：
1   mksgsgggsp tslwgllfls aalslwptsg eicgpgidir ndyqqlkrle nctviegylh
61  illiskaedy rsyrfpkltv iteylllfrv agleslgdlf pnltvirgwk lfynyalvif
121 emtnlkdigl ynlrnitrga irieknadlc ylstvdwsli ldavsnnyiv gnkppkecgd
181 lcpgtmeekp mcekttinne ynyrcwttnr cqkmcpstcg kractennec chpeclgscs
241 apdndtacva crhyyyagvc vpacppntyr fegwrcvdrd fcanilsaes sdsegfvihd
301 gecmqecpsg firngsqsmy cipcegpcpk vceeekktkt idsvtsaqml qgctifkgnl
361 linirrgnni aselenfmgl ievvtgyvki rhshalvsls flknlrlilg eeqlegnysf
421 yvldnqnlqq lwdwdhrnlt ikagkmyfaf npklcvseiy rmeevtgtkg rqskgdintr
481 nngerasces dvlhftsttt sknriiitwh ryrppdyrdl isftvyykea pfknvteydg
541 qdacgsnswn mvdvdlppnk dvepgillhg lkpwtqyavy vkavtltmve ndhirgakse
601 ilyirtnasv psipldvlsa snsssqlivk wnppslpngn lsyyivrwqr qpqdgylyrh
661 nycskdkipi rkyadgtidi eevtenpkte vcggekgpcc acpkteaekq aekeeaeyrk
721 vfenflhnsi fvprperkrr dvmqvanttm ssrsrnttaa dtynitdpee leteypffes
781 rvdnkertvi snlrpftlyr idihscnhea eklgcsasnf vfartmpaeg addipgpvtw
841 eprpensifl kwpepenpng lilmyeikyg sqvedqrecv srqeyrkygg aklnrlnpgn
901 ytariqatsl sgngswtdpv ffyvqaktgy enfihliial pvavllivgg lvimlyvfhr
961 krnnsrlgng vlyasvnpey fsaadvyvpd ewevarekit msrelgqgsf gmvyegvakg
1021 vvkdepetrv aiktvneaas mrerieflne asvmkefnch hvvrllgvvs qgqptlvime
1081 lmtrgdlksy lrslrpemen npvlappsls kmiqmageia dgmaylnank fvhrdlaarn
1141 cmvaedftvk igdfgmtrdi yetdyyrkgg kgllpvrwms peslkdgvft tysdvwsfgv
1201 vlweiatlae qpyqglsneq vlrfvmeggl ldkpdncpdm lfelmrmcwq ynpkmrpsfl
1261 eiissikeem epgfrevsfy yseenklpep eeldlepenm esvpldpsas ssslplpdrh
1321 sghkaengpg pgvlvlrasf derqpyahmn ggrkneralp lpqsstc
【０１４６】
ゾナドヘシン前駆体のアイソフォーム３（例えば、ＧｅｎＢａｎｋ登録番号Ｑ９Ｙ４９３−１（配列番号４）：
1   mvppvwtlll lvgaalfrke kppdqklvvr ssrdnyvltq cdfeddakpl cdwsqvsadd
61  edwvrasgps ptgstgapgg ypngegsylh mesnsfhrgg varllspdlw eqgplcvhfa
121 hhmfglswga qlrllllsge egrrpdvlwk hwntqrpswm lttvtvpagf tlptrlmfeg
181 trgstayldi aldalsirrg scnrvcmmqt csfdipndlc dwtwiptasg akwtqkkgss
241 gkpgvgpdgd fsspgsgcym lldpknarpg qkavllspvs lssgclsfsf hyilrgqspg
301 aalhiyasvl gsirkhtlfs gqpgpnwqav svnytavgri qfavvgvfgk tpepavavda
361 tsiapcgegf pqcdfednah pfcdwvqtsg dgghwalghk ngpvhgmgpa ggfpnagghy
421 iyleadefsh agqsvrlvsr pfcapgdicv efayhmyglg egtmlelllg spagsppipl
481 wkrvgsqrpy wqntsvtvps ghqqpmqlif kgiqgsntas vvamgfilin pgtcpvkvlp
541 elppvspvss tgpsettglt enptistkkp tvsiekpsvt tekptvpkek ptiptekpti
601 stekptipse kpnmpsekpt ipsekptilt ekptipsekp tipsekptis tekptvptee
661 pttpteettt smeepvipte kpsiptekps iptekptism eetiistekp tispekptip
721 tekptiptek stispekptt ptekptipte kptispekpt tptekptisp ekltiptekp
781 tiptekptip tekptistee pttpteetti stekpsipme kptlpteett tsveettist
841 ekltipmekp tistekptip tekptispek ltipteklti ptekptipie ettisteklt
901 iptekptisp ekptistekp tiptekptip teettistek ltiptekpti spekltipte
961 kptistekpt iptekltipt ekptiptekp tiptekltal rpphpsptat glaalvmsph
1021 apstpmtsvi lgttttsrss tercppnary escacpasck sprpscgplc regcvcnpgf
1081 lfsdnhciqa sscncfynnd yyepgaewfs pnctehcrcw pgsrvecqis qcgthtvcql
1141 kngqygchpy agtatclvyg dphyvtfdgr hfgfmgkcty ilaqpcgnst dpffrvtakn
1201 eeqgqegvsc lskvyvtlpe stvtllkgrr tlvggqqvtl paipskgvfl gasgrfvelq
1261 tefglrvrwd gdqqlyvtvs stysgklcgl cgnydgnsdn dhlkldgspa gdkeelgnsw
1321 qtdqdedqec qkyqvvnsps cdsslqssms gpgfcgrlvd thgpfetcll hvkaasffds
1381 cmldmcgfqg lqhllcthms tmtttcqdag havkpwreph fcpmacppns kyslcakpcp
1441 dtchsgfsgm fcsdrcveac ecnpgfvlsg leciprsqcg clhpagsyfk vgerwykpgc
1501 kelcvcesnn rircqpwrcr aqefcgqqdg iygchaqgaa tctasgdphy ltfdgalhhf
1561 mgtctyvltr pcwsrsqdsy fvvsatnenr ggilevsyik avhvtvfdls isllrgckvm
1621 lnghrvalpv wlaqgrvtir lssnlvllyt nfglqvrydg shlvevtvps syggqlcglc
1681 gnynnnsldd nlrpdrklag dsmqlgaawk lpessepgcf lvggkpsscq ensmadawnk
1741 ncailinpqg pfsqchqvvp pqssfascvh gqcgtkgdtt alcrslqaya slcaqagqap
1801 awrnrtfcpm rcppgssysp csspcpdtcs sinnprdcpk alpcaescec qkghilsgts
1861 cvplgqcgct dpagsyhpvg erwytentct rlctcsvhnn itcfqstckp nqicwaldgl
1921 lhcrasgvgv cqlpgeshyv sfdgsnhsip dactlvlvkv chpamalplf kisakhekee
1981 ggteafrlhe vyidiydaqv tlqkghrvli nskqvtlpai sqipgvsvks ssiytivnik
2041 igvqvkfdgn hlleieiptt yygkvcgmcg nfndeeedel mmpsdevans dsefvnswkd
2101 kdidpscqsl pvdeqqipae qqenpsgncr aadlrrarek ceaalrapvw aqcasridlt
2161 pflvdcantl cefgglyqal cqalqafgat cqsqglkppl wrnssfcple cpayssytnc
2221 lpscspscwd ldgrcegakv psacaegcic qpgyvlsedk cvprsqcgck dahggsiplg
2281 kswvssgcte kcvctggaiq cgdfrcpsgs hcqltsdnsn sncvsdkseq csvygdpryl
2341 tfdgfsyrlq grmtyvlikt vdvlpegvep llvegrnkmd pprssiflqe vittvygykv
2401 qlqaglelvv nnqkmavpyr pnehlrvtlr gqrlylvtdf elvvsfggrk navislpsmy
2461 eglvsglcgn ydknrkndmm lpsgaltqnl ntfgnswevk tedallrfpr aipaeeegqg
2521 aelglrtglq vsecspeqla snstqacrvl adpqgpfaac hqtvapepfq ehcvldlcsa
2581 qdpreqeelr cqvlsghgvs sryhiselyd tlpsilcqpg rprglrgplr grlrqhprlc
2641 lqwhpeppla dcgctsngiy yqlgssflte dcsqrctcas srillcepfs cragevctlg
2701 nhtqgcfpes pclqnpcqnd gqcreqgatf tcecevgygg glcmeprdap pprkpasnlv
2761 gvllgllvpv vvvllavtre ciyrtrrkre ktqegdrlar lvdtdtvldc ac
【０１４７】
潜在型形質転換増殖因子β結合タンパク質４（ＬＴＢＰ４）（例えば、ＧｅｎＢａｎｋ登録番号Ａ６ＮＣＧ８（配列番号５）：
mplanhrdde hgvasmvsvh vehpqeasvv vhqvervsgp weeadaeava   50
raeaaaraea aapytvlaqs apredgysda sgfgycfrel rggecasplp  100
glrtqevccr gaglawgvhd cqlcserlgn servsapdgp cptgfervng  150
scedvdecat ggrcqhgeca ntrggytcvc pdgflldssr sscisqhvis  200
eakgpcfrvl rdggcslpil rnitkqiccc srvgkawgrg cqlcppfgse  250
gfreicpagp gyhysasdlr yntrplgqep prvslsqprt lpatsrpsag  300
flpthrlepr peprpdprpg pelplpsipa wtgpeipesg pssgmcqrnp  350
qvcgpgrcis rpsgytcacd sgfrlspqgt rcidvdecrr vpppcapgrc  400
enspgsfrcv cgpgfragpr aaecldvdec hrvpppcdlg rcentpgsfl  450
cvcpagyqaa phgascqdvd ectqspglcg rgacknlpgs frcvcpagfr  500
gsaceedvde caqepppcgp grcdntagsf hcacpagfrs rgpgapcqdv  550
decarspppc tygrcenteg sfqcvcpmgf qpntagsece dvdecenhla  600
cpgqecvnsp gsfqcrtcps ghhlhrgrct dvdecssgap pcgphghctn  650
tegsfrcsca pgyrapsgrp gpcadvnecl egdfcfphge clntdgsfac  700
tcapgyrpgp rgascldvde cseedlcqsg ictntdgsfe cicppghrag  750
pdlascldvd ecrergpalc gsqrcenspg syrcvrdcdp gyhagpegtc  800
ddvdecqeyg peicgaqrce ntpgsyrctp acdpgyqptp gggcqdvdec  850
rnrsfcgaha vcqnlpgsfq clcdqyegar dgrhcvdvne cetlqgvcga  900
alcenvegsf lcvcpnspee fdpmtgrcvp prtsagtfpg sqpqapaspv  950
lparpppppl prrpstprqg pvgsgrrecy fdtaapdacd nilarnvtwq 1000
eccctvgegw gsgcriqqcp gtetaeyqsl cphgrgylap sgdlslrrdv 1050
decqlfrdqv cksgvcvnta pgyscycsng yyyhtqrlec idndecadee 1100
paceggrcvn tvgsyhctce pplvldgsqr rcvsnesqsl ddnlgvcwqe 1150
vgadlvcshp rldrqatyte ccclygeawg mdcalcpaqd sddfealcnv 1200
lrppaysppr pggfglpyey gpdlgppyqg lpygpelypp palpydpypp 1250
ppgpfarrea pygaprfdmp dfeddggpyg eseapappgp gtrwpyrsrd 1300
trrsfpepee ppeggsyags laepyeelea eecgildgct ngrcvrvpeg 1350
ftcrcfdgyr ldmtrmacvd inecdeaeaa splcvnarcl ntdgsfrcic 1400
rpgfapthqp hhcaparpra                                  1420
【０１４８】
ＡＳＸＬ１（付加的性コーム様１）（例えば、ＧｅｎＢａｎｋ登録番号Ｑ８ＩＸＪ９−１（配列番号６）：
1   mkdkqkkkke rtwaeaarlv lenysdapmt pkqilqviea eglkemrsgt splaclnaml
61  hsnsrggegl fyklpgrisl ftlkkdalqw srhpatvege epedtadves cgsneastvs
121 gendvsldet ssnascstes qsrplsnprd syrassqank qkkktgvmlp rvvltplkvn
181 gahvesasgf sgchadgesg spsssssgsl algsaairgq aevtqdpapl lrgfrkpatg
241 qmkrnrgeei dfetpgsilv ntnlralins rtfhalpshf qqqllfllpe vdrqvgtdgl
301 lrlsssalnn effthaaqsw rerladgeft hemqvrirqe mekekkveqw kekffedyyg
361 qklgltkees lqqnvgqeea eiksglcvpg esvriqrgpa trqrdghfkk rsrpdlrtra
421 rrnlykkqes eqagvakdak svasdvplyk dgeaktdpag lssphlpgts saapdlegpe
481 fpvesvasri qaepdnlara saspdripsl pqetvdqepk dqkrksfeqa asasfpekkp
541 rledrqsfrn tiesvhtekp qptkeepkvp piriqlsrik ppwvvkgqpt yqicpriipt
601 tesscrgwtg artladikar alqvrgargh hchreaatta igggggpggg gggatdeggg
661 rgsssgdgge acghpeprgg pstpgkctsd lqrtqllppy plngehtqag tamsrarred
721 lpslrkeesc llqratvglt dglgdasqlp vaptgdqpcq alpllssqts vaerlveqpq
781 lhpdvrtece sgttswesdd eeqgptvpad ngpipslvgd dtlekgtgqa ldshptmkdp
841 vnvtpsstpe ssptdclqnr afddelglgg scppmresdt rqenlktkal vsnsslhwip
901 ipsndevvkq pkpesrehip svepqvgeew ekaaptppal pgdltaeegl dpldsltslw
961 tvpsrggsds ngsycqqvdi eklkingdse alsphgestd tasdfeghlt edsseadtre
1021 aavtkgssvd kdekpnwnqs aplskvngdm rlvtrtdgmv apqswvsrvc avrqkipdsl
1081 llasteyqpr avclsmpgss veatnplvmq llqgslplek vlppahddsm sespqvpltk
1141 dqshgslrmg slhglgknsg mvdgsspssl ralkepllpd scetgtglar ieatqapgap
1201 qknckavpsf dslhpvtnpi tssrkleemd skeqfssfsc edqkevrams qdsnsnaapg
1261 kspgdlttsr tprfsspnvi sfgpeqtgra lgdqsnvtgq gkklfgsgnv aatlqrprpa
1321 dpmplpaeip pvfpsgklgp stnsmsggvq tpredwapkp hafvgsvkne ktfvggplka
1381 naenrkatgh splelvghle gmpfvmdlpf wklprepgkg lseplepssl psqlsikqaf
1441 ygklsklqls stsfnyssss ptfpkglags vvqlshkanf gashsaslsl qmftdsstve
1501 sislqcacsl kamimcqgcg afchddcigp sklcvlclvv r
【０１４９】
βグロビン（ＨＢＢ）（例えば、ＧｅｎＢａｎｋ登録番号Ｐ６８８７１（配列番号７）：
1  mvhltpeeks avtalwgkvn vdevggealg rllvvypwtq rffesfgdls tpdavmgnpk
61 vkahgkkvlg afsdglahld nlkgtfatls elhcdklhvd penfrllgnv lvcvlahhfg
121 keftppvqaa yqkvvagvan alahkyh
【０１５０】
ＢＭＰ１５−骨形成タンパク質（例えば、ＧｅｎＢａｎｋ登録番号ＮＭ＿００５４４８．１（ＵｎｉＰｒｏｔ登録番号Ｏ９５９７２も参照されたい）（配列番号８）：
1   mvllsilril flcelvlfme hraqmaeggq ssiallaeap tlplieelle espgeqprkp
61  rllghslrym lelyrrsads hghprenrti gatmvrlvkp ltnvarphrg twhiqilgfp
121 lrpnrglyql vratvvyrhh lqltrfnlsc hvepwvqknp tnhfpssegd sskpslmsna
181 wkemditqlv qqrfwnnkgh rilrlrfmcq qqkdsgglel whgtssldia flllyfndth
241 ksirkakflp rgmeefmere sllrrtrqad gisaevtass skhsgpennq cslhpfqisf
301 rqlgwdhwii appfytpnyc kgtclrvlrd glnspnhaii qnlinqlvdq svprpscvpy
361 kyvpisvlmi eangsilyke yegmiaesct cr
【０１５１】
ＴＲＩＭ４９（ＲＮＦ１８；三部分モチーフ含有４９としても知られる）（例えば、ＧｅｎＢａｎｋ登録番号Ｑ９ＮＳ８０（配列番号９）：
1   mnsgilqvfq gelicplcmn yfidpvtidc ghsfcrpcfy lnwqdipflv qcsectkste
61  qinlktnihl kkmaslarkv slwlflssee qmcgthretk kifcevdrsl lcllcsssqe
121 hryhrhrpie waaeehrekl lqkmqslwek acenhrnlnv ettrtrcwkd yvnlrleair
181 aeyqkmpafh heeekhnlem lkkkgkeifh rlhlskakma hrmeilrgmy eelnemchkp
241 dvellqafgd ilhrsesvll hmpqplnpel sagpitglrd rlnqfrvhit lhheeanndi
301 flyeilrsmc igcdhqdvpy ftatprsfla wgvqtftsgk yywevhvgds wnwafgvcnm
361 yrkeknqnek idgkaglfll gcvkndiqcs lfttsplmlq yipkptsrvg lfldceaktv
421 sfvdvnqssl iytipncsfs pplrpifcci hf
【０１５２】
ＤＮＡＪホモログサブファミリーＢメンバー１１前駆体（例えば、ＧｅｎＢａｎｋ登録番号Ｑ９ＵＢＳ４（配列番号１０）：
1   mapqnlstfc llllyligav iagrdfykil gvprsasikd ikkayrklal qlhpdrnpdd
61  pqaqekfqdl gaayevlsds ekrkqydtyg eeglkdghqs shgdifshff gdfgfmfggt
121 prqqdrnipr gsdiivdlev tleevyagnf vevvrnkpva rqapgkrkcn crqemrttql
181 gpgrfqmtqe vvcdecpnvk lvneertlev eiepgvrdgm eypfigegep hvdgepgdlr
241 frikvvkhpi ferrgddlyt nvtislvesl vgfemdithl dghkvhisrd kitrpgaklw
301 kkgeglpnfd nnnikgslii tfdvdfpkeq lteearegik qllkqgsvqk vynglqgy
【０１５３】
未同定造血幹細胞／前駆細胞タンパク質ＭＤＳ０２７（ＭＤＳ０２７  ｈＨＢｒｋ１  ＨＳＰＣ３００としても知られる）（例えば、ＧｅｎＢａｎｋ登録番号Ｑ９ＮＺ４７（配列番号１１）：
1  mrgidtpsdr kkslkmslqa kwgpgldlsk strnwwvsnn ilwqphcqgm svltrtaphf
61 ppkvgrrqrl fteavqrq
【０１５４】
未同定タンパク質ＡＬＢ（例えば、ＧｅｎＢａｎｋ登録番号Ａ６ＮＢＺ８（配列番号１２）：
mkwvtfisll flfssaysrg vfrrdahkse vahrfkdlge enfkalvlia  50
faqylqqcpf edhvklvnev tefaktcvad esaencdksl htlfgdklct 100
vatlretyge madccakqep ernecflqhk ddnpnlprlv rpevdvmcta 150
fhdneetflk kylyeiarrh pyfyapellf fakrykaaft eccqaadkaa 200
cllpkldelr degkassakq rlkcaslqkf gerafkawav arlsqrfpka 250
efaevsklvt dltkvhtecc hgdllecadd radlakyice nqdsissklk 300
eccekpllek shciaevend empadlpsla adfveskdvc knyaeakdvf 350
lgmflyeyar rhpdysvvll lrlaktyett lekccaaadp hecyakvfde 400
fkplveepqn likqncelfe qlgeykfqna llvrytkkvp qvstptlvev 450
srnlgkvgsk cckhpeakrm pcaedylsvv lnqlcvlhek tpvsdrvtkc 500
cteslvnrrp cfsalevdet yvpkefnaet ftfhadictl sekerqikkq 550
talvelvkhk pkatkeqlka vmddfaafve kcckaddket cfaeegqktc 600
cckssclrli tshlkasqpt mrirerk                          627
【０１５５】
ｓｕｓｈｉ、ナイドジェン及びＥＧＦ−様ドメイン含有タンパク質１前駆体のアイソフォーム３（例えば、ＧｅｎＢａｎｋ登録番号Ｑ８ＴＥＲ０−４（配列番号１３）：
1   mrhgvawall vaaalglgar gvrgavalad fypfgaergd avtpkqddgg sglrplsvpf
61  pffgaehsgl yvnnngiisf lkevsqftpv afpiakdrcv vaafwadvdn rragdvyyre
121 atdpamlrra tedvrhyfpe lldfnatwvf vatwyrvtff ggsssspvnt fqtvlitdgk
181 lsftifnyes ivwttgthas sggnatglgg iaaqagfnag dgqryfsipg srtadmaeve
241 tttnvgvpgr wafriddaqv rvggcghtts vclalrpcln ggkciddcvt gnpsytcscl
301 sgftgrrchl dvnecasqpc qnggtcthgi nsfrcqcpag fggptcetaq spcdtkecqh
361 ggqcqvengs avcvcqagyt gaacemdvdd cspdpclngg scvdlvgnyt clcaepfkgl
421 rcetgdhpvp daclsapchn ggtcvdadqg yvcecpegfm gldcrervpd dcecrnggrc
481 lganttlcqc plgffgllce feitampcnm ntqcpdggyc mehggsylcv chtdhnashs
541 lpspcdsdpc fnggscdahd dsytcecprg fhgkhcekar phlcssgpcr nggtckeagg
601 eyhcscpyrf tgrhceigkp dscasgpchn ggtcfhyigk ykcdcppgfs grhceiapsp
661 cfrspcvngg tcedrdtdff chcqagymgr rcqaevdcgp peevkhatlr fngtrlgava
721 lyacdrgysl sapsrirvcq phgvwseppq cleidecrsq pclhggscqd rvagylclcs
781 tgyegahcel erdecrahpc rnggscrnlp gayvcrcpag fvgvhcetev dacdsspcqh
841 ggrcesggga ylcvcpesff gyhcetvsdp cfsspcggrg yclasngshs ctckvgytge
901 dcakelfppt alkmervees gvsiswnppn gpaarqmldg yavtyvssdg syrrtdfvdr
961 trsshqlqal aagraynisv fsvkrnsnnk ndisrpavll artrprpveg fevtnvtast
1021 isvqwalhri rhatvsgvrv sirhpealrd qatdvdrsvd rftfrallpg krytiqlttl
1081 sglrgeehpt eslatapthv wtrplppanl taarvtatsa hvvwdaptpg slleayvinv
1141 ttsqstksry vpngklasyt vrdllpgrry qlsviavqst elgpqhsepa hlyiitsprd
1201 gadrrwhqgg hhprvlknrp pparlpelrl lndhsapetp tqpprfselv dgrgrvsarf
1261 ggspskaatv rsqptasaql enmeeapkrv slalqlpehg skdignvpgn csenpcqngg
1321 tcvpgadahs cdcgpgfkgr rcelacikvs rpctrlfset kafpvweggv chhvykrvyr
1381 vhqdicfkes cestslkktp nrkqsksqtl eks
【０１５６】
ペリフェリンのアイソフォーム２（例えば、ＧｅｎＢａｎｋ登録番号Ｐ４１２１９−２（配列番号１４）：
1   mshhpsglra gfsstsyrrt fgpppslspg afsyssssrf sssrllgsas psssvrlgsf
61  rspragagal lrlpserldf smaealnqef latrsnekqe lqelndrfan fiekvrfleq
121 qnaalrgels qargqepara dqlcqqelre lrrelellgr erdrvqverd glaedlaalk
181 qrleeetrkr edaehnlvlf rkdvddatls rlelerkies lmdeieflkk lheeelrdlq
241 vsvesqqvqq veveatvkpe ltaalrdira qyesiaaknl qeaeewyksk yadlsdaanr
301 nhealrqakq emnesrrqiq sltcevdglr gtneallrql releeqfale aggyqagaar
361 leeelrqlke emarhlreyq ellnvkmald ieiatyrkll egeesrisvp vhsfaslnik
421 ttvpeveppq dshsrktvli ktietrngev vtesqkeqrs eldkssahsy
【０１５７】
ミトコンドリア２８Ｓリボソームタンパク質Ｓ２２（例えば、ＧｅｎＢａｎｋ登録番号Ｐ８２６５０（配列番号１５）：
1   maplgttvll wsllrsspgv ervcfrariq pwhggllqpl pcsfemglpr rrfsseaaes
61  gspetkkptf mdeevqsilt kmtglnlqkt fkpaiqelkp ptyklmtqaq leeatrqave
121 aakvrlkmpp vleervpind vlaedkileg tettkyvftd isysiphrer fivvrepsgt
181 lrkasweerd rmiqvyfpke grkiltpiif keenlrtmys qdrhvdvlnl cfaqfepdst
241 eyikvhhkty edidkrgkyd llrstryfgg mvwyfvnnkk idgllidqiq rdliddatnl
301 vqlyhvlhpd gqsaqgakdq aaeginlikv fakteaqkga yieltlqtyq ealsrhsaas
【０１５８】
翻訳開始因子ＥＩＦ−２Ｂサブユニットε（例えば、ＧｅｎＢａｎｋ登録番号Ｑ１３１４４（配列番号１６）：
1   maapvvappg vvvsrankrs gagpggsggg gargaeeepp pplqavlvad sfdrrffpis
61  kdqprvllpl anvalidytl efltatgvqe tfvfccwkaa qikehllksk wcrptslnvv
121 riitselyrs lgdvlrdvda kalvrsdfll vygdvisnin itraleehrl rrkleknvsv
181 mtmifkessp shptrchedn vvvavdsttn rvlhfqktqg lrrfafplsl fqgssdgvev
241 rydlldchis icspqvaqlf tdnfdyqtrd dfvrgllvne eilgnqihmh vtakeygarv
301 snlhmysavc advirrwvyp ltpeanftds ttqscthsrh niyrgpevsl ghgsileenv
361 llgsgtvigs ncfitnsvig pgchigdnvv ldqtylwqgv rvaagaqihq sllcdnaevk
421 ervtlkprsv ltsqvvvgpn itlpegsvis lhppdaeede ddgefsddsg adqekdkvkm
481 kgynpaevga agkgylwkaa gmnmeeeeel qqnlwglkin meeesesese qsmdseepds
541 rggspqmddi kvfqnevlgt lqrgkeenis cdnlvleins lkyaynislk evmqvlshvv
601 lefplqqmds pldssrycal llpllkawsp vfrnyikraa dhlealaaie dfflehealg
661 ismakvlmaf yqleilaeet ilswfsqrdt tdkgqqlrkn qqlqrfiqwl keaeeessed
721 d
【０１５９】
エストラジオール１７−β−デヒドロゲナーゼ１（例えば、ＧｅｎＢａｎｋ登録番号Ｐ１４０６１（配列番号１７）：
1   martvvlitg cssgiglhla vrlasdpsqs fkvyatlrdl ktqgrlweaa ralacppgsl
61  etlqldvrds ksvaaarerv tegrvdvlvc naglgllgpl ealgedavas vldvnvvgtv
121 rmlqaflpdm krrgsgrvlv tgsvgglmgl pfndvycask faleglcesl avlllpfgvh
181 lsliecgpvh tafmekvlgs peevldrtdi htfhrfyqyl ahskqvfrea aqnpeevaev
241 fltalrapkp tlryftterf lpllrmrldd psgsnyvtam hrevfgdvpa kaeagaeagg
301 gagpgaedea grsavgdpel gdppaapq
【０１６０】
ＸＲＣＣ６ＢＰ１（例えば、ＧｅｎＢａｎｋ登録番号Ｑ８Ｎ４Ｌ５（配列番号１８）：
1  magapderrr gpaageqlqq qhvscqvfpe rlaqgnpqqg ffssfftcnq kcqlrllktl
61 etsrshdlea vvpqngsetg warkglgntw pgasgsaqsl drlgimgagl ga
【０１６１】
脳特異的血管新生阻害物質１前駆体（例えば、ＧｅｎＢａｎｋ登録番号Ｏ１４５１４（配列番号１９）：
1   mrgqaaapgp vwilapllll llllgrrara aagadagpgp epcatlvqgk ffgyfsaaav
61  fpanasrcsw tlrnpdprry tlymkvakap vpcsgpgrvr tyqfdsfles trtylgvesf
121 devlrlcdps aplaflqask qflqmrrqqp pqhdglrpra gppgptddfs veylvvgnrn
181 psraacqmlc rwldaclags rsshpcgimq tpcaclggea ggpaagplap rgdvclrdav
241 aggpenclts ltqdrgghga tggwklwslw gectrdcggg lqtrtrtclp apgvegggce
301 gvleegrqcn reacgpagrt ssrsqslrst darrreelgd elqqfgfpap qtgdpaaeew
361 spwsvcsstc gegwqtrtrf cvsssystqc sgplreqrlc nnsavcpvhg awdewspwsl
421 csstcgrgfr drtrtcrppq fggnpcegpe kqtkfcnial cpgravdgnw newsswsacs
481 ascsqgrqqr trecngpsyg gaecqghwve trdcflqqcp vdgkwqawas wgscsvtcga
541 gsqrrervcs gpffggaacq gpqdeyrqcg tqrcpephei cdednfgavi wketpageva
601 avrcprnatg lilrrcelde egiayweppt yircvsidyr niqmmtrehl akaqrglpge
661 gvseviqtlv eisqdgtsys gdllstidvl rnmteifrra yysptpgdvq nfvqilsnll
721 aeenrdkwee aqlagpnake lfrlvedfvd vigfrmkdlr dayqvtdnlv lsihklpasg
781 atdisfpmkg wratgdwakv pedrvtvsks vfstgltead easvfvvgtv lyrnlgsfla
841 lqrnttvlns kvisvtvkpp prslrtplei efahmyngtt nqtcilwdet dvpsssappq
901 lgpwswrgcr tvpldalrtr clcdrlstfa ilaqlsadan mekatlpsvt livgcgvssl
961 tllmlviiyv svwryirser svilinfcls iissnalili gqtqtrnkvm ctlvaaflhf
1021 fflssfcwvl teawqsymav tghlrnrlir krflclgwgl palvvaisvg ftkakgystm
1081 nycwlslegg llyafvgpaa avvlvnmvig ilvfnklvsk dgitdkklke ragaslwssc
1141 vvlpllaltw msavlavtdr rsalfqilfa vfdslegfvi vmvhcilrre vqdavkcrvv
1201 drqeegngds ggsfqnghaq lmtdfekdvd lacrsvlnkd iaacrtatit gtlkrpslpe
1261 eeklklahak gpptnfnslp anvsklhlhg sprypggplp dfpnhsltlk rdkapkssfv
1321 gdgdifkkld selsraqeka ldtsyvilpt atatlrpkpk eepkysihid qmpqtrlihl
1381 stapeaslpa rsppsrqpps ggppeappaq pppppppppp ppqqplpppp nlepappslg
1441 dpgepaahpg pstgpstkne nvatlsvssl errksryael dfekimhtrk rhqdmfqdln
1501 rklqhaaekd kevlgpdskp ekqqtpnkrp weslrkahgt ptwvkkelep lqpsplelrs
1561 vewersgati plvgqdiidl qtev
【０１６２】
リングフィンガー及びＣＣＣＨ−型ジンクフィンガードメイン含有タンパク質２のアイソフォーム２（例えば、ＧｅｎＢａｎｋ登録番号Ｑ９ＨＢＤ１−２（配列番号２０）：
1   mpvqaaqwte flscpicyne fdenvhkpis lgcshtvckt clnklhrkac pfdqtaintd
61  idvlpvnfal lqlvgaqvpd hqsiklsnlg enkhyevakk cvedlalylk plsggkgvas
121 lnqsalsrpm qrklvtlvnc qlveeegrvr amraarslge rtvtelilqh qnpqqlsanl
181 waavrargcq flgpamqeea lklvllaled gsalsrkvlv lfvvqrlepr fpqasktsig
241 hvvqllyras cfkvtkrded sslmqlkeef rsyealrreh daqivhiame aglrispeqw
301 ssllygdlah kshmqsiidk lqspesfaks vqeltivlqr tgdpanlnrl rphlellani
361 dpnpdavspt weqlenamva vktvvhglvd fiqnysrkgh etpqpqpnsk yktsmcrdlr
421 qqggcprgtn ctfahsqeel ekyrlrnkki natvrtfpll nkvgvnntvt ttagnvisvi
481 gstettgkiv pstngisnae nsvsqlisrs tdstlralet vkkvgkvgan gqnaagpsad
541 svtenkigsp pktpvsnvaa tsagpsnvgt elnsvpqkss pfltrvpvyp phseniqyfq
601 dprtqipfev pqypqtgyyp ppptvpagva pcvprfvrsn nvpesslppa smpyadhyst
661 fsprdrmnss pyqppppqpy gpvppvpsgm yapvydsrri wrppmyqrdd iirsnslppm
721 dvmhssvyqt slrerynsld gyysvacqpp seprttvplp repcghlkts ceeqirrkpd
781 qwaqyhtqka plvsstlpva tqsptppspl fsvdfradfs esvsgtkfee dhlshyspws
841 cgtigscina idsepkdvia nsnavlmdld sgdvkrrvhl fetqrrtkee dpiipfsdgp
901 iiskwgaisr ssrtgyhttd pvqatasqgs atkpisvsdy vpyvnavdsr wssygneats
961 sahyverdrf ivtdlsghrk hsstgdllsl elqqaksnsl llqreanala mqqkwnslde
1021 grhltlnlls keielrngel qsdytedatd tkpdrdiele lsaldtdepd gqsepieeil
1081 diqlgissqn dqllngmave nghpvqqhqk eppkqkkqsl gedhvileeq ktilpvtscf
1141 sqplpvsisn asclpittsv sagnlilkth vmsedkndfl kpvangkmvn s
【０１６３】
ヘモグロビンサブユニットβ（例えば、ＧｅｎＢａｎｋ登録番号Ｐ６８８７１（配列番号２１）：
1   mvhltpeeks avtalwgkvn vdevggealg rllvvypwtq rffesfgdls tpdavmgnpk
61  vkahgkkvlg afsdglahld nlkgtfatls elhcdklhvd penfrllgnv lvcvlahhfg
121 keftppvqaa yqkvvagvan alahkyh
【０１６４】
遠位上流エレメント結合タンパク質１のアイソフォーム１（例えば、ＧｅｎＢａｎｋ登録番号Ｑ９６ＡＥ４−１（配列番号２２）：
1   madystvppp ssgsaggggg ggggggvnda fkdalqrarq iaakiggdag tslnsndygy
61  ggqkrpledg dqpdakkvap qndsfgtqlp pmhqqqsrsv mteeykvpdg mvgfiigrgg
121 eqisriqqes gckiqiapds gglperscml tgtpesvqsa krlldqivek grpapgfhhg
181 dgpgnavqei mipaskaglv igkggetikq lqeragvkmv miqdgpqntg adkplritgd
241 pykvqqakem vlelirdqgg frevrneygs riggnegidv piprfavgiv igrngemikk
301 iqndagvriq fkpddgttpe riaqitgppd rcqhaaeiit dllrsvqagn pggpgpggrg
361 rgrgqgnwnm gppgglqefn fivptgktgl iigkggetik sisqqsgari elqrnpppna
421 dpnmklftir gtpqqidyar qlieekiggp vnplgppvph gphgvpgphg ppgppgpgtp
481 mgpynpapyn pgppgpaphg ppapyapqgw gnayphwqqq appdpakagt dpnsaawaay
541 yahyyqqqaq pppaapagap tttqtngqgd qqnpapagqv dytkaweeyy kkmgqavpap
601 tgappggqpd ysaawaeyyr qqaayyaqts pqgmpqhppa pqgq
【０１６５】
ガレクチン−３（例えば、ＧｅｎＢａｎｋ登録番号Ｐ１７９３１（配列番号２３）：
1   madnfslhda lsgsgnpnpq gwpgawgnqp agaggypgas ypgaypgqap pgaypgqapp
61  gayhgapgay pgapapgvyp gppsgpgayp ssgqpsapga ypatgpygap agplivpynl
121 plpggvvprm litilgtvkp nanrialdfq rgndvafhfn prfnennrrv ivcntkldnn
181 wgreerqsvf pfesgkpfki qvlvepdhfk vavndahllq ynhrvkklne isklgisgdi
241 dltsasytmi
【０１６６】
リゾチームＣ前駆体（例えば、ＧｅｎＢａｎｋ登録番号Ｐ６１６２６（配列番号２４）：
1   mkalivlglv llsvtvqgkv fercelartl krlgmdgyrg islanwmcla kwesgyntra
61  tnynagdrst dygifqinsr ywcndgktpg avnachlscs allqdniada vacakrvvrd
121 pqgirawvaw rnrcqnrdvr qyvqgcgv
【０１６７】
アクチン，α骨格筋（例えば、ＧｅｎＢａｎｋ登録番号Ｐ６８１３３（配列番号２５）：
1   mcdedettal vcdngsglvk agfagddapr avfpsivgrp rhqgvmvgmg qkdsyvgdea
61  qskrgiltlk ypiehgiitn wddmekiwhh tfynelrvap eehptlltea plnpkanrek
121 mtqimfetfn vpamyvaiqa vlslyasgrt tgivldsgdg vthnvpiyeg yalphaimrl
181 dlagrdltdy lmkiltergy sfvttaerei vrdikeklcy valdfenema taasssslek
241 syelpdgqvi tignerfrcp etlfqpsfig mesagihett ynsimkcdid irkdlyannv
301 msggttmypg iadrmqkeit alapstmkik iiapperkys vwiggsilas lstfqqmwit
361 kqeydeagps ivhrkcf
【０１６８】
ピルビン酸キナーゼアイソザイムＭ１／Ｍ２のアイソフォームＭ２（例えば、ＧｅｎＢａｎｋ登録番号Ｐ１４６１８−１（配列番号２６）：
1   mskphseagt afiqtqqlha amadtflehm crldidsppi tarntgiict igpasrsvet
61  lkemiksgmn varlnfshgt heyhaetikn vrtatesfas dpilyrpvav aldtkgpeir
121 tglikgsgta evelkkgatl kitldnayme kcdenilwld yknickvvev gskiyvddgl
181 islqvkqkga dflvteveng gslgskkgvn lpgaavdlpa vsekdiqdlk fgveqdvdmv
241 fasfirkasd vhevrkvlge kgknikiisk ienhegvrrf deileasdgi mvargdlgie
301 ipaekvflaq kmmigrcnra gkpvicatqm lesmikkprp traegsdvan avldgadcim
361 lsgetakgdy pleavrmqhl iareaeaaiy hlqlfeelrr lapitsdpte atavgaveas
421 fkccsgaiiv ltksgrsahq varyrprapi iavtrnpqta rqahlyrgif pvlckdpvqe
481 awaedvdlrv nfamnvgkar gffkkgdvvi vltgwrpgsg ftntmrvvpv p
【０１６９】
ＡＧＲ２（例えば、ＧｅｎＢａｎｋ登録番号Ｏ９５９９４（配列番号２７）：
1   mekipvsafl llvalsytla rdttvkpgak kdtkdsrpkl pqtlsrgwgd qliwtqtyee
61  alyksktsnk plmiihhlde cphsqalkkv faenkeiqkl aeqfvllnlv yettdkhlsp
121 dgqyvprimf vdpsltvrad itgrysnrly ayepadtall ldnmkkalkl lktel
【０１７０】
好中球デフェンシン１前駆体（例えば、ＧｅｎＢａｎｋ登録番号Ｐ５９６６５（配列番号２８）：
1  mrtlailaai llvalqaqae plqaradeva aapeqiaadi pevvvslawd eslapkhpgs
61 rknmacycri paciagerry gtciyqgrlw afcc
【０１７１】
ミエロブラスチン前駆体（例えば、ＧｅｎＢａｎｋ登録番号Ｐ２４１５８（配列番号２９）：
1   mahrppspal asvllallls gaaraaeivg gheaqphsrp ymaslqmrgn pgshfcggtl
61  ihpsfvltaa hclrdipqrl vnvvlgahnv rtqeptqqhf svaqvflnny daenklndvl
121 liqlsspanl sasvatvqlp qqdqpvphgt qclamgwgrv gahdppaqvl qelnvtvvtf
181 fcrphnictf vprrkagicf gdsggplicd giiqgidsfv iwgcatrlfp dfftrvalyv
241 dwirstlrrv eakgrp
【０１７２】
未同定タンパク質ＰＳＭＥ２（例えば、ＧｅｎＢａｎｋ登録番号Ｑ９ＵＬ４６（配列番号３０）：
makpcgvrls gearkqvevf rqnlfqeaee flyrflpqki iylnqllqed  50
slnvadltsl rapldipipd pppkddemet dkqekkevpk cgflpgnekv 100
lsllalvkpe vwtlkekcil vitwiqhlip kiedgndfgv aiqekvlerv 150
navktkveaf qttiskyfse rgdavakask ethvmdyral vherdeaayg 200
elramvldlr afyaelyhii ssnlekivnp kgeekpsmy             239
【０１７３】
チューブリンβ−２Ｃ鎖（例えば、ＧｅｎＢａｎｋ登録番号Ｐ６８３７１（配列番号３１）：
1   mreivhlqag qcgnqigakf wevisdehgi dptgtyhgds dlqlerinvy yneatggkyv
61  pravlvdlep gtmdsvrsgp fgqifrpdnf vfgqsgagnn wakghytega elvdsvldvv
121 rkeaescdcl qgfqlthslg ggtgsgmgtl liskireeyp drimntfsvv pspkvsdtvv
181 epynatlsvh qlventdety cidnealydi cfrtlklttp tygdlnhlvs atmsgvttcl
241 rfpgqlnadl rklavnmvpf prlhffmpgf apltsrgsqq yraltvpelt qqmfdaknmm
301 aacdprhgry ltvaavfrgr msmkevdeqm lnvqnknssy fvewipnnvk tavcdipprg
361 lkmsatfign staiqelfkr iseqftamfr rkaflhwytg egmdemefte aesnmndlvs
421 eyqqyqdata eeegefeeea eeeva
【０１７４】
チオ硫酸サルファトランスフェラーゼ（例えば、ＧｅｎＢａｎｋ登録番号Ｑ１６７６２（配列番号３２）：
1   mvhqvlyral vstkwlaesi rtgklgpglr vldaswyspg trearkeyle rhvpgasffd
61  ieecrdtasp yemmlpseag faeyvgrlgi snhthvvvyd gehlgsfyap rvwwmfrvfg
121 hrtvsvlngg frnwlkeghp vtsepsrpep avfkatldrs llktyeqvle nleskrfqlv
181 dsrsqgrflg tepepdavgl dsghirgavn mpfmdflted gfekgpeelr alfqtkkvdl
241 sqpliatcrk gvtachvala aylcgkpdva vydgswsewf rrappesrvs qgkseka
【０１７５】
熱ショック７０ｋＤａタンパク質１（例えば、ＧｅｎＢａｎｋ登録番号Ｐ０８１０７（配列番号３３）：
1   makaaaigid lgttyscvgv fqhgkveiia ndqgnrttps yvaftdterl igdaaknqva
61  lnpqntvfda krligrkfgd pvvqsdmkhw pfqvindgdk pkvqvsykge tkafypeeis
121 smvltkmkei aeaylgypvt navitvpayf ndsqrqatkd agviaglnvl riineptaaa
181 iaygldrtgk gernvlifdl gggtfdvsil tiddgifevk atagdthlgg edfdnrlvnh
241 fveefkrkhk kdisqnkrav rrlrtacera krtlssstqa sleidslfeg idfytsitra
301 rfeelcsdlf rstlepveka lrdakldkaq ihdlvlvggs tripkvqkll qdffngrdln
361 ksinpdeava ygaavqaail mgdksenvqd lllldvapls lgletaggvm talikrnsti
421 ptkqtqiftt ysdnqpgvli qvyegeramt kdnnllgrfe lsgippaprg vpqievtfdi
481 dangilnvta tdkstgkank ititndkgrl skeeiermvq eaekykaede vqrervsakn
541 alesyafnmk savedeglkg kiseadkkkv ldkcqevisw ldantlaekd efehkrkele
601 qvcnpiisgl yqgaggpgpg gfgaqgpkgg sgsgptieev d
【０１７６】
Ｉｇκ鎖Ｖ−ＩＩＩ領域ｓｉｅ（例えば、ＧｅｎＢａｎｋ登録番号Ｐ０１６２０（配列番号３４）：
1  eivltqspgt lslspgerat lscrasqsvs nsylawyqqk pgqaprlliy gassratgip
61 drfsgsgsgt dftltisrle pddfavyycq qygsspqtfg qgskveikr
【０１７７】
マクロファージ遊走阻止因子（例えば、ＧｅｎＢａｎｋ登録番号Ｐ１４１７４（配列番号３５）：
1  mpmfivntnv prasvpdgfl seltqqlaqa tgkppqyiav hvvpdqlmaf ggssepcalc
61 slhsigkigg aqnrsyskll cgllaerlri spdrvyinyy dmnaanvgwn nstfa
【０１７８】
ＡＴＰシンターゼサブユニットＤのアイソフォーム１，ミトコンドリア性（例えば、ＧｅｎＢａｎｋ登録番号Ｏ７５９４７−１（配列番号３６）：
1   magrklalkt idwvafaeii pqnqkaiass lkswnetlts rlaalpenpp aidwayykan
61  vakaglvddf ekkfnalkvp vpedkytaqv daeekedvks caewvslska riveyekeme
121 kmknlipfdq mtiedlneaf petkldkkky pywphqpien l
【０１７９】
未同定タンパク質ＥＮＳＰ０００００３７４０５１（例えば、ＧｅｎＢａｎｋ登録番号Ａ６ＮＧＭ３（配列番号３７）：
mvvdknkrlt kggkkgakkk vvdpfskkdw ydvnapamfn irnigktlvt  50
rtqgtkiasd grvfevslad lqndevafrk fklitedvqg kncltnfhgv 100
dltsdkmcsm vkkwqtmiea hvdvkttdgy llrlfcvgft kkrnnqirkt 150
syaqhqqvlt sqirkkmmei mtrevqtndl kevvnklipd sigkdvekac 200
qsiyplhdvf vrkvkmlkkp kfelgklmel hgegcssgka tgdetgvkve 250
radgyelpvq esv                                         263
【０１８０】
イソクエン酸デヒドロゲナーゼ［ＮＡＤＰ］細胞質性（例えば、ＧｅｎＢａｎｋ登録番号Ｏ７５８７４（配列番号３８）：
1   mskkisggsv vemqgdemtr iiwelikekl ifpyveldlh sydlgienrd atndqvtkda
61  aeaikkhnvg vkcatitpde krveefklkq mwkspngtir nilggtvfre aiickniprl
121 vsgwvkpiii grhaygdqyr atdfvvpgpg kveitytpsd gtqkvtylvh nfeegggvam
181 gmynqdksie dfahssfqma lskgwplyls tkntilkkyd grfkdifqei ydkqyksqfe
241 aqkiwyehrl iddmvaqamk seggfiwack nydgdvqsds vaqgygslgm mtsvlvcpdg
301 ktveaeaahg tvtrhyrmyq kgqetstnpi asifawtrgl ahrakldnnk elaffanale
361 evsietieag fmtkdlaaci kglpnvqrsd ylntfefmdk lgenlkikla qakl
【０１８１】
ヘモグロビンサブユニットδ（例えば、ＧｅｎＢａｎｋ登録番号Ｐ０２０４２（配列番号３９）：
1   mvhltpeekt avnalwgkvn vdavggealg rllvvypwtq rffesfgdls spdavmgnpk
61  vkahgkkvlg afsdglahld nlkgtfsqls elhcdklhvd penfrllgnv lvcvlarnfg
121 keftpqmqaa yqkvvagvan alahkyh
【０１８２】
スプライシング因子，アルギニン／セリン−リッチ７のアイソフォーム１（例えば、ＧｅｎＢａｎｋ登録番号Ｑ１６６２９−１（配列番号４０）：
1   msrygrygge tkvyvgnlgt gagkgelera fsyygplrtv wiarnppgfa fvefedprda
61  edavrgldgk vicgsrvrve lstgmprrsr fdrpparrpf dpndrcyecg ekghyaydch
121 rysrrrrsrs rsrshsrsrg rrysrsrsrs rgrrsrsasp rrsrsislrr srsaslrrsr
181 sgsikgsryf qspsrsrsrs rsisrprssr sksrspspkr srspsgsprr saspermd
【０１８３】
ｍＲＮＡ−キャッピング酵素のアイソフォーム１（例えば、ＧｅｎＢａｎｋ登録番号Ｏ６０９４２−１（配列番号４１）：
1   mahnkipprw lncprrgqpv agrflplktm lgprydsqva eenrfhpsml snylkslkvk
61  mgllvdltnt srfydrndie kegikyiklq ckghgecptt entetfirlc erfnernppe
121 ligvhcthgf nrtgflicaf lvekmdwsie aavatfaqar ppgiykgdyl kelfrrygdi
181 eeappppllp dwcfeddede dededgkkes epgssasfgk rrkerlklga iflegvtvkg
241 vtqvttqpkl gevqqkchqf cgwegsgfpg aqpvsmdkqn iklldlkpyk vswkadgtry
301 mmlidgtnev fmidrdnsvf hvsnlefpfr kdlrmhlsnt lldgemiidr vngqavpryl
361 iydiikfnsq pvgdcdfnvr lqciereiis prhekmktgl idktqepfsv rnkpffdict
421 srkllegnfa kevshemdgl ifqptgkykp grcddilkwk ppslnsvdfr lkitrmggeg
481 llpqnvglly vggyerpfaq ikvtkelkqy dnkiieckfe nnswvfmrqr tdksfpnayn
541 tamavcnsis npvtkemlfe fidrctaasq gqkrkhhldp dtelmppppp krprplt
【０１８４】
ＬＯＮプロテアーゼホモログ，ミトコンドリア前駆体（例えば、ＧｅｎＢａｎｋ登録番号Ｐ３６７７６（配列番号４２）：
1   maastgyvrl wgaarcwvlr rpmlaaaggr vptaagawll rgqrtcdasp pwalwgrgpa
61  iggqwrgfwe assrgggafs ggedasegga eegaggaggs agagegpvit altpmtipdv
121 fphlpliait rnpvfprfik iievknkklv ellrrkvrla qpyvgvflkr ddsnesdvve
181 sldeiyhtgt faqihemqdl gdklrmivmg hrrvhisrql evepeepeae nkhkprrksk
241 rgkkeaedel sarhpaelam eptpelpaev lmvevenvvh edfqvteevk altaeivkti
301 rdiialnply resvlqmmqa gqrvvdnpiy lsdmgaaltg aeshelqdvl eetnipkrly
361 kalsllkkef elsklqqrlg reveekikqt hrkyllqeql kiikkelgle kddkdaieek
421 frerlkelvv pkhvmdvvde elsklglldn hssefnvtrn yldwltsipw gkysnenldl
481 araqavleed hygmedvkkr ilefiavsql rgstqgkilc fygppgvgkt siarsiaral
541 nreyfrfsvg gmtdvaeikg hrrtyvgamp gkiiqclkkt ktenplilid evdkigrgyq
601 gdpssallel ldpeqnanfl dhyldvpvdl skvlfictan vtdtipeplr drmeminvsg
661 yvaqeklaia erylvpqara lcgldeskak lssdvltlli kqycresgvr nlqkqvekvl
721 rksaykivsg eaesvevtpe nlqdfvgkpv ftvermydvt ppgvvmglaw tamggstlfv
781 etslrrpqdk dakgdkdgsl evtgqlgevm kesariaytf araflmqhap andylvtshi
841 hlhvpegatp kdgpsagcti vtallslamg rpvrqnlamt gevsltgkil pvggikekti
901 aakragvtci vlpaenkkdf ydlaafiteg levhfvehyr eifdiafpde qaealaver
【０１８５】
シグナル認識粒子５４ｋＤａタンパク質（例えば、ＧｅｎＢａｎｋ登録番号Ｐ６１０１１（配列番号４３）：
1   mvladlgrki tsalrslsna tiineevlna mlkevctall eadvniklvk qlrenvksai
61  dleemasgln krkmiqhavf kelvklvdpg vkawtptkgk qnvimfvglq gsgktttcsk
121 layyyqrkgw ktclicadtf ragafdqlkq natkaripfy gsytemdpvi iasegvekfk
181 nenfeiiivd tsgrhkqeds lfeemlqvan aiqpdnivyv mdasigqace aqakafkdkv
241 dvasvivtkl dghakgggal savaatkspi ifigtgehid dfepfktqpf iskllgmgdi
301 eglidkvnel klddnealie klkhgqftlr dmyeqfqnim kmgpfsqilg mipgfgtdfm
361 skgneqesma rlkklmtimd smndqeldst dgakvfskqp griqrvargs gvstrdvqel
421 ltqytkfaqm vkkmggikgl fkggdmsknv sqsqmaklnq qmakmmdprv lhhmggmagl
481 qsmmrqfqqg aagnmkgmmg fnnm
【０１８６】
ガレクチン−９のアイソフォームロング（例えば、ＧｅｎＢａｎｋ登録番号Ｏ００１８２−１（配列番号４４）：
1   mafsgsqapy lspavpfsgt iqgglqdglq itvngtvlss sgtrfavnfq tgfsgndiaf
61  hfnprfedgg yvvcntrqng swgpeerkth mpfqkgmpfd lcflvqssdf kvmvngilfv
121 qyfhrvpfhr vdtisvngsv qlsyisfqnp rtvpvqpafs tvpfsqpvcf pprprgrrqk
181 ppgvwpanpa pitqtvihtv qsapgqmfst paippmmyph paypmpfitt ilgglypsks
241 illsgtvlps aqrfhinlcs gnhiafhlnp rfdenavvrn tqidnswgse erslprkmpf
301 vrgqsfsvwi lceahclkva vdgqhlfeyy hrlrnlptin rlevggdiql thvqt
【０１８７】
インテグリン結合タンパク質キナーゼ（例えば、ＧｅｎＢａｎｋ登録番号Ｑ１３４１８（配列番号４５）：
1   mddiftqcre gnavavrlwl dntendlnqg ddhgfsplhw acregrsavv emlimrgari
61  nvmnrgddtp lhlaashghr divqkllqyk adinavnehg nvplhyacfw gqdqvaedlv
121 angalvsicn kygempvdka kaplrellre raekmgqnln ripykdtfwk gttrtrprng
181 tlnkhsgidf kqlnfltkln enhsgelwkg rwqgndivvk vlkvrdwstr ksrdfneecp
241 rlrifshpnv lpvlgacqsp paphptlith wmpygslynv lhegtnfvvd qsqavkfald
301 margmaflht lepliprhal nsrsvmided mtarismadv kfsfqcpgrm yapawvapea
361 lqkkpedtnr rsadmwsfav llwelvtrev pfadlsnmei gmkvaleglr ptippgisph
421 vcklmkicmn edpakrpkfd mivpilekmq dk
【０１８８】
二官能性アミノアシル−ｔＲＮＡ合成酵素（例えば、ＧｅｎＢａｎｋ登録番号Ｐ０７８１４（配列番号４６）：
1   matlsltvns gdpplgalla vehvkddvsi sveegkenil hvsenviftd vnsilrylar
61  vattaglygs nlmehteidh wlefsatkls scdsftstin elnhclslrt ylvgnslsla
121 dlcvwatlkg naawqeqlkq kkapvhvkrw fgfleaqqaf qsvgtkwdvs ttkarvapek
181 kqdvgkfvel pgaemgkvtv rfppeasgyl highakaall nqhyqvnfkg klimrfddtn
241 pekekedfek viledvamlh ikpdqftyts dhfetimkya ekliqegkay vddtpaeqmk
301 aereqriesk hrknpieknl qmweemkkgs qfghscclra kidmssnngc mrdptlyrck
361 iqphprtgnk ynvyptydfa cpivdsiegv thalrtteyh drdeqfywii ealgirkpyi
421 weysrlnlnn tvlskrkltw fvneglvdgw ddprfptvrg vlrrgmtveg lkqfiaaqgs
481 srsvvnmewd kiwafnkkvi dpvapryval lkkevipvnv peaqeemkev akhpknpevg
541 lkpvwyspkv fiegadaetf segemvtfin wgnlnitkih knadgkiisl dakfnlenkd
601 ykkttkvtwl aetthalpip vicvtyehli tkpvlgkded fkqyvnknsk heelmlgdpc
661 lkdlkkgdii qlqrrgffic dqpyepvspy sckeapcvli yipdghtkem ptsgskektk
721 veatknetsa pfkerptpsl nnncttseds lvlynrvavq gdvvrelkak kapkedvdaa
781 vkqllslkae ykektgqeyk pgnppaeigq nissnssasi leskslydev aaqgevvrkl
841 kaekspkaki neavecllsl kaqykektgk eyipgqppls qssdssptrn sepagletpe
901 akvlfdkvas qgevvrklkt ekapkdqvdi avqellqlka qyksligvey kpvsatgaed
961 kdkkkkeken ksekqnkpqk qndgqrkdps knqggglsss gagegqgpkk qtrlgleakk
1021 eenladwysq vitksemiey hdisgcyilr pwayaiweai kdffdaeikk lgvencyfpm
1081 fvsqsaleke kthvadfape vawvtrsgkt elaepiairp tsetvmypay akwvqshrdl
1141 piklnqwcnv vrwefkhpqp flrtreflwq eghsafatme eaaeevlqil dlyaqvyeel
1201 laipvvkgrk tekekfaggd ytttieafis asgraiqggt shhlgqnfsk mfeivfedpk
1261 ipgekqfayq nswglttrti gvmtmvhgdn mglvlpprva cvqvviipcg itnalseedk
1321 ealiakcndy rrrllsvnir vradlrdnys pgwkfnhwel kgvpirlevg prdmkscqfv
1381 avrrdtgekl tvaeneaetk lqailediqv tlftrasedl kthmvvantm edfqkildsg
1441 kivqipfcge idcedwikkt tardqdlepg apsmgakslc ipfkplcelq pgakcvcgkn
1501 pakyytlfgr sy
【０１８９】
ジンクフィンガータンパク質２０７のアイソフォーム１（例えば、ＧｅｎＢａｎｋ登録番号Ｏ４３６７０−１（配列番号４７）：
1   mgrkkkkqlk pwcwycnrdf ddekiliqhq kakhfkchic hkklytgpgl aihcmqvhke
61  tidavpnaip grtdieleiy gmegipekdm derrrlleqk tqesqkkkqq ddsdeydddd
121 saastsfqpq pvqpqqgyip pmaqpglppv pgapgmppgi pplmpgvppl mpgmppvmpg
181 mppgmmpmgg mmppgpgipp lmpgmppgmp ppvprpgipp mtqaqavsap gilnrppapt
241 atvpapqppv tkplfpsagq mgtpvtssst assnseslsa sskalfpsta qaqaavqgpv
301 gtdfkplnst pattteppkp tfpaytqsta sttsttnsta akpaasitsk patltttsat
361 sklihpdedi sleerraqlp kyqrnlprpg qapignppvg piggmmppqp gipqqqgmrp
421 pmpphgqygg hhqgmpgylp gamppygqgp pmvppyqggp prppmgmrpp vmsqggry
【０１９０】
無機ピロホスファターゼ（例えば、ＧｅｎＢａｎｋ登録番号Ｑ１５１８１（配列番号４８）：
1   msgfsteera apfsleyrvf lknekgqyis pfhdipiyad kdvfhmvvev prwsnakmei
61  atkdplnpik qdvkkgklry vanlfpykgy iwnygaipqt wedpghndkh tgccgdndpi
121 dvceigskvc argeiigvkv lgilamideg etdwkviain vddpdaanyn dindvkrlkp
181 gyleatvdwf rrykvpdgkp enefafnaef kdkdfaidii ksthdhwkal vtkktngkgi
241 scmnttlses pfkcdpdaar aivdalpppc esactvptdv dkwfhhqkn
【０１９１】
カルポニン−２（例えば、ＧｅｎＢａｎｋ登録番号Ｑ９９４３９（配列番号４９）：
1   msstqfnkgp syglsaevkn rllskydpqk eaelrtwieg ltglsigpdf qkglkdgtil
61  ctlmnklqpg svpkinrsmq nwhqlenlsn fikamvsygm npvdlfeand lfesgnmtqv
121 qvsllalagk aktkglqsgv digvkysekq ernfddatmk agqcviglqm gtnkcasqsg
181 mtaygtrrhl ydpknhilpp mdhstislqm gtnkcasqvg mtapgtrrhi ydtklgtdkc
241 dnssmslqmg ytqganqsgq vfglgrqiyd pkycpqgtva dgapsgtgdc pdpgevpeyp
301 pyyqeeagy
【０１９２】
マッスルブラインド様タンパク質３のアイソフォーム１（例えば、ＧｅｎＢａｎｋ登録番号Ｑ９ＮＵＫ０−１（配列番号５０）：
1   mtavnvalir dtkwltlevc refqrgtcsr adadckfahp prvchvengr vvacfdslkg
61  rctrenckyl hppphlktql eingrnnliq qktaaamfaq qmqlmlqnaq msslgsfpmt
121 psipanppma fnpyiphpgm glvpaelvpn tpvlipgnpp lampgavgpk lmrsdklevc
181 refqrgnctr gendcryahp tdasmieasd ntvticmdyi kgrcsrekck yfhppahlqa
241 rlkaahhqmn hsaasamalq pgtlqlipkr salekpngat pvfnptvfhc qqaltnlqlp
301 qpafipagpi lcmapasniv pmmhgatptt vsaattpats vpfaapttgn qlkf
【０１９３】
カテプシンＧ前駆体（例えば、ＧｅｎＢａｎｋ登録番号Ｐ０８３１１（配列番号５１）：
1   mqplllllaf llptgaeage iiggresrph srpymaylqi qspagqsrcg gflvredfvl
61  taahcwgsni nvtlgahniq rrentqqhit arrairhpqy nqrtiqndim llqlsrrvrr
121 nrnvnpvalp raqeglrpgt lctvagwgrv smrrgtdtlr evqlrvqrdr qclrifgsyd
181 prrqicvgdr rerkaafkgd sggpllcnnv ahgivsygks sgvppevftr vssflpwirt
241 tmrsfklldq metpl
【０１９４】
ジンクフィンガー及びＢＴＢドメイン含有タンパク質３４（例えば、ＧｅｎＢａｎｋ登録番号Ｑ８ＮＣＮ２（配列番号５２）：
1   msvemdsssf iqfdvpeyss tvlsqlnelr lqgklcdiiv hiqgqpfrah kavlaasspy
61  frdhsalstm sglsisvikn pnvfeqllsf cytgrmslql kdvvsfltaa sflqmqcvid
121 kctqilesih skisvgdvds vtvgaeenpe srngvkdssf fanpveispp ycsqgrqpta
181 ssdlrmettp skalrsrlqe eghsdrgssg svseyeiqie gdheqgdllv resqitevkv
241 kmeksdrpsc sdssslgddg yhtemvdgeq vvavnvgsyg svlqhaysys qaasqptnvs
301 eafgslsnss psrsmlscfr ggrarqkral svhlhsdlqg lvqgsdseam mnnpgyessp
361 rersarghwy pynerliciy cgksfnqkgs ldrhmrlhmg itpfvckfcg kkytrkdqle
421 yhirghtddk pfrceicgkc fpfqgtlnqh lrknhpgvae vrsriesper tdvyveqkle
481 ndasasemgl dsrmeihtvs dapd
【０１９５】
アデニンホスホリボシルトランスフェラーゼ（例えば、ＧｅｎＢａｎｋ登録番号Ｐ０７７４１（配列番号５３）：
1   madselqlve qrirsfpdfp tpgvvfrdis pvlkdpasfr aaigllarhl kathggridy
61  iagldsrgfl fgpslaqelg lgcvlirkrg klpgptlwas ysleygkael eiqkdalepg
121 qrvvvvddll atggtmnaac ellgrlqaev lecvslvelt slkgreklap vpffsllqye
【０１９６】
４０Ｓリボソームタンパク質Ｓ９（例えば、ＧｅｎＢａｎｋ登録番号Ｐ４６７８１（配列番号５４）：
1   mpvarswvcr ktyvtprrpf eksrldqelk ligeyglrnk revwrvkftl akirkaarel
61  ltldekdprr lfegnallrr lvrigvldeg kmkldyilgl kiedflerrl qtqvfklgla
121 ksihharvli rqrhirvrkq vvnipsfivr ldsqkhidfs lrspygggrp grvkrknakk
181 gqggagagdd eeed
【０１９７】
タリン−１（例えば、ＧｅｎＢａｎｋ登録番号Ｑ９Ｙ４９０（配列番号５５）：
1   mvalslkisi gnvvktmqfe pstmvydacr iireripeap agppsdfglf lsdddpkkgi
61  wleagkaldy ymlrngdtme yrkkqrplki rmldgtvkti mvddsktvtd mlmticarig
121 itnhdeyslv relmeekkee itgtlrkdkt llrdekkmek lkqklhtdde lnwldhgrtl
181 reqgveehet lllrrkffys dqnvdsrdpv qlnllyvqar ddilngshpv sfdkacefag
241 fqcqiqfgph neqkhkagfl dlkdflpkey vkqkgerkif qahkncgqms eieakvryvk
301 larslktygv sfflvkekmk gknklvprll gitkecvmrv dektkeviqe wnltnikrwa
361 aspksftldf gdyqdgyysv qttegeqiaq liagyidiil kkkkskdhfg legdeestml
421 edsvspkkst vlqqqynrvg kvehgsvalp aimrsgasgp enfqvgsmpp aqqqitsgqm
481 hrghmpplts aqqaltgtin ssmqavqaaq atlddfdtlp plgqdaaska wrknkmdesk
541 heihsqvdai tagtasvvnl tagdpaetdy tavgcavtti ssnltemsrg vkllaalled
601 eggsgrpllq aakglagavs ellrsaqpas aeprqnllqa agnvgqasge llqqigesdt
661 dphfqdalmq lakavasaaa alvlkaksva qrtedsglqt qviaaatqca lstsqlvact
721 kvvaptissp vcqeqlveag rlvakavegc vsasqaated gqllrgvgaa atavtqalne
781 llqhvkahat gagpagrydq atdtiltvte nifssmgdag emvrqarila qatsdlvnai
841 kadaegesdl ensrkllsaa kiladatakm veaakgaaah pdseeqqqrl reaaeglrma
901 tnaaaqnaik kklvqrleha akqaaasatq tiaaaqhaas tpkasagpqp llvqsckava
961 eqipllvqgv rgsqaqpdsp saqlaliaas qsflqpggkm vaaakasvpt iqdqasamql
1021 sqcaknlgta laelrtaaqk aqeacgplem dsalsvvqnl ekdlqevkaa ardgklkplp
1081 getmekctqd lgnstkavss aiaqllgeva qgnenyagia ardvagglrs laqaargvaa
1141 ltsdpavqai vldtasdvld kasslieeak kaaghpgdpe sqqrlaqvak avtqalnrcv
1201 sclpgqrdvd nalravgdas krllsdslpp stgtfqeaqs rlneaaagln qaatelvqas
1261 rgtpqdlara sgrfgqdfst fleagvemag qapsqedraq vvsnlkgism sssklllaak
1321 alstdpaapn lksqlaaaar avtdsinqli tmctqqapgq kecdnalrel etvrellenp
1381 vqpindmsyf gcldsvmens kvlgeamtgi sqnakngnlp efgdaistas kalcgfteaa
1441 aqaaylvgvs dpnsqagqqg lveptqfara nqaiqmacqs lgepgctqaq vlsaativak
1501 htsalcnscr lasarttnpt akrqfvqsak evanstanlv ktikaldgaf teenraqcra
1561 ataplleavd nlsafasnpe fssipaqisp egraamepiv isaktmlesa ggliqtaral
1621 avnprdppsw svlaghsrtv sdsikklits mrdkapgqle cetaiaalns clrdldqasl
1681 aavsqqlapr egisqealht qmltavqeis hlieplanaa raeasqlghk vsqmaqyfep
1741 ltlaavgaas ktlshpqqma lldqtktlae salqllytak eaggnpkqaa htqealeeav
1801 qmmteavedl tttlneaasa agvvggmvds itqainqlde gpmgepegsf vdyqttmvrt
1861 akaiavtvqe mvtksntspe elgplanqlt sdygrlasea kpaavaaene eigshikhrv
1921 qelghgcaal vtkagalqcs psdaytkkel iecarrvsek vshvlaalqa gnrgtqacit
1981 aasavsgiia dldttimfat agtlnregte tfadhregil ktakvlvedt kvlvqnaags
2041 qeklaqaaqs svatitrlad vvklgaaslg aedpetqvvl inavkdvaka lgdlisatka
2101 aagkvgddpa vwqlknsakv mvtnvtsllk tvkavedeat kgtraleatt ehirqelavf
2161 cspeppakts tpedfirmtk gitmatakav aagnscrqed viatanlsrr aiadmlrack
2221 eaayhpevap dvrlralhyg recangylel ldhvlltlqk pspelkqqlt ghskrvagsv
2281 teliqaaeam kgtewvdped ptviaenell gaaaaieaaa kkleqlkpra kpkeadesln
2341 feeqileaak siaaatsalv kaasaaqrel vaqgkvgaip analddgqws qglisaarmv
2401 aaatnnlcea anaavqghas qeklissakq vaastaqllv ackvkadqds eamkrlqaag
2461 navkrasdnl vkaaqkaaaf eeqenetvvv kekmvggiaq iiaaqeemlr kereleeark
2521 klaqirqqqy kflpselrde h
【０１９８】
ロイシンリッチリピート含有タンパク質５９（例えば、ＧｅｎＢａｎｋ登録番号Ｑ９６ＡＧ４（配列番号５６）：
1   mtkagskggn lrdkldgnel dlslsdlnev pvkelaalpk atildlscnk lttlpsdfcg
61  lthlvkldls knklqqlpad fgrlvnlqhl dllnnklvtl pvsfaqlknl kwldlkdnpl
121 dpvlakvagd cldekqckqc ankvlqhmka vqadqererq rrlevereae kkreakqrak
181 eaqerelrkr ekaeekerrr keydalkaak reqekkpkke anqapksksg srprkppprk
241 htrswavlkl llllllfgva gglvacrvte lqqqplctsv ntiydnavqg lrrheilqwv
301 lqtdsqq
【０１９９】
ＡＴＰシンターゼサブユニットα，ミトコンドリア前駆体（例えば、ＧｅｎＢａｎｋ登録番号Ｐ２５７０５（配列番号５７）：
1   mlsvrvaaav vralprragl vsrnalgssf iaarnfhasn thlqktgtae mssileeril
61  gadtsvdlee tgrvlsigdg iarvhglrnv qaeemvefss glkgmslnle pdnvgvvvfg
121 ndklikegdi vkrtgaivdv pvgeellgrv vdalgnaidg kgpigsktrr rvglkapgii
181 prisvrepmq tgikavdslv pigrgqreli igdrqtgkts iaidtiinqk rfndgsdekk
241 klyciyvaig qkrstvaqlv krltdadamk ytivvsatas daaplqylap ysgcsmgeyf
301 rdngkhalii yddlskqava yrqmslllrr ppgreaypgd vfylhsrlle raakmndafg
361 ggsltalpvi etqagdvsay iptnvisitd gqifletelf ykgirpainv glsvsrvgsa
421 aqtramkqva gtmklelaqy revaafaqfg sdldaatqql lsrgvrltel lkqgqyspma
481 ieeqvaviya gvrgyldkle pskitkfena flshvvsqhq allgtiradg kiseqsdakl
541 keivtnflag fea
【０２００】
タンパク質輸送タンパク質ＳＥＣ３１Ａのアイソフォーム７（例えば、ＧｅｎＢａｎｋ登録番号Ｏ９４９７９−７（配列番号５８）：
1   mklkevdrta mqawspaqnh piylatgtsa qqldatfstn asleifeldl sdpsldmksc
61  atfssshryh kliwgpykmd skgdvsgvli aggengniil ydpskiiagd kevviaqndk
121 htgpvraldv nifqtnlvas ganeseiyiw dlnnfatpmt pgaktqpped isciawnrqv
181 qhilasasps gratvwdlrk nepiikvsdh snrmhcsgla whpdvatqmv laseddrlpv
241 iqmwdlrfas splrvlenha rgilaiawsm adpelllscg kdakilcsnp ntgevlyelp
301 tntqwcfdiq wcprnpavls aasfdgrisv ysimggstdg lrqkqvdkls ssfgnldpfg
361 tgqplpplqi pqqtaqhsiv lplkkppkwi rrpvgasfsf ggklvtfenv rmpshqgaeq
421 qqqqhhvfis qvvtekefls rsdqlqqavq sqgfinycqk kidasqtefe knvwsflkvn
481 feddsrgkyl ellgyrkedl gkkialalnk vdganvalkd sdqvaqsdge espaaeeqll
541 gehikeekee seflpssggt fnisvsgdid glitqalltg nfesavdlcl hdnrmadaii
601 laiaggqell artqkkyfak sqskitrlit avvmknwkei vescdlknwr ealaavltya
661 kpdefsalcd llgtrleneg dsllqtqacl cyicagnvek lvacwtkaqd gshplslqdl
721 iekvvilrka vqltqamdts tvgvllaakm sqyanllaaq gsiaaalafl pdntnqpnim
781 qlrdrlcraq gepvaghesp kipyekqqlp kgrpgpvagh hqmprvqtqq yyphgenppp
841 pgfimhgnvn pnaagqlpts pghmhtqvpp ypqpqpyqpa qpypfgtggs amyrpqqpva
901 pptsnaypnt pyissassyt gqsqlyaaqh qassptsspa tsfppppssg asfqhggpga
961 ppsssayalp pgttgtlpaa selpasqrtg pqngwndppa lnrvpkkkkm penfmppvpi
1021 tspimnplgd pqsqmlqqqp sapvplssqs sfpqphlpgg qpfhgvqqpl gqtgmppsfs
1081 kpniegapga pigntfqhvq slptkkitkk pipdehlilk ttfedliqrc lssatdpqtk
1141 rklddaskrl eflydklreq tlsptitsgl hniarsietr nysegltmht hivstsnfse
1201 tsafmpvlkv vltqanklgv
【０２０１】
ジヒドロキシアセトンキナーゼ（例えば、ＧｅｎＢａｎｋ登録番号Ｑ３ＬＸＡ３（配列番号５９）：
1   mtskklvnsv agcaddalag lvacnpnlql lqghrvalrs dldslkgrva llsgggsghe
61  pahagfigkg mltgviagav ftspavgsil aairavaqag tvgtllivkn ytgdrlnfgl
121 areqaraegi pvemvvigdd saftvlkkag rrglcgtvli hkvagalaea gvgleeiakq
181 vnvvtkamgt lgvslsscsv pgskptfels adevelglgi hgeagvrrik matadeivkl
241 mldhmtnttn ashvpvqpgs svvmmvnnlg glsflelgii adatvrsleg rgvkiaralv
301 gtfmsalemp gisltlllvd epllklidae ttaaawpnva avsitgrkrs rvapaepqea
361 pdstaaggsa skrmalvler vcstllglee hlnaldraag dgdcgtthsr aaraiqewlk
421 egpppaspaq llsklsvlll ekmggssgal yglfltaaaq plkaktslpa wsaamdagle
481 amqkygkaap gdrtmldslw aagqelqawk spgadllqvl tkavksaeaa aeatknmeag
541 agrasyissa rleqpdpgav aaaailrail evlqs
【０２０２】
異種核内リボ核タンパク質Ｃ１／Ｃ２（ＨＮＲＮＰ  Ｃ１／ＨＮＲＮＰ  Ｃ２）類似体．アイソフォーム４  ＥＮＳＥＭＢＬ登録番号ＥＮＳＴ００００３４２７０９（配列番号６０）（ＧｅｎＢａｎｋ登録番号ＮＭ＿００４５００．３及びＵＮＩＰＡＲＣ登録番号ＩＰＩ００８６８８３５も参照されたい）：
masnvtnktdprsmnsrvfignlntlvvkksdveaifskygkivgcsvhkgfaffqyvnernaraavagedgrmiagqvldinlaaepkvnrgkagvkrsaaemygssfdldcdfqrdyydrmysyparvpppppiaraaikreltqikqkvdsflenlekiekeqskqavemnnvkseeeqssssvkkdetnvkmeseggaddsaeegdllddddnedggmtsws
【０２０３】
１８ｋＤａタンパク質ＵＮＩＰＡＲＣ登録番号ＩＰＩ００７９６５５４（配列番号６１）：
marsrtsssp aisqetevgg grkaiiifvp vpqlksfqki qvrlvrelek kfsgkhvvfi
aqrrilpkpt qksrtknkqk cprsrtltav hdafledlvf pseivgkrip vkldssrlik
vhldkaqqnn vehkvetfsg vykkltgkdv nfefpefql
【０２０４】
寒冷凝集素ＦＳ−１  Ｌ−鎖（例えば、ＧｅｎＢａｎｋ登録番号Ａ２ＮＢ４５（配列番号６２）：
divmtqspls lpvtpgepas iscrssqsll hsngfnylhw ylqkpgqspr  50
lliylgsnra sgvpdrfsgs gsgtdftlki srveaddvgi yycmqalqsp 100
ytfgqgtkle ikr                                         113
【０２０５】
異種核内リボ核タンパク質ｄ０のアイソフォーム１（例えば、ＧｅｎＢａｎｋ登録番号Ｑ１４１０３−１（配列番号６３）：
1   mseeqfggdg aaaaataavg gsageqegam vaatqgaaaa agsgagtggg tasggteggs
61  aesegakida skneedeghs nssprhseaa taqreewkmf igglswdttk kdlkdyfskf
121 gevvdctlkl dpitgrsrgf gfvlfkeses vdkvmdqkeh klngkvidpk rakamktkep
181 vkkifvggls pdtpeekire yfggfgeves ielpmdnktn krrgfcfitf keeepvkkim
241 ekkyhnvgls kceikvamsk eqyqqqqqwg srggfagrar grgggpsqnw nqgysnywnq
301 gygnygynsq gyggyggydy tgynnyygyg dysnqqsgyg kvsrrgghqn sykpy
【０２０６】
ＤＡＺＡＰ１／ＭＥＦ２Ｄ融合タンパク質（例えば、ＧｅｎＢａｎｋ登録番号Ｑ５ＩＲＮ２（配列番号６４）：
1   mnnsgadeig klfvggldws ttqetlrsyf sqygevvdcv imkdkttnqs rgfgfvkfkd
61  pncvgtvlas rphtldgrni dpkpctprgm qpertrpkeg wqkgprsdns ksnkifvggi
121 phncgetelr eyfkkfgvvt evvmiydaek qrprgngyvs araspgllpv angnslnkvi
181 paksppppth stqlgapsrk pdlrvitsqa gkglmhhlte dhldlnnaqr lgvsqsthsl
241 ttpvvsvatp sllsqglpfs smptayntdy qltsaelssl pafsspggls lgnvtawqqp
301 qqpqqpqqpq ppqqqppqpq qpqpqqpqqp qqppqqqshl vpvslsnlip gsplphvgaa
361 ltvtthphis iksepvspsr erspappppa vfpaarpepg dglsspaggs yetgdrddgr
421 gdfgptlgll rpapepeaeg savkrmrldt wtlk
【０２０７】
ＰＯＴＥ２（例えば、ＧｅｎＢａｎｋ登録番号ＮＰ＿００１０７７００７（配列番号６５））：
1   mvvevdsmpa assvkkpfgl rskmgkwccr cfpcyresgk snvgtsgdhd dsamktlrsk
61  mgkwchhcfp ccrgsgksnv gasgdhddsa mktlrnkmgk wcchcfpccr gsgkskvgaw
121 gdyddsafme pryhvrgedl dklhraawwg kvprkdlivm lrdtdvnkkd kqkrtalhla
181 sangnsevvk llldrrcqln vldnkkrtal ikavqcqede calmllehgt dpnipdeygn
241 ttlhyaiyne dklmakalll ygadiesknk hgltplllgv heqkqqvvkf likkkanlna
301 ldrygrtali lavccgsasi vsllleqnid vssqdlsgqt areyavsshh hvicqllsdy
361 kekqmlkiss ensnpeqelk ltseeesqrf kgsensqpek msqeleinkd gdreveeemk
421 khesnnvgll enltngvtag ngdnglipqr ksrtpenqqf pdneseeyhr icellsdyke
481 kqmpkyssen snpeqdlklt seeesqrlkg sengqpekrs qepeinkdgd relenfmaie
541 emkkhgsthv gfpenltnga tagngddgli pprksrtpes qqfpdtenee yhsdeqndtq
601 kqfceeqntg ilhdeilihe ekqievvekm nselslsckk ekdvlhenst lreeiamlrl
661 eldtmkhqsq lrekkyledi esvkkkndnl lkalqlnelt mdddtavlvi dngsgmckag
721 fagddaprav fpsivgrprq qgmmggmhqk esyvgkeaqs krgiltlkyp mehgiitnwd
781 dmekiwhhtf ynelrvapee hpillteapl npkanrekmt qimfetfntp amyvaiqavp
841 slytsgrttg ivmdsgdgvt htvpiyegna lphatlrldl agrelpdylm kiltergyrf
901 ttmaereivr dikeklcyva ldfeqemata assssleksy elpdgqviti gnerfrcpea
961 lfqpcflgme scgihettfn simksdvdir kdlytntvls ggttmypgma hrmqkeiaal
1021 apsmmkirii appkrkysvw vggsilasls tfqqmwiskq eydesgpsiv hrkcf
【０２０８】
ケラチン１８（ＫＲＴ１８）（例えば、ＧｅｎＢａｎｋ登録番号ＮＰ＿０００２１５（配列番号６６））：
1   msfttrstfs tnyrslgsvq apsygarpvs saasvyagag gsgsrisvsr stsfrggmgs
61  gglatgiagg lagmggiqne ketmqslndr lasyldrvrs letenrrles kirehlekkg
121 pqvrdwshyf kiiedlraqi fantvdnari vlqidnarla addfrvkyet elamrqsven
181 dihglrkvid dtnitrlqle teiealkeel lfmkknheee vkglqaqias sgltvevdap
241 ksqdlakima diraqydela rknreeldky wsqqieestt vvttqsaevg aaettltelr
301 rtvqsleidl dsmrnlkasl enslrevear yalqmeqlng illhlesela qtraegqrqa
361 qeyeallnik vkleaeiaty rrlledgedf nlgdaldssn smqtiqkttt rrivdgkvvs
421 etndtkvlrh
【０２０９】
ＰＳＭＥ４  プロテアソ−ムアクチベーター複合体サブユニット４のアイソフォーム１（例えば、ＧｅｎＢａｎｋ登録番号ＮＰ＿０５５４２９（配列番号６７））：
1   mepaeragvg eppepggrpe pgprgfvpqk eivynkllpy aerldaesdl qlaqikcnlg
61  ravqlqelwp gglfwtrkls tyirlygrkf skedhvlfik llyelvsipk leismmqgfa
121 rllinllkkk ellsradlel pwrplydmve rilysktehl glnwfpnsve nilktlvksc
181 rpyfpadata emleewrplm cpfdvtmqka ityfeiflpt slppelhhkg fklwfdelig
241 lwvsvqnlpq wegqlvnlfa rlatdnigyi dwdpyvpkif trilrslnlp vgssqvlvpr
301 fltnaydigh aviwitammg gpsklvqkhl aglfnsitsf yhpsnngrwl nklmkllqrl
361 pnsvvrrlhr erykkpswlt pvpdshkltd qdvtdfvqci iqpvllamfs ktgsleaaqa
421 lqnlalmrpe lvippvlert ypaletltep hqltatlscv igvarslvsg grwfpegpth
481 mlpllmralp gvdpndfskc mitfqfiatf stlvplvdcs svlqerndlt everelcsat
541 aefedfvlqf mdrcfglies stleqtreet etekmthles lvelglsstf stiltqcske
601 ifmvalqkvf nfstshifet rvagrmvadm craavkccpe eslklfvphc csvitqltmn
661 ddvlndeeld kellwnlqll seitrvdgrk lllyreqlvk ilqrtlhltc kqgytlscnl
721 lhhllrsttl iypteycsvp ggfdkppsey fpikdwgkpg dlwnlgiqwh vpsseevsfa
781 fylldsflqp elvklqhcgd gklemsrddi lqsltivhnc ligsgnllpp lkgepvtnlv
841 psmvsleetk lytgleydls renhreviat virkllnhil dnseddtksl fliikiigdl
901 lqfqgshkhe fdsrwksfnl vkksmenrlh gkkqhirall idrvmlqhel rtltvegcey
961 kkihqdmird llrlstssys qvrnkaqqtf faalgaynfc crdiiplvle flrpdrqgvt
1021 qqqfkgalyc llgnhsgvcl anlhdwdciv qtwpaivssg lsqamslekp sivrlfddla
1081 ekihrqyeti gldftipksc veiaellqqs knpsinqill spekikegik rqqeknadal
1141 rnyenlvdtl ldgveqrnlp wkfehigigl lslllrddrv lplrairffv enlnhdaivv
1201 rkmaisavag ilkqlkrthk kltinpceis gcpkptqiia gdrpdnhwlh ydsktiprtk
1261 kewesscfve kthwgyytwp knmvvyagve eqpklgrsre dmteaeqiif dhfsdpkfve
1321 qlitflsled rkgkdkfnpr rfclfkgifr nfddaflpvl kphlehlvad shestqrcva
1381 eiiaglirgs khwtfekvek lwellcpllr talsnitvet yndwgaciat scesrdprkl
1441 hwlfellles plsgeggsfv dacrlyvlqg glaqqewrvp ellhrllkyl epkltqvykn
1501 vrerigsvlt yifmidvslp nttptisphv peftarilek lkplmdvdee iqnhvmeeng
1561 igeedertqg ikllktilkw lmasagrsfs tavteqlqll plffkiapve ndnsydelkr
1621 daklclslms qgllyphqvp lvlqvlkqta rssswharyt vltylqtmvf ynlfiflnne
1681 davkdirwlv islledeqle vremaattls gllqcnfltm dspmqihfeq lcktklpkkr
1741 krdpgsvgdt ipsaelvkrh agvlglgacv lsspydvptw mpqllmnlsa hlndpqpiem
1801 tvkktlsnfr rthhdnwqeh kqqftddqll vltdllvspc yya
【０２１０】
マイトジェン活性化タンパク質キナーゼ活性化タンパク質キナーゼ（ＭＡＰＫＡＰＫ３３）（例えば、ＧｅｎＢａｎｋ登録番号ＮＰ＿００４６２６（配列番号６８））：
1   mdgetaeeqg gpvpppvapg gpglggapgg rrepkkyavt ddyqlskqvl glgvngkvle
61  cfhrrtgqkc alkllydspk arqevdhhwq asggphivci ldvyenmhhg krclliimec
121 meggelfsri qergdqafte reaaeimrdi gtaiqflhsh niahrdvkpe nllytskekd
181 avlkltdfgf akettqnalq tpcytpyyva pevlgpekyd kscdmwslgv imyillcgfp
241 pfysntgqai spgmkrrirl gqygfpnpew sevsedakql irlllktdpt erltitqfmn
301 hpwinqsmvv pqtplhtarv lqedkdhwde vkeemtsala tmrvdydqvk ikdlktsnnr
361 llnkrrkkqa gsssasqgcn nq
【０２１１】
補体成分１，ｓサブコンポーネント（Ｃ１Ｓ）（例えば、ＧｅｎＢａｎｋ登録番号ＮＰ＿００１７２５（配列番号６９））：
1   mwcivlfsll awvyaeptmy geilspnypq aypseveksw dievpegygi hlyfthldie
61  lsencaydsv qiisgdteeg rlcgqrssnn phspiveefq vpynklqvif ksdfsneerf
121 tgfaayyvat dinectdfvd vpcshfcnnf iggyfcscpp eyflhddmkn cgvncsgdvf
181 taligeiasp nypkpypens rceyqirlek gfqvvvtlrr edfdveaads agncldslvf
241 vagdrqfgpy cghgfpgpln ietksnaldi ifqtdltgqk kgwklryhgd pmpcpkedtp
301 nsvwepakak yvfrdvvqit cldgfevveg rvgatsfyst cqsngkwsns klkcqpvdcg
361 ipesiengkv edpestlfgs virytceepy yymengggge yhcagngswv nevlgpelpk
421 cvpvcgvpre pfeekqriig gsdadiknfp wqvffdnpwa ggalineywv ltaahvvegn
481 reptmyvgst svqtsrlaks kmltpehvfi hpgwkllevp egrtnfdndi alvrlkdpvk
541 mgptvspicl pgtssdynlm dgdlglisgw grtekrdrav rlkaarlpva plrkckevkv
601 ekptadaeay vftpnmicag gekgmdsckg dsggafavqd pndktkfyaa glvswgpqcg
661 tyglytrvkn yvdwimktmq enstpred
【０２１２】
リゾチームＣ前駆体（ＬＹＺ）（例えば、ＧｅｎＢａｎｋ登録番号ＮＰ＿０００２３０（配列番号７０））：
1   mkalivlglv llsvtvqgkv fercelartl krlgmdgyrg islanwmcla kwesgyntra
61  tnynagdrst dygifqinsr ywcndgktpg avnachlscs allqdniada vacakrvvrd
121 pqgirawvaw rnrcqnrdvr qyvqgcgv
【０２１３】
ケラチン（Ｋｅｒｉｔｉｎ）型細胞骨格２０（ＫＲＴ２０）（例えば、ＧｅｎＢａｎｋ登録番号ＮＰ＿０６１８８３（配列番号７１））：
1   mdfsrrsfhr slssslqapv vstvgmqrlg ttpsvyggag grgirisnsr htvnygsdlt
61  gggdlfvgne kmamqnlndr lasylekvrt leqsnsklev qikqwyetna pragrdysay
121 yrqieelrsq ikdaqlqnar cvlqidnakl aaedfrlkye tergirltve adlqglnkvf
181 ddltlhktdl eiqieelnkd lallkkehqe evdglhkhlg ntvnvevdaa pglnlgvimn
241 emrqkyevma qknlqeakeq ferqtavlqq qvtvnteelk gtevqltelr rtsqsleiel
301 qshlsmkesl ehtleetkar yssqlanlqs llssleaqlm qirsnmerqn neyhilldik
361 trleqeiaty rrllegedvk tteyqlstle erdikktrki ktvvqevvdg kvvssevkev
421 eeni
【０２１４】
ＲＮＡＳＥ３（例えば、ＧｅｎＢａｎｋ登録番号ＮＰ＿００２９２６（配列番号７２））：
1   mvpklftsqi clllllglmg vegslharpp qftraqwfai qhislnpprc tiamrainny
61  rwrcknqntf lrttfanvvn vcgnqsircp hnrtlnnchr srfrvpllhc dlinpgaqni
121 snctyadrpg rrfyvvacdn rdprdspryp vvpvhldtti
【０２１５】
アルデヒドデヒドロゲナーゼＸ，ミトコンドリア前駆体（ＡＬＤＨ１Ｂ１）（例えば、ＧｅｎＢａｎｋ登録番号ＮＰ＿０００６８３（配列番号７３））：
1   mlrflaprll slqgrtarys saaalpspil npdipynqlf innewqdavs kktfptvnpt
61  tgevighvae gdradvdrav kaareafrlg spwrrmdase rgrllnrlad lverdrvyla
121 sletldngkp fqesyaldld evikvyryfa gwadkwhgkt ipmdgqhfcf trhepvgvcg
181 qiipwnfplv mqgwklapal atgntvvmkv aeqtplsaly laslikeagf ppgvvniitg
241 ygptagaaia qhvdvdkvaf tgstevghli qkaagdsnlk rvtlelggks psivladadm
301 ehaveqchea lffnmgqccc agsrtfvees iyneflertv ekakqrkvgn pfeldtqqgp
361 qvdkeqferv lgyiqlgqke gakllcgger fgergffikp tvfggvqddm riakeeifgp
421 vqplfkfkki eevverannt ryglaaavft rdldkamyft qalqagtvwv ntynivtcht
481 pfggfkesgn grelgedglk aytevktvti kvpqkns
【０２１６】
ＣＤＮＡ  ＦＬＪ２５５０６  ｆｉｓ，クローンＣＢＲ０５１８５（例えば、ＧｅｎＢａｎｋ登録番号Ｑ８Ｎ７Ｉ６（配列番号７４））：
1   mwicpggggg gggggggggg dredarpapl ccgrcwrsgc aarpprmvsi glrgavrgar
61  gchlgrpfsp svllcvgrpg saagaerghs lgsrefghrr gplpwcpanr rgspptagvp
121 rqppgfpaap aprgpgpltr llgrreagsk sqkllfrsar vqgggqfcps gsaflgvere
181 ptaglggaer rnarfwrger gqgrqakrpa psqpasplpg ggtwagcvgl vwmgtgfcga
241 pef
【０２１７】
フィビュリン（ｆｉｂｕｌｉｎ）−１前駆体（ＦＢＬＮ１）のアイソフォームＢ（例えば、ＧｅｎＢａｎｋ登録番号Ｐ２３１４２−２（配列番号７５））：
1   meraapsrrv plpllllggl allaagvdad vlleaccadg hrmathqkdc slpyateske
61  crmvqeqcch sqleelhcat gislaneqdr catphgdnas leatfvkrcc hccllgraaq
121 aqgqsceysl mvgyqcgqvf raccvksqet gdldvgglqe tdkiieveee qedpylndrc
181 rgggpckqqc rdtgdevvcs cfvgyqllsd gvscedvnec itgshscrlg escintvgsf
241 rcqrdsscgt gyeltednsc kdidecesgi hnclpdficq ntlgsfrcrp klqcksgfiq
301 dalgncidin eclsisapcp ightcinteg sytcqknvpn cgrgyhlnee gtrcvdvdec
361 appaepcgkg hrcvnspgsf rcecktgyyf dgisrmcvdv necqrypgrl cghkcentlg
421 sylcscsvgf rlsvdgrsce dinecssspc sqecanvygs yqcycrrgyq lsdvdgvtce
481 didecalptg ghicsyrcin ipgsfqcscp ssgyrlapng rncqdidecv tgihncsine
541 tcfniqggfr clafecpeny rrsaatlqqe ktdtvrciks crpndvtcvf dpvhtishtv
601 islptfreft rpeeiiflra itpphpasqa niifditegn lrdsfdiikr ymdgmtvgvv
661 rqvrpivgpf havlklemny vvggvvshrn vvnvrifvse ywf
【０２１８】
ヌクレオバインディン１（ＮＵＣＢ１）（例えば、ＧｅｎＢａｎｋ登録番号ＮＰ＿００６１７５（配列番号７６））：
1   mppsgprgtl lllpllllll lravlavple rgapnkeetp atespdtgly yhrylqevid
61  vletdghfre klqaanaedi ksgklsreld fvshhvrtkl delkrqevsr lrmllkakmd
121 aeqdpnvqvd hlnllkqfeh ldpqnqhtfe ardlelliqt atrdlaqyda ahheefkrye
181 mlkeherrry leslgeeqrk eaerkleeqq rrhrehpkvn vpgsqaqlke vweeldgldp
241 nrfnpktffi lhdinsdgvl deqelealft kelekvydpk needdmreme eerlrmrehv
301 mknvdtnqdr lvtleeflas tqrkefgdtg egwetvemhp ayteeelrrf eeelaareae
361 lnakaqrlsq etealgrsqg rleaqkrelq qavlhmeqrk qqqqqqqghk apaahpegql
421 kfhpdtddvp vpapagdqke vdtsekklle rlpevevpqh l
【０２１９】
ヒストンクラスター２，Ｈ２ｂａ（ＨＩＳＴ２Ｈ２ＢＡ）（例えば、ＧｅｎＢａｎｋ登録番号ＮＰ＿００１０１９７７０（配列番号７７））：
1   mpdpaksapa pkkgskkavt kvqkkdgkkr krsrkesysv yvykvlkqvh pdtgisskam
61  gimnsfvndi feriageasr lahynkrsti tsreiqtavr lllpgelakh avsegtkavt
121 kytssk
【０２２０】
三部分モチーフ含有２８（ＴＲＩＭ２８）（例えば、ＧｅｎＢａｎｋ登録番号ＮＰ＿００５７５３（配列番号７８））：
1   maasaaaasa aaasaasgsp gpgegsagge krstapsaaa sasasaaass pagggaeale
61  llehcgvcre rlrpereprl lpclhsacsa clgpaapaaa nssgdggaag dgtvvdcpvc
121 kqqcfskdiv enyfmrdsgs kaatdaqdan qcctscedna patsycvecs eplcetcvea
181 hqrvkytkdh tvrstgpaks rdgertvycn vhkheplvlf cescdtltcr dcqlnahkdh
241 qyqfledavr nqrkllaslv krlgdkhatl qkstkevrss irqvsdvqkr vqvdvkmail
301 qimkelnkrg rvlvndaqkv tegqqerler qhwtmtkiqk hqehilrfas walesdnnta
361 lllskkliyf qlhralkmiv dpvephgemk fqwdlnawtk saeafgkiva erpgtnstgp
421 apmapprapg plskqgsgss qpmevqegyg fgsgddpyss aephvsgvkr srsgegevsg
481 lmrkvprvsl erldldltad sqppvfkvfp gsttedynli viergaaaaa tgqpgtapag
541 tpgapplagm aivkeeetea aigapptate gpetkpvlma laegpgaegp rlaspsgsts
601 sglevvapeg tsapgggpgt lddsaticrv cqkpgdlvmc nqcefcfhld chlpalqdvp
661 geewscslch vlpdlkeedg slsldgadst gvvaklspan qrkcervlla lfchepcrpl
721 hqlatdstfs ldqpggtldl tlirarlqek lsppysspqe faqdvgrmfk qfnkltedka
781 dvqsiiglqr ffetrmneaf gdtkfsavlv epppmslpga glssqelsgg pgdgp
【０２２１】
ペルオキシソームＤ３，Ｄ２エノイル−ＣｏＡイソメラーゼ（ＰＥＣＩ）（例えば、ＧｅｎＢａｎｋ登録番号ＮＰ＿００６１０８（配列番号７９））：
1   mnrtamrasq kdfensmnqv kllkkdpgne vklklyalyk qategpcnmp kpgvfdlink
61  akwdawnalg slpkeaarqn yvdlvsslsp slesssqvep gtdrkstgfe tlvvtsedgi
121 tkimfnrpkk knaintemyh eimralkaas kddsiitvlt gngdyyssgn dltnftdipp
181 ggveekaknn avllrefvgc fidfpkplia vvngpavgis vtllglfdav yasdratfht
241 pfshlgqspe gcssytfpki mspakateml ifgkkltage acaqglvtev fpdstfqkev
301 wtrlkafakl ppnalriske virkrerekl havnaeecnv lqgrwlsdec tnavvnflsr
361 kskl
【０２２２】
ペプチジルプロリルイソメラーゼＢ（ＰＰＩＢ）（例えば、ＧｅｎＢａｎｋ登録番号ＮＰ＿０００９３３（配列番号８０））：
1   mlrlsernmk vllaaaliag svfflllpgp saadekkkgp kvtvkvyfdl rigdedvgrv
61  ifglfgktvp ktvdnfvala tgekgfgykn skfhrvikdf miqggdftrg dgtggksiyg
121 erfpdenfkl khygpgwvsm anagkdtngs qffittvkta wldgkhvvfg kvlegmevvr
181 kvestktdsr dkplkdviia dcgkievekp faiake
【０２２３】
４０Ｓリボソームタンパク質Ｓ１７類似体（例えば、ＧｅｎＢａｎｋ登録番号ＩＰ００７４３３０５（配列番号８１））：
mgrvrtktvkkaarviiekyytrlgndfhtnkrvceeiaiipskklrnkipeilgtdrrtsdwrgdqlscipvpfpnstm
elakglqdnsrscvhssktccryhtvgppqlakigstgqvdqsgrprppnradlamepshaekdnhsalstpeagqsthg
【０２２４】
真核生物翻訳伸長因子１γ（ＥＥＦ１Ｇ）（例えば、ＧｅｎＢａｎｋ登録番号ＩＰＩ００７４７４９７（配列番号８２））：
avgtlytypenwrafkaliaaqysgaqvrvlsapphfhfgqtnrtpeflrkfpagkvpaf
egddgfcvfesnaiayyvsneelrgstpeaaaqvvqwvsfadsdivppastwvfptlgim
hhnkqatenakeevrrilglldaylktrtflvgervtladitvvctllwlykqvlepsfr
qafpntnrwfltcinqpqfravlgevklcekmaqfdakkfaetqpkkdtprkekgsreek
qkpqaerkeekkaaapapeeemdeceqalaaepkakdpfahlpkstfvldefkrkysned
tlsvalpyfwehfdkdgwslwyseyrfpeeltqtfmscnlitgmfqrldklrknafasvi
lfgtnnsssisgvwvfrgqelafplspdwqvdyesytwrkldpgseetqtlvreyfsweg
afqhvgkafnqgkifk
【０２２５】
ケラチン８（ＫＲＴ８）（例えば、ＧｅｎＢａｎｋ登録番号ＮＰ＿００２２６４（配列番号８３））：
1   msirvtqksy kvstsgpraf ssrsytsgpg srissssfsr vgssnfrggl gggyggasgm
61  ggitavtvnq sllsplvlev dpniqavrtq ekeqiktlnn kfasfidkvr fleqqnkmle
121 tkwsllqqqk tarsnmdnmf esyinnlrrq letlgqeklk leaelgnmqg lvedfknkye
181 deinkrteme nefvlikkdv deaymnkvel esrlegltde inflrqlyee eirelqsqis
241 dtsvvlsmdn srsldmdsii aevkaqyedi anrsraeaes myqikyeelq slagkhgddl
301 rrtkteisem nrnisrlqae ieglkgqras leaaiadaeq rgelaikdan aklseleaal
361 qrakqdmarq lreyqelmnv klaldieiat yrkllegees rlesgmqnms ihtkttsgya
421 gglssayggl tspglsyslg ssfgsgagss sfsrtsssra vvvkkietrd gklvsessdv
481 lpk
【０２２６】
フィビュリン２（ＦＢＬＮ２）（例えば、ＧｅｎＢａｎｋ登録番号ＮＰ＿００１９８９（配列番号８４））：
1   mvllwepaga wlalglalal gpsvaaaapr qdctgvecpp lencieeale pgaccatcvq
61  qgcacegyqy ydclqggfvr grvpagqsyf vdfgstecsc ppgggkiscq fmlcpelppn
121 cieavvvads cpqcgqvgcv haghkyaagh tvhlppcrac hcpdaggeli cyqlpgchgn
181 fsdaeegdpe rhyedpysyd qevaeveaat alggevqaga vqagaggppa algggsqpls
241 tiqappwpav lprptaaaal gppapvqaka rrvtedseee eeeeeereem avteqlaagg
301 hrgldglptt apagpslpiq eeraeagara eagarpeenl ildaqatsrs tgpegvthap
361 slgkaalvpt qavpgsprdp vkpsphnils tslpdaawip ptrevprkpq vlphshveed
421 tdpnsvhsip rsspegstkd lietccaagq qwaidndecl eipesgtedn vcrtaqrhcc
481 vsylqekscm agvlgakege tcgaedndsc gislykqccd ccglglrvra egqscesnpn
541 lgypcnhvml sccegeepli vpevrrppep aaaprrvsea emagrealsl gteaelpnsl
601 pgddqdecll lpgelcqhlc intvgsyhca cfpgfslqdd grtcrpeghp pqpeapqepa
661 lksefsqvas ntiplplpqp ntckdngpck qvcstvggsa icscfpgyai madgvscedi
721 necvtdlhtc srgehcvntl gsfhcykalt cepgyalkdg ecedvdecam gthtcqpgfl
781 cqntkgsfyc qarqrcmdgf lqdpegncvd inectslsep crpgfscint vgsytcqrnp
841 licargyhas ddgtkcvdvn ecetgvhrcg egqvchnlpg syrcdckagf qrdafgrgci
901 dvnecwaspg rlcqhtcent lgsyrcscas gfllaadgkr cedvneceaq rcsqecaniy
961 gsyqcycrqg yqlaedghtc tdidecaqga gilctfrcln vpgsyqcacp eqgytmtang
1021 rsckdvdeca lgthncseae tchniqgsfr clrfecppny vqvsktkcer ttchdflecq
1081 nsparithyq lnfqtgllvp ahifrigpap aftgdtialn iikgneegyf gtrrlnaytg
1141 vvylqravle prdfaldvem klwrqgsvtt flakmhifft tfal
【０２２７】
ＶＩＭ（例えば、ＧｅｎＢａｎｋ登録番号ＮＰ＿００３３７１（配列番号８５））：
1   mstrsvssss yrrmfggpgt asrpsssrsy vttstrtysl gsalrpstsr slyasspggv
61  yatrssavrl rssvpgvrll qdsvdfslad aintefkntr tnekvelqel ndrfanyidk
121 vrfleqqnki llaeleqlkg qgksrlgdly eeemrelrrq vdqltndkar veverdnlae
181 dimrlreklq eemlqreeae ntlqsfrqdv dnaslarldl erkveslqee iaflkklhee
241 eiqelqaqiq eqhvqidvdv skpdltaalr dvrqqyesva aknlqeaeew ykskfadlse
301 aanrnndalr qakqesteyr rqvqsltcev dalkgtnesl erqmremeen faveaanyqd
361 tigrlqdeiq nmkeemarhl reyqdllnvk maldieiaty rkllegeesr islplpnfss
421 lnlretnlds lplvdthskr tlliktvetr dgqvinetsq hhddle
【０２２８】
フィブリノーゲンα鎖（ＦＧＡ）（例えば、ＧｅｎＢａｎｋ登録番号ＮＰ＿０００４９９（配列番号８６））：
1   mfsmrivclv lsvvgtawta dsgegdflae gggvrgprvv erhqsackds dwpfcsdedw
61  nykcpsgcrm kglidevnqd ftnrinklkn slfeyqknnk dshslttnim eilrgdfssa
121 nnrdntynrv sedlrsriev lkrkviekvq hiqllqknvr aqlvdmkrle vdidikirsc
181 rgscsralar evdlkdyedq qkqleqviak dllpsrdrqh lplikmkpvp dlvpgnfksq
241 lqkvppewka ltdmpqmrme lerpggneit rggstsygtg setesprnps sagswnsgss
301 gpgstgnrnp gssgtggtat wkpgssgpgs tgswnsgssg tgstgnqnpg sprpgstgtw
361 npgssergsa ghwtsessvs gstgqwhses gsfrpdspgs gnarpnnpdw gtfeevsgnv
421 spgtrreyht eklvtskgdk elrtgkekvt sgsttttrrs csktvtktvi gpdghkevtk
481 evvtsedgsd cpeamdlgtl sgigtldgfr hrhpdeaaff dtastgktfp gffspmlgef
541 vsetesrgse sgiftntkes sshhpgiaef psrgksssys kqftsstsyn rgdstfesks
601 ykmadeagse adhegthstk rghaksrpvr dcddvlqthp sgtqsgifni klpgsskifs
661 vycdqetslg gwlliqqrmd gslnfnrtwq dykrgfgsln degegefwlg ndylhlltqr
721 gsvlrveled wagneayaey hfrvgseaeg yalqvssyeg tagdaliegs veegaeytsh
781 nnmqfstfdr dadqweenca evygggwwyn ncqaanlngi yypggsydpr nnspyeieng
841 vvwvsfrgad yslravrmki rplvtq
【０２２９】
アネキシンＡ２（ＡＮＸＡ２）（例えば、ＧｅｎＢａｎｋ登録番号ＮＰ＿００１００２８５８（配列番号８７））：
1   mgrqlagcgd agkkasfkms tvheilckls legdhstpps aygsvkaytn fdaerdalni
61  etaiktkgvd evtivniltn rsnaqrqdia fayqrrtkke lasalksals ghletvilgl
121 lktpaqydas elkasmkglg tdedslieii csrtnqelqe inrvykemyk tdlekdiisd
181 tsgdfrklmv alakgrraed gsvidyelid qdardlydag vkrkgtdvpk wisimtersv
241 phlqkvfdry ksyspydmle sirkevkgdl enaflnlvqc iqnkplyfad rlydsmkgkg
301 trdkvlirim vsrsevdmlk irsefkrkyg kslyyyiqqd tkgdyqkall ylcggdd
【０２３０】
Ｈ２Ａヒストンファミリー，メンバーＪ（Ｈ２ＡＦＪ）（例えば、ＧｅｎＢａｎｋ登録番号ＮＰ＿８０８７６０（配列番号８８））：
1   msgrgkqggk vrakaksrss raglqfpvgr vhrllrkgny aervgagapv ylaavleylt
61  aeilelagna ardnkktrii prhlqlairn deelnkllgk vtiaqggvlp niqavllpkk
121 tesqktksk
【０２３１】
アクチンα，心筋１（ＡＣＴＣ１）（例えば、ＧｅｎＢａｎｋ登録番号ＮＰ＿００５１５０（配列番号８９））：
1   mcddeettal vcdngsglvk agfagddapr avfpsivgrp rhqgvmvgmg qkdsyvgdea
61  qskrgiltlk ypiehgiitn wddmekiwhh tfynelrvap eehptlltea plnpkanrek
121 mtqimfetfn vpamyvaiqa vlslyasgrt tgivldsgdg vthnvpiyeg yalphaimrl
181 dlagrdltdy lmkiltergy sfvttaerei vrdikeklcy valdfenema taasssslek
241 syelpdgqvi tignerfrcp etlfqpsfig mesagihett ynsimkcdid irkdlyannv
301 lsggttmypg iadrmqkeit alapstmkik iiapperkys vwiggsilas lstfqqmwis
361 kqeydeagps ivhrkcf
【０２３２】
ケラチン１９（ＫＲＴ１９）（例えば、ＧｅｎＢａｎｋ登録番号ＮＰ＿００２２６７（配列番号９０））：
1   mtsysyrqss atssfgglgg gsvrfgpgva frapsihggs ggrgvsvssa rfvsssssga
61  ygggyggvlt asdgllagne kltmqnlndr lasyldkvra leaangelev kirdwyqkqg
121 pgpsrdyshy yttiqdlrdk ilgatiensr ivlqidnarl aaddfrtkfe teqalrmsve
181 adinglrrvl deltlartdl emqieglkee laylkknhee eistlrgqvg gqvsvevdsa
241 pgtdlakils dmrsqyevma eqnrkdaeaw ftsrteelnr evaghteqlq msrsevtdlr
301 rtlqgleiel qsqlsmkaal edtlaetear fgaqlahiqa lisgieaqlg dvradserqn
361 qeyqrlmdik srleqeiaty rsllegqedh ynnlsaskvl
【０２３３】
免疫グロブリン（Ｉｍｍｕｎｏｇｌｏｂｉｎ）λ遺伝子座（ＩＧＬ＠タンパク質）（例えば、ＧｅｎＢａｎｋ登録番号Ｑ６ＰＩＱ７（配列番号９１））：
1   mawallllsl ltqgtgswaq saltqprsvs gspgqsvtip ctgtssdvgn ynyvswyrqh
61  pgkapklmiy dvnkrpsgvp drfsgsksgn tasltisglq aedeadyycc syagtytfgv
121 fgggtkltvl gqpkaapsvt lfppsseelq ankatlvcli sdfypgavtv awkadsspvk
181 agvetttpsk qsnnkyaass ylsltpeqwk shksyscqvt hegstvektv aptecs
【０２３４】
免疫グロブリン重鎖定常部位μ（ＩＧＨＭ）（例えば、ＧｅｎＢａｎｋ登録番号Ｑ８ＷＵＫ１（配列番号９２））：
1   mefglswvfl vallrgvqcq vqlvesgggv vqpgrslrls caasgftfss ygmhwvrqap
61  gkglewvavi sydgsnkyya dsvkgrftis rdnskntlyl qmnslraedt avyycakdws
121 egvetfdiwg qgtmvtvssg sasaptlfpl vscenspsdt ssvavgclaq dflpdsitfs
181 wkyknnsdis strgfpsvlr ggkyaatsqv llpskdvmqg tdehvvckvq hpngnkeknv
241 plpviaelpp kvsvfvpprd gffgnprksk licqatgfsp rqiqvswlre gkqvgsgvtt
301 dqvqaeakes gpttykvtst ltikesdwls qsmftcrvdh rgltfqqnas smcvpdqdta
361 irvfaippsf asifltkstk ltclvtdltt ydsvtiswtr qngeavktht niseshpnat
421 fsavgeasic eddwnsgerf tctvthtdlp splkqtisrp kgvalhrpdv yllppareql
481 nlresatitc lvtgfspadv fvqwmqrgqp lspekyvtsa pmpepqapgr yfahsiltvs
541 eeewntgety tcvvahealp nrvtertvdk stegevsade egfenlwata stfivlflls
601 lfysttvtlf kvk
【０２３５】
ＥＧＦ含有フィビュリン様細胞外基質タンパク質１（ＥＦＥＭＰ１）（例えば、ＧｅｎＢａｎｋ登録番号Ｑ１２８０５−３（配列番号９３））：
1   mlkalfltml tlalvksqdt eetitytqct dgyewdpvrq qckdidecdi vpdackggmk
61  cvnhyggylc lpktaqiivn neqpqqetqp aegtsgattg vvaassmats gvlpgggfva
121 saaavagpem qtgrnnfvir rnpadpqrip snpshriqca agyeqsehnv cqdidectag
181 thncradqvc inlrgsfacq cppgyqkrge qcvdidecti ppychqrcvn tpgsfycqcs
241 pgfqlaanny tcvdinecda snqcaqqcyn ilgsficqcn qgyelssdrl ncedidecrt
301 ssylcqyqcv nepgkfscmc pqgyqvvrsr tcqdinecet tnecredemc wnyhggfrcy
361 prnpcqdpyi ltpenrcvcp vsnamcrelp qsivykymsi rsdrsvpsdi fqiqattiya
421 ntintfriks gnengefylr qtspvsamlv lvkslsgpre hivdlemltv ssigtfrtss
481 vlrltiivgp fsf
【０２３６】
三部分モチーフ含有タンパク質３４（例えば、ＧｅｎＢａｎｋ登録番号ＮＰ＿０６７６２９（配列番号９４））：
1   maskillnvq eevtcpicle llteplsldc ghslcracit vsnkeavtsm ggksscpvcg
61  isysfehlqa nqhlaniver lkevklspdn gkkrdlcdhh geklllfcke drkvicwlce
121 rsqehrghht vlteevfkec qeklqavlkr lkkeeeeaek leadireekt swkyqvqter
181 qriqtefdql rsilnneeqr elqrleeeek ktldkfaeae delvqqkqlv relisdvecr
241 sqwstmellq dmsgimkwse iwrlkkpkmv skklktvfha pdlsrmlqmf reltavrcyw
301 vdvtlnsvnl nlnlvlsedq rqvisvpiwp fqcynygvlg sqyfssgkhy wevdvskkta
361 wilgvycrty srhmkyvvrr canrqnlytk yrplfgywvi glqnkckygv feeslssdpe
421 vltlsmavpp crvgvfldye agivsffnvt shgsliykfs kccfsqpvyp yfnpwncpap
481 mtlcppss
【０２３７】
ＡＰ１−サブユニットγ結合タンパク質１のアイソフォーム３（例えば、ＧｅｎＢａｎｋ登録番号ＮＰ＿５４２１１７（配列番号９５））：
1   malrpgagsg gggaagagag saggggfmfp vaggirppqa glmpmqqqgf pmvsvmqpnm
61  qgimgmnyss qmsqgpiamq agipmgpmpa agmpylgqap flgmrppgpq ytpdmqkqfa
121 eeqqkrfeqq qklleeerkr rqfeeqkqkl rllssvkpkt geksrddale aikgnldgfs
181 rdakmhptpa shpkkpgpsl eekflvscdi stsgqeqikl ntsevghkal gpgsskkyps
241 lmasngvavd gcvsgtttae aentsdqnls ieesgvgvfp sqdpaqprmp pwiyneslvp
301 daykkilett mtptgidtak lypilmssgl pretlgqiwa lanrttpgkl tkeelytvla
361 miavtqrgvp amspdalnqf paapiptlsg fsmtlptpvs qptvipsgpa gsmplslgqp
421 vmginlvgpv ggaaaqassg fiptypanqv vkpeeddfqd fqdasksgsl ddsfsdfqel
481 passktsnsq hgnsapsllm plpgtkalps mdkyavfkgi aadkssentv ppgdpgdkys
541 afreleqtae nkplgesfae frsagtddgf tdfktadsvs plepptkdkt fppsfpsgti
601 qqkqqtqvkn plnladldmf ssvncssekp lsfsavfsts ksvstpqstg saatmtalaa
661 tktssladdf gefslfgeys glapvgeqdd fadfmafsns sisseqkpdd kydalkeeas
721 pvpltsnvgs tvkggqnsta astkydvfrq lslegsglgv edlkdntpsg ksdddfadfh
781 sskfssinsd kslgekavaf rhtkedsasv ksldlpsigg ssvgkedsed alsvqfdmkl
841 advggdlkhv msdssldlpt vsgqhppaad iedlkyaafg syssnfavst ltsydwsdrd
901 datqgrklsp fvlsagsgsp satsilqkke tsfgssenit mtslskvttf vsedalpett
961 fpalasfkdt ipqtseqkey enrdykdftk qdlptaersq eatcpspass gasqetpnec
1021 sddfgefqse kpkiskfdfl vatsqskmks seemiksela tfdlsvqgsh krslslgdke
1081 isrsspspal eqpfrdrsnt lnekpalpvi rdkykdltge veeneryaye wqrclgsaln
1141 vikkandtln gissssvcte viqsaqgmey llgvvevyrv tkrvelgika tavcseklqq
1201 llkdidkvwn nligfmslat ltpdensldf sscmlrpgik naqelacgvc llnvdsrsra
1261 fnsetdsfkl aygghqyhas canfwincve pkppglvlpd ll
【０２３８】
プロフィリン（Ｐｒｏｆｌｉｎ）−１（例えば、ＧｅｎＢａｎｋ登録番号ＮＰ＿００５０１３（配列番号９６））：
1  magwnayidn lmadgtcqda aivgykdsps vwaavpgktf vnitpaevgv lvgkdrssfy
61 vngltlggqk csvirdsllq dgefsmdlrt kstggaptfn vtvtktdktl vllmgkegvh
121 gglinkkcye mashlrrsqy
【０２３９】
ヒストンＨ４（例えば、ＧｅｎＢａｎｋ登録番号ＮＰ＿００１０２９２４９（配列番号９７））：
1 msgrgkggkg lgkggakrhr kvlrdniqgi tkpairrlar rggvkrisgl iyeetrgvlk
61 vflenvirda vtytehakrk tvtamdvvya lkrqgrtlyg fgg
【０２４０】
ヘモグロビンサブユニットα（例えば、ＧｅｎＢａｎｋ登録番号ＮＰ＿０００５４９（配列番号９８））：
1   mvlspadktn vkaawgkvga hageygaeal ermflsfptt ktyfphfdls hgsaqvkghg
61  kkvadaltna vahvddmpna lsalsdlhah klrvdpvnfk llshcllvtl aahlpaeftp
121 avhasldkfl asvstvltsk yr
【０２４１】
トランスゲリン（例えば、ＧｅｎＢａｎｋ登録番号ＮＰ＿００１００１５２２（配列番号９９））：
1   mankgpsygm srevqskiek kydeeleerl vewiivqcgp dvgrpdrgrl gfqvwlkngv
61  ilsklvnsly pdgskpvkvp enppsmvfkq meqvaqflka aedygviktd mfqtvdlfeg
121 kdmaavqrtl malgslavtk ndghyrgdpn wfmkkaqehk reftesqlqe gkhviglqmg
181 snrgasqagm tgygrprqii s
【０２４２】
ルミカン前駆体（例えば、ＧｅｎＢａｎｋ登録番号ＮＰ＿００２３３６（配列番号１００））：
1   mslsaftlfl aliggtsgqy ydydfplsiy gqsspncape cncpesypsa mycdelklks
61  vpmvppgiky lylrnnqidh idekafenvt dlqwlildhn llenskikgr vfsklkqlkk
121 lhinhnnlte svgplpksle dlqlthnkit klgsfeglvn ltfihlqhnr lkedavsaaf
181 kglksleyld lsfnqiarlp sglpvslltl yldnnkisni pdeyfkrfna lqylrlshne
241 ladsgipgns fnvsslveld lsynklknip tvnenlenyy levnqlekfd iksfckilgp
301 lsyskikhlr ldgnrisets lppdmyeclr vanevtln
【０２４３】
ヘモグロビンβ（例えば、ＧｅｎＢａｎｋ登録番号ＮＰ＿０００５０９（配列番号１０１））：
1   mvhltpeeks avtalwgkvn vdevggealg rllvvypwtq rffesfgdls tpdavmgnpk
61  vkahgkkvlg afsdglahld nlkgtfatls elhcdklhvd penfrllgnv lvcvlahhfg
121 keftppvqaa yqkvvagvan alahkyh
【０２４４】
フィブリノーゲンβ鎖前駆体（例えば、ＧｅｎＢａｎｋ登録番号ＮＰ＿００５１３２（配列番号１０２））：
1   mkrmvswsfh klktmkhlll lllcvflvks qgvndneegf fsarghrpld kkreeapslr
61  papppisggg yrarpakaaa tqkkverkap daggclhadp dlgvlcptgc qlqeallqqe
121 rpirnsvdel nnnveavsqt ssssfqymyl lkdlwqkrqk qvkdnenvvn eysselekhq
181 lyidetvnsn iptnlrvlrs ilenlrskiq klesdvsaqm eycrtpctvs cnipvvsgke
241 ceeiirkgge tsemyliqpd ssvkpyrvyc dmntenggwt viqnrqdgsv dfgrkwdpyk
301 qgfgnvatnt dgknycglpg eywlgndkis qltrmgptel liemedwkgd kvkahyggft
361 vqneankyqi svnkyrgtag nalmdgasql mgenrtmtih ngmffstydr dndgwltsdp
421 rkqcskedgg gwwynrchaa npngryywgg qytwdmakhg tddgvvwmnw kgswysmrkm
481 smkirpffpq q
【０２４５】
免疫グロブリンκ定常部位（ＩＧＫＣ）（例えば、ＧｅｎＢａｎｋ登録番号Ｑ６ＧＭＸ８（配列番号１０３））：
1   mdmrvpaqll gllllwfpgs rcdiqmtqsp ssvsasvgdr vtitcrasqg isswlawyqq
61  kpgkapklli yaasslqsgv psrfsgsgsg tdftltissl qpedfatyyc qqahsfpftf
121 gpgtkvdikr tvaapsvfif ppsdeqlksg tasvvcllnn fypreakvqw kvdnalqsgn
181 sqesvteqds kdstyslsst ltlskadyek hkvyacevth qglsspvtks fnrgec
【０２４６】
未同定タンパク質ＡＬＢ（例えば、ＧｅｎＢａｎｋ登録番号Ｑ５６Ｇ８９（配列番号１０４））：
1   mkwvtfisll flfssaysrg vfrrdahkse vahrfkdlge enfkalvlia faqylqqcpf
61  edhvklvnev tefaktcvad esaencdksl htlfgdklct vatlretyge madccakqep
121 ernecflqhk ddnpnlprlv rpevdvmcta fhdneetflk kylyeiarrh pyfyapellf
181 fakrykaaft eccqaadkaa cllpkldelr degkassakq glkcaslqkf gerafkawav
241 arlsqrfpka efaevsklvt dltkvhtecc hgdllecadd radlakyice nqdsissklk
301 eccekpllek shciaevend empadlpsla adfvgskdvc knyaeakdvf lgmflyeyar
361 rhpdysvvll lrlaktyett lekccaaadp hecyakvfde fkplveepqn likqncelfe
421 qlgeykfqna llvrytkkvp qvstptlvev srnlgkvgsk cckhpeakrm pcaedclsvf
481 lnqlcvlhek tpvsdrvtkc cteslvngrp cfsalevdet yvpkefnaet ftfhadictl
541 sekerqikkq talvelvkhk pkatkeqlka vmddfaafve kcckaddket cfaeegkklv
601 aasqaalgl
【０２４７】
ＡｐｏＡ１（例えば、ＧｅｎＢａｎｋ登録番号Ｐ０２６４７（配列番号１０５））：
MKAAVLTLAV LFLTGSQARH FWQQDEPPQS PWDRVKDLAT VYVDVLKDSG RDYVSQFEGS 
ALGKQLNLKL LDNWDSVTST FSKLREQLGP VTQEFWDNLE KETEGLRQEM SKDLEEVKAK 
VQPYLDDFQK KWQEEMELYR QKVEPLRAEL QEGARQKLHE LQEKLSPLGE EMRDRARAHV 
DALRTHLAPY SDELRQRLAA RLEALKENGG ARLAEYHAKA TEHLSTLSEK AKPALEDLRQ 
GLLPVLESFK VSFLSALEEY TKKLNTQ
【０２４８】
Ｃ４Ａ（例えば、ＧｅｎＢａｎｋ登録番号Ｐ０Ｃ０Ｌ４（配列番号１０６））：
MRLLWGLIWA SSFFTLSLQK PRLLLFSPSV VHLGVPLSVG VQLQDVPRGQ VVKGSVFLRN 
PSRNNVPCSP KVDFTLSSER DFALLSLQVP LKDAKSCGLH QLLRGPEVQL VAHSPWLKDS 
LSRTTNIQGI NLLFSSRRGH LFLQTDQPIY NPGQRVRYRV FALDQKMRPS TDTITVMVEN 
SHGLRVRKKE VYMPSSIFQD DFVIPDISEP GTWKISARFS DGLESNSSTQ FEVKKYVLPN 
FEVKITPGKP YILTVPGHLD EMQLDIQARY IYGKPVQGVA YVRFGLLDED GKKTFFRGLE 
SQTKLVNGQS HISLSKAEFQ DALEKLNMGI TDLQGLRLYV AAAIIESPGG EMEEAELTSW 
YFVSSPFSLD LSKTKRHLVP GAPFLLQALV REMSGSPASG IPVKVSATVS SPGSVPEVQD 
IQQNTDGSGQ VSIPIIIPQT ISELQLSVSA GSPHPAIARL TVAAPPSGGP GFLSIERPDS 
RPPRVGDTLN LNLRAVGSGA TFSHYYYMIL SRGQIVFMNR EPKRTLTSVS VFVDHHLAPS 
FYFVAFYYHG DHPVANSLRV DVQAGACEGK LELSVDGAKQ YRNGESVKLH LETDSLALVA 
LGALDTALYA AGSKSHKPLN MGKVFEAMNS YDLGCGPGGG DSALQVFQAA GLAFSDGDQW 
TLSRKRLSCP KEKTTRKKRN VNFQKAINEK LGQYASPTAK RCCQDGVTRL PMMRSCEQRA 
ARVQQPDCRE PFLSCCQFAE SLRKKSRDKG QAGLQRALEI LQEEDLIDED DIPVRSFFPE 
NWLWRVETVD RFQILTLWLP DSLTTWEIHG LSLSKTKGLC VATPVQLRVF REFHLHLRLP 
MSVRRFEQLE LRPVLYNYLD KNLTVSVHVS PVEGLCLAGG GGLAQQVLVP AGSARPVAFS 
VVPTAAAAVS LKVVARGSFE FPVGDAVSKV LQIEKEGAIH REELVYELNP LDHRGRTLEI 
PGNSDPNMIP DGDFNSYVRV TASDPLDTLG SEGALSPGGV ASLLRLPRGC GEQTMIYLAP 
TLAASRYLDK TEQWSTLPPE TKDHAVDLIQ KGYMRIQQFR KADGSYAAWL SRDSSTWLTA 
FVLKVLSLAQ EQVGGSPEKL QETSNWLLSQ QQADGSFQDP CPVLDRSMQG GLVGNDETVA 
LTAFVTIALH HGLAVFQDEG AEPLKQRVEA SISKANSFLG EKASAGLLGA HAAAITAYAL 
SLTKAPVDLL GVAHNNLMAM AQETGDNLYW GSVTGSQSNA VSPTPAPRNP SDPMPQAPAL 
WIETTAYALL HLLLHEGKAE MADQASAWLT RQGSFQGGFR STQDTVIALD ALSAYWIASH 
TTEERGLNVT LSSTGRNGFK SHALQLNNRQ IRGLEEELQF SLGSKINVKV GGNSKGTLKV 
LRTYNVLDMK NTTCQDLQIE VTVKGHVEYT MEANEDYEDY EYDELPAKDD PDAPLQPVTP 
LQLFEGRRNR RRREAPKVVE EQESRVHYTV CIWRNGKVGL SGMAIADVTL LSGFHALRAD 
LEKLTSLSDR YVSHFETEGP HVLLYFDSVP TSRECVGFEA VQEVPVGLVQ PASATLYDYY 
NPERRCSVFY GAPSKSRLLA TLCSAEVCQC AEGKCPRQRR ALERGLQDED GYRMKFACYY 
PRVEYGFQVK VLREDSRAAF RLFETKITQV LHFTKDVKAA ANQMRNFLVR ASCRLRLEPG 
KEYLIMGLDG ATYDLEGHPQ YLLDSNSWIE EMPSERLCRS TRQRAACAQL NDFLQEYGTQ 
GCQV
【０２４９】
Ｃ３  １８７ｋＤａタンパク質（例えば、ＧｅｎＢａｎｋ登録番号Ｐ０１０２４（配列番号１０７））：
MGPTSGPSLL LLLLTHLPLA LGSPMYSIIT PNILRLESEE TMVLEAHDAQ GDVPVTVTVH 
DFPGKKLVLS SEKTVLTPAT NHMGNVTFTI PANREFKSEK GRNKFVTVQA TFGTQVVEKV 
VLVSLQSGYL FIQTDKTIYT PGSTVLYRIF TVNHKLLPVG RTVMVNIENP EGIPVKQDSL 
SSQNQLGVLP LSWDIPELVN MGQWKIRAYY ENSPQQVFST EFEVKEYVLP SFEVIVEPTE 
KFYYIYNEKG LEVTITARFL YGKKVEGTAF VIFGIQDGEQ RISLPESLKR IPIEDGSGEV 
VLSRKVLLDG VQNPRAEDLV GKSLYVSATV ILHSGSDMVQ AERSGIPIVT SPYQIHFTKT 
PKYFKPGMPF DLMVFVTNPD GSPAYRVPVA VQGEDTVQSL TQGDGVAKLS INTHPSQKPL 
SITVRTKKQE LSEAEQATRT MQALPYSTVG NSNNYLHLSV LRTELRPGET LNVNFLLRMD 
RAHEAKIRYY TYLIMNKGRL LKAGRQVREP GQDLVVLPLS ITTDFIPSFR LVAYYTLIGA 
SGQREVVADS VWVDVKDSCV GSLVVKSGQS EDRQPVPGQQ MTLKIEGDHG ARVVLVAVDK 
GVFVLNKKNK LTQSKIWDVV EKADIGCTPG SGKDYAGVFS DAGLTFTSSS GQQTAQRAEL 
QCPQPAARRR RSVQLTEKRM DKVGKYPKEL RKCCEDGMRE NPMRFSCQRR TRFISLGEAC 
KKVFLDCCNY ITELRRQHAR ASHLGLARSN LDEDIIAEEN IVSRSEFPES WLWNVEDLKE 
PPKNGISTKL MNIFLKDSIT TWEILAVSMS DKKGICVADP FEVTVMQDFF IDLRLPYSVV 
RNEQVEIRAV LYNYRQNQEL KVRVELLHNP AFCSLATTKR RHQQTVTIPP KSSLSVPYVI 
VPLKTGLQEV EVKAAVYHHF ISDGVRKSLK VVPEGIRMNK TVAVRTLDPE RLGREGVQKE 
DIPPADLSDQ VPDTESETRI LLQGTPVAQM TEDAVDAERL KHLIVTPSGC GEQNMIGMTP 
TVIAVHYLDE TEQWEKFGLE KRQGALELIK KGYTQQLAFR QPSSAFAAFV KRAPSTWLTA 
YVVKVFSLAV NLIAIDSQVL CGAVKWLILE KQKPDGVFQE DAPVIHQEMI GGLRNNNEKD 
MALTAFVLIS LQEAKDICEE QVNSLPGSIT KAGDFLEANY MNLQRSYTVA IAGYALAQMG 
RLKGPLLNKF LTTAKDKNRW EDPGKQLYNV EATSYALLAL LQLKDFDFVP PVVRWLNEQR 
YYGGGYGSTQ ATFMVFQALA QYQKDAPDHQ ELNLDVSLQL PSRSSKITHR IHWESASLLR 
SEETKENEGF TVTAEGKGQG TLSVVTMYHA KAKDQLTCNK FDLKVTIKPA PETEKRPQDA 
KNTMILEICT RYRGDQDATM SILDISMMTG FAPDTDDLKQ LANGVDRYIS KYELDKAFSD 
RNTLIIYLDK VSHSEDDCLA FKVHQYFNVE LIQPGAVKVY AYYNLEESCT RFYHPEKEDG 
KLNKLCRDEL CRCAEENCFI QKSDDKVTLE ERLDKACEPG VDYVYKTRLV KVQLSNDFDE 
YIMAIEQTIK SGSDEVQVGQ QRTFISPIKC REALKLEEKK HYLMWGLSSD FWGEKPNLSY 
IIGKDTWVEH WPEEDECQDE ENQKQCQDLG AFTESMVVFG CPN
【０２５０】
アクチン，細胞質性１（アクチンβ）（例えば、ＧｅｎＢａｎｋ登録番号ＮＰ＿００１０９２（配列番号１０８）：
＞ｒｅｆｓｅｑｐ｜ＮＰ＿００１０９２｜ＮＰ＿００１０９２  βアクチン［ヒト］。
MDDDIAALVVDNGSGMCKAGFAGDDAPRAVFPSIVGRPRHQGVMVGMGQKDSYVGDEAQS
KRGILTLKYPIEHGIVTNWDDMEKIWHHTFYNELRVAPEEHPVLLTEAPLNPKANREKMT
QIMFETFNTPAMYVAIQAVLSLYASGRTTGIVMDSGDGVTHTVPIYEGYALPHAILRLDL
AGRDLTDYLMKILTERGYSFTTTAEREIVRDIKEKLCYVALDFEQEMATAASSSSLEKSY
ELPDGQVITIGNERFRCPEALFQPSFLGMESCGIHETTFNSIMKCDVDIRKDLYANTVLS
GGTTMYPGIADRMQKEITALAPSTMKIKIIAPPERKYSVWIGGSILASLSTFQQMWISKQ
EYDESGPSIVHRKCF
【０２５１】
ヘモグロビンβ（例えば、ＧｅｎＢａｎｋ登録番号Ｏ９５４０８（配列番号１０９）：
＞ｕｎｉｐｒｏｔ｜Ｏ９５４０８｜Ｏ９５４０８＿ヒトβグロビン；
MVHLTPEEKSAVTALWGKVNVDEVGGEALGRLLVIYPWTQRFFESFGDLSTPDAVMG
【０２５２】
ヘモグロビンサブユニットα（例えば、ＧｅｎＢａｎｋ登録番号Ｐ６９９０５（配列番号１１０）：
＞ｕｎｉｐｒｏｔ｜Ｐ６９９０５｜ＨＢＡ＿ヒトヘモグロビンサブユニットα；
MVLSPADKTNVKAAWGKVGAHAGEYGAEALERMFLSFPTTKTYFPHFDLSHGSAQVKGHG
KKVADALTNAVAHVDDMPNALSALSDLHAHKLRVDPVNFKLLSHCLLVTLAAHLPAEFTP
AVHASLDKFLASVSTVLTSKYR
【０２５３】
ＰＯＴＥ−２αアクチン（例えば、ＧｅｎＢａｎｋ登録番号Ａ５Ａ３Ｅ０（配列番号１１１）：
＞ｕｎｉｐｒｏｔ｜Ａ５Ａ３Ｅ０｜ＰＯＴＥＦ＿ヒトＰＯＴＥアンキリンドメインファミリーメンバーＦ；
MVVEVDSMPAASSVKKPFGLRSKMGKWCCRCFPCCRESGKSNVGTSGDHDDSAMKTLRSK
MGKWCRHCFPCCRGSGKSNVGASGDHDDSAMKTLRNKMGKWCCHCFPCCRGSSKSKVGAW
GDYDDSAFMEPRYHVRGEDLDKLHRAAWWGKVPRKDLIVMLRDTDVNKQDKQKRTALHLA
SANGNSEVVKLLLDRRCQLNVLDNKKRTALIKAVQCQEDECALMLLEHGTDPNIPDEYGN
TTLHYAIYNEDKLMAKALLLYGADIESKNKHGLTPLLLGVHEQKQQVVKFLIKKKANLNA
LDRYGRTALILAVCCGSASIVSLLLEQNIDVSSQDLSGQTAREYAVSSHHHVICQLLSDY
KEKQMLKISSENSNPEQDLKLTSEEESQRFKGSENSQPEKMSQEPEINKDGDREVEEEMK
KHESNNVGLLENLTNGVTAGNGDNGLIPQRKSRTPENQQFPDNESEEYHRICELLSDYKE
KQMPKYSSENSNPEQDLKLTSEEESQRLKGSENGQPEKRSQEPEINKDGDRELENFMAIE
EMKKHRSTHVGFPENLTNGATAGNGDDGLIPPRKSRTPESQQFPDTENEEYHSDEQNDTQ
KQFCEEQNTGILHDEILIHEEKQIEVVEKMNSELSLSCKKEKDILHENSTLREEIAMLRL
ELDTMKHQSQLREKKYLEDIESVKKRNDNLLKALQLNELTMDDDTAVLVIDNGSGMCKAG
FAGDDAPRAVFPSIVGRPRQQGMMGGMHQKESYVGKEAQSKRGILTLKYPMEHGIITNWD
DMEKIWHHTFYNELRVAPEEHPVLLTEATLNPKANREKMTQIMFETFNTPAMYVAIQAVL
SLYTSGRTTGIVMDSGDGVTHTVPIYEGNALPHATLRLDLAGRELPDYLMKILTEHGYRF
TTMAEREIVRDIKEKLCYVALDFEQEMATVASSSSLEKSYELPDGQVITIGNERFRCPEA
LFQPCFLGMESCGIHETTFNSIMKSDVDIRKDLYTNTVLSGGTTMYPGMAHRMQKEIAAL
APSMMKIRIIAPPKRKYSVWVGGSILASLSTFQQMWISKQEYDESGPSIVHRKCL
【０２５４】
ＳＬＣ４Ａ１０（例えば、ＧｅｎＢａｎｋ登録番号Ｑ６Ｕ８４１（配列番号１１２）：
＞ｕｎｉｐｒｏｔ｜Ｑ６Ｕ８４１｜Ｓ４Ａ１０＿ヒトナトリウム駆動性塩素イオン重炭酸イオン交換物質；
MEIKDQGAQMEPLLPTRNDEEAVVDRGGTRSILKTHFEKEDLEGHRTLFIGVHVPLGGRK
SHRRHRHRGHKHRKRDRERDSGLEDGRESPSFDTPSQRVQFILGTEDDDEEHIPHDLFTE
LDEICWREGEDAEWRETARWLKFEEDVEDGGERWSKPYVATLSLHSLFELRSCILNGTVL
LDMHANTLEEIADMVLDQQVSSGQLNEDVRHRVHEALMKQHHHQNQKKLTNRIPIVRSFA
DIGKKQSEPNSMDKNAGQVVSPQSAPACVENKNDVSRENSTVDFSKGLGGQQKGHTSPCG
MKQRHEKGPPHQQEREVDLHFMKKIPPGAEASNILVGELEFLDRTVVAFVRLSPAVLLQG
LAEVPIPTRFLFILLGPLGKGQQYHEIGRSIATLMTDEVFHDVAYKAKDRNDLVSGIDEF
LDQVTVLPPGEWDPSIRIEPPKNVPSQEKRKIPAVPNGTAAHGEAEPHGGHSGPELQRTG
RIFGGLILDIKRKAPYFWSDFRDAFSLQCLASFLFLYCACMSPVITFGGLLGEATEGRIS
AIESLFGASMTGIAYSLFGGQPLTILGSTGPVLVFEKILFKFCKEYGLSYLSLRASIGLW
TATLCIILVATDASSLVCYITRFTEEAFASLICIIFIYEALEKLFELSEAYPINMHNDLE
LLTQYSCNCVEPHNPSNGTLKEWRESNISASDIIWENLTVSECKSLHGEYVGRACGHDHP
YVPDVLFWSVILFFSTVTLSATLKQFKTSRYFPTKVRSIVSDFAVFLTILCMVLIDYAIG
IPSPKLQVPSVFKPTRDDRGWFVTPLGPNPWWTVIAAIIPALLCTILIFMDQQITAVIIN
RKEHKLKKGCGYHLDLLMVAVMLGVCSIMGLPWFVAATVLSITHVNSLKLESECSAPGEQ
PKFLGIREQRVTGLMIFILMGSSVFMTSILKFIPMPVLYGVFLYMGASSLKGIQFFDRIK
LFWMPAKHQPDFIYLRHVPLRKVHLFTIIQMSCLGLLWIIKVSRAAIVFPMMVLALVFVR
KLMDLLFTKRELSWLDDLMPESKKKKLEDAEKEEEQSMLAMEDEGTVQLPLEGHYRDDPS
VINISDEMSKTALWRNLLITADNSKDKESSFPSKSSPS
【０２５５】
リボヌクレアーゼＰタンパク質サブユニットＰ２０（ＰＯＰ７）（例えば、ＧｅｎＢａｎｋ登録番号Ｏ７５８１７（配列番号１１３）
＞ｕｎｉｐｒｏｔ｜Ｏ７５８１７｜ＰＯＰ７＿ヒトリボヌクレアーゼＰタンパク質サブユニットｐ２０；
MAENREPRGAVEAELDPVEYTLRKRLPSRLPRRPNDIYVNMKTDFKAQLARCQKLLDGGA
RGQNACSEIYIHGLGLAINRAINIALQLQAGSFGSLQVAANTSTVELVDELEPETDTREP
LTRIRNNSAIHIRVFRVTPK
【０２５６】
核ＲＮＡ排出因子１（ＮＸＦ１）（例えば、ＧｅｎＢａｎｋ登録番号Ｑ５９Ｅ９６（配列番号１１４）：
＞ｕｎｉｐｒｏｔ｜Ｑ５９Ｅ９６｜Ｑ５９Ｅ９６＿ヒト核ＲＮＡ排出因子１変異体；
RPAPEPALDLRCGMADEGKSYSEHDDERVNFPQRKKKGRGPFRWKYGEGNRRSGRGGSGI
RSSRLEEDDGDVAMSDAQDGPRVRYNPYTTRPNRRGDTWHDRDRIHVTVRRDRAPPERGG
AGTSQDGTSKNWFKITIPYGRKYDKAWLLSMIQSKCSVPFTPIEFHYENTRAQFFVEDAS
TASALKAVNYKILDRENRRISIIINSSAPPHTILNELKPEQVEQLKLIMSKRYDGSQQAL
DLKGLRSDPDLVAQNIDVVLNRRSCMAATLRIIEENIPELLSLNLSNNRLYRLDDMSSIV
QKAPNLKILNLSGNELKSERELDKIKGLKLEELWLDGNSLCDTFRDQSTYIRSVVACVSP
PGDLHPLGG
【０２５７】
コイルドコイルドメイン及びアンキリンリピートを有するＵＶＥＡＬ自己抗原，ＵＡＣＡ（例えば、ＧｅｎＢａｎｋ登録番号Ｑ０５ＤＢ３（配列番号１１５）：＞ｕｎｉｐｒｏｔ｜Ｑ０５ＤＢ３｜Ｑ０５ＤＢ３＿ヒトＵＡＣＡタンパク質；
MMNCWFSCTPKNRHAADWNKYDDRLMKAAERGDVEKVTSILAKKGVNPGKLDVEGRSVFH
VVTSKGNLECLNAILIHGVDITTSDTAGRNALHLAAKYGHALCLQKLLQYNCPTEHADLQ
GRTALHDAAMADCPSSIQLLCDHGASVNAKDVDGRTPLVLATQMSRPTICQLLIDRGADV
NSRDKQNRTALMLGCEYGCRDAVEVLIKNGADISLLDALGHDSSYYARIGDNLDILTLLK
TASENTNKGRELWKKGPSLQQRNLTHMQDEVNVKSHQREHQNIQDLEIENEDLKERLRKI
QQEQRILLDKVNGLQLQLNEEVMVADDLESEREKLKSLLAAKEKQHEESLRTIEALKNRF
KYFESDHLGSGSHFSNRKEDMLLKQGQMYMADSQCTSPGIPAHMQSRSMLRPLELSLPSQ
TSYSENEILKKELEAMRTFCESAKQDRLKLQNELAHKVAECKALALECERVKEDSDEQIK
QLEDALKDVQKRMYESEGKVKQMQTHFLALKEHLTSEAASGNHRLTEELKDQLKDLKVKY
EGASAEVGKLRNQIKQNEMIVEEFKRDEGKLIEENKRLQKELSMCEMEREKKGRKVTEME
GQAKELSAKLALSIPAEKFENMKSSLSNEVNEKAKKKK
【０２５８】
未同定タンパク質Ｃ１３ＯＲＦ２７（例えば、ＧｅｎＢａｎｋ登録番号Ｑ５ＪＵＲ７（配列番号１１６）：
＞ｕｎｉｐｒｏｔ｜Ｑ５ＪＵＲ７｜ＣＭ０２７＿ヒト未同定タンパク質Ｃ１３ＯＲＦ２７；
MSHTEVKLKIPFGNKLLDAVCLVPNKSLTYGIILTHGASGDMNLPHLMSLASHLASHGFF
CLRFTCKGLNIVHRIKAYKSVLNYLKTSGEYKLAGVFLGGRSMGSRAAASVMCHIEPDDG
DDFVRGLICISYPLHHPKQQHKLRDEDLFRLKEPVLFVSGSADEMCEKNLLEKVAQKMQA
PHKIHWIEKANHSMAVKGRSTNDVFKEINTQILFWIQEITEMDKKCH
【０２５９】
ｓｕｓｈｉ、ナイドジェン及びＥＧＦ−様ドメイン含有タンパク質１前駆体のアイソフォーム３（例えば、ＧｅｎＢａｎｋ登録番号Ｑ８ＴＥＲ０（配列番号１１７）：
＞ｓｗｉｓｓｐｒｏｔ｜Ｑ８ＴＥＲ０｜ＳＮＥＤ１＿ヒトＳｕｓｈｉ、ナイドジェン及びＥＧＦ−様ドメイン含有タンパク質１；
MRHGVAWALLVAAALGLGARGVRGAVALADFYPFGAERGDAVTPKQDDGGSGLRPLSVPF
PFFGAEHSGLYVNNNGIISFLKEVSQFTPVAFPIAKDRCVVAAFWADVDNRRAGDVYYRE
ATDPAMLRratEDVRHYFPELLDFNATWVFVATWYRVTFFGGSSSSPVNTFQTVLITDGK
LSFTIFNYESIVWTTGTHASSGGNATGLGGIAAQAGFNAGDGQRYFSIPGSRTADMAEVE
TTTNVGVPGRWAFRIDDAQVRVGGCGHTTSVCLALRPCLNGGKCIDDCVTGNPSYTCSCL
SGFTGRRCHLDVNECASQPCQNGGTCTHGINSFRCQCPAGFGGPTCETAQSPCDTKECQH
GGQCQVENGSAVCVCQAGYTGAACEMDVDDCSPDPCLNGGSCVDLVGNYTCLCAEPFKGL
RCETGDHPVPDACLSAPCHNGGTCVDADQGYVCECPEGFMGLDCRERVPDDCECRNGGRC
LGANTTLCQCPLGFFGLLCEFEITAMPCNMNTQCPDGGYCMEHGGSYLCVCHTDHNASHS
LPSPCDSDPCFNGGSCDAHDDSYTCECPRGFHGKHCEKARPHLCSSGPCRNGGTCKEAGG
EYHCSCPYRFTGRHCEIGKPDSCASGPCHNGGTCFHYIGKYKCDCPPGFSGRHCEIAPSP
CFRSPCVNGGTCEDRDTDFFCHCQAGYMGRRCQAEVDCGPPEEVKHATLRFNGTRLGAVA
LYACDRGYSLSAPSRIRVCQPHGVWSEPPQCLEIDECRSQPCLHGGSCQDRVAGYLCLCS
TGYEGAHCELERDECRAHPCRNGGSCRNLPGAYVCRCPAGFVGVHCETEVDACDSSPCQH
GGRCESGGGAYLCVCPESFFGYHCETVSDPCFSSPCGGRGYCLASNGSHSCTCKVGYTGE
DCAKELFPPTALKMERVEESGVSISWNPPNGPAARQMLDGYAVTYVSSDGSYRRTDFVDR
TRSSHQLQALAAGRAYNISVFSVKRNSNNKNDISRPAVLLARTRPRPVEGFEVTNVTAST
ISVQWALHRIRHATVSGVRVSIRHPEALRDQATDVDRSVDRFTFRALLPGKRYTIQLTTL
SGLRGEEHPTESLATAPTHVWTRPLPPANLTAARVTATSAHVVWDAPTPGSLLEAYVINV
TTSQSTKSRYVPNGKLASYTVRDLLPGRRYQLSVIAVQSTELGPQHSEPAHLYIITSPRD
GADRRWHQGGHHPRVLKNRPPPARLPELRLLNDHSAPETPTQPPRFSELVDGRGRVSARF
GGSPSKAATVRSQPTASAQLENMEEAPKRVSLALQLPEHGSKDIGNVPGNCSENPCQNGG
TCVPGADAHSCDCGPGFKGRRCELACIKVSRPCTRLFSETKAFPVWEGGVCHHVYKRVYR
VHQDICFKESCESTSLKKTPNRKQSKSQTLEKS
【０２６０】
ダイニン重鎖１０のアイソフォーム１，軸糸性（ＤＮＡＨ１０）：（例えば、ＧｅｎＢａｎｋ登録番号Ｑ８ＩＶＦ４（配列番号１１８）：
＞ｕｎｉｐｒｏｔ｜Ｑ８ＩＶＦ４｜ＤＹＨ１０＿ヒトダイニン重鎖１０，軸糸性；
MVPEEVEVEIDEIPVLSEEGEEEEETYSQKVESVDKVRAKRVSLRTESLGQPLNREDEEM
DKEISEKLPSKRTAKHIMEKMHLHMLCTPLPEEFLDQNVVFFLRNTKEAISEATDMKEAM
EIMPETLEYGIINANVLHFLKNIICQVFLPALSFNQHRTSTTVGVTSGEVSNSSEHESDL
PPMPGEAVEYHSIQLIRDEFLMNVQKFASNIQRTMQQLEGEIKLEMPIISVEGEVSDLAA
DPETVDILEQCVINWLNQISTAVEAQLKKTPQGKGPLAEIEFWRERNATLSALHEQTKLP
IVRKVLDVIKESDSMLVANLQPVFTELFKFHTEASDNVRFLSTVERYFKNITHGSGFHVV
LDTIPAMMSALRMVWIISRHYNKDERMIPLMERIAWEIAERVCRVVNLRTLFKENRASAQ
SKTLEARNTLRLWKKAYFDTRAKIEASGREDRWEFDRKRLFERTDYMATICQDLSDVLQV
LEEFYNIFGPELKAVTGDPKRIDDVLCRVDGLVTPMENLTFDPFSIKSSQFWKYVMDEFK
IEVLIDIINKIFVQNLENPPLYKNHPPVAGAIYWERSLFFRIKHTILRFQEVQEILDSDR
GQEVKQKYLEVGRTMKEYEDRKYEQWMEVTEQVLPALMKKSLLTKSSIATEEPSTLERGA
VFAINFSPALREIINETKYLEQLGFTVPELARNVALQEDKFLRYTAGIQRMLDHYHMLIG
TLNDAESVLLKDHSQELLRVFRSGYKRLNWNSLGIGDYITGCKQAIGKFESLVHQIHKNA
DDISSRLTLIEAINLFKYPAAKSEEELPGVKEFFEHIERERASDVDHMVRWYLAIGPLLT
KVEGLVVHTNTGKAPKLASYYKYWEKKIYEVLTKLILKNLQSFNSLILGNVPLFHTETIL
TAPEIILHPNTNEIDKMCFHCVRNCVEITKHFVRWMNGSCIECPPQKGEEEEVVIINFYN
DISLNPQIIEQAVMIPQNVHRILINLMKYLQKWKRYRPLWKLDKAIVMEKFAAKKPPCVA
YDEKLQFYSKIAYEVMRHPLIKDEHCIRLQLRHLANTVQENAKSWVISLGKLLNESAKEE
LYNLHEEMEHLAKNLRKIPNTLEDLKFVLATIAEIRSKSLVMELRYRDVQERYRTMAMYN
LFPPDAEKELVDKIESIWSNLFNDSVNVEHALGDIKRTFTELTRGEIMNYRVQIEEFAKR
FYSEGPGSVGDDLDKGVELLGVYERELARHEKSRQELANAEKLFDLPITMYPELLKVQKE
MSGLRMIYELYEGLKVAKEEWSQTLWINLNVQILQEGIEGFLRALRKLPRPVRGLSVTYY
LEAKMKAFKDSIPLLLDLKNEALRDRHWKELMEKTSVFFEMTETFTLENMFAMELHKHTD
VLNEIVTAAIKEVAIEKAVKEILDTWENMKFTVVKYCKGTQERGYILGSVDEIIQSLDDN
TFNLQSISGSRFVGPFLQTVHKWEKTLSLIGEVIEIWMLVQRKWMYLESIFIGGDIRSQL
PEEAKKFDNIDKVFKRIMGETLKDPVIKRCCEAPNRLSDLQNVSEGLEKCQKSLNDYLDS
KRNAFPRFFFISDDELLSILGSSDPLCVQEHMIKMYDNIASLRFNDGDSGEKLVSAMISA
EGEVMEFRKIVRAEGRVEDWMTAVLNEMRRTNRLITKEAIFRYCEDRSRVDWMLLYQGMV
VLAASQVWWTWEVEDVFHKAQKGEKQAMKNYGRKMHRQIDELVTRITMPLSKNDRKKYNT
VLIIDVHARDIVDSFIRGSILEAREFDWESQLRFYWDREPDELNIRQCTGTFGYGYEYMG
LNGRLVITPLTDRIYLTLTQALSMYLGGAPAGPAGTGKTETTKDLAKALGLLCVVTNCGE
GMDYRAVGKIFSGLAQCGAWGCFDEFNRIDASVLSVISSQIQTIRNALIHQLTTFQFEGQ
EISLDSRMGIFITMNPGYAGRTELPESVKALFRPVVVIVPDLQQICEIMLFSEGFLEAKT
LAKKMTVLYKLAREQLSKQYHYDFGLRALKSVLVMAGELKRGSSDLREDVVLMRALRDMN
LPKFVFEDVPLFLGLISDLFPGLDCPRVRYPDFNDAVEQVLEENGYAVLPIQVDKVVQMF
ETMLTRHTTMVVGPTRGGKSVVINTLCQAQTKLGLTTKLYILNPKAVSVIELYGILDPTT
RDWTDGVLSNIFREINKPTDKKERKYILFDGDVDALWVENMNSVMDDNRLLTLANGERIR
LQAHCALLFEVGDLQYASPATVSRCGMVYVDPKNLKYRPYWKKWVNQIPNKVEQYNLNSL
FEKYVPYLMDVIVEGIVDGRQAEKLKTIVPQTDLNMVTQLAKMLDALLEGEIEDLDLLEC
YFLEALYCSLGASLLEDGRMKFDEYIKRLASLSTVDTEGVWANPGELPGQLPTLYDFHFD
NKRNQWVPWSKLVPEYIHAPERKFINILVHTVDTTRTTWILEQMVKIKQPVIFVGESGTS
KTATTQNFLKNLSEETNIVLMVNFSSRTTSMDIQRNLEANVEKRTKDTYGPPMGKRLLVF
MDDMNMPRVDEYGTQQPIALLKLLLEKGYLYDRGKELNCKSIRDLGFIAAMGKAGGGRNE
VDPRFISLFSVFNVPFPSEESLHLIYSSILKGHTSTFHESIVAVSGKLTFCTLALYKNIV
QDLPPTPSKFHYIFNLRDLSRVFNGLVLTNPERFQTVAQMVRVWRNECLRVFHDRLISET
DKQLVQQHIGSLVVEHFKDDVEVVMRDPILFGDFQMALHEGEPRIYEDIQDYEAAKALFQ
EILEEYNESNTKMNLVLFDDALEHLTRVHRIIRMDRGHALLVGVGGSGKQSLSRLAAFTA
SCEVFEILLSRGYSENSFREDLKSLYLKLGIENKAMIFLFTDAHVAEEGFLELINNMLTS
GIVPALFSEEEKESILSQIGQEALKQGMGPAKESVWQYFVNKSANNLHIVLGMSPVGDTL
RTWCRNFPGMVNNTGIDWFMPWPPQALHAVAKSFLGYNPMIPAENIENVVKHVVLVHQSV
DHYSQQFLQKLRRSNYVTPKNYLDFINTYSKLLDEKTQCNIAQCKRLDGGLDKLKEATIQ
LDELNQKLAEQKIVLAEKSAACEALLEEIAVNTAVAEEKKKLAEEKAMEIEEQNKVIAME
KAEAETTLAEVMPILEAAKLELQKLDKSDVTEIRSFAKPPKQVQTVCECILIMKGYKELN
WKTAKGVMSDPNFLRSLMEIDFDSITQSQVKNIKGLLKTLNTTTEEMEAVSKAGLGMLKF
VEAVMGYCDVFREIKPKREKVARLERNFYLTKRELERIQNELAAIQKELETLGAKYEAAI
LEKQKLQEEAEIMERRLIAADKLISGLGSENIRWLNDLDELMHRRVKLLGDCLLCAAFLS
YEGAFTWEFRDEMVNRIWQNDILEREIPLSQPFRLESLLTDDVEISRWGSQGLPPDELSV
QNGILTTRASRFPLCIDPQQQALNWIKRKEEKNNLRVASFNDPDFLKQLEMSIKYGTPFL
FRDVDEYIDPVIDNVLEKNIKVSQGRQFIILGDKEVDYDSNFRLYLNTKLANPRYSPSVF
GKAMVINYTVTLKGLEDQLLSVLVAYERRELEEQREHLIQETSENKNLLKDLEDSLLREL
ATSTGNMLDNVDLVHTLEETKSKATEVSEKLKLAEKTALDIDRLRDGYRPAARRGAILFF
VLSEMALVNSMYQYSLIAFLEVFRLSLKKSLPDSILMKRLRNIMDTLTFSIYNHGCTGLF
ERHKLLFSFNMTIKIEQAEGRVPQEELDFFLKGNISLEKSKRKKPCAWLSDQGWEDIILL
SEMFSDNFGQLPDDVENNQTVWQEWYDLDSLEQFPVPLGYDNNITPFQKLLILRCFRVDR
VYRAVTDYVTVTMGEKYVQPPMISFEAIFEQSTPHSPIVFILSPGSDPATDLMKLAERSG
FGGNRLKFLAMGQGQEKVALQLLETAVARGQWLMLQNCHLLVKWLKDLEKSLERITKPHP
DFRLWLTTDPTKGFPIGILQKSLKVVTEPPNGLKLNMratYFKISHEMLDQCPHPAFKPL
VYVLAFFHAVVQERRKFGKIGWNVYYDFNESDFQVCMEILNTYLTKAFQQRDPRIPWGSL
KYLIGEVMYGGRAIDSFDRRILTIYMDEYLGDFIFDTFQPFHFFRNKEVDYKIPVGDEKE
KFVEAIEALPLANTPEVFGLHPNAEIGYYTQAARDMWAHLLELQPQTGESSSGISRDDYI
GQVAKEIENKMPKVFDLDQVRKRLGTGLSPTSVVLLQELERFNKLVVRMTKSLAELQRAL
AGEVGMSNELDDVARSLFIGHIPNIWRRLAPDTLKSLGNWMVYFLRRFSQYMLWVTESEP
SVMWLSGLHIPESYLTALVQATCRKNGWPLDRSTLFTQVTKFQDADEVNERAGQGCFVSG
LYLEGADWDIEKGCLIKSKPKVLVVDLPILKIIPIEAHRLKLQNTFRTPVYTTSMRRNAM
GVGLVFEADLFTTRHISHWVLQGVCLTLNSD
【０２６１】
ギャップジャンクションα−１タンパク質（ＧＪＡ１／Ｃｏｎｎｅｘｉｏｎ４３）（例えば、ＧｅｎＢａｎｋ登録番号Ｐ１７３０２（配列番号１１９）：
＞ｕｎｉｐｒｏｔ｜Ｐ１７３０２｜ＣＸＡ１＿ヒトギャップジャンクションα−１タンパク質；
MGDWSALGKLLDKVQAYSTAGGKVWLSVLFIFRILLLGTAVESAWGDEQSAFRCNTQQPG
CENVCYDKSFPISHVRFWVLQIIFVSVPTLLYLAHVFYVMRKEEKLNKKEEELKVAQTDG
VNVDMHLKQIEIKKFKYGIEEHGKVKMRGGLLRTYIISILFKSIFEVAFLLIQWYIYGFS
LSAVYTCKRDPCPHQVDCFLSRPTEKTIFIIFMLVVSLVSLALNIIELFYVFFKGVKDRV
KGKSDPYHATSGALSPAKDCGSQKYAYFNGCSSPTAPLSPMSPPGYKLVTGDRNNSSCRN
YNKQASEQNWANYSAEQNRMGQAGSTISNSHAQPFDFPDDNQNSKKLAAGHELQPLAIVD
QRPSSRASSRASSRPRPDDLEI
【０２６２】
キネシン様タンパク質ＫＩＦ２５（ＫＩＦ２５）のアイソフォーム１（例えば、ＧｅｎＢａｎｋ登録番号Ｑ５ＳＺＵ８（配列番号１２０）：
＞ｕｎｉｐｒｏｔ｜Ｑ５ＳＺＵ８｜Ｑ５ＳＺＵ８＿ヒトキネシンファミリーメンバー２５；
CRAVGSASKLMELVHGGLQLRAKHPTLVHADSSRSHLIITVTLTTASCSDSTADQACSAT
LPREQTEAGRAGRSRRASQGALAPQLVPGNPAGHAEQVQARLQLVDSAGSECVGGDAKLL
VILCISPSQRHLAQTLQGLGFGIRARQVQRGPARKKPPSSQTEGKRRPD
【０２６３】
ＧＡＰＤＨ−グリセルアルデヒド−３−リン酸デヒドロゲナーゼ（例えば、ＧｅｎＢａｎｋ登録番号Ｐ０４４０６（配列番号１２１）：
＞ｕｎｉｐｒｏｔ｜Ｐ０４４０６｜Ｇ３Ｐ＿ヒトグリセルアルデヒド−３−リン酸デヒドロゲナーゼ；
MGKVKVGVNGFGRIGRLVTRAAFNSGKVDIVAINDPFIDLNYMVYMFQYDSTHGKFHGTV
KAENGKLVINGNPITIFQERDPSKIKWGDAGAEYVVESTGVFTTMEKAGAHLQGGAKRVI
ISAPSADAPMFVMGVNHEKYDNSLKIISNASCTTNCLAPLAKVIHDNFGIVEGLMTTVHA
ITATQKTVDGPSGKLWRDGRGALQNIIPASTGAAKAVGKVIPELNGKLTGMAFRVPTANV
SVVDLTCRLEKPAKYDDIKKVVKQASEGPLKGILGYTEHQVVSSDFNSDTHSSTFDAGAG
IALNDHFVKLISWYDNEFGYSNRVVDLMAHMASKE
【０２６４】
未同定タンパク質ＡＬＢ（例えば、ＧｅｎＢａｎｋ登録番号Ｐ０２７６８（配列番号１２２）：
＞ｕｎｉｐｒｏｔ｜Ｐ０２７６８｜ＡＬＢＵ＿ヒト血清アルブミン；
MKWVTFISLLFLFSSAYSRGVFRRDAHKSEVAHRFKDLGEENFKALVLIAFAQYLQQCPF
EDHVKLVNEVTEFAKTCVADESAENCDKSLHTLFGDKLCTVATLRETYGEMADCCAKQEP
ERNECFLQHKDDNPNLPRLVRPEVDVMCTAFHDNEETFLKKYLYEIARRHPYFYAPELLF
FAKRYKAAFTECCQAADKAACLLPKLDELRDEGKASSAKQRLKCASLQKFGERAFKAWAV
ARLSQRFPKAEFAEVSKLVTDLTKVHTECCHGDLLECADDRADLAKYICENQDSISSKLK
ECCEKPLLEKSHCIAEVENDEMPADLPSLAADFVESKDVCKNYAEAKDVFLGMFLYEYAR
RHPDYSVVLLLRLAKTYETTLEKCCAAADPHECYAKVFDEFKPLVEEPQNLIKQNCELFE
QLGEYKFQNALLVRYTKKVPQVSTPTLVEVSRNLGKVGSKCCKHPEAKRMPCAEDYLSVV
LNQLCVLHEKTPVSDRVTKCCTESLVNRRPCFSALEVDETYVPKEFNAETFTFHADICTL
SEKERQIKKQTALVELVKHKPKATKEQLKAVMDDFAAFVEKCCKADDKETCFAEEGKKLV
AASQAALGL
【０２６５】
ガレクチン−３，ＬＧＡＬＳ３（例えば、ＧｅｎＢａｎｋ登録番号ＮＰ＿００２２９７（配列番号１２３）：
＞ｒｅｆｓｅｑｐ｜ＮＰ＿００２２９７｜ＮＰ＿００２２９７  ガレクチン３［ヒト］。
MADNFSLHDALSGSGNPNPQGWPGAWGNQPAGAGGYPGASYPGAYPGQAPPGAYPGQAPP
GAYPGAPGAYPGAPAPGVYPGPPSGPGAYPSSGQPSATGAYPATGPYGAPAGPLIVPYNL
PLPGGVVPRMLITILGTVKPNANRIALDFQRGNDVAFHFNPRFNENNRRVIVCNTKLDNN
WGREERQSVFPFESGKPFKIQVLVEPDHFKVAVNDAHLLQYNHRVKKLNEISKLGISGDI
DLTSASYTMI
【０２６６】
ＮＡＣ−αドメイン含有タンパク質１（ＮＡＣＡＤ）類似体（例えば、ＧｅｎＢａｎｋ登録番号Ｏ１５０６９（配列番号１２４）：＞ｕｎｉｐｒｏｔ｜Ｏ１５０６９｜ＮＡＣＡＤ＿ヒトＮＡＣ−αドメイン含有タンパク質１；
MPGEAARAELLLPEADRPGPRTDLSCDAAAATTILGGDRREPCALTPGPSHLALTFLPSK
PGARPQPEGASWDAGPGGAPSAWADPGEGGPSPMLLPEGLSSQALSTEAPLPATLEPRIV
MGEETCQALLSPRAARTALRDQEGGHASPDPPPELCSQGDLSVPSPPPDPDSFFTPPSTP
TKTTYALLPACGPHGDARDSEAELRDELLDSPPASPSGSYITADGDSWASSPSCSLSLLA
PAEGLDFPSGWGLSPQGSMVDERELHPAGTPEPPSSESSLSADSSSSWGQEGHFFDLDFL
ANDPMIPAALLPFQGSLIFQVEAVEVTPLSPEEEEEEAVADPDPGGDLAGEGEEDSTSAS
FLQSLSDLSITEGMDEAFAFRDDTSAASSDSDSASYAEADDERLYSGEPHAQATLLQDSV
QKTEEESGGGAKGLQAQDGTVSWAVEAAPQTSDRGAYLSQRQELISEVTEEGLALGQEST
ATVTPHTLQVAPGLQVEVATRVTPQAGEEETDSTAGQESAAMAMPQPSQEGISEILGQES
VTAEKLPTPQEETSLTLCPDSPQNLKEEGGLDLPSGRKPVAAATIVPRQAKEDLTLPQDS
AMTPPLPLQDTDLSSAPKPVAAATIVSQQAEEGLTLPQDSVMTPPLPLQDTELSSAPKPV
AAATLVSQQAEEGLTLPQDSAMTPPLPLQDTDLSSAPKPVAAATLVSQQAEEGLTLPQDS
AMTPPLPLQDTDLSSAPKPVAAATLVSQQAEEGLTLPQDSAMTPPLPLQDTDLSSAPKPV
AAATIVSQQAEEGLTLPQDSAMTPPLPLQDTDLSSAPKPVAAATIVSQQAEEGLTLPQDS
AMTPPLPLQDTDLSSAPKPVAAATPVSQQAEEGLTLPQDSAMTPPLPLQDTDLSSAPKPV
AAATPVSQQAEEGLTLPQDSAMTAPLPLQDTGPTSGPEPLAVATPQTLQAEAGCAPGTEP
VATMAQQEVGEALGPRPAPEEKNAALPTVPEPAALDQVQQDDPQPAAEAGTPWAAQEDAD
STLGMEALSLPEPASGAGEEIAEALSRPGREACLEARAHTGDGAKPDSPQKETLEVENQQ
EGGLKLLAQEHGPRSALGGAREVPDAPPAACPEVSQARLLSPAREERGLSGKSTPEPTLP
SAVATEASLDSCPESSVGAVSSLDRGCPDAPAPTSAPTSQQPEPVLGLGSVEQPHEVPSV
LGTPLLQPPENLAKGQPSTPVDRPLGPDPSAPGTLAGAALPPLEPPAPCLCQDPQEDSVE
DEEPPGSLGLPPPQAGVQPAAAAVSGTTQPLGTGPRVSLSPHSPLLSPKVASMDAKDLAL
QILPPCQVPPPSGPQSPAGPQGLSAPEQQEDEDSLEEDSPRALGSGQHSDSHGESSAELD
EQDILAPQTVQCPAQAPAGGSEETIAKAKQSRSEKKARKAMSKLGLRQIQGVTRITIQKS
KNILFVIAKPDVFKSPASDTYVVFGEAKIEDLSQQVHKAAAEKFKVPSEPSALVPESAPR
PRVRLECKEEEEEEEEEVDEAGLELRDIELVMAQANVSRAKAVRALRDNHSDIVNAIMEL
TM
【０２６７】
アセチル−ＣｏＡアセチルトランスフェラーゼ，ミトコンドリア性，ＡＣＡＴ１（例えば、ＧｅｎＢａｎｋ登録番号ＮＰ＿００００１０（配列番号１２５）：
＞ｒｅｆｓｅｑｐ｜ＮＰ＿００００１０｜ＮＰ＿００００１０  アセチル−コエンザイムＡ  アセチルトランスフェラーゼ１前駆体［ヒト］。
MAVLAALLRSGARSRSPLLRRLVQEIRYVERSYVSKPTLKEVVIVSATRTPIGSFLGSLS
LLPATKLGSIAIQGAIEKAGIPKEEVKEAYMGNVLQGGEGQAPTRQAVLGAGLPISTPCT
TINKVCASGMKAIMMASQSLMCGHQDVMVAGGMESMSNVPYVMNRGSTPYGGVKLEDLIV
KDGLTDVYNKIHMGSCAENTAKKLNIARNEQDAYAINSYTRSKAAWEAGKFGNEVIPVTV
TVKGQPDVVVKEDEEYKRVDFSKVPKLKTVFQKENGTVTAANASTLNDGAAALVLMTADA
AKRLNVTPLARIVAFADAAVEPIDFPIAPVYAASMVLKDVGLKKEDIAMWEVNEAFSLVV
LANIKMLEIDPQKVNINGGAVSLGHPIGMSGARIVGHLTHALKQGEYGLASICNGGGGAS
AMLIQKL
【０２６８】
ＫＨ−型スプライシング調節タンパク質，ＦＵＢＰ２（例えば、ＧｅｎＢａｎｋ登録番号ＮＰ＿００３６７６（配列番号１２６）：
＞ｒｅｆｓｅｑｐ｜ＮＰ＿００３６７６｜ＮＰ＿００３６７６  ＫＨ−型スプライシング調節タンパク質（ＦＵＳＥ結合タンパク質２）［ヒト］。
MSDYSTGGPPPGPPPPAGGGGGAGGAGGGPPPGPPGAGDRGGGGPGGGGPGGGSAGGPSQ
PPGGGGPGIRKDAFADAVQRARQIAAKIGGDAATTVNNSTPDFGFGGQKRQLEDGDQPES
KKLASQGDSISSQLGPIHPPPRTSMTEEYRVPDGMVGLIIGRGGEQINKIQQDSGCKVQI
SPDSGGLPERSVSLTGAPESVQKAKMMLDDIVSRGRGGPPGQFHDNANGGQNGTVQEIMI
PAGKAGLVIGKGGETIKQLQERAGVKMILIQDGSQNTNVDKPLRIIGDPYKVQQACEMVM
DILRERDQGGFGDRNEYGSRIGGGIDVPVPRHSVGVVIGRSGEMIKKIQNDAGVRIQFKQ
DDGTGPEKIAHIMGPPDRCEHAARIINDLLQSLRSGPPGPPGGPGMPPGGRGRGRGQGNW
GPPGGEMTFSIPTHKCGLVIGRGGENVKAINQQTGAFVEISRQLPPNGDPNFKLFIIRGS
PQQIDHAKQLIEEKIEGPLCPVGPGPGGPGPAGPMGPFNPGPFNQGPPGAPPHAGGPPPH
QYPPQGWGNTYPQWQPPAPHDPSKAAAAAADPNAAWAAYYSHYYQQPPGPVPGPAPAPAA
PPAQGEPPQPPPTGQSDYTKAWEEYYKKIGQQPQQPGAPPQQDYTKAWEEYYKKQAQVAT
GGGPGAPPGSQPDYSAAWAEYYRQQAAYYGQTPGPGGPQPPPTQQGQQQAQ
【０２６９】
プロフィリン１（ＰＦＮ１）（例えば、ＧｅｎＢａｎｋ登録番号ＮＰ＿００５０１３（配列番号１２７）：
＞ｒｅｆｓｅｑｐ｜ＮＰ＿００５０１３｜ＮＰ＿００５０１３  プロフィリン１［ヒト］。
MAGWNAYIDNLMADGTCQDAAIVGYKDSPSVWAAVPGKTFVNITPAEVGVLVGKDRSSFY
VNGLTLGGQKCSVIRDSLLQDGEFSMDLRTKSTGGAPTFNVTVTKTDKTLVLLMGKEGVH
GGLINKKCYEMASHLRRSQY
【０２７０】
塩素細胞内チャンネルタンパク質１，ＣＬＩＣ１（例えば、ＧｅｎＢａｎｋ登録番号ＮＰ＿００１２７９（配列番号１２８）：
＞ｒｅｆｓｅｑｐ｜ＮＰ＿００１２７９｜ＮＰ＿００１２７９  塩素細胞内チャンネル１［ヒト］。
MAEEQPQVELFVKAGSDGAKIGNCPFSQRLFMVLWLKGVTFNVTTVDTKRRTETVQKLCP
GGQLPFLLYGTEVHTDTNKIEEFLEAVLCPPRYPKLAALNPESNTAGLDIFAKFSAYIKN
SNPALNDNLEKGLLKALKVLDNYLTSPLPEEVDETSAEDEGVSQRKFLDGNELTLADCNL
LPKLHIVQVVCKKYRGFTIPEAFRGVHRYLSNAYAREEFASTCPDDEEIELAYEQVAKAL
K
【０２７１】
ジンクフィンガータンパク質８３１（例えば、ＧｅｎＢａｎｋ登録番号ＮＰ＿８４８５５２（配列番号１２９）：
＞ｒｅｆｓｅｑｐ｜ＮＰ＿８４８５５２｜ＮＰ＿８４８５５２  ジンクフィンガータンパク質８３１［ヒト］。
MEVPEPTCPAPPARDQPAPTPGPPGAPGGQASPHLTLGPVLLPPEQGLAPPTVFLKALPI
PLYHTVPPGGLQPRAPLVTGSLDGGNVPFILSPVLQPEGPGPTQVGKPAAPTLTVNIVGT
LPVLSPGLGPTLGSPGKVRNAGKYLCPHCGRDCLKPSVLEKHIRSHTGERPFPCATCGIA
FKTQSNLYKHRRTQTHLNNSRLSSESEGAGGGLLEEGDKAGEPPRPEGRGESRCQGMHEG
ASERPLSPGAHVPLLAKNLDVRTEAAPCPGSAFADREAPWDSAPMASPGLPAASTQPWRK
LPEQKSPTAGKPCALQRQQATAAEKPWDAKAPEGRLRKCESTDSGYLSRSDSAEQPHAPC
SPLHSLSEHSAESEGEGGPGPGPGVAGAEPGAREAGLELEKKRLEERIAQLISHNQAVVD
DAQLDNVRPRKTGLSKQGSIDLPTPYTYKDSFHFDIRALEPGRRRAPGPVRSTWTPPDKS
RPLFFHSVPTQLSTTVECVPVTRSNSLPFVEGSRTWLEPREPRDPWSRTQKPLSPRPGPA
RLGCRSGLSSTDVPSGHPRALVRQAAVEDLPGTPIGDALVPAEDTDAKRTAAREAMAGKG
RAGGRKCGQRRLKMFSQEKWQVYGDETFKRIYQKMKASPHGGKKAREVGMGSGAELGFPL
QKEAAGSSGTVPTQDRRTPVHEDISAGATPEPWGNPPALEASLVTEPTKHGETVARRGDS
DRPRVEEAVSSPALGGRDSPCSGSRSPLVSPNGRLELGWQMPPAPGPLKGGDVEAPRPVW
PDPKLEGGARGVGDVQETCLWAQTVLRWPSRGSGEDKLPSERKKLKVEDLHSWKQPEPVS
AETPGGPTQPASLSSQKQDADPGEVPGGSKESARQVGEPLESSGASLAAASVALKRVGPR
DKATPLHPAAPAPAEHPSLATPPQAPRVLSALADNAFSPKYLLRLPQAETPLPLPIPWGP
RHSQDSLCSSGWPEERASFVGSGLGTPLSPSPASGPSPGEADSILEDPSCSRPQDGRKGA
QLGGDKGDRMATSRPAARELPISAPGAPREATSSPPTPTCEAHLVQDMEGDSHRIHRLCM
GSTLARARLSGDVLNPWVPNWELGEPPGNAPEDPSSGPLVGPDPCSPLQPGSFLTALTRP
QGVPPGWPELALSSHSGTSRSHSTRSPHSTQNPFPSLKAEPRLTWCCLSRSVPLPAEQKA
KAASVYLAVHFPGSSLRDEGPNGPPGSNGGWTWTSPGEGGPAQMSKFSYPTVPGVMPQHQ
VSEPEWKKGLPWRAKMSRGNSKQRKLKINPKRYKGNFLQSCVQLRASRLRTPTWVRRRSR
HPPALEGLKPCRTPGQTSSEIAGLNLQEEPSCATSESPPCCGKEEKKEGDCRQTLGTLSL
GTSSRIVREMDKRTVKDISPSAGEHGDCTTHSTAATSGLSLQSDTCLAVVNDVPLPPGKG
LDLGLLETQLLASQDSVSTDPKPYIFSDAQRPSSFGSKGTFPHHDIATSVAAVCISLPVR
TDHIAQEIHSAESRDHSQTAGRTLTSSSPDSKVTEEGRAQTLLPGRPSSGQRISDSVPLE
STEKTHLEIPASGPSSASSHHKEGRHKTFFPSRGQYGCGEMTVPCPSLGSDGRKRQVSGL
ITRKDSVVPSKPEQPIEIPEAPSKSLKKRSLEGMRKQTRVEFSDTSSDDEDRLVIEI
【０２７２】
エンドプラスミン（例えば、ＧｅｎＢａｎｋ登録番号ＮＰ＿００３２９０（配列番号１３０）：
＞ｒｅｆｓｅｑｐ｜ＮＰ＿００３２９０｜ＮＰ＿００３２９０  熱ショックタンパク質９０ｋＤａβ，メンバー１［ヒト］。
MRALWVLGLCCVLLTFGSVRADDEVDVDGTVEEDLGKSREGSRTDDEVVQREEEAIQLDG
LNASQIRELREKSEKFAFQAEVNRMMKLIINSLYKNKEIFLRELISNASDALDKIRLISL
TDENALSGNEELTVKIKCDKEKNLLHVTDTGVGMTREELVKNLGTIAKSGTSEFLNKMTE
AQEDGQSTSELIGQFGVGFYSAFLVADKVIVTSKHNNDTQHIWESDSNEFSVIADPRGNT
LGRGTTITLVLKEEASDYLELDTIKNLVKKYSQFINFPIYVWSSKTETVEEPMEEEEAAK
EEKEESDDEAAVEEEEEEKKPKTKKVEKTVWDWELMNDIKPIWQRPSKEVEEDEYKAFYK
SFSKESDDPMAYIHFTAEGEVTFKSILFVPTSAPRGLFDEYGSKKSDYIKLYVRRVFITD
DFHDMMPKYLNFVKGVVDSDDLPLNVSRETLQQHKLLKVIRKKLVRKTLDMIKKIADDKY
NDTFWKEFGTNIKLGVIEDHSNRTRLAKLLRFQSSHHPTDITSLDQYVERMKEKQDKIYF
MAGSSRKEAESSPFVERLLKKGYEVIYLTEPVDEYCIQALPEFDGKRFQNVAKEGVKFDE
SEKTKESREAVEKEFEPLLNWMKDKALKDKIEKAVVSQRLTESPCALVASQYGWSGNMER
IMKAQAYQTGKDISTNYYASQKKTFEINPRHPLIRDMLRRIKEDEDDKTVLDLAVVLFET
ATLRSGYLLPDTKAYGDRIERMLRLSLNIDPDAKVEEEPEEEPEETAEDTTEDTEQDEDE
EMDVGTDEEEETAKESTAEKDEL
【０２７３】
リボソームタンパク質Ｓ１０（ＲＰＳ１０）（例えば、ＧｅｎＢａｎｋ登録番号Ｐ４６７８３（配列番号１３１）：
＞ｕｎｉｐｒｏｔ｜Ｐ４６７８３｜ＲＳ１０＿ヒト４０Ｓリボソームタンパク質Ｓ１０；
MLMPKKNRIAIYELLFKEGVMVAKKDVHMPKHPELADKNVPNLHVMKAMQSLKSRGYVKE
QFAWRHFYWYLTNEGIQYLRDYLHLPPEIVPATLRRSRPETGRPRPKGLEGERPARLTRG
EADRDTYRRSAVPPGADKKAEAGAGSATEFQFRGGFGRGRGQPPQ
【０２７４】
スプライシング因子，アルギニン／セリン−リッチ３（例えば、ＧｅｎＢａｎｋ登録番号ＮＰ＿００３００８（配列番号１３２）：
＞ｒｅｆｓｅｑｐ｜ＮＰ＿００３００８｜ＮＰ＿００３００８  スプライシング因子，アルギニン／セリン−リッチ３［ヒト］。
MHRDSCPLDCKVYVGNLGNNGNKTELERAFGYYGPLRSVWVARNPPGFAFVEFEDPRDAA
DAVRELDGRTLCGCRVRVELSNGEKRSRNRGPPPSWGRRPRDDYRRRSPPPRRRSPRRRS
FSRSRSRSLSRDRRRERSLSRERNHKPSRSFSRSRSRSRSNERK
【０２７５】
ＡＣＴＡ２タンパク質（αアクチン，平滑筋）（例えば、ＧｅｎＢａｎｋ登録番号Ｐ６２７３６（配列番号１３３）：
＞ｕｎｉｐｒｏｔ｜Ｐ６２７３６｜ＡＣＴＡ＿ヒトアクチン，大動脈平滑筋；
MCEEEDSTALVCDNGSGLCKAGFAGDDAPRAVFPSIVGRPRHQGVMVGMGQKDSYVGDEA
QSKRGILTLKYPIEHGIITNWDDMEKIWHHSFYNELRVAPEEHPTLLTEAPLNPKANREK
MTQIMFETFNVPAMYVAIQAVLSLYASGRTTGIVLDSGDGVTHNVPIYEGYALPHAIMRL
DLAGRDLTDYLMKILTERGYSFVTTAEREIVRDIKEKLCYVALDFENEMATAASSSSLEK
SYELPDGQVITIGNERFRCPETLFQPSFIGMESAGIHETTYNSIMKCDIDIRKDLYANNV
LSGGTTMYPGIADRMQKEITALAPSTMKIKIIAPPERKYSVWIGGSILASLSTFQQMWIS
KQEYDEAGPSIVHRKCF
【０２７６】
ナトリウムチャンネルタンパク質タイプ８サブユニットαのアイソフォーム１，ＳＣＮ８Ａ（例えば、ＧｅｎＢａｎｋ登録番号ＮＰ＿０５５００６  配列番号１３４）：
＞ｒｅｆｓｅｑｐ｜ＮＰ＿０５５００６｜ＮＰ＿０５５００６  ナトリウムチャンネル，電位依存性，タイプＶＩＩＩ，α［ヒト］。
MAARLLAPPGPDSFKPFTPESLANIERRIAESKLKKPPKADGSHREDDEDSKPKPNSDLE
AGKSLPFIYGDIPQGLVAVPLEDFDPYYLTQKTFVVLNRGKTLFRFSATPALYILSPFNL
IRRIAIKILIHSVFSMIIMCTILTNCVFMTFSNPPDWSKNVEYTFTGIYTFESLVKIIAR
GFCIDGFTFLRDPWNWLDFSVIMMAYITEFVNLGNVSALRTFRVLRALKTISVIPGLKTI
VGALIQSVKKLSDVMILTVFCLSVFALIGLQLFMGNLRNKCVVWPINFNESYLENGTKGF
DWEEYINNKTNFYTVPGMLEPLLCGNSSDAGQCPEGYQCMKAGRNPNYGYTSFDTFSWAF
LALFRLMTQDYWENLYQLTLRAAGKTYMIFFVLVIFVGSFYLVNLILAVVAMAYEEQNQA
TLEEAEQKEAEFKAMLEQLKKQQEEAQAAAMATSAGTVSEDAIEEEGEEGGGSPRSSSEI
SKLSSKSAKERRNRRKKRKQKELSEGEEKGDPEKVFKSESEDGMRRKAFRLPDNRIGRKF
SIMNQSLLSIPGSPFLSRHNSKSSIFSFRGPGRFRDPGSENEFADDEHSTVEESEGRRDS
LFIPIRARERRSSYSGYSGYSQGSRSSRIFPSLRRSVKRNSTVDCNGVVSLIGGPGSHIG
GRLLPEATTEVEIKKKGPGSLLVSMDQLASYGRKDRINSIMSVVTNTLVEELEESQRKCP
PCWYKFANTFLIWECHPYWIKLKEIVNLIVMDPFVDLAITICIVLNTLFMAMEHHPMTPQ
FEHVLAVGNLVFTGIFTAEMFLKLIAMDPYYYFQEGWNIFDGFIVSLSLMELSLADVEGL
SVLRSFRLLRVFKLAKSWPTLNMLIKIIGNSVGALGNLTLVLAIIVFIFAVVGMQLFGKS
YKECVCKINQDCELPRWHMHDFFHSFLIVFRVLCGEWIETMWDCMEVAGQAMCLIVFMMV
MVIGNLVVLNLFLALLLSSFSADNLAATDDDGEMNNLQISVIRIKKGVAWTKLKVHAFMQ
AHFKQREADEVKPLDELYEKKANCIANHTGADIHRNGDFQKNGNGTTSGIGSSVEKYIID
EDHMSFINNPNLTVRVPIAVGESDFENLNTEDVSSESDPEGSKDKLDDTSSSEGSTIDIK
PEVEEVPVEQPEEYLDPDACFTEGCVQRFKCCQVNIEEGLGKSWWILRKTCFLIVEHNWF
ETFIIFMILLSSGALAFEDIYIEQRKTIRTILEYADKVFTYIFILEMLLKWTAYGFVKFF
TNAWCWLDFLIVAVSLVSLIANALGYSELGAIKSLRTLRALRPLRALSRFEGMRVVVNAL
VGAIPSIMNVLLVCLIFWLIFSIMGVNLFAGKYHYCFNETSEIRFEIEDVNNKTECEKLM
EGNNTEIRWKNVKINFDNVGAGYLALLQVATFKGWMDIMYAAVDSRKPDEQPKYEDNIYM
YIYFVIFIIFGSFFTLNLFIGVIIDNFNQQKKKFGGQDIFMTEEQKKYYNAMKKLGSKKP
QKPIPRPLNKIQGIVFDFVTQQAFDIVIMMLICLNMVTMMVETDTQSKQMENILYWINLV
FVIFFTCECVLKMFALRHYYFTIGWNIFDFVVVILSIVGMFLADIIEKYFVSPTLFRVIR
LARIGRILRLIKGAKGIRTLLFALMMSLPALFNIGLLLFLVMFIFSIFGMSNFAYVKHEA
GIDDMFNFETFGNSMICLFQITTSAGWDGLLLPILNRPPDCSLDKEHPGSGFKGDCGNPS
VGIFFFVSYIIISFLIVVNMYIAIILENFSVATEESADPLSEDDFETFYEIWEKFDPDAT
QFIEYCKLADFADALEHPLRVPKPNTIELIAMDLPMVSGDRIHCLDILFAFTKRVLGDSG
ELDILRQQMEERFVASNPSKVSYEPITTTLRRKQEEVSAVVLQRAYRGHLARRGFICKKT
TSNKLENGGTHREKKESTPSTASLPSYDSVTKPEKEKQQRAEEGRRERAKRQKEVRESKC
【０２７７】
ガレクチン−９のアイソフォームロング（例えば、ＧｅｎＢａｎｋ登録番号ＮＰ＿０３３６６５配列番号１３５）：
＞ｒｅｆｓｅｑｐ｜ＮＰ＿０３３６６５｜ＮＰ＿０３３６６５  ガレクチン−９アイソフォームロング［ヒト］。
MAFSGSQAPYLSPAVPFSGTIQGGLQDGLQITVNGTVLSSSGTRFAVNFQTGFSGNDIAF
HFNPRFEDGGYVVCNTRQNGSWGPEERKTHMPFQKGMPFDLCFLVQSSDFKVMVNGILFV
QYFHRVPFHRVDTISVNGSVQLSYISFQNPRTVPVQPAFSTVPFSQPVCFPPRPRGRRQK
PPGVWPANPAPITQTVIHTVQSAPGQMFSTPAIPPMMYPHPAYPMPFITTILGGLYPSKS
ILLSGTVLPSAQRFHINLCSGNHIAFHLNPRFDENAVVRNTQIDNSWGSEERSLPRKMPF
VRGQSFSVWILCEAHCLKVAVDGQHLFEYYHRLRNLPTINRLEVGGDIQLTHVQT
【０２７８】
Ｔ−複合体タンパク質１サブユニットε，ＣＣＴ５（例えば、ＧｅｎＢａｎｋ登録番号ＮＰ＿０３６２０５（配列番号１３６）：
＞ｒｅｆｓｅｑｐ｜ＮＰ＿０３６２０５｜ＮＰ＿０３６２０５  シャペロニン含有ＴＣＰ１，サブユニット５（ε）［ヒト］。
MASMGTLAFDEYGRPFLIIKDQDRKSRLMGLEALKSHIMAAKAVANTMRTSLGPNGLDKM
MVDKDGDVTVTNDGATILSMMDVDHQIAKLMVELSKSQDDEIGDGTTGVVVLAGALLEEA
EQLLDRGIHPIRIADGYEQAARVAIEHLDKISDSVLVDIKDTEPLIQTAKTTLGSKVVNS
CHRQMAEIAVNAVLTVADMERRDVDFELIKVEGKVGGRLEDTKLIKGVIVDKDFSHPQMP
KKVEDAKIAILTCPFEPPKPKTKHKLDVTSVEDYKALQKYEKEKFEEMIQQIKETGANLA
ICQWGFDDEANHLLLQNNLPAVRWVGGPEIELIAIATGGRIVPRFSELTAEKLGFAGLVQ
EISFGTTKDKMLVIEQCKNSRAVTIFIRGGNKMIIEEAKRSLHDALCVIRNLIRDNRVVY
GGGAAEISCALAVSQEADKCPTLEQYAMRAFADALEVIPMALSENSGMNPIQTMTEVRAR
QVKEMNPALGIDCLHKGTNDMKQQHVIETLIGKKQQISLATQMVRMILKIDDIRKPGESE
E
【０２７９】
α−エノラーゼ，肺特異性（例えば、ＧｅｎＢａｎｋ登録番号ＣＡＡ４７１７９（配列番号１３７）：
MSILKIIHARDIFESRGNPTVEVDLYTNKGGLFGRAAVPSGASTG
IYEALLELRDNDKTRYMGGKGVSKAVEHIINKTIAPALISKNVNVVEQDKIDNLMLDMD
GSENKSKFGANAILGVSLAVCSNAGATAEKGVPLYRHIADLAGNNPEVILPVPAFNVIN
GGSHAGNKLAMQEFMIPPCGADRFNDAIRIGAEVYHNLKNVIKEKYGKDATNVGDEGGF
APNILENKEALELLKTAIGKAGYSDKVVIGMDVAASEFYRDGKYDLDFNSPDDPSRYIS
PDQLADLYKGFVLGHAVKNYPVGVSIEDPPFDQDDWGAWKKLFTGSLVGIQVVGDDLTV
TKPEARIAKAVEEVKACNCLLLLKVNQIGSVTESLQACKLAQSNGWGVMPVSHRLSGET
EDTFMADLVVGLCTGQIKTGPTCRSERLAKYNQLLRIEEAEAGSKARFAGRNFRNPRIN
【０２８０】
癌原遺伝子セリン／スレオニン−タンパク質キナーゼＭＯＳ（例えば、ＧｅｎＢａｎｋ登録番号ＮＰ＿００５３６３（配列番号１３８）：
＞ｒｅｆｓｅｑｐ｜ＮＰ＿００５３６３｜ＮＰ＿００５３６３  ｖ−ｍｏｓモロニーマウス肉腫ウイルス癌原遺伝子ホモログ［ヒト］。
MPSPLALRPYLRSEFSPSVDARPCSSPSELPAKLLLGATLPRAPRLPRRLAWCSIDWEQV
CLLQRLGAGGFGSVYKATYRGVPVAIKQVNKCTKNRLASRRSFWAELNVARLRHDNIVRV
VAASTRTPAGSNSLGTIIMEFGGNVTLHQVIYGAAGHPEGDAGEPHCRTGGQLSLGKCLK
YSLDVVNGLLFLHSQSIVHLDLKPANILISEQDVCKISDFGCSEKLEDLLCFQTPSYPLG
GTYTHRAPELLKGEGVTPKADIYSFAITLWQMTTKQAPYSGERQHILYAVVAYDLRPSLS
AAVFEDSLPGQRLGDVIQRCWRPSAAQRPSARLLLVDLTSLKAELG
【０２８１】
β−アデュシン（ＡＤＤ２）のアイソフォーム１（例えば、ＧｅｎＢａｎｋ登録番号ＮＰ＿００１６０８（配列番号１３９）：
＞ｒｅｆｓｅｑｐ｜ＮＰ＿００１６０８｜ＮＰ＿００１６０８  アデュシン２  アイソフォームａ［ヒト］。
MSEETVPEAASPPPPQGQPYFDRFSEDDPEYMRLRNRAADLRQDFNLMEQKKRVTMILQS
PSFREELEGLIQEQMKKGNNSSNIWALRQIADFMASTSHAVFPTSSMNVSMMTPINDLHT
ADSLNLAKGERLMRCKISSVYRLLDLYGWAQLSDTYVTLRVSKEQDHFLISPKGVSCSEV
TASSLIKVNILGEVVEKGSSCFPVDTTGFCLHSAIYAARPDVRCIIHLHTPATAAVSAMK
WGLLPVSHNALLVGDMAYYDFNGEMEQEADRINLQKCLGPTCKILVLRNHGVVALGDTVE
EAFYKIFHLQAACEIQVSALSSAGGVENLILLEQEKHRPHEVGSVQWAGSTFGPMQKSRL
GEHEFEALMRMLDNLGYRTGYTYRHPFVQEKTKHKSEVEIPATVTAFVFEEDGAPVPALR
QHAQKQQKEKTRWLNTPNTYLRVNVADEVQRSMGSPRPKTTWMKADEVEKSSSGMPIRIE
NPNQFVPLYTDPQEVLEMRNKIREQNRQDVKSAGPQSQLLASVIAEKSRSPSTESQLMSK
GDEDTKDDSEETVPNPFSQLTDQELEEYKKEVERKKLELDGEKETAPEEPGSPAKSAPAS
PVQSPAKEAETKSPLVSPSKSLEEGTKKTETSKAATTEPETTQPEGVVVNGREEEQTAEE
ILSKGLSQMTTSADTDVDTSKDKTESVTSGPMSPEGSPSKSPSKKKKKFRTPSFLKKSKK
KEKVES
【０２８２】
アポリポタンパク質Ｅ（ＡＰＯＥ）（例えば、ＧｅｎＢａｎｋ登録番号ＮＰ＿００００３２配列番号１４０）：
＞ｒｅｆｓｅｑｐ｜ＮＰ＿００００３２｜ＮＰ＿００００３２  アポリポタンパク質Ｅ前駆体［ヒト］。
MKVLWAALLVTFLAGCQAKVEQAVETEPEPELRQQTEWQSGQRWELALGRFWDYLRWVQT
LSEQVQEELLSSQVTQELRALMDETMKELKAYKSELEEQLTPVAEETRARLSKELQAAQA
RLGADMEDVCGRLVQYRGEVQAMLGQSTEELRVRLASHLRKLRKRLLRDADDLQKRLAVY
QAGAREGAERGLSAIRERLGPLVEQGRVRAATVGSLAGQPLQERAQAWGERLRARMEEMG
SRTRDRLDEVKEQVAEVRAKLEEQAQQIRLQAEAFQARLKSWFEPLVEDMQRQWAGLVEK
VQAAVGTSAAPVPSDNH
【０２８３】
ユビキリン−４（ＵＢＱＬＮ４）（アタキシン−１ユビキチン様相互作用タンパク質）（例えば、ＧｅｎＢａｎｋ登録番号ＮＰ＿０６４５１６（配列番号１４１）：
＞ｒｅｆｓｅｑｐ｜ＮＰ＿０６４５１６｜ＮＰ＿０６４５１６  アタキシン−１ユビキチン様相互作用タンパク質［ヒト］。
MAEPSGAETRPPIRVTVKTPKDKEEIVICDRASVKEFKEEISRRFKAQQDQLVLIFAGKI
LKDGDTLNQHGIKDGLTVHLVIKTPQKAQDPAAATASSPSTPDPASAPSTTPASPATPAQ
PSTSGSASSDAGSGSRRSSGGGPSPGAGEGSPSATASILSGFGGILGLGSLGLGSANFME
LQQQMQRQLMSNPEMLSQIMENPLVQDMMSNPDLMRHMIMANPQMQQLMERNPEISHMLN
NPELMRQTMELARNPAMMQEMMRNQDRALSNLESIPGGYNALRRMYTDIQEPMFSAAREQ
FGNNPFSSLAGNSDSSSSQPLRTENREPLPNPWSPSPPTSQAPGSGGEGTGGSGTSQVHP
TVSNPFGINAASLGSGMFNSPEMQALLQQISENPQLMQNVISAPYMRSMMQTLAQNPDFA
AQMMVNVPLFAGNPQLQEQLRLQLPVFLQQMQNPESLSILTNPRAMQALLQIQQGLQTLQ
TEAPGLVPSLGSFGISRTPAPSAGSNAGSTPEAPTSSPATPATSSPTGASSAQQQLMQQM
IQLLAGSGNSQVQTPEVRFQQQLEQLNSMGFINREANLQALIATGGDINAAIERLLGSQL
S
【０２８４】
Ｓｕｍｏ結合酵素ＵＢ２１（酵母におけるホモログＵＢＣ９）（例えば、ＧｅｎＢａｎｋ登録番号ＮＰ＿００３３３６（配列番号１４２）：
＞ｒｅｆｓｅｑｐ｜ＮＰ＿００３３３６｜ＮＰ＿００３３３６  ユビキチン結合酵素Ｅ２Ｉ［ヒト］。
MSGIALSRLAQERKAWRKDHPFGFVAVPTKNPDGTMNLMNWECAIPGKKGTPWEGGLFKL
RMLFKDDYPSSPPKCKFEPPLFHPNVYPSGTVCLSILEEDKDWRPAITIKQILLGIQELL
NEPNIQDPAQAEAYTIYCQNRVEYEKRVRAQAKKFAPS
【０２８５】
ミオシン−１５（ＭＹＨ１５）（例えば、ＧｅｎＢａｎｋ登録番号ＮＰ＿０５５７９６（配列番号１４３）：
＞ｒｅｆｓｅｑｐ｜ＮＰ＿０５５７９６｜ＮＰ＿０５５７９６  ミオシン，重ポリペプチド１５［ヒト］。
MVESCLLTFRAFFWWIALIKMDLSDLGEAAAFLRRSEAELLLLQATALDGKKKCWIPDGE
NAYIEAEVKGSEDDGTVIVETADGESLSIKEDKIQQMNPPEFEMIEDMAMLTHLNEASVL
HTLKRRYGQWMIYTYSGLFCVTINPYKWLPVYQKEVMAAYKGKRRSEAPPHIFAVANNAF
QDMLHNRENQSILFTGESGAGKTVNSKHIIQYFATIAAMIESRKKQGALEDQIMQANTIL
EAFGNAKTLRNDNSSRFGKFIRMHFGARGMLSSVDIDIYLLEKSRVIFQQAGERNYHIFY
QILSGQKELHDLLLVSANPSDFHFCSCGAVTVESLDDAEELLATEQAMDILGFLPDEKYG
CYKLTGAIMHFGNMKFKQKPREEQLEADGTENADKAAFLMGINSSELVKCLIHPRIKVGN
EYVTRGQTIEQVTCAVGALSKSMYERMFKWLVARINRALDAKLSRQFFIGILDITGFEIL
EYNSLEQLCINFTNEKLQQFFNWHMFVLEQEEYKKESIEWVSIGFGLDLQACIDLIEKPM
GILSILEEECMFPKATDLTFKTKLFDNHFGKSVHLQKPKPDKKKFEAHFELVHYAGVVPY
NISGWLEKNKDLLNETVVAVFQKSSNRLLASLFENYMSTDSAIPFGEKKRKKGASFQTVA
SLHKENLNKLMTNLKSTAPHFVRCINPNVNKIPGILDPYLVLQQLRCNGVLEGTRICREG
FPNRLQYADFKQRYCILNPRTFPKSKFVSSRKAAEELLGSLEIDHTQYRFGITKVFFKAG
FLGQLEAIRDERLSKVFTLFQARAQGKLMRIKFQKILEERDALILIQWNIRAFMAVKNWP
WMRLFFKIKPLVKSSEVGEEVAGLKEECAQLQKALEKSEFQREELKAKQVSLTQEKNDLI
LQLQAEQETLANVEEQCEWLIKSKIQLEARVKELSERVEEEEEINSELTARGRKLEDECF
ELKKEIDDLETMLVKSEKEKRTTEHKVKNLTEEVEFLNEDISKLNRAAKVVQEAHQQTLD
DLHMEEEKLSSLSKANLKLEQQVDELEGALEQERKARMNCERELHKLEGNLKLNRESMEN
LESSQRHLAEELRKKELELSQMNSKVENEKGLVAQLQKTVKELQTQIKDLKEKLEAERTT
RAKMERERADLTQDLADLNERLEEVGGSSLAQLEITKKQETKFQKLHRDMEEATLHFETT
SASLKKRHADSLAELEGQVENLQQVKQKLEKDKSDLQLEVDDLLTRVEQMTRAKANAEKL
CTLYEERLHEATAKLDKVTQLANDLAAQKTKLWSESGEFLRRLEEKEALINQLSREKSNF
TRQIEDLRGQLEKETKSQSALAHALQKAQRDCDLLREQYEEEQEVKAELHRTLSKVNAEM
VQWRMKYENNVIQRTEDLEDAKKELAIRLQEAAEAMGVANARNASLERARHQLQLELGDA
LSDLGKVRSAAARLDQKQLQSGKALADWKQKHEESQALLDASQKEVQALSTELLKLKNTY
EESIVGQETLRRENKNLQEEISNLTNQVREGTKNLTEMEKVKKLIEEEKTEVQVTLEETE
GALERNESKILHFQLELLEAKAELERKLSEKDEEIENFRRKQQCTIDSLQSSLDSEAKSR
IEVTRLKKKMEEDLNEMELQLSCANRQVSEATKSLGQLQIQIKDLQMQLDDSTQLNSDLK
EQVAVAERRNSLLQSELEDLRSLQEQTERGRRLSEEELLEATERINLFYTQNTSLLSQKK
KLEADVARMQKEAEEVVQECQNAEEKAKKAAIEAANLSEELKKKQDTIAHLERTRENMEQ
TITDLQKRLAEAEQMALMGSRKQIQKLESRVRELEGELEGEIRRSAEAQRGARRLERCIK
ELTYQAEEDKKNLSRMQTQMDKLQLKVQNYKQQVEVAETQANQYLSKYKKQQHELNEVKE
RAEVAESQVNKLKIKAREFGKKVQEE
【０２８６】
ＦＬＪ９３０９１，ヒトＵＭＰ−ＣＭＰキナーゼ（ＵＭＰ−ＣＭＰＫ）（例えば、ＧｅｎＢａｎｋ登録番号ＮＰ＿０５７３９２（配列番号１４４）：
ｒｅｆｓｅｑｐ｜ＮＰ＿０５７３９２｜ＮＰ＿０５７３９２  ＵＭＰ−ＣＭＰキナーゼ１アイソフォームａ［ヒト］。
MLSRCRSGLLHVLGLSFLLQTRRPILLCSPRLMKPLVVFVLGGPGAGKGTQCARIVEKYG
YTHLSAGELLRDERKNPDSQYGELIEKYIKEGKIVPVEITISLLKREMDQTMAANAQKNK
FLIDGFPRNQDNLQGWNKTMDGKADVSFVLFFDCNNEICIERCLERGKSSGRSDDNRESL
EKRIQTYLQSTKPIIDLYEEMGKVKKIDASKSVDEVFDEVVQIFDKEG
【０２８７】
インテレクチン−１（ＩＴＬＮ１）（例えば、ＧｅｎＢａｎｋ登録番号ＮＰ＿０６００９５（配列番号１４５）：
＞ｒｅｆｓｅｑｐ｜ＮＰ＿０６００９５｜ＮＰ＿０６００９５  インテレクチン［ヒト］。
MNQLSFLLFLIATTRGWSTDEANTYFKEWTCSSSPSLPRSCKEIKDECPSAFDGLYFLRT
ENGVIYQTFCDMTSGGGGWTLVASVHENDMRGKCTVGDRWSSQQGSKAVYPEGDGNWANY
NTFGSAEAATSDDYKNPGYYDIQAKDLGIWHVPNKSPMQHWRNSSLLRYRTDTGFLQTLG
HNLFGIYQKYPVKYGEGKCWTDNGPVIPVVYDFGDAQKTASYYSPYGQREFTAGFVQFRV
FNNERAANALCAGMRVTGCNTEHHCIGGGGYFPEASPQQCGDFSGFDWSGYGTHVGYSSS
REITEAAVLLFYR
【０２８８】
アポリポタンパク質Ａ−ＩＶ（ＡＰＯＡ４）（例えば、ＧｅｎＢａｎｋ登録番号Ｑ１３７８４（配列番号１４６）：
＞ｕｎｉｐｒｏｔ｜Ｑ１３７８４｜Ｑ１３７８４＿ヒトＡＰＯＡ４タンパク質；
LEPYADQLRTQVNTQAEQLRRQLDPLAQRMERVLRENADSLQASLRPHADELKAKIDQNV
EELKGRLTPYADEFKVKIDQTVEELRRSLAPYAQDTQEKLNHQLEGLTFQMKKNAEELKA
RISASAEELRQRLAPLAEDVRGNLKGNTEGLQKSLAELGGHLDQQVEEFRRRVEPYGENF
NKALVQQMEQLRQKLGPHAGDVEGHLSFLEKDLRDKVNSFFSTFKEKESQDKTLSLPELE
QQQE
【０２８９】
ミトコンドリアピルビン酸デヒドロゲナーゼ（リポアミド）α１（ＰＤＨＡ１）（例えば、ＧｅｎＢａｎｋ登録番号Ｐ０８５５９（配列番号１４７）：
＞ｕｎｉｐｒｏｔ｜Ｐ０８５５９｜ＯＤＰＡ＿ヒトピルビン酸デヒドロゲナーゼＥ１成分サブユニットＡ，体細胞型，ミトコンドリア性；
MRKMLAAVSRVLSGASQKPASRVLVASRNFANDATFEIKKCDLHRLEEGPPVTTVLTRED
GLKYYRMMQTVRRMELKADQLYKQKIIRGFCHLCDGQEACCVGLEAGINPTDHLITAYRA
HGFTFTRGLSVREILAELTGRKGGCAKGKGGSMHMYAKNFYGGNGIVGAQVPLGAGIALA
CKYNGKDEVCLTLYGDGAANQGQIFEAYNMAALWKLPCIFICENNRYGMGTSVERAAAST
DYYKRGDFIPGLRVDGMDILCVREATRFAAAYCRSGKGPILMELQTYRYHGHSMSDPGVS
YRTREEIQEVRSKSDPIMLLKDRMVNSNLASVEELKEIDVEVRKEIEDAAQFATADPEPP
LEELGYHIYSSDPPFEVRGANQWIKFKSVS
【０２９０】
ロイシンリッチリピート含有タンパク質５９（ＬＲＲＣ５９）（例えば、ＧｅｎＢａｎｋ登録番号ＮＰ＿０６０９７９（配列番号１４８）：
＞ｒｅｆｓｅｑｐ｜ＮＰ＿０６０９７９｜ＮＰ＿０６０９７９  ロイシンリッチリピート含有５９［ヒト］。
MTKAGSKGGNLRDKLDGNELDLSLSDLNEVPVKELAALPKATILDLSCNKLTTLPSDFCG
LTHLVKLDLSKNKLQQLPADFGRLVNLQHLDLLNNKLVTLPVSFAQLKNLKWLDLKDNPL
DPVLAKVAGDCLDEKQCKQCANKVLQHMKAVQADQERERQRRLEVEREAEKKREAKQRAK
EAQERELRKREKAEEKERRRKEYDALKAAKREQEKKPKKEANQAPKSKSGSRPRKPPPRK
HTRSWAVLKLLLLLLLFGVAGGLVACRVTELQQQPLCTSVNTIYDNAVQGLRRHEILQWV
LQTDSQQ
【０２９１】
６０Ｓリボソームタンパク質Ｌ３７Ａ．（ＲＰＬ３７Ａ）（例えば、ＧｅｎＢａｎｋ登録番号ＮＰ＿０００９８９（配列番号１４９）：
＞ｒｅｆｓｅｑｐ｜ＮＰ＿０００９８９｜ＮＰ＿０００９８９  リボソームタンパク質Ｌ３７ａ［ヒト］。
MAKRTKKVGIVGKYGTRYGASLRKMVKKIEISQHAKYTCSFCGKTKMKRRAVGIWHCGSC
MKTVAGGAWTYNTTSAVTVKSAIRRLKELKDQ
【０２９２】
ウリジン−シチジンキナーゼ１−様１（ＵＣＫＬ１）（例えば、ＧｅｎＢａｎｋ登録番号Ｑ５３ＨＭ１（配列番号１５０）：
＞ｕｎｉｐｒｏｔ｜Ｑ５３ＨＭ１｜Ｑ５３ＨＭ１＿ヒトウリジンキナーゼ；
MAAPPARADADPSPTSPPTARDTPGRQAEKSETACEDRSNAESLDRLLPPVGTGRSPRKR
TTSQCKSEPPLLRTSKRTIYTAGRPPWYNEHGTQSKEAFAIGLGGGSASGKTTVARMIIE
ALDVPWVVLLSMDSFYKVLTEQQQEQAAHNNFNFDHPDAFDFDLIIFTLKKLKQGKSVKV
PIYDFTTHSRKKDWKTLYGANVIIFEGIMAFADKTLLELLDMKIFVDTDSDIRLVRRLRR
DISERGRDIEGVIKQYNKFVKPSFDQYIQPTMRLADIVVPRGSGNTVAIDLIVQHVHSQL
EERELSVRAALASAHQCHPLPRTLSVLKSTPQVRGMHTIIRDKETSRDEFIFYSKRLMRL
LIEHALSFLPFQDCVVQTPQGQDYAGKCYAGKQITGVSILRAGETMEPALRAVCKDVRIG
TILIQTNQLTGEPELHYLRLPKDISDDHVILMDCTVSTGAAAMMAVRVLLDHDVPEDKIF
LLSLLMAEMGVHSVAYAFPRVRIITTAVDKRVNDLFRIIPGIGNFGDRYFGTDAVPDGSD
EEEVAYTG
【０２９３】
アルデヒドデヒドロゲナーゼ９Ａ１（ＡＬＤＨ９Ａ１）（例えば、ＧｅｎＢａｎｋ登録番号ＮＰ＿０００６８７（配列番号１５１）：
＞ｒｅｆｓｅｑｐ｜ＮＰ＿０００６８７｜ＮＰ＿０００６８７  アルデヒドデヒドロゲナーゼ９Ａ１［ヒト］。
MFLRAGLAALSPLLRSLRPSPVAAMSTGTFVVSQPLNYRGGARVEPADASGTEKAFEPAT
GRVIATFTCSGEKEVNLAVQNAKAAFKIWSQKSGMERCRILLEAARIIREREDEIATMEC
INNGKSIFEARLDIDISWQCLEYYAGLAASMAGEHIQLPGGSFGYTRREPLGVCVGIGAW
NYPFQIASWKSAPALACGNAMVFKPSPFTPVSALLLAEIYSEAGVPPGLFNVVQGGAATG
QFLCQHPDVAKVSFTGSVPTGMKIMEMSAKGIKPVTLELGGKSPLIIFSDCDMNNAVKGA
LMANFLTQGQVCCNGTRVFVQKEILDKFTEEVVKQTQRIKIGDPLLEDTRMGPLINRPHL
ERVLGFVKVAKEQGAKVLCGGDIYVPEDPKLKDGYYMRPCVLTNCRDDMTCVKEEIFGPV
MSILSFDTEAEVLERANDTTFGLAAGVFTRDIQRAHRVVAELQAGTCFINNYNVSPVELP
FGGYKKSGFGRENGRVTIEYYSQLKTVCVEMGDVESAF
【０２９４】
チオレドキシン還元酵素１，細胞質性（ＴＸＮＲＤ１）のアイソフォーム３（例えば、ＧｅｎＢａｎｋ登録番号Ｑ１６８８１（配列番号１５２）：
＞ｕｎｉｐｒｏｔ｜Ｑ１６８８１｜ＴＲＸＲ１＿ヒトチオレドキシン還元酵素１，細胞質性；
MGCAEGKAVAAAAPTELQTKGKNGDGRRRSAKDHHPGKTLPENPAGFTSTATADSRALLQ
AYIDGHSVVIFSRSTCTRCTEVKKLFKSLCVPYFVLELDQTEDGRALEGTLSELAAETDL
PVVFVKQRKIGGHGPTLKAYQEGRLQKLLKMNGPEDLPKSYDYDLIIIGGGSGGLAAAKE
AAQYGKKVMVLDFVTPTPLGTRWGLGGTCVNVGCIPKKLMHQAALLGQALQDSRNYGWKV
EETVKHDWDRMIEAVQNHIGSLNWGYRVALREKKVVYENAYGQFIGPHRIKATNNKGKEK
IYSAERFLIATGERPRYLGIPGDKEYCISSDDLFSLPYCPGKTLVVGASYVALECAGFLA
GIGLDVTVMVRSILLRGFDQDMANKIGEHMEEHGIKFIRQFVPIKVEQIEAGTPGRLRVV
AQSTNSEEIIEGEYNTVMLAIGRDACTRKIGLETVGVKINEKTGKIPVTDEEQTNVPYIY
AIGDILEDKVELTPVAIQAGRLLAQRLYAGSTVKCDYENVPTTVFTPLEYGACGLSEEKA
VEKFGEENIEVYHSYFWPLEWTIPSRDNNKCYAKIICNTKDNERVVGFHVLGPNAGEVTQ
GFAAALKCGLTKKQLDSTIGIHPVCAEVFTTLSVTKRSGASILQAGCUG
【０２９５】
核内受容体サブファミリー２グループＥメンバー１（ＮＲ２Ｅ１）（例えば、ＧｅｎＢａｎｋ登録番号ＮＰ＿００３２６０（配列番号１５３）：
＞ｒｅｆｓｅｑｐ｜ＮＰ＿００３２６０｜ＮＰ＿００３２６０  核内受容体サブファミリー２，グループＥ，メンバー１［ヒト］。
MSKPAGSTSRILDIPCKVCGDRSSGKHYGVYACDGCSGFFKRSIRRNRTYVCKSGNQGGC
PVDKTHRNQCRACRLKKCLEVNMNKDAVQHERGPRTSTIRKQVALYFRGHKEENGAAAHF
PSAALPAPAFFTAVTQLEPHGLELAAVSTTPERQTLVSLAQPTPKYPHEVNGTPMYLYEV
ATESVCESAARLLFMSIKWAKSVPAFSTLSLQDQLMLLEDAWRELFVLGIAQWAIPVDAN
TLLAVSGMNGDNTDSQKLNKIISEIQALQEVVARFRQLRLDATEFACLKCIVTFKAVPTH
SGSELRSFRNAAAIAALQDEAQLTLNSYIHTRYPTQPCRFGKLLLLLPALRSISPSTIEE
VFFKKTIGNVPITRLLSDMYKSSDI
【０２９６】
陽イオンチャンネル精子関連タンパク質３（ＣＡＴＰＥＲ３）（例えば、ＧｅｎＢａｎｋ登録番号ＮＰ＿８２１１３８（配列番号１５４）：
＞ｒｅｆｓｅｑｐ｜ＮＰ＿８２１１３８｜ＮＰ＿８２１１３８  陽イオンチャンネル，精子関連３［ヒト］。
MSQHRHQRHSRVISSSPVDTTSVGFCPTFKKFKRNDDECRAFVKRVIMSRFFKIIMISTV
TSNAFFMALWTSYDIRYRLFRLLEFSEIFFVSICTSELSMKVYVDPINYWKNGYNLLDVI
IIIVMFLPYALRQLMGKQFTYLYIADGMQSLRILKLIGYSQGIRTLITAVGQTVYTVASV
LLLLFLLMYIFAILGFCLFGSPDNGDHDNWGNLAAAFFTLFSLATVDGWTDLQKQLDNRE
FALSRAFTIIFILLASFIFLNMFVGVMIMHTEDSIRKFERELMLEQQEMLMGEKQVILQR
QQEEISRLMHIQKNADCTSFSELVENFKKTLSHTDPMVLDDFGTSLPFIDIYFSTLDYQD
TTVHKLQELYYEIVHVLSLMLEDLPQEKPQSLEKVDEK
【０２９７】
膜貫通ＥＭＰ２４ドメイン含有タンパク質１（ＴＭＥＤ１）（例えば、ＧｅｎＢａｎｋ登録番号ＮＰ＿００６８４９（配列番号１５５）：
＞ｒｅｆｓｅｑｐ｜ＮＰ＿００６８４９｜ＮＰ＿００６８４９  インターロイキン１受容体様１リガンド前駆体［ヒト］。
MMAAGAALALALWLLMPPVEVGGAGPPPIQDGEFTFLLPAGRKQCFYQSAPANASLETEY
QVIGGAGLDVDFTLESPQGVLLVSESRKADGVHTVEPTEAGDYKLCFDNSFSTISEKLVF
FELIFDSLQDDEEVEGWAEAVEPEEMLDVKMEDIKESIETMRTRLERSIQMLTLLRAFEA
RDRNLQEGNLERVNFWSAVNVAVLLLVAVLQVCTLKRFFQDKRPVPT
【０２９８】
タンパク質ＦＡＭ１５４Ａ（ＦＡＭ１５４Ａ）（例えば、ＧｅｎＢａｎｋ登録番号ＮＰ＿７１４９１８（配列番号１５６）：
＞ｒｅｆｓｅｑｐ｜ＮＰ＿７１４９１８｜ＮＰ＿７１４９１８  仮説タンパク質ＬＯＣ１５８２９７［ヒト］。
MKTKCICELCSCGRHHCPHLPTKIYDETEKPCLLSEYTENYPFYHSYLPRESFKPRREYQ
KGSIPMEGLTTSRRDFGPHKVAPVKVHQYDQFVPSEENMDLLTTYKKDYNPYPVCRVDPI
KPRDSKYPCSDKMECLPTYKADYLPWNQPRREPLRLEHKYQPASVRFDNRTTHQDDYPIK
GLVKTISCKPLAMPKLCNIPLEDVTNYKMSYVAHPVEKRFVHEAEKFRPCEIPFESLTTQ
KQSYRGLMGEPAKSLKPLARPPGLDMPFCNTTEFRDKYQAWPMPRMFSKAPITYVPPEDR
MDLLTTVQAHYTCPKGAPAQSCRPALQIKKCGRFEGSSTTKDDYKQWSSMRTEPVKPVPQ
LDLPTEPLDCLTTTRAHYVPHLPINTKSCKPHWSGPRGNVPVESQTTYTISFTPKEMGRC
LASYPEPPGYTFEEVDALGHRIYKPVSQAGSQQSSHLSVDDSENPNQRELEVLA
【０２９９】
転写リプレッサーＮＦ−Ｘ１（ＮＦＸ１）のアイソフォーム１（例えば、ＧｅｎＢａｎｋ登録番号ＮＰ＿００２４９５（配列番号１５７）：
＞ｒｅｆｓｅｑｐ｜ＮＰ＿００２４９５｜ＮＰ＿００２４９５  核転写因子，Ｘ−ボックス結合１アイソフォーム１［ヒト］。
MAEAPPVSGTFKFNTDAAEFIPQEKKNSGLNCGTQRRLDSNRIGRRNYSSPPPCHLSRQV
PYDEISAVHQHSYHPSGSKPKSQQTSFQSSPCNKSPKSHGLQNQPWQKLRNEKHHIRVKK
AQSLAEQTSDTAGLESSTRSESGTDLREHSPSESEKEVVGADPRGAKPKKATQFVYSYGR
GPKVKGKLKCEWSNRTTPKPEDAGPESTKPVGVFHPDSSEASSRKGVLDGYGARRNEQRR
YPQKRPPWEVEGARPRPGRNPPKQEGHRHTNAGHRNNMGPIPKDDLNERPAKSTCDSENL
AVINKSSRRVDQEKCTVRRQDPQVVSPFSRGKQNHVLKNVETHTGSLIEQLTTEKYECMV
CCELVRVTAPVWSCQSCYHVFHLNCIKKWARSPASQADGQSGWRCPACQNVSAHVPNTYT
CFCGKVKNPEWSRNEIPHSCGEVCRKKQPGQDCPHSCNLLCHPGPCPPCPAFMTKTCECG
RTRHTVRCGQAVSVHCSNPCENILNCGQHQCAELCHGGQCQPCQIILNQVCYCGSTSRDV
LCGTDVGKSDGFGDFSCLKICGKDLKCGNHTCSQVCHPQPCQQCPRLPQLVRCCPCGQTP
LSQLLELGSSSRKTCMDPVPSCGKVCGKPLPCGSLDFIHTCEKLCHEGDCGPCSRTSVIS
CRCSFRTKELPCTSLKSEDATFMCDKRCNKKRLCGRHKCNEICCVDKEHKCPLICGRKLR
CGLHRCEEPCHRGNCQTCWQASFDELTCHCGASVIYPPVPCGTRPPECTQTCARVHECDH
PVYHSCHSEEKCPPCTFLTQKWCMGKHEFRSNIPCHLVDISCGLPCSATLPCGMHKCQRL
CHKGECLVDEPCKQPCTTPRADCGHPCMAPCHTSSPCPVTACKAKVELQCECGRRKEMVI
CSEASSTYQRIAAISMASKITDMQLGGSVEISKLITKKEVHQARLECDEECSALERKKRL
AEAFHISEDSDPFNIRSSGSKFSDSLKEDARKDLKFVSDVEKEMETLVEAVNKGKNSKKS
HSFPPMNRDHRRIIHDLAQVYGLESVSYDSEPKRNVVVTAIRGKSVCPPTTLTGVLEREM
QARPPPPIPHHRHQSDKNPGSSNLQKITKEPIIDYFDVQD
【０３００】
本明細書中において例示的に記載される発明は、本明細書中に具体的に開示されない任意の要素又は限定の存在しない条件下で、適当に実施され得る。すなわち、例えば、本明細書中における各場合において、用語「含んでなる」、「から本質的に成る」、及び「から成る」のいずれも、これらの用語の通常の意味を維持しながら他の２つの用語のいずれかと交換してもよい。使用される用語及び表現は、限定の言葉としてではなく、記述の言葉として使用され、かかる用語及び表現を使用する場合、示され及び記載される特徴の任意の同等物又はその部分を除外することは全く意図されず、様々な変更が、請求される本発明の範囲において可能であることが認識される。したがって、本発明は、実施形態によって具体的に開示されているが、任意的な特徴、本明細書中で開示される概念の修飾及び変更を、当業者が用い得ること、及び、かかる修飾及び変更が、明細書及び添付される特許請求の範囲に規定される本発明の範囲内であると考えられること、を理解すべきである。
【０３０１】
さらに、本発明の特徴又は態様が、マーカッシュグループ又はその他のグループ化方法で選択肢が記載されている場合、当業者であれば、それによって、本発明が、マーカッシュグループ又はその他のグループの任意の個別のメンバー又はサブグループによっても記載されていることが認識されるであろう。
【実施例】
【０３０２】
[実施例１]      
一組の同系結腸腺癌及び健常組織サンプル
腫瘍に隣接する大腸の領域からの結腸腺癌ステージＩ−ＩＶ及び同系健常組織を、Ａｓｔｅｒａｎｄ  ＸｐｒｅｓｓＢａｎｋ（Ｄｅｔｒｏｉｔ，  ＭＩ）から取得した。Ａｓｔｅｒａｎｄによって提供されたサンプルを回収して、回収時に存在するインタクトな任意の潜在的抗原を保存するために迅速に凍結した。組織の最小限の分解が、ＲＮＡプロファイルによって確認された。組織は、使用するまで−８０℃で保存した。
【０３０３】
ニワトリにおけるポリクローナル抗体（ＹＰＡｂｓ）の作製のための組織及びサンプル調製
約５０ｍｇの凍結したステージＩ−ＩＶの結腸癌組織サンプルを、別々に薄く削り、氷上で融解して、ホモジナイズする。フロインド完全アジュバントを混合し、サンプルあたり２羽のニワトリを免疫及び追加免疫するために使用して、サンプルのタンパク質濃度を１ｍｇ／ｍｌに調整した。次の最終追加免疫の３週間後に卵から得られた、結腸癌のステージＩ−ＩＶ特異的免疫ＹＰＡｂｓを、対応するステージ特異的腫瘍組織ホモジネートに対するウェスタンブロットを用いて反応性について試験した（データ示さず）。強力かつ広範に反応性を示すＹＰａｂｓを、ニワトリあたり６個の卵から精製し、一定量に分配して、使用するまで４℃で保存した。ステージＩＶの結腸癌組織に対する結果のみを示す。
【０３０４】
ステージＩＶのＹＰＡｂｓの、ステージＩＶの結腸癌を有すると診断された患者のプール血清との反応性の評価
反応性は、ドットイムノブロットアッセイを用いて評価した。結果（図１に示す）は、年齢、性別及び民族性を合わせた健康な患者からの対照血清（スポット４）、ＢＳＡ（スポット３）、及び、健常組織のホモジネート（スポット１）のスポットと比較した時の、スポットされたステージＩＶ結腸癌患者からのプール血清の示差的反応性を示す。ステージＩＶ癌組織のホモジネートは、陽性対照であった（スポット２）。
【０３０５】
健常組織によって発現されるタンパク質と反応性を示す抗体のサブトラクション
第４ステージの各結腸癌からの腫瘍組織のホモジネートによって誘発される高力価で広い反応性を示すＹＰＡｂｓを、同系宿主から得られた健常腸組織のホモジネートを用いて、繰り返し吸着させた。ホモジネート中のタンパク質を固体支持体に結合させ、ＹＰＡｂｓを、４℃で緩やかに振動しながら一晩インキュベートした。結合していない抗体を回収し、ＥＬＩＳＡ及びウェスタンブロットが、健常組織中に存在するタンパク質との反応性を実質的に示さなくなるまで、吸着工程を２回以上繰り返した。残存している抗体を回収し、次の工程で使用するために精製した。或いは、一研究において、ステージＩＶの腫瘍組織に対して産生させた抗体を、健常対象からの血清を用いてサブトラクトした。血清成分を固体支持体に結合させ、上記のように抗体調製物を処理することにより、サブトラクションを行った。
【０３０６】
変化が介在する抗原の捕捉及びタンパク質の同定
吸着していない抗体を回収して精製し、「荷電」磁気ビーズを作製するために、製造業者（Ｄｙｎａｌ  Ｂｉｏｔｅｃｈ）の説明書にしたがって、Ｍ−２８０トシル活性化されたＤｙｎａｂｅａｄｓに共有結合的に結合させた。免疫捕捉のために、段階的な腫瘍のホモジネート（１ｍｇ／ｍｌ）を、それらの適当に段階的に帯電したビーズに適合させた。５ｍｌのホモジネートを、傾斜回転させながら、１時間、４℃にて、０．５ｍｌの荷電ビーズと一緒にインキュベートした。免疫捕捉後、荷電ビーズは、１０倍ビーズ容量の洗浄バッファー（ＰＢＳ−０．２％ＮＯＧ）を用いて洗浄した。特異的に結合しているタンパク質を、１Ｍ酢酸を用いて３回溶出させた。多くの放出されたタンパク質が同定された（配列番号１〜１５７）。陰性対照は、ホモジネートからタンパク質を免疫捕捉するために使用される同一体積の非荷電ビーズからの溶離液で構成された。荷電ビーズに特異的に結合しているタンパク質及び対照を、１Ｄ  ＳＤＳ−ＰＡＧＥ上で分画化して、クマシーブルーを用いて染色し、切片化する。各ゲル片中に含まれるタンパク質を、酵素トリプシンで切断し、ゲル片から溶出して、フロリダ大学バイオテクノロジー研究学際領域センター（ＩＣＢＲ）のＧｅＬＣ−ＭＳ／ＭＳ及びＭａｓｃｏｔデータベース検索（ＩＰＩヒトタンパク質データベース）によって同定した。
【０３０７】
放出された変化が介在するタンパク質について、ステージＩＶの癌患者の血清をパニングするために、同様の方式を使用した。５人の患者から各１ｍｌの血清（合計５ｍｌ）をプールして、傾斜回転させながら、１時間、４℃にて、０．５ｍｌの荷電ビーズと一緒にインキュベートした。免疫捕捉後、荷電ビーズは、１０倍ビーズ容量の洗浄バッファー（ＰＢＳ−０．２％ＮＯＧ）を用いて洗浄した。特異的に結合しているタンパク質を、１Ｍ酢酸を用いて３回溶出させた。３つの放出されたタンパク質を同定した。詳細を表１に示す。
【０３０８】
【表１】
2011528804.tif 000003
【図１】
2011528804.tif 000004
【国際調査報告】
2011528804.tif 000005
2011528804.tif 000006
2011528804.tif 000007
2011528804.tif 000008